(57)【要約】本発明は、新規性のある分泌性白血球免疫グロブリン受容体（ＬＩＲ様）ポリペプチドに対応するようなポリヌクレオチドおよびその突然変異体または変異体でコード化された、新規性のあるポリヌクレオチドおよびポリペプチドを提供するものである。これらのポリヌクレオチドは、ヒト白血球ｍＲＮＡ（ＧＩＢＣＯ  Ｌａｂｏｒａｔｏｒｉｅｓ）（ＳＥＱ  ＩＤ  ＮＯ：  １、ＳＥＱ  ＩＤ  ＮＯ：１６）；  乳児脳ｍＲＮＡ  （コロンビア大学）（ＳＥＱ  ＩＤ  ＮＯ：  ３５）；  ヒト乳腺ｍＲＮＡ  （ＳＥＱ  ＩＤ  ＮＯ：  ４７）；および骨髄ｍＲＮＡ（Ｃｌｏｎｔｅｃ）（ＳＥＱ  ＩＤ  ＮＯ：  ６３から作成されたｃＤＮＡライブラリから分離された核酸配列からなる。本発明のその他の特徴としては、新規性のある分泌性白血球免疫グロブリン受容体（ＬＩＲ様）ポリペプチド、およびそのようなポリペプチドに特異的な抗体の生成プロセスを含むベクターが挙げられる。【特許請求の範囲】
【請求項１】
ＳＥＱ  ＩＤ  ＮＯ：１−２、４−５、７、１６−１８、２０−２１、２３、３５−３６、３８−３９、４１、４７−４９、５１、６３−６５および  ６７から成るグループから選ばれたヌクレオチド配列、その翻訳された蛋白質コーディング部分、その成熟型蛋白質コーディング部分、その細胞外部分、またはその活性ドメインを含む分離されたポリヌクレオチド。
【請求項２】
生物活性を持つポリペプチドをコードする分離されたポリヌクレオチドであり、該ポリヌクレオチドは請求項１のポリヌクレオチドと約９８％より大きい配列同一性を持つ。
【請求項３】
請求項１のポリヌクレオチドで、ＤＮＡ配列であるもの。
【請求項４】
請求項１のヌクレオチドの補体からなる分離されたポリヌクレオチド。
【請求項５】
請求項１のポリヌクレオチドからなるベクター。
【請求項６】
請求項１のポリヌクレオチドからなる発現ベクター。
【請求項７】
請求項１のポリヌクレオチドを発現するように、遺伝子工学的に作成された宿主細胞。
【請求項８】
ポリヌクレオチドが宿主細胞のポリヌクレオチドの発現を制御する調節配列と機能的に会合している請求項７の宿主細胞。
【請求項９】
ＳＥＱ  ＩＤ  ＮＯ：３、  ６、  ８−１３、  １９、  ２２、  ２４−２８、  ３３−３４、  ３７、  ４２−４５、  ５０、  ５２−５８、  ６６、  ６８−７３および７４からなるグループから選ばれたアミノ酸配列に少なくとも９５％同一であるアミノ酸配列、その翻訳された蛋白質コーディング部分、その成熟型蛋白質コーディング部分、その細胞外部分、またはその活性領域からなる分離されたポリペプチド。
【請求項１０】
請求項９のポリペプチドと担体からなる組成物。
【請求項１１】
ＬＩＲ様活性を有し、ＳＥＱ  ＩＤ  ＮＯ：３、６、８−１３、１９、２２、２４−２８、  ３３−３４、  ３７、  ４２−４５、  ５０、  ５２−５８、  ６６、  ６８−７３および７４から成るグループから選ばれたポリペプチド配列の少なくとも１０個の連続的アミノ酸を含むポリペプチド。
【請求項１２】
ＳＥＱ  ＩＤ  ＮＯ：３、  ６、  ８−１３、  １９、  ２２、  ２４−２８、  ３３−３４、  ３７、  ４２−４５、  ５０、  ５２−５８、  ６６、  ６８−７３および７４から成るグループから選ばれたポリペプチド配列の少なくとも５個の連続的アミノ酸を含む請求項１１のポリペプチドで。
【請求項１３】
請求項１１によるポリペプチドをコードするポリヌクレオチド。
【請求項１４】
請求項１２によるポリペプチドをコードするポリヌクレオチド。
【請求項１５】
請求項９によるポリペプチドをコードするポリヌクレオチド。
【請求項１６】
請求項９のポリペプチドに特異的な抗体。
【請求項１７】
サンプル中の請求項１のポリヌクレオチドを検出する方法で、以下より成るもの：
ａ）請求項１のポリヌクレオチドと結合して、複合体を形成する化合物に、複合体を形成するに必要な期間、サンプルを接触させ、
ｂ）その複合体を検出し、複合体が検出されれば、請求項１のポリヌクレオチドが検出されたものとする。
【請求項１８】
サンプル中の請求項１のポリヌクレオチドを検出する方法で、以下より成るもの：
ａ）請求項１のポリヌクレオチドと厳しいハイブリダイゼーション条件の下で、アニールする核酸プライマーをそのようなハイブリダイゼーション条件下でサンプルを接触させ；
ｂ）請求項１のポリヌクレオチドの少なくとも一部を含む生成物を増幅し；そして
ｃ）該生成物を検出し、それによってサンプル中の請求項１のポリヌクレオチドを検出する。
【請求項１９】
請求項１８の方法において、そのポリヌクレオチドは、ＲＮＡ分子を含み、さらに、その方法はアニールされたＲＮＡ分子をｃＤＮＡポリヌクレオチドに逆転写することを含む。
【請求項２０】
サンプル中の請求項９のポリヌクレオチドを検出する方法で、以下より成るもの：
ａ）請求項１のポリペプチドと結合して、複合体を形成する化合物に、複合体を形成するに必要な期間と条件下でサンプルを接触させ；
ｂ）その複合体の形成を検出し、複合体の形成が検出されれば、請求項９のポリヌクレオチドが検出されたものとする。
【請求項２１】
請求項９のポリペプチドと結合する化合物を同定する方法で、以下よりなるもの：
ａ）該化合物を、ポリペプチド／化合物の複合体を形成するのに十分な期間と条件下で、請求項９のポリペプチドと接触させ；
ｂ）複合体を検出し、ポリペプチド／化合物の複合体が検出されれば、請求項９のポリペプチドに結合する化合物が同定されたものとする。
【請求項２２】
請求項９のポリペプチドと結合する化合物を同定する方法で、以下よりなるもの：
ａ）請求項９のポリペプチドと、ポリペプチド／化合物の複合体を形成するのに十分な期間、細胞内で該化合物を接触させ、そこで複合体が細胞中のレポーター遺伝子配列の発現をさせて；
ｂ）レポーター遺伝子配列発現を検出することによって、複合体を検出し、それによってポリペプチド／化合物の複合体が検出されれば、請求項９のポリペプチドに結合する化合物が同定されたものとする。
【請求項２３】
以下より成るＬＩＲ様のポリペプチドの生成方法：
ａ）請求項７の宿主細胞を、該細胞内でポリペプチドを発現させるために十分な状態で培養し、
ｂ）細胞培養物またはステップ（ａ）の細胞からポリペプチドを分離する。
【請求項２４】
請求項９のポリペプチドから成るキット。
【請求項２５】
請求項１のポリヌクレオチドから成る核酸アレイまたは表面に付着した請求項１のポリヌクレオチド独特なセグメント。
【請求項２６】
請求項２５のアレイで、請求項１のポリヌクレオチドまたはポリヌクレオチドの独特なセグメントに対するフルマッチを検出するアレイ。
【請求項２７】
請求項２５のアレイで、請求項１のポリヌクレオチドまたはポリヌクレオチドの独特なセグメントに対するミスマッチを検出するアレイ。
【請求項２８】
請求項９のＬＩＲ様ポリペプチドの発現または活性の亢進が必要な対象の治療方法で、以下の項目よりなるグループから選択される組成物を該対象に投与することを含むもの：
ａ）治療量の該ポリペプチドの作用薬；
ｂ）治療量の該ポリペプチド；および
ｃ）ポリペプチドが生成されるような形態と条件の下で、ポリペプチドをコードする治療量のポリヌクレオチド、および薬学的に妥当な担体。
【請求項２９】
ＬＩＲ様ポリペプチドの発現または活性を阻害することが必要な対象の治療方法で、以下の項目よりなるグループから選択される組成物を該対象に投与することからなるもの：
ａ）治療量の、当該ポリペプチドに対する拮抗薬；
ｂ）該ポリペプチドをコードするヌクレオチド配列の発現を阻害する治療量の核酸分子；および
ｃ）ＬＩＲ様ポリペプチドとリガンドの獲得を競う治療量のポリペプチドおよび薬学的に妥当な担体。
【発明の詳細な説明】
【０００１】
（１．技術分野）
本発明は新規性のあるポリヌクレオチドおよびそのようなポリヌクレオチドによってコードされた蛋白質を提供し、それと共にそれらのポリヌクレオチドおよび蛋白質の使用、特に治療、診断および研究分野における使用を提供するものである。本発明は、特に新規性のある白血球免疫グロブリン受容体（ＬＩＲ様）ポリペプチドに関連する。
【０００２】
（２．背景技術）
同定されたポリヌクレオチドおよびポリペプチド配列は、たとえば診断、法医学、遺伝子地図作成、遺伝疾患またはその他の特性の原因となる突然変異の特定、およびＤＮＡおよびアミノ酸配列に依存するその他の多くの種類のデータおよび生成物の作成など、数多くの用途を持っている。蛋白質は、たとえばリーダー配列クローニングにおけるその分泌性により、またＰＣＲベースの手法におけるその細胞または組織源により、または既知の生物活性を有する他の遺伝子との構造的な相似性により、生物活性を持つことが知られている。本発明はポリヌクレオチドおよびポリペプチドのコード化に関するものである。本発明は特に新規性のある可溶性白血球免疫グロブリン受容体（ＬＩＲ様）ポリペプチドとポリヌクレオチドに関するものである。
【０００３】
免疫機構は細胞表面相互作用および関連する情報伝達過程の複雑なネットワークによって支配されている。細胞表面の受容体がそのリガンドによって活性化されると、情報は細胞に送られ、関与する情報伝達経路によって、この情報は抑制的（阻害的）または活性的になる。多くの受容体系において、細胞活性は活性化情報と抑制化情報との均衡によって制御されている。
【０００４】
これらの陽性的または陰性的な情報伝達経路の生物学的機序は、多数の既知の免疫系受容体とリガンドの相互作用について分析されている。陽性的情報伝達を媒介する多くの活性化受容体（ＡＲ）は、免疫受容体チロシン塩基の活性化モチーフ（ＩＴＡＭ）として知られているチロシンのリン酸化部位を含む細胞質テイルを持つ。抑制的経路はＩＴＡＭのようにチロシンキナーゼによってリン酸化される免疫受容体チロシン塩基の抑制的モチーフを持つ受容体に関与する。これらのモチーフには、活性化された受容体または情報伝達分子から燐酸塩を除くことによって情報伝達をブロックするチロシン脱リン酸酵素（ホスファターゼ）に結合する部位があるため、これらのモチーフを持つ受容体は抑制的情報に関与する。
【０００５】
ナチュラルキラー（ＮＫ）細胞の細胞溶解活性は細胞機能を開始する陽性的情報と活性を妨げる抑制的情報の間の均衡によって調節されている。ＮＫ細胞毒性を活性化する受容体は、まだ十分に理解されていない。ＮＫ細胞が特異的受容体を持つ細胞表面ＭＨＣクラスＩ抗原をターゲット細胞が発現した場合、このＮＫ細胞のターゲット細胞を殺す作用は阻害される。キラー抑制受容体（ＫＩＲ）として知らているこれらの特異的ＮＫ細胞受容体は、ＮＫ  細胞の細胞毒性活性を下方調節するＭＨＣリガンドが関与すると、陰生的情報を送る。多くのＫＩＲに共通する細胞質ドメインのアミノ酸配列は、Ｉ／Ｌ／ＶｘＹｘｘＬ／Ｖの配列を持つＩＴＩＭモチーフである。ここで、“ｘ”  では任意のアミノ酸（ＳＥＱ  ＩＤ  ＮＯ：７７）である。   ＫＩＲは免疫グロブリンのスーパーファミリまたはＣ型レクチンファミリーのいずれかに属する。免疫グロブリン（ＩＧ）スーパーファミリ遺伝子は、共通のＩｇフォールドによって特徴化される多様な蛋白質をコードする。Ｉｇスーパーファミリ蛋白質は抗体、Ｔ細胞受容体、Ｂ細胞受容体、ＮＫ、骨髄、およびキラー抑制受容体（ＫＩＲ）および活性受容体（ＡＲ）のような白血球免疫受容体が含まれる。（Ｈａｗｋｅ，  ＮＡ，  Ｙｏｄｅｒ，  ＪＡ，  Ｌｉｔｍａｎ，  ＧＷ  Ｉｍｍｕｎｏｇｅｎｅｔｉｃｓ  １９９９  Ｎｏｖ；  ５０（３−４）：  １２４−３３．  ）  ＦＤＤ０３  やＣＤ５４のように、これらの膜受容体のいくつかの水溶性形態については述べており、病的状態のマーカーとなる場合がある  （Ｂｏｒｇｅｓ  ａｎｄ  Ｃｏｓｍａｎ  （２０００）  Ｃｙｔｏｋｉｎｅ  ａｎｄ  Ｇｒｏｗｔｈ  Ｆａｃｔｏｒ  Ｒｅｖｉｅｗｓ，  １１，  ２０９−２１７）．    Ｉｇ可変領域は特異的結合部位の作成に利用され、他方、Ｉｇ定常領域は対抗受容体結合分子の保存に寄与する。最近、１つのＩｇ可変領域のみを持つＣＭＲＦ−３５  と  ＰＩＧＲ−１免疫グロブリンのメンバーがクローンされた（参考として、Ｓｈｕｊｉａｎ  ｅｔ  ａｌ  （１９９９）．  ＥＰ  ０８９７９８１Ａ１，ここに組み入れる）。
【０００６】
抑制的受容体が樹状突起細胞、単球、ＣＤ１９＋Ｂ細胞およびＣＤ３＋Ｔ細胞などの造血細胞の大部分に存在することが明らかになりつつある（Ｂｏｒｇｅｓａｎｄ  Ｃｏｓｍａｎ  （２０００）  Ｃｙｔｏｋｉｎｅ  ａｎｄ  Ｇｒｏｗｔｈ  Ｆａｃｔｏｒ  Ｒｅｖｉｅｗｓ，  １１，  ２０９−２１７；  Ｄｅ  Ｍａｒｉａ，  ＡＤ  ｅｔ  ａｌ，  （１９９７）  Ｐｒｏｃ．  Ｎａｔｌ．  Ａｃａｄ．  Ｓｃｉ．  ＵＳＡ，  ９４，  １０２８５−８８）。また、巨大細胞によって発現される免疫受容体は細胞活性情報を下方調節することがわかっている（国際特許出願番号  ＷＯ９８／４８０１７）。  これらの受容体はそれらの細胞質領域の特性に応じて三つのグループに分類されている。またいくつかの細胞種類に対して分裂誘発性を示している（ヘリックら、（１９９９）  Ｉｎｔ．  １．  Ｂｉｏｃｈｅｍ．  Ｃｅｌｌ  Ｂｉｏｌ．  ３１，  ７４１−７４６）（１９９９）国際生化学細胞生物学会誌３１、７４１−７４６）。免疫受容体チロシン活性化モチーフ（ＩＴＡＭ）  （ＹｘｘＬ  において  ｘ  はアミノ酸、ＳＥＱ  ＩＤ  ＮＯ：  ７８である）  を持つ膜貫通分子は受容体を活性化している。免疫受容体チロシン抑制モチーフ（ＩＴＩＭ）  （Ｉ／Ｌ／ＶｘｘＹｘｘＬ／Ｖ  において  ｘ  はアミノ酸、ＳＥＱ  ＩＤ  ＮＯ：  ７７である）  を持つ膜貫通分子は本質的に、抑制的（阻害的）である。ＬＩＲ−４のような三番目のクラスの膜貫通受容体は、活性化または抑制モチーフのある細胞質テイル（鎖）を欠いている。むしろ、これらの蛋白質は、膜貫通ドメイン内にプラスに負荷されたアルギニン残基を含み、これがＣＤ３ｚ、  ＦｃｅＲＩｇまたは  ＫＡＲＡＰ／ＤＡＰ１２のようなトランスデューサー分子との相互作用を可能にする。これらの蛋白質は、その膜貫通領域にマイナスに負荷されたアルパラギン酸残基を持っており、免疫グロブリン受容体との相互作用を可能にし、また細胞質テイル〔鎖〕内に情報伝達を開始するＩＴＡＭ、または多分ＩＴＩＭを持っている。
【０００７】
ＮＫとＴ細胞の受容体は生得的免疫を媒介することがわかっており、骨髄移植片拒絶において、また特定のウイルス感染やメラノーマ細胞の破壊においても大きな役割を果たしていることが示されている。免疫グロブリン受容体はまた、自己免疫反応の媒介に関与している。より最近になって、これらは樹状突起細胞の発達や成熟に必要とされることがわかってきた（Ｆｏｕｒｎｉｅｒ  ｅｔ  ａｌ，（２０００）．  Ｊ．  Ｉｍｍｕｎｏｌ．  １６５，  １１９７−１２０９）。抗Ｉｇ受容体モノクローナル抗体をＴ細胞に加えるとＨＩＶに感染したターゲット細胞に対する細胞溶解活性を誘発した。抑制的受容体の下方調節はＮＫ／Ｔ細胞の全般的活性を生じ、これが他にもあるが、関節リューマチ、多発性硬化症（ＭＳ）、全身性エリテマトーデス（ＳＬＥ）、乾癬、および炎症性腸疾患（ＩＢＤ）のような自己免疫疾患を引き起こすことは明らかである。
【０００８】
明らかに、対立するキナーゼや脱リン酸酵素によって媒介される免疫機構の活性化的および抑制的情報は免疫機構における均衡を維持するために極めて重要である。活性化情報が優勢な機構は自己免疫や炎症を生じる。抑制情報の優勢な免疫機構では、感染細胞または癌細胞に挑戦する可能性が比較的少ない。新しい活性化または抑制化受容体を分離することは、受容体を介する生物情報伝達を研究するために極めて望ましい。さらに、このような分子を同定することによって、自己免疫、炎症および感染に関連する疾患状態の調節や治療の手段が得られる。
【０００９】
例えば、新しく発見された、作用薬（アゴニスト）の抗体またはリガンドのあるＩＴＩＭモチーフを持つ細胞表面受容体の使用は、免疫機構が過敏性になっており、過剰炎症や免疫病状がある疾患状態において細胞機能を下方調整するために用いることができる。これに反して、受容体または受容体の水溶性形態に特異的なアンタゴニスト（拮抗薬）の抗体の使用は、抑さえられた免疫機能に関連した疾患状態において細胞表面受容体と特定の免疫機能を活性化する受容体のリガンドとの相互作用をブロックするのに使うことができる。逆に、ＩＴＩＭモチーフの無い受容体、またはＩＴＡＭモチーフを含む受容体は適切なリガンドに一度結合した活性化情報を送るので、抗体および可溶性受容体の投与国かは上記のそれとは反対となり、癌またはウイルス感染細胞を殺す効果に使うことができる。
【００１０】
（３．発明の要旨）
本発明は、新規性のあるＬＩＲ様ポリペプチド、そのようなペプチドをコードする新規性のある分離されたポリヌクレオチド、それらに含まれるものとして、組み換えＤＮＡ分子、クローンされた遺伝子またはそれらの縮退変異体、特に、アレレ（対立遺伝子）変異体のような自然発生する変異体、アンチセンスポリヌクレオチド分子、およびそれらのポリペプチド上に存在する１つあるいはそれ以上のエピトープ（抗原決定基）を特に認識する抗体、さらにそれらの抗体を生み出すハイブリドーマ（雑種細胞）の発見に基づいている。特に、本発明のポリヌクレオチドは、ヒト白血球ｍＲＮＡ  （ＧＩＢＣＯ  Ｌａｂｏｒａｔｏｒｉｅｓ）（ＳＥＱ  ＩＤ  ＮＯ：  １，  ＳＥＱ  ＩＤ  ＮＯ：  １６）から作製されたｃＤＮＡライブラリから分離されたＬＩＲ様ポリヌクレオチド、つまり、、幼児脳ｍＲＮＡ（コロンビア大学）（ＳＥＱ  ＩＤ  ＮＯ：  ３５）、ヒト乳腺ｍＲＮＡ（Ｉｎｖｉｔｒｏｇｅｎ）（ＳＥＱ  ＩＤ  ＮＯ：  ４７）および骨髄ｍＲＮＡ（Ｃｌｏｎｔｅｃｈ）  （ＳＥＱ  ＩＤ  ＮＯ：  ６３）に基づいている。
【００１１】
本発明の組成物は、さらに本発明によるポリヌクレオチドを含む発現ベクターのようなベクター、そのようなポリヌクレオチドを含むように遺伝子工学的に作られた細胞、およびそのようなポリヌクレオチドを発現するように遺伝子工学的に作られた細胞を含むものである。
【００１２】
本発明の成分は、以下のものを含むがそれらに限定されない分離されたポリヌクレオチドを提供する。すなわち、ＳＥＱ  ＩＤ  ＮＯ：１−２、４−５、７、  １６−１８、２０−２１、２３、３５−３６、３８−３９、４１、４７−４９、５１、６３−６５、または６７に示されたヌクレオチドから成るポリヌクレオチド；または、ＳＥＱ  ＩＤ  ＮＯ：１−２、４−５、７、  １６−１８、２０−２１、２３、３５−３６、３８−３９、４１、４７−４９、５１、６３−６５、または６７の断片；ＳＥＱ  ＩＤ  ＮＯ：１−２、４−５、７、  １６−１８、２０−２１、２３、３５−３６、３８−３９、４１、４７−４９、５１、６３−６５、または６７の完全長コーディング配列から構成されるポリヌクレオチド（たとえば、ＳＥＱ  ＩＤ  ＮＯ：３、６、１９、２２、３７、４０、５０、または６６）；および任意のＳＥＱ  ＩＤ  ＮＯ：１−２、４−５、７、  １６−１８、２０−２１、２３、３５−３６、３８−３９、４１、４７−４９、５１、６３−６５、または６７  の成熟型蛋白質コーディング配列のヌクレオチド配列から構成されるポリヌクレオチドである。本発明のポリヌクレオチドはさらに、以下のものを含むが、それらに限定されないポリヌクレオチドを提供する。すなわち、（ａ）  ＳＥＱ  ＩＤ  ＮＯ：１−２、４−５、７、  １６−１８、２０−２１、２３、３５−３６、３８−３９、４１、４７−４９、５１、６３−６５、または６７に示された任意のヌクレオチド配列の補体；（ｂ）  ＳＥＱ  ＩＤ  ＮＯ：４３、６、８−１３、１９、２２、  ２４−２８、３３−３４、  ３７、４０、  ４２−４５、  ５０、５２−５８、６６または  ６８−７４のうち任意をコードするヌクレオチド配列と厳しいハイブリダイゼーション条件下でハイブリダイズするポリヌクレオチド；上述した任意のポリヌクレオチドの対立（アレレ）変異体であり、当該ポリヌクレオチドに対して７０％以上の配列同一性を持つポリヌクレオチド；上述の任意のペプチドの相同体（ホモログ）（例えばオーソログ）種をコードするポリヌクレオチド；ＳＥＱ  ＩＤ  ＮＯ：３、６、１９、  ２２、  ３７、  ４０、５０または  ６６から成るポリペプチドの特定の領域または切断部からなるポリペプチドをコードするポリヌクレオチドである。
【００１３】
この用途に使われるコレクションは単一のポリヌクレオチドのコレクションであっても良い。各配列の配列情報または独特な同定情報のコレクションは、核酸の配列上に配置されても良い。ある実施例においては、配列情報の各セグメントが核酸の配列上に配置され、そのセグメントを含むポリヌクレオチドを検出するようになっている。そのアレイはそのセグメントを含むポリヌクレオチドに対する完全なマッチまたはミスマッチを検出するように構成することもできる。そのコレクションには、コンピュータで読み取れるような形式をもたせることもできる。
【００１４】
本発明はさらに、上記のような構成のポリヌクレオチドの少なくとも断片を含むクローニングまたは発現ベクターおよびそれらの発現ベクターによって変換された宿主細胞または組織を提供する。有益なベクターの中には、当該技術でよく知られたプラスミド、コスミド、ラムダファージ変異体、ファジミドなどを含む。したがって、この発明は本発明のポリヌクレオチドを含むベクターおよび当該ポリヌクレオチドを含む宿主細胞を提供する。一般的にベクターは少なくとも１つの生体中で複製機能を果たす起源を含み、便利な制限エンドヌクレアーゼ・サイトおよび宿主細胞用の選択可能なマーカーを含んでいる。本発明のベクターには、発現ベクター、複製ベクター、プローブ生成ベクター、および配列決定ベクターが含まれる。本発明の宿主細胞は原核細胞または真核細胞であり、単細胞生物または多細胞生物である。
【００１５】
本発明の組成物はＳＥＱ  ＩＤ  ＮＯ：３、  ６、    ８−１３、    １９、    ２２、    ２４−２８、    ３３−３４、    ３７、    ４０、    ４２−４５、    ５０、    ５２−５８、    ６６または６８−７４のアミノ酸配列を含むグループから選ばれた分離されたポリペプチドを含むがそれに限定されないポリペプチドから構成されている。本発明のポリペプチドは（ａ）ＳＥＱ  ＩＤ  ＮＯ：１−２、４−５、７、  １６−１８、２０−２１、２３、３５−３６、３８−３９、４１、４７−４９、５１、６３−６５、または６７に規定されたヌクレオチドを持つ任意のポリヌクレオチド；または（ｂ）厳しいハイブリダイゼーション条件の下で（ａ）のポリヌクレオチドの補体としてハイブリダイズされるポリペプチドのいずれかによってコードされる生物活性をもつポリペプチドをも含む。ＳＥＱ  ＩＤ  ＮＯ：３、  ６、    ８−１３、    １９、    ２２、    ２４−２８、    ３３−３４、    ３７、    ４０、    ４２−４５、    ５０、    ５２−５８、    ６６または６８−７４に上げられている任意の蛋白質配列の生物または免疫活性変異体、ならびに生物または免疫活性を保持しそれらとほぼ同等のものもまた考慮に含める。本発明のポリペプチドはその全部または一部を化学的に合成してもよいが、本発明の遺伝工学的に作られた細胞（たとえば宿主細胞）を利用して遺伝子組み換え法で生成されることが望ましい。
【００１６】
本発明はまた、本発明のポリペプチドを含む組成物をも提供する。本発明の製薬的組成物としては、本発明のポリペプチドのほかに親水性の担体、すなわち薬学的に妥当な担体を含んでもよい。
【００１７】
本発明はまた、望ましいポリペプチドの発現を可能にするような条件下で適切な培養液中で、本発明のポリペプチドをコードするポリヌクレオチドの少なくとも断片を含む発現ベクターを含む宿主細胞を培養し、培養または宿主細胞からの蛋白質またはペプチドを精製することにより本発明のポリペプチドを生成する方法に関連する。望ましい実施例には、そのようなプロセスで作成された蛋白質が熟成型蛋白質である場合を含む。
【００１８】
本発明によるポリヌクレオチドは、分子生物学的に技術上周知のにとってさまざまな手法において多くの面に応用することができる。それらの手法には、ハイブリダイゼーションプローブへの応用、オリゴマーやプライマーへの応用、ＰＣＲへの応用、配列への応用、コンピュータ読み取り媒体への応用、染色体や遺伝子の地図作成への応用、蛋白質の遺伝子組み換え作成物への応用、およびアンチセンスＤＮＡまたはＲＮＡの生成、その化学アナログなどへの応用が含まれる。本発明のポリヌクレオチドは、例えば、生体内原位置のハイブリダイゼーションを使ってサンプル中の特定の細胞または組織のｍＲＮＡの存在を検出するためのハイブリダイゼーションプローブとして使うことができる。
【００１９】
他の実施例としては、発現遺伝子の同定のための発現配列タグとして、また、当業者に周知の、またヴォルラスらがＳｃｉｅｎｃｅ  ２５８：５２−５９（１９９２）において発表したように、ヒトのゲノムの物理的地図作成のための発現配列タグとして診断に該ポリヌクレオチドを使用することができる。
【００２０】
本発明によるポリヌクレオチドは、他の蛋白質に現在応用されている、普通の手続きや方法にも使用することができる。例えば、本発明のポリヌクレオチドは特にポリペプチドを結合する抗体を生成するために使用することができる。そのような抗体、特にモノクローナル抗体は組織内のポリペプチドの検出および定量に有用である。本発明のポリペプチドは分子量マーカーとして、また補助食品として使用することができる。
【００２１】
また本発明のペプチドおよび薬剤的に妥当な担体から成る治療的有効量を被験哺乳動物に投与するステップから成る、医療状態の予防、治療、または寛解のさまざまな方法が提供されている。
【００２２】
特に、本発明のポリペプチドおよびポリヌクレオチドは、たとえば、血友病、心筋梗塞、糸球体疾患、糖尿病、劇症ウイルス性肝炎およびアテローム性動脈硬化症などの血液凝固経路の調節不全に関連する疾病の予防および／または治療方法の一部として利用することができる。当該ポリペプチドおよびポリヌクレオチドは、また、ウイルス性感染症の治療およびある種のガンの治療に有効である。
【００２３】
本発明の方法は、また、本発明のポリヌクレオチドまたはポリペプチドと薬学的に妥当な担体からなる組成物の薬効量を、ここに述べたような疾患の症状また徴候を示している被験哺乳動物に対して投与することから成る、疾患の治療方法をも提供するものである。さらに、本発明は、目標の遺伝子作成物を薬学的に妥当な担体の総合的な作用を変調するその他の物質からなる組成物を投与するステップから成る、上述したような疾病または疾患に対する治療法を含むものである。化合物やその他の物質は、目標遺伝子／蛋白質発現のレベルまたは目標の蛋白質活性に対するそのような変調に影響を及ぼすことがある。具体的には、本発明のポリペプチド、本発明のポリヌクレオチドまたは本発明のプロトロンビナーゼ様ポリペプチドの結合パートナー（例えば特に反応性を持つ抗体）から成る組成物の薬効量を、ヒトを含み、ヒトに限らない哺乳動物に投与することから成る、ウイルス性疾患を含む医療状態の予防、治療または回復のための方法を提供する。治療を必要とする個体にとって、本発明によるポリペプチドか、ヌクレオチドか、またはポリペプチドの結合剤（または抑制剤）のいずれかが治療の必要な個人に対して利点があるかどうかは、特定の状態または病理のメカニズムに依存する。
【００２４】
この方法によると、本発明のポリペプチドは細胞機能の生体外または生体内での抑制を生じるために投与することができる。本発明のあるポリペプチドは、生体内用として単独に、または他の治療法の補助剤として投与することができる。一方、本発明の蛋白質または他の活性成分は特定の抗ヒスタミン剤または抗炎症剤の製剤に含めることにより、この抗ヒスタミン剤または抗炎症剤の副作用を減少させることができる。
【００２５】
本発明はさらに上述の方法において有用な製薬の方法を提供する。
【００２６】
本発明はさらに、サンプル（たとえば、組織またはサンプル）中の本発明のポリヌクレオチドまたはポリペプチドの存在を検出する方法にも関連する。そのような方法は、例えば、ここに述べたような疾患の予知および診断評価の一部として、またそのような状態に対する素因を示している対象の識別に利用することができる。
【００２７】
本発明は、本発明のポリペプチドが試料中に存在することを検出する方法として、複合体を形成するのに十分な状態の下で十分な期間、ポリペプチドと結合して複合体を形成する化合物に試料を接触させ、当該複合体の形成を検出し、それによって複合体が形成されたら、ポリペプチドが検出される方法を提供する。
【００２８】
本発明はまた、本発明の方法を実施するために、ポリヌクレオチド・プローブおよび／またはモノクローナルから成るキット、ならびにオプションとして、定量的基準を提供する。さらに、本発明は、上述の疾患の治療のために臨床的な試みを行う場合における、医薬品の有効度を評価し、患者の経過を監視する方法をも提供する。
【００２９】
本発明はまた、本発明のポリヌクレオチドおよび／またはポリペプチドの発現または活性を調節（例えば増減）する化合物の同定方法も提供する。そのような方法は、たとえば、上述のように疾患の症状を軽減することのできる化合物の同定にも使用することができる。そのような方法は、本発明のポリペプチドと相互作用する化合物や他の物質の検定をも含む。
【００３０】
本発明は本発明のポリペプチドと結合する化合物を識別する方法として、複合体を形成するのに十分な状態の下で、十分な期間をかけてポリペプチドに接触させてポリペプチドと化合物の複合体を形成させ、複合体を検出することによってポリペプチドと化合物の複合体が検出されることにより、ポリペプチドと結合する化合物が検出される方法を提供する。
【００３１】
また、ポリペプチドと化合物の複合体が形成されるのに十分な時間、化合物を細胞の中でポリペプチドと接触され、それによって化合物にレポーター遺伝子配列を発現させ、レポーター遺伝子配列発現を検出することによって化合物を検出し、ポリペプチドと化合物の複合体が検出されたらポリペプチドと結合する化合物が検出されたものとすることから成る、ポリペプチドと結合する化合物を同定する方法も提供する。
【００３２】
（５．  発明の詳細な説明）
ＳＥＱ  ＩＤ  ＮＯ：３の白血球免疫グロブリン受容体ポリペプチドは約３０５のアミノ酸蛋白質で、予測分子量が非グリコシル化で約４３  ｋＤａ（キロダルトン）である。ＢＬＡＳＴＸアルゴリズムを使った蛋白質データベース検索（アルトシュル，  Ｓ．Ｆ．ら、Ｊ．  Ｍｏｌ．  Ｅｖｏｌ．  ３６：２９０−３００  （１９９３）  およびアルトシュル，  Ｓ．Ｆ．ら、Ｊ．  Ｍｏｌ．  Ｂｉｏｌ．  ２１：４０３−１０  （１９９０）  ）によれば、ＳＥＱ  ＩＤ  ＮＯ：３は白血球免疫グロブリン受容体様ＩＲＣ１ａおよびＮＫ細胞阻害受容体様ＰＩＧＲ−１に対して相同である。さらに、ｅＭＡＴＲＩＸ  ソフトウエア（カルフォルニア州スタンフォード市スタンフォード大学）を用いて蛋白質データベース検索では、ＳＥＱ  ＩＤ  ＮＯ：  ３（すなわち、ＳＥＱ  ＩＤ  ＮＯ：  ８）はポリＩｇ受容体に対して相同であることを示している。
【００３３】
図１は白血球免疫グロブリン受容体様（“ＬＩＲ様”とも呼ばれる）ポリペプチドのＳＥＱ  ＩＤ  ＮＯ：２（すなわちＳＥＱ  ＩＤ  ＮＯ：３）によってコードされた蛋白質とヒトＩＲＣ１ａ蛋白質様ポリペプチドＳＥＱ  ＩＤ  ＮＯ：１４とのＢＬＡＳＴＸアミノ酸配列のアラインメントであり、両配列は２９７のアミノ酸残基について５５％の相似性、２９７のアミノ酸残基について３７％の同一性があることを示している。
【００３４】
図２は白血球免疫グロブリン受容体様（“ＬＩＲ様”とも呼ばれる）ポリペプチドのＳＥＱ  ＩＤ  ＮＯ：  ２（すなわちＳＥＱ  ＩＤ  ＮＯ：  ３）によってコードされた蛋白質とヒトＰＩＧＲ−１  （特許出願番号  ＥＰ８９７９８１）  ＳＥＱ  ＩＤ  ＮＯ：１５とのＢＬＡＳＴＸアミノ酸配列のアラインメントであり、両配列は１７６のアミノ酸残基について６３％の相似性、１７６のアミノ酸残基について５３％の同一性があることを示している。
【００３５】
ＳＥＱ  ＩＤ  ＮＯ：３の予測される可溶性の分泌スプライス変異体はＳＥＱ  ＩＤ  ＮＯ：６である。これはほぼ１６２のアミノ酸蛋白質であり、予測分子量は非グリコシル化されて約１８ｋＤａである。蛋白データベースをＢＬＡＳＩＸアルゴリズム（Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  ａｎｄ  Ａｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０））を参照し、本出願の一部とする）で検索した結果、ＳＥＱ  ＩＤ  ＮＯ：６はヒトの白血球免疫グロブリン受容体様ＩＲＣ１ａ蛋白およびＮＫ細胞抑制受容体様ＰＩＧＲ−１と相同であることがわかる。Ｅｍａｔｒｉｘ  ソフトウエア（蛋白質データベース検索（カルフォルニア州スタンフォード市スタンフォード大学）によると、さらに、ＳＥＱ  ＩＤ  ＮＯ：  ７（すなわちＳＥＱ  ＩＤ  ＮＯ：  ９）の一部はポリＩｇ受容体に相同であることがわかる。
【００３６】
図３は白血球免疫グロブリン受容体様ポリペプチド（“ＬＩＲ様”とも呼ばれる）”、ＳＥＱ  ＩＤ  ＮＯ：  ５（すなわちＳＥＱ  ＩＤ  ＮＯ：  ６）でコードされた蛋白質とヒトＩＲＣ１ａタンパク質ＳＥＱ  ＩＤ  ＮＯ：  １４とのＢＬＡＳＴＸアミノ酸配列アラインメントであり、両配列は１３５のアミノ酸残基について５７％の相似性、同じ１３５のアミノ酸残基について３８％の同一性があることを示している。
【００３７】
図４は白血球免疫グロブリン受容体様ポリペプチド（“ＬＩＲ様”とも呼ばれる）”、ＳＥＱ  ＩＤ  ＮＯ：  ５（すなわちＳＥＱ  ＩＤ  ＮＯ：  ６）でコードされた蛋白質とヒトＰＩＧＲ−１（特許出願番号ＥＰ８９７９８１）ＳＥＱ  ＩＤ  ＮＯ：  １５とのＢＬＡＳＴＸアミノ酸配列アラインメントであり、両配列は１４５のアミノ酸残基について６７％の相似性、同じ１４５のアミノ酸残基について５９％の同一性があることを示している。
【００３８】
予測されるほぼ３０の残基シグナルペプチドはＳＥＱ  ＩＤ  ＮＯ：３（ＳＥＱ  ＩＤ  ＮＯ：１０）の両方のほぼ残基１から残基３０までコードされる。細胞外部分はそれ自体利用できる。これは哺乳類の細胞における発現、および非円形生成物の配列で確認することができる。シグナルペプチド領域の存在は、カイト−ドリトル疎水性予測アルゴリズム（Ｊ．  Ｍｏｌ  Ｂｉｏｌ，  １５７，  ｐｐ．  １０５−３１（１９８２）を参照し、本出願の一部とする）によって予測された。当業者は実際の切断部位―はコンピュータプログラムで予測されたものと異なる可能性があることを理解するであろう。
ＳＥＱ  ＩＤ  ＮＯ：  １２はシグナルペプチドがＳＥＱ  ＩＤ  ＮＯ：  ３から除かれた時に生じるペプチドである。ＳＥＱ  ＩＤ  ＮＯ：  １３はＳＥＱ  ＩＤ  ＮＯ：  ６からシグナルペプチドが除かれた時に生じるペプチドである。
【００３９】
予測されたほぼ１４残基膜貫通ペプチドは、ＳＥＱ  ＩＤ  ＮＯ：  ３（ＳＥＱ  ＩＤ  ＮＯ：  １１）のほぼ残基１７０から残基１９３までコードされている。これは哺乳類の細胞の発現によって確認される。この膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）で予測された。当業者はこの実際の膜貫通領域はコンピュータプログラムによる予測のものと異なる場合があることがわかる。
【００４０】
ｅＭＡＴＲＩＸｓソフトウェアパッケージ（カリフォルニア州スタンフォード市スタンフォード大学）（Ｗｕ  ｅｔ  ａｌ．，  Ｊ．  Ｃｏｍｐ．  Ｂｉｏｌ．，  ｖｏｌ．  ６，  ｐｐ．  ２１９−２３５  （１９９９）を参考としてここに組み込む）を使うと、膜結合および可溶性ＬＩＲ様ポリペプチドは、共にＳＥＱ  ＩＤ  ＮＯ：３の残基８２−１２９とＳＥＱ  ＩＤ  ＮＯ：  ６（各々ＳＥＱ  ＩＤ  ＮＯ：  ８およびＳＥＱ  ＩＤ  ＮＯ：  ９）の残基８２−１２９にポリＩｇ受容体ドメインを持つことが期待される。ＳＥＱ  ＩＤ  ＮＯ：  ８には１２９の位置にセリンがあり、他方、ＳＥＱ  ＩＤ  ＮＯ：  ９には同じ位置にプロリンが含まれる。ＳＥＱ  ＩＤ  ＮＯ：３およびＳＥＱ  ＩＤ  ＮＯ：  ６に対する領域は以下のとおりで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
【００４１】
（ポリ免疫グロブリン受容体ドメイン）
（ＩＫＤＮＱＫＮＲＴＦＴＶＴＭＥＤＬＭＫＴＤＡＤＴＹＷＣＧＩＥＫＴＧＮＤＬＧＶＴＶＱＶＴＩＤＰＡＳ  は  ＳＥＱ  ＩＤ  ＮＯ：  ８に指定）
ｐ−値＝３．６２８ｅ−９、ＤＭ０１６８８Ｂ  ２  （署名に一致する確認番号）；  ＳＥＱ  ＩＤ  ＮＯ：  ３  の残基８２−１２９  に位置する。
【００４２】
（ポリ免疫グロブリン受容体ドメイン）
（ＩＫＤＮＱＫＮＲＴＦＴＶＴＭＥＤＬＭＫＴＤＡＤＴＹＷＣＧＩＥＫＴＧＮＤＬＧＶＴＶＱＶＴＩＤＰＡＰはＳＥＱ  ＩＤ  ＮＯ：  ９に指定）
ｐ−値＝２．５ｅ−１０、ＤＭ０１６８８Ｂ  ２  （署名に関連する確認番号）；  ＳＥＱ  ＩＤ  ＮＯ：  ３  の残基８２−１２９  に位置する。
【００４３】
他の白血球免疫グロブリン受容体様ポリペプチドＳＥＱ  ＩＤ  ＮＯ：  １９はおよそ２３６アミノ酸蛋白質で、予測分子量は非グリコシル化で約２６ｋＤＡである。ＢＬＡＳＴＰ  アルゴリズム  （Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）
およびＡｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０をここに参考として組み込む）を用いた蛋白質データベース検索は、ＳＥＱ  ＩＤ  ＮＯ：  １９は白血球免疫グロブリン受容体（ＬＩＲ）と免疫グロブリン様蛋白質ＩＧＳＦ−１に相同性である。さらに、ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）による蛋白質データベースでは、  ＳＥＱ  ＩＤ  ＮＯ：  １９がキラー細胞抑制受容体に相同性であることが示された。
【００４４】
図５はＳＥＱ  ＩＤ  ＮＯ：  １８（すなわち、ＳＥＱ  ＩＤ  ＮＯ：  １９）の白血球免疫グロブリン受容体様ポリペプチド（ＬＩＲ様とも呼ばれる）によってコードされ蛋白質と推定の抑制受容体（Ｒｏｊｏ  ｅｔ  ａｌ，  （１９９７）  Ｊ．  Ｉｍｍｕｎｏｌ．，  １５８，  ９−１２）  のＳＥＱ  ＩＤ  ＮＯ：  ２９との間のＢＬＡＳＴＰ  アミノ酸配列アラインメントであり、両配列が１４５のアミノ酸残基について５１％の類似性があり、また同じ１４５のアミノ酸残基について３３％の同一性があることを示した。
【００４５】
図６はＳＥＱ  ＩＤ  ＮＯ：  １８（すなわち、ＳＥＱ  ＩＤ  ＮＯ：  １９）の白血球免疫グロブリン受容体様ポリペプチド（ＬＩＲ様とも呼ばれる）によってコードされ蛋白質とヒトのＧＰ４９  ＨＭ１８  ポリペプチド  （特許出願番号ＷＯ９８０９６３８）  ＳＥＱ  ＩＤ  ＮＯ：  ３０の間のＢＬＡＳＴＰ  アミノ酸配列アラインメントであり、両配列が１２３のアミノ酸残基について５０％の類似性があり、また同じ１２３のアミノ酸残基について３４％の同一性があることを示した。
【００４６】
ＳＥＱ  ＩＤ  ＮＯ：  １９の予測された可溶性、分泌性スプライス変異体はＳＥＱ  ＩＤ  ＮＯ：  ２２である。これは約１９９のアミノ酸蛋白質で、予測分子量が非グリコシル化で約２２ｋＤＡである。
【００４７】
ＢＬＡＳＴＰ  アルゴリズム  （Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  およびＡｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０）をここに参考として組み込む）を用いた蛋白質データベース検索は、ＳＥＱ  ＩＤ  ＮＯ：  ２２は白血球免疫グロブリン受容体（ＬＩＲ）と免疫グロブリン様蛋白質ＩＧＳＦ−１に相同性であることを示した。さらに、ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）による蛋白質データベースでは、  ＳＥＱ  ＩＤ  ＮＯ：  ２２がキラー細胞抑制受容体に相同性であることが示された。
【００４８】
図７はＳＥＱ  ＩＤ  ＮＯ：  ２１（すなわち、ＳＥＱ  ＩＤ  ＮＯ：  ２２）の白血球免疫グロブリン受容体様ポリペプチド（ＬＩＲ様とも呼ばれる）によってコードされ蛋白質と免疫グロブリン様蛋白質（Ｍａｚｚａｒｅｌｌａ  ｅｔ  ａｌ，  （１９９８）  Ｇｅｎｏｍｉｃｓ  ４８，  １５７−１６２）  のＳＥＱ  ＩＤ  ＮＯ：  ３１の間のＢＬＡＳＴＰ  アミノ酸配列アラインメントであり、両配列が２０９のアミノ酸残基について５３％の類似性があり、また同じ２０９のアミノ酸残基について３８％の同一性があることを示した。
【００４９】
図８はＳＥＱ  ＩＤ  ＮＯ：  ２１（すなわち、ＳＥＱ  ＩＤ  ＮＯ：  ２２）の白血球免疫グロブリン受容体様ポリペプチド（ＬＩＲ様とも呼ばれる）によってコードされ蛋白質とヒトＬＩＲ−ｐｂｍ３６−２  蛋白質  （特許出願番号  ＷＯ９８４８０１７）  のＳＥＱ  ＩＤ  ＮＯ：  ３２の間のＢＬＡＳＴＰ  アミノ酸配列アラインメントであり、両配列が２３６のアミノ酸残基について４６％の類似性があり、また同じ２０９のアミノ酸残基について３２％の同一性があることを示した。
【００５０】
予測したほぼ１６残基シグナル（情報）ペプチドはＳＥＱ  ＩＤ  ＮＯ：  １９とＳＥＱ  ＩＤ  ＮＯ：  ２２（ＳＥＱ  ＩＤ  ＮＯ：  ２５）の両方の残基１から１６までコードされている。細胞外部分はそれ自体に有用である。これは哺乳類細胞における発現と切断生成物の配列決定によって確認できる。シグナルペプチド領域はＫｙｔｅ−Ｄｏｏｌｉｔｔｌｅ  疎水性予測アルゴリズムを用いて予測された（Ｊ．  Ｍｏｌ  Ｂｉｏｌ，  １５７，  ｐｐ．  １０５−３１  （１９８２）を参考としてここに組み込む）。当業者は実際の切断部位はコンピュータプログラムによる予測のものとは異なることがわかる。ＳＥＱ  ＩＤ  ＮＯ：  ２７は予測シグナルペプチドがＳＥＱ  ＩＤ  ＮＯ：  １９から除かれた時に生じたペプチドである。ＳＥＱ  ＩＤ  ＮＯ：  ２８は予測シグナルペプチドがＳＥＱ  ＩＤ  ＮＯ：  ２２から除かれた時に生じたペプチドである。
【００５１】
予測した約２３残基膜貫通ペプチドはＳＥＱ  ＩＤ  ＮＯ：  １９（ＳＥＱ  ＩＤ  ＮＯ：  ２６）の約残基１３５から残基１５７までコードされる。これは哺乳類細胞における発現によって確認できる。膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）．    を使って予測した。当業者は実際の膜貫通領域はコンピュータプログラムによって予測されたものとは異なることがわかる。
ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）による蛋白質データベースを使って、  ＳＥＱ  ＩＤ  ＮＯ：  １９および２２のＬＩＲ様ポリペプチドがキラー細胞抑制受容体ドメイン（ＳＥＱ  ＩＤ  ＮＯ：  ２４）に対する特徴的モチーフを持つ残基２６−９７の領域を持つことを同定した。ＳＥＱ  ＩＤ  ＮＯ：  １９と２２内の対応するドメインは以下の通りで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
キラー細胞抑制受容体ドメイン。
（ＰＰＫＰＳＬＨＡＷＰＳＳＶＶＥＡＥＳＮＶＴＬＫＣＱＡＨＳＱＮＶＴＦＶＬＲＫＶＮＤＳＧＹＫＱＥＱＳＳＡＥＮＥＡＥＦＰＦＴＤＬＫＰＫＤＡＧＲＹＦＣＡ  ）
ＳＥＱ  ＩＤ  ＮＯ：２４のＰＳＩ−ＢＬＡＳＴ  ｅ値  １．３ｅ−６６、蛋白質データベース確認番号入力＝ｌｂ６ｕ  （Ｒｅｓｅａｒｃｈ  ｃｏｌｌａｂｏｒａｔｏｒｙ  ｆｏｒ  Ｓｔｒｕｃｔｕｒａｌ  Ｂｉｏｉｎｆｏｒｍａｔｉｃｓ  、ｈｔｔｐ：／／ｗｗ．ｒｃｓｂ．ｏｒｇ／ｐｂｄ）。スコア＝  ０．２６を確認し、ＳＥＱ  ＩＤ  ＮＯ：  １９の残基２６−９７に位置する。
【００５２】
ＳＥＱ  ＩＤ  ＮＯ：  ３７および４０の白血球免疫グロブリン受容体様ポリペプチドは約２３０アミノ酸蛋白質で予測分子量は非グリコシル化で２６ｋＤａである。さらに、Ｍｏｌｅｃｕｌａｒ  Ｓｉｍｕｌａｔｉｏｎｓ  社ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）による蛋白質データベースでは、  ＳＥＱ  ＩＤ  ＮＯ：  ３７および４０は共に、Ｐ５８キラー細胞抑制受容体ドメイン（ＳＥＱ  ＩＤ  ＮＯ：  ２４）に相同性〔ホモログ〕であることがわかった。
【００５３】
図９はＳＥＱ  ＩＤ  ＮＯ：  ３６  と３９（すなわち、各々ＳＥＱ  ＩＤ  ＮＯ：  ３７と４０）の白血球免疫グロブリン受容体様ポリペプチド（ＬＩＲ様とも呼ばれる）によってコードされ蛋白質とヒトＰ５８キラー細胞抑制受容体蛋白質、ｐｄｂ確認番号  １ｂ６ｕ、  ＳＥＱ  ＩＤ  ＮＯ：  ４２の間のＧｅｎｅＡｔｌａｓアミノ酸配列アラインメントであり、両配列が１０３のアミノ酸残基について３３％の類似性があり、また同じ１０３のアミノ酸残基について１９．４％の同一性があることを示した。
【００５４】
予測したほぼ１５残基シグナル（情報）ペプチドはＳＥＱ  ＩＤ  ＮＯ：  ３７とＳＥＱ  ＩＤ  ＮＯ：  ４０（ＳＥＱ  ＩＤ  ＮＯ：  ４３）の両方の残基１から１５までコードされる。細胞外部分はそれ自体に有用である。これは哺乳類細胞における発現と切断生成物の配列決定によって確認できる。シグナルペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を用いて予測された。当業者は実際の切断部位はコンピュータプログラムによる予測のものとは異なることがわかる。ＳＥＱ  ＩＤ  ＮＯ：  ４５は予測シグナルペプチドがＳＥＱ  ＩＤ  ＮＯ：  ３７またはＳＥＱ  ＩＤ  ＮＯ：  ４０から除かれた時に生じたペプチドである。
【００５５】
予測した約２７残基膜貫通ペプチドはＳＥＱ  ＩＤ  ＮＯ：  ３７とＳＥＱ  ＩＤ  ＮＯ：  ４０（ＳＥＱ  ＩＤ  ＮＯ：  ４４）の約残基１１１６から残基１４３までコードされる。膜貫通部分はそれ自体有用である。これは哺乳類細胞における発現によって確認できる。膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者は実際の膜貫通領域はコンピュータプログラムによって予測されたものとは異なることがわかる。
【００５６】
ＳＥＱ  ＩＤ  ＮＯ：  ５０の白血球免疫グロブリン受容体様ポリペプチドは約２０１アミノ酸蛋白質で、予測分子量は非グリコシル化で約２２ｋＤａである。ＢＬＡＳＴＸアルゴリズム  （Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  およびＡｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０）をここに参考として組み込む）を用いた蛋白質データベース検索では、ＳＥＱ  ＩＤ  ＮＯ：  ５０は白血球免疫グロブリン受容体様ＣＭＲＦ３５ＮＫ細胞抑制受容体、およびとヒトＰＩＧＲ−２受容体に相同性であることが示された。
【００５７】
図１０はＳＥＱ  ＩＤ  ＮＯ：  ４９（すなわちＳＥＱ  ＩＤ  ＮＯ：  ５０）の白血球免疫グロブリン受容体様ポリペプチド（“ＬＩＲ様”とも呼ばれる）”でコードされた蛋白質とヒトＣＭＲＦ  ３５  蛋白質  （Ｊａｃｋｓｏｎ  ｅｔ  ａｌ，  （１９９２）  Ｅｕｒ．  Ｊ．  Ｉｍｍｕｎｏｌ．，  ２２，  １１５７−１１６３）  ＳＥＱ  ＩＤ  ＮＯ：  ６０の間のＢＬＡＳＴＸアミノ酸配列アラインメントであり、両配列は２１７のアミノ酸残基について６２％の相似性、同じ２１７のアミノ酸残基について４８％の同一性があることを示している。
【００５８】
図１１はＳＥＱ  ＩＤ  ＮＯ：  ４９（すなわちＳＥＱ  ＩＤ  ＮＯ：  ５０）の白血球免疫グロブリン受容体様ポリペプチド（“ＬＩＲ様”とも呼ばれる）でコードされた蛋白質とヒトナチュラルキラー細胞抑制受容体蛋白質のＳＥＱ  ＩＤ  ＮＯ：  ６１の間のＢＬＡＳＴＸアミノ酸配列アラインメントであり、両配列は１４５のアミノ酸残基について６４％の相似性、同じ１４５のアミノ酸残基について５１％の同一性があることを示している。
【００５９】
図１２はＳＥＱ  ＩＤ  ＮＯ：  ４９（すなわちＳＥＱ  ＩＤ  ＮＯ：  ５０）の白血球免疫グロブリン受容体様ポリペプチド（“ＬＩＲ様”とも呼ばれる）”でコードされた蛋白質とヒトＰＩＧＲ−２  蛋白質  （特許出願番号ＥＰ９０５２３７）  ＳＥＱ  ＩＤ  ＮＯ：  ６２の間のＢＬＡＳＴＸアミノ酸配列アラインメントであり、両配列は２０５のアミノ酸残基について５８％の相似性、同じ２０５のアミノ酸残基について４７％の同一性があることを示している。
【００６０】
図１３はＳＥＱ  ＩＤ  ＮＯ：  ４９（すなわちＳＥＱ  ＩＤ  ＮＯ：  ５０）の白血球免疫グロブリン受容体様ポリペプチド（“ＬＩＲ様”とも呼ばれる）”でコードされた蛋白質とＴ  細胞受容体、  ｐｄｂ  確認番号  １ｂ８８のＳＥＱ  ＩＤ  ＮＯ：  ５９の間のＧｅｎｅＡｔｌａｓアミノ酸配列アラインメントであり、両配列は１１２のアミノ酸残基について２９．５％の相似性、同じ１１２のアミノ酸残基について１１．６％の同一性があることを示している。
【００６１】
予測した約２０残基シグナルペプチドはＳＥＱ  ＩＤ  ＮＯ：  ５０（ＳＥＱ  ＩＤ  ＮＯ：  ５５）の約残基１から残基２０までコードされる。膜貫通部分はそれ自体有用である。これは哺乳類細胞における発現によって確認できる。膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者は実際の膜貫通領域はコンピュータプログラムによって予測されたものとは異なることがわかる。ＳＥＱ  ＩＤ  ＮＯ：  ５７は予測シグナルペプチドが  ＳＥＱ  ＩＤ  ＮＯ：  ５０から除かれた時に生じたペプチドである。
【００６２】
予測した約２４残基膜貫通ペプチドはＳＥＱ  ＩＤ  ＮＯ：  ５０（ＳＥＱ  ＩＤ  ＮＯ：  ５６）の約残基１６７から残基１９１までコードされる。膜貫通部分はそれ自体有用である。これは哺乳類細胞における発現によって確認できる。膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者は実際の膜貫通領域はコンピュータプログラムによって予測されたものとは異なることがわかる。
【００６３】
ｅＭＡＴＲＩＸｓソフトウェアパッケージ（カリフォルニア州スタンフォード市スタンフォード大学）（Ｗｕ  ｅｔ  ａｌ．，  Ｊ．  Ｃｏｍｐ．  Ｂｉｏｌ．，  ｖｏｌ．  ６，  ｐｐ．  ２１９−２３５  （１９９９）を参考としてここに組み込む）を使うと、ＬＩＲ様ポリペプチドであるＳＥＱ  ＩＤ  ＮＯ：  ５０は、２つのポリＩｇ受容体ドメインを持つことが期待される。ＳＥＱ  ＩＤ  ＮＯ：  ５３−５４に対応する領域は以下のとおりで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
【００６４】
（ポリ免疫グロブリン受容体ドメイン）
ＩＴＤＨＰＧＤＬＴＦＴＶＴＬＥＮＬＴＡＤＤＡＧＫＹＲＣＧＩＡＴＩＬＱＥＤＧＬＳＧＦＬＰＤＰＦＦＱ
（ＳＥＱ  ＩＤ  ＮＯ：  ５３）  ｐ−値＝  ４．５０４ｅ−９、ＤＭ０１６８８Ｂ  ２  （署名に関連する確認番号）、ＳＥＱ  ＩＤ  ＮＯ：  ５０の残基８５−１３２  に位置する。
【００６５】
ポリ免疫グロブリン受容体ドメイン
ＭＧＡＶＧＥＳＬＳＶＱＣＲＹＥＥＫＹＫＴＦＮＫＹＷＣＲＱＰＣＬＰＩＷＨＥＭ
（ＳＥＱ  ＩＤ  ＮＯ：  ５４）  ｐ−値＝  ８．３６４ｅ−９、ＤＭ０１６８８Ｊ  ２  （署名に関連する確認番号）、ＳＥＱ  ＩＤ  ＮＯ：  ５０の残基３２−６８に位置する。
【００６６】
ＳＥＱ  ＩＤ  ＮＯ：  ６６の白血球免疫グロブリン受容体様ポリペプチドはおよそ７７７アミノ酸蛋白質で、予測分子量は非グリコシル化で約８７．８ｋＤＡである。ＢＬＡＳＴＰ  アルゴリズム  （Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  およびＡｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０）をここに参考として組み込む）を用いた蛋白質データベース検索では、ＳＥＱ  ＩＤ  ＮＯ：  ６６はヒト血小板糖蛋白質ＶＩ−２  とＦｃＲ−ＩＩ  蛋白質に相同性であることが示された。
【００６７】
図１４はＳＥＱ  ＩＤ  ＮＯ：  ６５（すなわち、ＳＥＱ  ＩＤ  ＮＯ：  ６６）の白血球免疫グロブリン受容体様ポリペプチド（ＬＩＲ様とも呼ばれる）によってコードされた蛋白質とヒト血小板糖蛋白質  ＶＩ−２  （Ｅｚｕｍｉ  ｅｔ  ａｌ，  （２０００）  Ｂｉｏｃｈｅｍ．  Ｂｉｏｐｈｙｓ．  Ｒｅｓ．  Ｃｏｍｍｕｎ．  ２７７，  ２７−３６）  のＳＥＱ  ＩＤ  ＮＯ：  ７５の間のＢＬＡＳＴＰ  アミノ酸配列アラインメントであり、両配列が  ＳＥＱ  ＩＤ  ＮＯ：  ６６の残基１−２１９  について５０％の類似性があり、また  ＳＥＱ  ＩＤ  ＮＯ：  ６６の残基１−２１９について３７％の同一性があることを示した。
【００６８】
図１５はＳＥＱ  ＩＤ  ＮＯ：  ６５（すなわち、ＳＥＱ  ＩＤ  ＮＯ：  ６６）の白血球免疫グロブリン受容体様ポリペプチド（ＬＩＲ様とも呼ばれる）によってコードされ蛋白質とヒトＦｃＲ−ＩＩ    蛋白質  （特許出願番号  ＷＯ９８３１８０６）  のＳＥＱ  ＩＤ  ＮＯ：  ７６の間のＢＬＡＳＴＰ  アミノ酸配列アラインメントであり、両配列がＳＥＱ  ＩＤ  ＮＯ：  ６６の残基２７−２６２  について５１％の類似性があり、またＳＥＱ  ＩＤ  ＮＯ：  ６６のアミノ酸残基２７−２６２  について３７％の同一性があることを示した。
【００６９】
予測したほぼ１６残基シグナル（情報）ペプチドはおよそＳＥＱ  ＩＤ  ＮＯ：  ６６（ＳＥＱ  ＩＤ  ＮＯ：  ７１）の残基１から１６までコードされる。細胞外部分はそれ自体に有用である。これは哺乳類細胞における発現と切断生成物の配列決定によって確認できる。シグナルペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を用いて予測された。当業者は実際の切断部位はコンピュータプログラムによる予測のものとは異なることがわかる。ＳＥＱ  ＩＤ  ＮＯ：  ７２は予測シグナルペプチドがＳＥＱ  ＩＤ  ＮＯ：  ６６から除かれた時に生じたペプチドである。
【００７０】
予測したおよそ２４残基膜貫通領域はＳＥＱ  ＩＤ  ＮＯ：  ６６（ＳＥＱ  ＩＤ  ＮＯ：  ７３）の残基のおよそ２３１から残基２５４までコードされる。膜貫通部分はそれ自体有用である。膜貫通領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者は実際の切断部位はコンピュータプログラムによって予測されたものとは異なることがわかる。
【００７１】
ｅＭＡＴＲＩＸｓソフトウェアパッケージ（カリフォルニア州スタンフォード市スタンフォード大学）（Ｗｕ  ｅｔ  ａｌ．，  Ｊ．  Ｃｏｍｐ．  Ｂｉｏｌ．，  ｖｏｌ．  ６，  ｐｐ．  ２１９−２３５  （１９９９）を参考としてここに組み込む）を使うと、ＬＩＲ様ポリペプチドであるＳＥＱ  ＩＤ  ＮＯ：  ６６は、３つのポリＩｇ受容体ドメインを持つことが期待される。ＳＥＱ  ＩＤ  ＮＯ：  ６８−７０に対応する領域は以下のとおりで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
【００７２】
（受容体細胞ＮＫ  糖タンパク免疫グロブリン）
ＧＳＬＰＫＰＳＬＳＡＷＰＳＳＶＶＰＡＮＳＮＶＴＬＲＣＷＴＰＡＲＧＶＳＦＶ
（ＳＥＱ  ＩＤ  ＮＯ：  ６８）、  ｐ−値＝  ６．６２５ｅ−１０、ＰＤ０１６５２Ａ  （特徴に関連する確認番号）、ＳＥＱ  ＩＤ  ＮＯ：  ６６の残基２４−５９に位置する。
【００７３】
（受容体細胞ＮＫ  糖タンパク免疫グロブリン）
ＣＶＧＱＧＤＴＲＧＤＧＳＬＰＫＰＳＬＳＡＷＰＳＳＶＶＰＡＮＳＮＶＴＬＲＣＷＴＰＡＲＧＶＳＦＶＬＲＫＧＧＩ
（ＳＥＱ  ＩＤ  ＮＯ：  ６９）  ｐ−値＝    １．８３６ｅ−９、  ＰＤ０１６５２Ｂ  （特徴に関連する確認番号）、ＳＥＱ  ＩＤ  ＮＯ：  ６６の残基１４  −  ６５  に位置する。
【００７４】
ＲＳＤＶＬＬＬＬＶＴＧＨＬＳＫＰＦＬＲＴＹＱＲＧＴＶＴＡＧＧＲＶＴＬＱＣＱＫＲＤＱＬＦＶＰＩＭＦＡＬＬＫ
（ＳＥＱ  ＩＤ  ＮＯ：  ７０）、  ｐ−値  ＝  ４．０２１ｅ−９、ＰＤ０１６５２Ｂ  （特徴に関連する確認番号）、残基１１１〜１６２に位置する。
【００７５】
本発明の配列は膜結合と可溶性ＬＩＲ様活性を有することが期待される。
【００７６】
本発明のポリペプチドとポリヌクレオチドは、たとえば“白血球免疫グロブリン受容体（ＬＩＲ様）”ポリペプチドの欠損または過剰発現により影響を受ける疾病の予防および／または治療の一部として使用することができる。そのような疾病には、乾癬、多発性硬化症、関節リューマチ、全身性エリテマトーデスおよび炎症性腸疾患などがある。本発明のポリペプチドはまた、移植片対宿主疾患を抑えるために骨髄移植患者の治療に用いることもできる。このポリヌクレオチドおよびポリペプチドはまた、キラー細胞やヒト免疫不全疾患患者の白血球の細胞溶解活性を上げるために使うことができる。
【００７７】
（５．１    定義）
本仕様書および付属する請求項において、単数形“ａ”、“ａｎ”および“ｔｈｅ”は特に文面において差異が明らかである場合を除き、複数の場合をも含むものとする。
【００７８】
“活性”という用語は自然に発生するポリペプチドの生物学的および／または免疫学的な活性を保持するポリペプチドの形態を示す。本発明によれば、“生物活性”とは、自然に発生する構造的、調節的または生化学的機能を持つ蛋白質またはペプチドを指す。“ＬＩＲ様”とは白血球免疫グロブリン受容体の生物活性に類似する生物学的作用を指す。
【００７９】
同様に、“生物活性”または“生物活動”は自然、組み換え体（リコンビナント）または合成のプロトロンビナーゼ様ペプチド、またはそれらの任意のペプチドについて、適当な動物や細胞に特定の生物学的応答を誘発し、特定の抗体と結合することを意味する。
【００８０】
“活性化された細胞”という用語は、ここで使用された場合、細胞内または細胞外膜を出入りするこれらの細胞を指し、正常または疾病の過程の一部としての分泌分子細胞や酵素分子の搬出を含む。
【００８１】
“相補的”または“相補性”とは、塩基対形成によるポリヌクレオチドの自然の結合を意味する。例えば、５’−ＡＧＴ−３’配列は相補配列３’−ＴＣＡ−５’と結合する。２つの一本鎖分子間の相補性は、一部の核酸が結合するだけの“部分的”相補か、全体的相補性が一本鎖分子間で存在するような“完全”相補である。核酸鎖間の相補性の度合いは、核酸鎖間のハイブリダイゼーションの効率と強さに対して大く影響する。
【００８２】
“胚幹細胞（ＥＳ）”という用語は、胎児または成人において生殖細胞を含む多くの分化した細胞タイプを発生させ得る細胞を指す。“生殖系列幹細胞（ＧＳＣ）”とは、生殖体の産生のために胚細胞を安定して連続的に供給する始原生殖細胞由来の幹細胞を指す。“始原生殖細胞（ＰＧＣ）とは、生殖細胞やその他の細胞に分化する能力を持つ他の細胞系列、特に卵黄嚢、腸間膜、または生殖巣堤から胚形成中は分離される小さい一群の細胞を指す。ＰＧＣはＧＳＣやＥＳ細胞の生成に携わる源である。ＰＧＣ、ＧＳＣおよびＥＳ細胞は自己再生機能を持っている。したがって、これらの細胞は生殖系列を増殖させ、成人の特殊器官を形成する永久分化細胞を複数発生させるだけでなく、それら自体をも再生するのである。
【００８３】
“発現モジューレーティング断片”、ＥＭＦという用語は、操作可能に連結されたＯＲＦまたは他のＥＭＦの発現をもジュレート〔変調〕するヌクレオチドを意味する。
【００８４】
ここで使われる意味としては、ＥＭＦが存在することによって配列の発現が変更されるとき、配列は“操作可能に連結された配列の発現をモジュレートする”と言われる。ＥＭＦは、プロモータとプロモータをモジュレートする配列（誘発因子）を含み、それらに限らない。ＥＭＦの１つのクラスは、特定の調節因子または生理事象に応じて操作可能に連結されたＯＲＦの発現を誘発する核酸フラグメント（断片）である。
【００８５】
“ヌクレオチド配列”または“核酸”または“ポリヌクレオチド”または“オリゴヌクレオチド”は、互換的に用いられる用語であり、ヌクレオチドまたはこれらのヌクレオチド配列のヘテロ多量体を指す。これらの用語は、またゲノム的または１本鎖または２本鎖であったり有意鎖または反意鎖でもあり得るゲノムまたは合成のＤＮＡまたはＲＮＡ、ペプチド核酸（ＰＮＡ）または任意のＤＮＡ様またはＲＮＡ様物質を指す。配列において、Ａはアデニン、Ｃはシトシン、Ｇはグアニンで、Ｔはチミンであり、一方、ＮはＡ、  Ｃ、  ＧまたはＴ（Ｕ）である。ポリヌクレオチドがＲＮＡであるところで、配列のＴ（チミン）がＵ（ウラシル）で置換されると考えられる。一般的に、本発明により提供される核酸セグメントはゲノムおよび短オリゴヌクレオチドリンカーの断片から、またはオリゴヌクレオチドの列から、または個々のヌクレオチドから組立てられ、微生物またはウイルスオペロン、または真核性の遺伝子由来の調節要素から成る組み換え転写ユニットに発現される合成核酸を提供する。
【００８６】
“オリゴヌクレオチドフラグメント（断片）”または“ポリヌクレオチドフラグメント”、“ポーション（部分）”または“セグメント〔区分〕”または“プローブ”または“プライマー”は互換的に使用され、少なくとも約５個のヌクレオチド、好ましくは好ましくは少なくとも約７個のヌクレオチド、そして最も好ましくのは少なくとも約９個のヌクレオチド、さらに好ましくは好ましくは少なくとも約１１個のヌクレオチド、そして最も好ましくは、少なくとも約１７個のヌクレオチドのヌクレオチド残基の列を指す。断片とは、約５００個未満のヌクレオチド、好ましくは約２００個以下のヌクレオチド、さらに好ましくは約１００個以下のヌクレオチド、さらに好ましくは５０個以下のヌクレオチド、そして最も好ましくは約３０個未満のヌクレオチドから成るものを指す。プローブは、望ましくは約６から約２００個のヌクレオチド、より望ましくは約１５個から約５０個のヌクレオチド、より望ましくは１７個から３０個のヌクレオチド、そして最も望ましくは、２０個から２５個のヌクレオチドから成るものを指す。断片は、ポリメラーゼ連鎖反応（ＰＣＲ）、各種の交配プロセスまたはマイクロアレイプロセスにおいて、ｍＲＮＡまたはＤＮＡ分子の相似または関連部分の同定または増幅に使われることが望ましい。断片またはセグメントは本発明の各ポリヌクレオチド配列を明確に同定することができる。断片はＳＥＱ  ＩＤ  ＮＯ：１−２、４−５、７、  １６−１８、２０−２１、２３、３５−３６、３８−３９、４１、４７−４９、５１、６３−６５、または６７  のポーションとほぼ相似な配列を持つことが望ましい。
【００８７】
プローブは、例えば細胞や組織の中に特定のｍＲＮＡ分子が存在するかどうかを決定するため、またはウォルシュらによって説明された染色体ＤＮＡから類似の核酸配列を分離するために使われる。（ウォルシュ，Ｐ．Ｓ．  ほか、１９９２、ＰＣＲ  Ｍｅｔｈｏｄｓ  Ａｐｐｌ  １：２４１−２５０）それらは、当業者によく知られたニックトランスレーション、クレノー・フィルイン反応、ＰＣＲなどの方法で標識することができる。本発明のプローブ、その標本および／またはラベリング（標識化）は、サムブルック，Ｊ．  らにより、１９８９  Ａ  Ｍｏｌｅｃｕｌａｒ  Ｃｌｏｎｉｎｇ：  Ａ  Ｌａｂｏｒａｔｏｒｙ  Ｍａｎｕａｌ、Ｃｏｌｄ  Ｓｐｒｉｎｇ  Ｈａｒｂｏｒ  Ｌａｂｏｒａｔｏｒｙ，  ＮＹ；  またはオーシュベル，  Ｆ．Ｍ．ら、１９８９、Ｃｕｒｒｅｎｔ  Ｐｒｏｔｏｃｏｌｓ  ｉｎ  Ｍｏｌｅｃｕｌａｒ  Ｂｉｏｌｏｇｙ、Ｊｏｈｎ  Ｗｉｌｌｅｙ  ＆  Ｓｏｎｓ，  Ｎｅｗ  Ｙｏｒｋ，  ＮＹ、によって詳述されており、両者ともにここに言及することにより、本申請書の一部とする。
【００８８】
本発明の核酸配列はまた、ＳＥＱ  ＩＤ  ＮＯ：１−２、４−５、７、  １６−１８、２０−２１、２３、３５−３６、３８−３９、４１、４７−４９、５１、６３−６５、または６７の任意の核酸配列の情報を含んでいる。
【００８９】
配列情報はＳＥＱ  ＩＤ  ＮＯ：  １−２、４−５、７、  １６−１８、２０−２１、２３、３５−３６、３８−３９、４１、４７−４９、５１、６３−６５、または６７のセグメントであることもあり、ＳＥＱ  ＩＤ  ＮＯ：    １−２、４−５、７、  １６−１８、２０−２１、２３、３５−３６、３８−３９、４１、４７−４９、５１、６３−６５、または６７の配列情報を指す。そのようなセグメントは２０量体核酸でもあり得るが、その理由はヒトのゲノムにおいて２０量体が完全にマッチする確率は３００分の１であるからである。ヒトのゲノムの場合、１組の染色体の中に３０億個の塩基対がある。４２０  の２０量体が存在し得るわけだから、１組のヒトの染色体に存在する塩基対の数の３００倍もの２０量体が存在することになる。同じ分析を使った場合、１７量体がヒトのゲノムにおいて完全にマッチする確率は５分の１である。これらのセグメントを発現研究にアレイとして使用される場合は、１５量体セグメントを使うことができる。同様に、１５量体が発現された配列において完全にマッチする確率は、発現された配列が全体のゲノム配列の約５％以下から構成されているので、ほぼ５分の１になる。
【００９０】
同様に、単一のミスマッチを検出するために配列情報を使う上で、１つのセグメントは２５量体である。ヒトのゲノムにおいて２５量体がミスマッチ１個だけで現れる確率は、完全マッチの確率（１÷４２５）に各ヌクレオチド位置におけるミスマッチの増えた確率（３  ｘ  ２５）を掛けることで計算される。１つのミスマッチを有する１８量体１つのアレイで検出される確率は約５分の１である。１つのミスマッチを有する２０量体がヒトのゲノムの中で検出される確率は約５分の１である。
【００９１】
“オープン・リーディング・フレーム”、ＯＲＦという用語は、終止コドンを持たないアミノ酸に対する一連のヌクレオチドトリプレットを意味し、蛋白質に転写可能な配列である。
【００９２】
“機能的に連結した”または“機能的に会合している”とは、機能的に関連づけられた核酸配列を指す。例えば、あるプロモータ−があるコード配列の転写をコントロールするとき、そのプロモーターはそのコード配列に対して操作可能にリンクされ、操作可能に関連している。操作可能に連結された核酸配列が隣接しており、同一のリーディングフレーム内にあるとき、ある遺伝因子、例えば調節遺伝子はコ−ド配列に隣接的にはリンクされていないがコード配列の転写／翻訳を制御することができる。
【００９３】
“多分化能””とは、成人の器官に存在する多くの分化細胞に分化し得る能力を持つ細胞を意味する。“多分化能”細胞は、分化全能性細胞に比較すると、分化能力が制限されている。
【００９４】
“ペプチド”または“アミノ酸配列”とは、オリゴペプチド、ペプチド、ポリペプチドまたは蛋白質配列またはそれらのフラグメントを指し、自然に発生するものと合成のものと両方を指す。ポリペプチドの“断片”、“ポーション”、または“セグメントは、少なくも５個のアミノ酸，望ましくは少なくとも約７個のアミノ酸、より望ましくは約１７個以上のアミノ酸の一連のアミノ酸残基の伸長である。ペプチドは、望ましくは２００個以下のアミノ酸、より望ましくは１５０個以下のアミノ酸、そして最も望ましくは１００個以下のアミノ酸である。ペプチドは約５個から２００個のアミノ酸であることが望ましい。活性であるためには、ポリペプチドは生物および／または免疫的活性を示すための十分な長さを持っていなければならない。
【００９５】
“自然に発生するポリペプチド”という用語は、遺伝子工学的に作成されていない細胞によって生成されたポリペプチドを指し、特に、アセチル化、カルボキシル化、グリコシル化、リン酸エステル化、脂質化、アシル化などに限らず含む、ポリペプチドの翻訳後の修飾から生じる各種のポリペプチドを意味する。
【００９６】
“翻訳された蛋白質コード配列”という用語は、完全長の蛋白質をコードする配列を指し、任意のリーダー配列またはプロセス配列を含む。
【００９７】
“成熟型蛋白質コード配列”とはリーダー／シグナル〔情報〕配列のないペプチドまたは蛋白質をコードする配列を指す。“成熟型蛋白質部分”とは、リーダー／シグナル配列のない蛋白質のその部分を指す。そのペプチドは、細胞内の処理過程で除かれたリーダ配列を有するか、またはその蛋白質は、合成によって、または成熟型蛋白質コード配列のみをコードするポリヌクレオチドを使用して生成されたリーダー配列を持っていることもある。その成熟型蛋白質部分は開始メチオン残基を含む場合と含まない場合がある。開始メチオニンはしばしばペプチドの生成過程で除かれる。
【００９８】
“誘導体”とは、ユビキチン結合、ラベリング（例えば、放射性核種または各種の酵素に関して）共有結合ポリマー付加、例えばペジレーション（ポリエチレングリコ−ルによる誘導）およびオルニチンのようなアミノ酸の化学合成による挿入または置換のような手法を使って化学的に修飾されたポリペプチドで、ヒトの蛋白質では自然に生じないものを指す。
【００９９】
“変異体”（または“アナログ”）という用語は、自然発生のポリペプチドとアミノ酸の挿入、削除、および置換がされている点で異なり、例えば組み換えＤＮＡ手法を使って生成されたものを指す。目的とする活性を殺すことなくどのアミノ酸残基を置換、付加または除去すべきかを決定するためのガイドは、特定のペプチドの配列を相同ペプチドの配列と比較し、高相同性の領域（保護領域）に生じたアミノ酸配列変化数を最小にするかまたは、コンセンサス配列のあるアミノ酸と置換することにより見出すことができる。
【０１００】
また別の方法としては、これらの同一または同様なポリペプチドをコードする組み換え変異体は、遺伝情報の中にある“冗長性”を利用することにより、合成または選択することができる。各種のコドン置換、例えば各種の制限部位を作り出すサイレンと（無変化）な変化は特定の原核または真核系におけるプラスミドまたはウィルスベクターまたは発現に導入されてクローニングを最適化することができる。ポリヌクレオチド配列におけるポリペプチドまたはそのポリペプチドに付加された他のペプチドのドメインに反映し、ポリペプチドのいずれかの部分の特性が修飾され、リガンド結合親和性、鎖間親和性、または分解または代謝回転率のような特性が変わる。
【０１０１】
アミノ酸“置換”は、、１つのアミノ酸を同様な構造的および／または化学的特性、例えば伝統的なアミノ酸交替物質を持つ他のアミノ酸で置換した結果である。“保存的”アミノ酸置換は、関連する残基の極性、電荷、可溶性、疎水性、および／または両親媒性の相似性を持つ塩基上で行われる。例えば、無極性（疎水性）のアミノ酸は、アラニン、ロイシン、イソロイシン、バリン、プロリン、フェニールアラニン、トリプトファン、およびメチオニンを含み、中立極性のアミノ酸はグリシン、セリン、トレオニン、シスチン、チロシン、アスパラギンおよびグルタミンを含み、正電荷（塩基性）アミノ酸はアルギン、リシンおよびヒスチジンを含み、また、負電荷（酸性）アミノ酸はアスパラギン酸およびグルタミン酸を含む。“挿入”または“除去”は、アミノ酸約１個から２０個、より望ましくは１個から１０個のアミノ酸の範囲である。与えられた変化は、ポリペプチド分子中のアミノ酸の挿入、除去、または交換を系統的に行い、組み換えＤＮＡ手法を使い、結果として生じた組み換え変異体を検定して、実験的に決定される。
【０１０２】
別の方法としては、機能の変更が望まれる場合は、挿入、除去または非保存的な変更によって、改変ポリペプチドが工学的に作られる。そのような変更は、例えば、本発明のポリペプチドの１つまたは複数の生物学的機能または生化学的特性を変更することによって可能である。例えば、それらの変更はリガンド結合親和性と鎖間親和性、または分解／代謝回転率のようなポリペプチド特性を変える。さらに、そのような変更は、発現のために選ばれたホスト細胞の発現、スケールアップなどのためにより適したポリペプチドを発生するように選択することができる。例えば、２硫化ブリッジを消去するために、システイン残基は除去または他のアミノ酸残基と入れ換えることができる。
【０１０３】
“精製された”または“ほぼ精製された”という用語は、他の生物高分子、例えばポリヌクレオチド、蛋白質などの事実上存在しない状態において核酸またはポリペプチドが存在することを意味する。ある実施例では、ポリヌクレオチドまたはポリペプチドは、示された生物高分子の重量で９５％以上、より望ましくは重量で９９％以上を占めるところまで精製される（ただし、水、緩衝液、および他の小分子、特に分子量で１０００ダルトン未満の分子は存在してもよい）。
【０１０４】
“分離された”とは、核酸またはポリペプチドが自然の供給源から得られる核酸またはポリペプチドに存在する少なくとも他の構成成分（例えば、核酸またはポリペプチド）から分離することを意味する。
【０１０５】
１つの実施例では、核酸またはポリペプチドは、溶剤、緩衝液、鉄、またはその溶液に通常存在する他の構成成分が存在するところにのみ（もしあるとすれば）存在する。“分離”または“精製”という用語は、天然の供給源中に存在する核酸またはポリペプチドに対しては使われない。
【０１０６】
“組み換え体〔リコンビナント〕”という用語は、ここでポリペプチドまたは蛋白質に関連して使われた場合、組み換え体（例えば、微生物、昆虫、または哺乳類の）発現系から得られたポリペプチドまたは蛋白質であることを意味する。“微生物”とは、バクテリアまたは真菌（例えば、イースト）の発現系で生成される組み換え体ポリペプチドまたは蛋白質を指す。生成物としては、“組み換え体微生物”としては自然の内因性物質が存在せず、関連する自然のグリコシル化ないポリペプチドまたは蛋白質を指す。例えば、大腸菌（Ｅ．  ｃｏｌｉ  ）のようなほとんどのバクテリア培養菌に発現されたポリペプチドまたは蛋白質にはグリコシル化の修飾はない。イースト菌に発現されているポリペプチドや蛋白質は、一般的に哺乳類の細胞に発現されているものと異なるグリコシル化形態を持っている。
【０１０７】
“組み換え体発現媒体またはベクター”という用語は、ＤＡＮ（ＲＮＡ）配列からポリペプチドを発現するためのプラスミドまたはファージまたはウイルスまたはベクターを指す。発現媒体は、（１）例えばプロモーターまたはエンハンサーのような遺伝子発現において調節的な役割を持つ遺伝因子、（２）ｍＲＮＡに転写され、蛋白質に翻訳される構造的またはコード配列、および（３）適切な転写開始および停止配列を持つ組合せから成る転写ユニットから成り得る。イーストまたは真核性発現系で使用される目的の構造ユニットは、宿主細胞による転写蛋白質の細胞外分泌を可能にするリーダー配列を含むことが望ましい。また、組み換え体の蛋白質がリーダー配列または輸送配列なしに発現された場合は、アミノ末端メチオニン残基を含んでいてもよい。最終生成物を得るためには、残基は発現された組み換え体蛋白質からその後切断しても、しなくてもよい。
【０１０８】
“組み換え体発現系”とは、組み換え体転写ユニットを染色体ＤＮＡに安定的に組み込まれたか、または染色体外に組み換え体転写ユニットを搬送する宿主細胞を意味する。ここで定義されている組み換え体発現システムは、発現すべきＤＮＡセグメントまたは合成遺伝子に連結された調節要素の導入時に異種のポリペプチドまたは蛋白質を発現するものである。この用語はまた、例えばプロモーターやエンハンサーのような遺伝子発現において調節的役割を持つ組み換え体遺伝因子を安定的に組み合わせている宿主細胞をも意味する。ここに定義された組み換え発現システムは、発現すべきＤＮＡセグメントまたは合成遺伝子に連結された調節要素の導入によって、細胞に内生するポリペプチドまたは蛋白質を発現するものである。その細胞は原核または真核細胞のいずれでもよい。
【０１０９】
“分泌”蛋白質とは、膜を通して、または越えて運搬された蛋白質であり、適切な宿主細胞にそれが発現されたときに、アミノ酸配列におけるシグナル配列の結果運搬される場合を含む。“分泌蛋白質”の中には、それが発現される細胞から完全に（例えば、可溶性蛋白質）または部分的に分泌された蛋白質をすべて含む。“分泌蛋白質”とは、小胞体の膜を通して運搬される蛋白質を含む。“分泌蛋白質”はまた、非典型的シグナル配列を含む蛋白質をも意味する（例えば、インターロイキン−１ベータ、クラズニー，Ｐ．Ａ．およびヤング，Ｐ．Ｒ．（１９６２）Ｃｙｔｏｋｉｎｅ  ４（２）：１３４−１４３）および破壊された細胞から遊離される因子（例えば、インターロイキン−１受容体・アンタゴニスト、アーレンド、Ｗ．Ｐ．ほか（１９９８）Ａｎｎｕ．  Ｒｅｖ．  Ｉｍｍｕｎｏｌ．  １６：２７−５５を参照）。
必要な場合は、発現ベクターはポリペプチドを細胞の膜を通して導く“シグナルまたはリーダー配列”を含むように設計されていてもよい。そのような配列は、組み換えＤＮＡで手法によって異種の蛋白源から提供されるか、本発明のポリペプチドに自然に存在しているものである。
【０１１０】
“厳しい”という用語は、当業者によって通常理解されている厳しいと言う意味で使われる。厳しい条件には、極めて厳しい条件（例えば、フィルター固定したＤＮＡを０．５  Ｍ  ＮａＨＰＯ４、７％のドデシル硫酸ナトリウム（ＳＤＳ）、６５℃の１  ｍＭ  ＥＤＴＡでハイブリダイズし、６８℃の０．１Ｘ  ＳＳＣ／０．１％  ＳＤＳで洗浄）、および中程度に厳しい条件（例えば、４２℃の０．２Ｘ  ＳＳＣ／０．１％  ＳＤＳで洗浄）を含む。その他のハイブリダイゼーション条件は本文中の例によって説明する。
【０１１１】
デオキシオリゴヌクレオチドのハイブリダイゼーションの場合、その他のハイブリダイゼーション条件としては、３７℃（１４塩基オリゴヌクレオチドに対して）、４８℃（１７塩基オリゴヌクレオチドに対して）、５５℃（２０塩基オリゴヌクレオチドに対して）および６０℃（２３塩基オリゴヌクレオチドに対して）で６Ｘ  ＳＳＣ／０．０５  ％ピロリン酸ナトリウムで洗浄する。
【０１１２】
“ほぼ同等”という用語は、ヌクレオチドとアミノ酸配列の両方に使用され、例えば、基準配列から１つまたは複数の置換、除去または付加があり、その結果として、基準配列と比較した場合に、機能上不利な差異を生じないような突然変異体配列を指す。普通、そのようなほぼ同等な配列は、ここにリストされたものから３５％以上（すなわち、基準配列との比較の上でほぼ同等な配列における交換、追加、および／または除去された残基の数を、ほぼ同等な当該配列の全残基数で除した値が０．３５以上）異ならないものを指す。そのよな配列はリストされた配列に対して６５％の配列同一度を持つと言われる。ある実施例の場合、本発明のほぼ同等な、例えば、変異配列はリストされた
配列に  比べて３０％以上異ならない（７０％の配列が同一）；本実施例のある変異では、２５％以上異ならない（７５％の配列が同一）；本実施例のさらに別の変異では、２０％以上異ならない（８０％の配列が同一）；本実施例のさらに別の変異では、１０％以上異ならない（９０％の配列が同一）；本実施例のさらに別の変異では、５％以上異ならない（９５％の配列が同一）。本発明によるほぼ同等な、例えば、突然変異アミノ酸配列は、リストされたアミノ酸配列に比べて、少なくとも８０％の同一度があることが望ましく、さらに望ましくは８５％の配列同一度、さらに望ましくは９０％の配列同一度、さらに望ましくは少なくとも９５％の配列同一度、さらに望ましくは９８％の配列同一度、そして９９％の配列同一度が最も望ましい。本発明のほぼ同等なヌクレオチド配列は、遺伝コードの冗長性または縮退性を考慮して、より低いパーセントの配列同一度を持つことができる。ヌクレオチド配列は、６５％以上の同一度が望ましく、さらに７５％以上の同一度が望ましく、さらに望ましくは８０％以上の配列同一度、さらに望ましくは８５％の配列同一度、さらに望ましくは９０％の配列同一度、さらに望ましくは９５％の配列同一度、さらに望ましくは９８％の配列同一度、そして９９％の配列同一度が最も望ましい。９５％以上の同一度が最も望ましい。本発明の目的において、ほぼ同等な生物活性とほぼ同等な発現特性を持つ配列は、ほぼ同等なものとみなされる。同一性の決定の目的のためには、成熟型配列の切断（例えば、擬似停止コドンを生成する突然変異を介して）は除外すべきである。配列の同一度は例えば、ジョタン・ハイン法（Ｈｅｉｎ，  Ｊ．  （１９９０）  Ｍｅｔｈｏｄｓ  Ｅｎｚｙｍｏｌ．  １８３：６２６−６４５））で決定することができる。１８３：６２６−６４５）．  配列間の同一度はハイブリダイゼーション条件を変えて行う、当業者によく知られた他の方法でも行うことができる。
【０１１３】
“分化全能性”とは、成熟した器官のあらゆる種類の細胞に分化し得る細胞の能力を指す。
【０１１４】
“形質転換”とは、適切な宿主細胞にＤＮＡを導入して、ＤＮＡが染色体外要素として、または染色体の一部として再製可能なようにすることを意味する。“形質移入”とは、コード配列が実際に発現されているかどうかにかかわらず、適切な宿主細胞によって発現ベクターを取り込むことを意味する。“感染”とはウイルスまたはウイルスベクターを使って適切な宿主細胞に核酸を導入することを指す。
【０１１５】
ここで用いる“取り込みモジュレイティングフラグメント”ＵＭＦとは、連結されたＤＮＡフラグメントの細胞への取り込みを媒介する一連のヌクレオチドを意味する。ＵＭＦは既知のＵＭＦを目標配列ないしは目標モチーフとして以下に説明するようなコンピュータを使ったシステムで容易に同定することができる。ＵＭＦの存在と活性は、疑いのあるＵＭＦをマーカー配列に結合させて確認することができる。その結果の核酸分子を適切な条件下で、適切な宿主細胞で培養し、マーカー配列の取り込みを決定する。上述のように、ＵＭＦはリンクしたマーカー配列の取り込みの頻度を増加する。
【０１１６】
上述の各用語は、特に文脈上他の意味で使われていないかぎり、上述の意味で使われる。
【０１１７】
（５．２    本発明の核酸）
本発明は、新規性のある分泌性白血球免疫グロブリン受容体（ＬＩＲ様）ポリペプチド、その白血球免疫グロブリン受容体（ＬＩＲ様）ポリペプチドをコードするポリヌクレオチドの発見、そして神経系症状や疾患の診断、治療または予防のために、これら組成物を使用することに基づいている。本発明の分離されたポリヌクレオチドは制限無く次のものを含む。すなわち、  ＳＥＱ  ＩＤ  ＮＯ：    １−２、４−５、７、  １６−１８、２０−２１、２３、３５−３６、３８−３９、４１、４７−４９、５１、６３−６５、または６７のいずれかのヌクレオチドの配列からなるポリヌクレオチド；  ＳＥＱ  ＩＤ  ＮＯ：    １−２、４−５、７、  １６−１８、２０−２１、２３、３５−３６、３８−３９、４１、４７−４９、５１、６３−６５、または６７一の断片；  ＳＥＱ  ＩＤ  ＮＯ：    １−２、４−５、７、  １６−１８、２０−２１、２３、３５−３６、３８−３９、４１、４７−４９、５１、６３−６５、または６７の完全長蛋白質コード配列からなるポリヌクレオチド  （例えば  ＳＥＱ  ＩＤ  ＮＯ：  ４，  ９，  １４，  １８）；  および  ＳＥＱ  ＩＤ  ＮＯ：    １−２、４−５、７、  １６−１８、２０−２１、２３、３５−３６、３８−３９、４１、４７−４９、５１、６３−６５、または６７のいずれかのポリヌクレオチドの成熟型蛋白質コード配列をコードするヌクレオチドの配列からなるポリヌクレオチドを含む。  本発明のポリヌクレオチド  は又制限無く次のものを含む。厳しい条件下で下記のものとハイブリダイズする  ポリヌクレオチド：  （ａ）  ＳＥＱ  ＩＤ  ＮＯ：    １−２、４−５、７、  １６−１８、２０−２１、２３、３５−３６、３８−３９、４１、４７−４９、５１、６３−６５、または６７のヌクレオチド配列のいずれかの補体；  （ｂ）  ＳＥＱ  ＩＤ  ＮＯ：３、  ６、  ８−１３、  １９、  ２２、  ２４−２８；  ３３−３４、  ３７、  ４０、  ４２−４５、  ５０、  ５２−５８、  ６６、  または６８−７４  のポリペプチドのいずれか一つをコードするポリヌクレオチド；  （ｃ）  上記のポリヌクレオチドのいずれかのアレル変異体であるポリヌクレオチド；  （ｄ）  上記の蛋白質のいずれかの種相同体をコードするポリヌクレオチド；  又は  （ｅ）  ＳＥＱ  ＩＤ  ＮＯ：  ３、  ６、  ８−１３、  １９、  ２２、  ２４−２８；  ３３−３４、  ３７、  ４０、  ４２−４５、  ５０、  ５２−５８、  ６６、  ６８−７４  のポリペプチドの特定領域又は切断部からなるポリヌクレオチド。  関心対象のドメインはコードされたポリペプチドの性質による。例えば、受容体様ポリペプチドの領域は、リガンド結合、細胞外、膜貫通、又は細胞質領域、又はそれらの組合せを含む；  免疫グロブリン様蛋白質の領域は、免疫グロブリン様可変領域を含む；酵素様  ポリペプチドの領域は、触媒および基質結合領域を含む；そしてリガンドポリペプチドの領域  は受容体結合領域を含む。
【０１１８】
本発明のポリヌクレオチドは自然発生のＤＮＡ、又は全部或いは一部合成されたＤＮＡを含む。例えば、ｃＤＮＡとゲノム  ＤＮＡ，  そして  ＲＮＡ，  例えば  ｍＲＮＡである。  ポリヌクレオチド関連部分は、ｃＤＮＡのコード領域コ全部、またはその一部分を含む。
【０１１９】
本発明は、またここで開示したｃＤＮＡの配列に対応した遺伝子も提供する。これらの対応した遺伝子は、ここで開示した配列情報を使い既知の方法に従って分離できる。それらの方法には、適切なゲノムのライブラリー、又は他のゲノムの材料源で、遺伝子を同定および／又は増幅するために、開示された配列情報からプローブ、またはプライマーを作成することを含む。
【０１２０】
当業界の既知の方法で、更に  ５’と  ３’の配列を取得できる。例えば、ＳＥＱ  ＩＤ  ＮＯ：    １−２、４−５、７、  １６−１８、２０−２１、２３、３５−３６、３８−３９、４１、４７−４９、５１、６３−６５、または６７  のポリヌクレオチドのいずれか、又はその一部分をプローブとして使用して、適切なハイブリダイゼーション条件の下で、適当なｃＤＮＡ又はゲノム  ＤＮＡを選別することによって、ＳＥＱ  ＩＤ  ＮＯ：    １−２、４−５、７、  １６−１８、２０−２１、２３、３５−３６、３８−３９、４１、４７−４９、５１、６３−６５、または６７のポリヌクレオチドのいずれかに対応する、完全長の  ｃＤＮＡ又はゲノムの  ＤＮＡを取得できる。別の方法として、ＳＥＱ  ＩＤ  ＮＯ：    １−２、４−５、７、  １６−１８、２０−２１、２３、３５−３６、３８−３９、４１、４７−４９、５１、６３−６５、または６７の  ポリヌクレオチドは、適当なゲノムの  ＤＮＡ又はｃＤＮＡのライブラリ−における遺伝子の同定と／又は増幅を可能にする適切なプライマーの基礎として使用できる。
【０１２１】
本発明の核酸の配列は、一個以上の公開データベース、例えばｄｂＥＳＴ，  ｇｂｐｒｉ  と  ＵｎｉＧｅｎｅなどから得られるＥＳＴｓと配列  （ｃＤＮＡとゲノム配列を含む）  から組み立てられる。  ＥＳＴ  の配列は、全長の遺伝子に関する、同定する配列の情報、代表的な断片又はセグメントの情報、又は新規なセグメントの情報を提供できる。
【０１２２】
本発明のポリヌクレオチドはまた、上記のポリヌクレオチドと殆ど同等のヌクレオチド配列を含むポリヌクレオチド）を提供する。
【０１２３】
本発明によるポリヌクレオチドは、上記のポリヌクレオチドに対して、例えば、最低  約６５％位，  最低  約７０％位、最低  ７５％位、最低  約８０％位、８１％、  ８２％、  ８３％、  ８４％、  ８５％、  ８６％、  ８７％、  ８８％、  ８９％、  より典型的には最低  ９０％位、９１％、  ９２％、  ９３％、  ９４％、    そして更により典型的には最低  ９５％位９６％、  ９７％、  ９８％、９９％  の配列同一度を有することができる。
【０１２４】
本発明における核酸の配列の範囲に含まれるものは、ＳＥＱ  ＩＤ  ＮＯ：    １−２、４−５、７、  １６−１８、２０−２１、２３、３５−３６、３８−３９、４１、４７−４９、５１、６３−６５、または６７  のヌクレオチド配列のいずれかに厳しい条件下でハイブリダイズする核酸配列の断片、又はその補体で、その断片は約５個の  ヌクレオチドより大きく、出来れば７個より、更に出来れば９個より、最も良ければ１７個の  ヌクレオチドより大きい。  例えば、１５，  １７又は２０個以上のヌクレオチドの断片で選択的なもの（即ち、本発明のポリヌクレオチドのどの一個に特異的にハイブリダイズするもの）を考慮している。  ポリヌクレオチドの一個に特異的にハイブリダイズできるプローブは、同じファミリーの遺伝子における他のポリヌクレオチド配列から本発明のポリヌクレオチド配列を区別することが出来、又は他種の遺伝子からヒトの遺伝子を区別することが出来、そして好ましくはユニークなヌクレオチド配列に基づいている。
【０１２５】
本発明の範囲内に含まれる配列は、これら特定の配列に限定されず、その対立遺伝子（アレレ）および種の変異をも含む。対立遺伝子および種の変異は、ＳＥＱ  ＩＤ  ＮＯ：    １−２、４−５、７、  １６−１８、２０−２１、２３、３５−３６、３８−３９、４１、４７−４９、５１、６３−６５、または６７にて得られた配列、その代表的な断片、又は、ＳＥＱ  ＩＤ  ＮＯ：    １−２、４−５、７、  １６−１８、２０−２１、２３、３５−３６、３８−３９、４１、４７−４９、５１、６３−６５、または６７  と最低９０％同一、出来れば９５％同一のヌクレオチド配列を同種の他の分離物からの配列とを比較し、定常的に決定できる。
【０１２６】
更に、コドンの可変性にあわせて、本発明はここに開示された特定のＯＲＦと同様に、本発明は，  同じアミノ酸配列の核酸分子コードを含む。即ち、一個のＯＲＦのコード領域において、  １つのコドンを、同じアミノ酸をコードするもう一つのコドンで置換することが明らかに考えられえる。
【０１２７】
ＳＥＱ  ＩＤ  ＮＯ：    １−２、４−５、７、  １６−１８、２０−２１、２３、３５−３６、３８−３９、４１、４７−４９、５１、６３−６５、または６７を含む、本発明の核酸の近似値的な結果は、アルゴリズム又はプログラムを使ってデータベースを検索することにより取得できる。好ましくはベーシック・ローカル・アラインメント・サーチ・ツールＢＬＡＳＴを使って、局在配列のアラインメントを検索する  （Ａｌｔｓｈｕｌ，  Ｓ．Ｆ．  Ｊ  Ｍｏｌ．  Ｅｖｏｌ．  ３６  ２９０−３００  （１９９３）  ａｎｄ  Ａｌｔｓｃｈｕｌ  Ｓ．Ｆ．  ｅｔ  ａｌ．  Ｊ．  Ｍｏｌ．  Ｂｉｏｌ．  ２１：４０３−４１０  （１９９０））
本発明はまた、開示したポリヌクレオチド又は蛋白質の対立形質変異体も包含する；即ち、自然発生する、分離されたポリヌクレオチドの代替形態で、それはまた  ポリヌクレオチド）によってコードされたものと同一の、相同（同族）の、又は関連する蛋白質をコードする。
【０１２８】
本発明の  核酸  配列は、記述の核酸の変異体をコードする配列へ更に指向されている。  これらのアミノ酸  の配列の変異形は、原型または変異体のポリヌクレオチドに適切なヌクレオチドの変化をさせるという、既知の方法で作成できる。アミノ酸  配列変異形の構成には２個の可変要素がある。すなわち、突然変異の位置と  突然変異の性質である。アミノ酸配列変異形をコードする核酸は、好ましくは、自然発生しないアミノ酸配列をコードするように、ポリヌクレオチドを突然変異させて構成することが望ましい。これらの核酸の改変は、異種の核酸によって異なる部位（可変位置）又は高度に保存された領域（定常領域）で出来る。  それらの位置での部位は、普通、シリーズで修飾される；例えば、まず保守的な選択対象で置換する  （例えば、疎水性  アミノ酸を異なる  疎水性アミノ酸で）、  それから更に遠い選択対象で代用する  （例えば、  疎水性  アミノ酸を、負荷されたアミノ酸で），  その後、目標部位で削除または挿入が出来る。アミノ酸配列  の削除は、通常ほぼ１から３０の残基  、好ましくはほぼ１から１０の残基であり、普通は連続している。アミノ酸の挿入はアミノ−と／又はカルボキシル−末端融合により、長さは１から１００以上の残基  にわた，  また、単一または複数のアミノ酸残基の配列内挿入も同様である。  配列内挿入は、普通、１から１０のアミノ酸残基にわたり、好ましくは１から５の残基である。
【０１２９】
末端挿入の例としては、分泌または異なる宿主細胞で細胞内の目標付けに必要な、異種ののシグナル〔情報〕配列、及びＦＬＡＧのような配列、又は発現した蛋白質の精製に役立つポリヒスチジン配列がある。
【０１３０】
望ましい方法では、新規性のあるアミノ酸配列をコードするポリヌクレオチドは、部位指向型突然変異の誘発を介して変換される。この方法は、オリゴ（少数）ヌクレオチド  配列を使ってポリヌクレオチドを変換し、目的のアミノ酸  変異体をコードし、同時に、変換したアミノ酸の両隣の十分な量のヌクレオチドに、変換される部位のどちらかの側で安定した２重鎖を形成させる。一般に、部位指向型突然変異誘発の技術は、当業界の熟練者達には良く知られており、このテクニックは次の出版物で例に挙げられている：エーデルマン他、  ＤＮＡ  ２：１８３  （１９８３）。ポリヌクレオチド  配列における部位特異的変化を創り出すための、多才で効率的な方法は、ゾラーとスミス著、核酸    Ｒｅｓ．  １０：６４８７  ６５００  （１９８２）で出版された。ＰＣＲも新規性のある核酸からアミノ酸配列  変異体を作成するために使える。最初の材料として少量のテンプレートＤＮＡを使う場合、配列がテンプレートＤＮＡ  内の対応する部分から僅かに異なるプライマーを使うと、望ましいアミノ酸変異体を作成できる。ＰＣＲの増幅によって、そのプライマーで特定された位置のポリペプチドをコードするポリヌクレオチド  テンプレートと異なるＤＮＡの断片作成物の数が増える。  このＤＮＡ  の断片作成物はプラスミッド内の対応する領域で置き換わり、望ましいアミノ酸変異をコードするポリヌクレオチドが得られる。
【０１３１】
アミノ酸変異体を作成するもう一つのテクニックは、カセット突然変異誘発テクニックで、ウエルス他著、遺伝子  ３４：３１５  （１９８５）に説明してある。他の突然変異誘発テクニックは当業界で良く知られている。例えば、前出のサムブルックス著作、そして「分子生物学における現行のプロトコール」、オースベル他著に述べられたテクニックである。遺伝情報の内在的な縮退のため、ほぼ同一か、機能的に同等なアミノ酸配列をコードする他のＤＮＡ配列を本発明の実施に使用し、これらの新規性のある核酸のクローニングと発現に使用して良い。それらのＤＮＡ配列は、厳しい条件の下、適当で新規性のある核酸  配列  にハイブリダイズ可能なものを含む。
【０１３２】
本発明の望ましいポリペプチドの切断部分をコードするポリヌクレオチドは、本発明の１個以上の領域を形成する、キメラまたは融合蛋白質  と（ヘテロ）異種蛋白質配列をコードするポリヌクレオチドを創生するために使用できる。
【０１３３】
本発明のポリヌクレオチドは、更に、上記ポリヌクレオチドのいずれの補体も含む。そのポリヌクレオチドはＤＮＡ  （ゲノム的、ｃＤＮＡ、増幅したもの、あるいは合成したもの）  でもＲＮＡでも良い。そのようなポリヌクレオチドを取得するための方法とアルゴリズムは、当業界の熟練者には良く知られており、例えば、望ましい配列の同定されたポリヌクレオチドを定常的に分離することが出来るハイブリダイゼーション条件を決定する方法を含む。
【０１３４】
本発明により，  ＳＥＱ  ＩＤ  ＮＯ：    １−２、４−５、７、  １６−１８、２０−２１、２３、３５−３６、３８−３９、４１、４７−４９、５１、６３−６５、または６７の何れかに対応する成熟型蛋白質コード配列、或いはその機能的同等物をコードするポリヌクレオチドの配列は、適切な宿主細胞内で核酸を発現する組換えＤＮＡ分子、又はその機能的同等物を作成する為に使用できる。、を。また、ここで同定されたクローンのｃＤＮＡ挿入  も含まれる。
【０１３５】
本発明によるポリヌクレオチドは、十分に確立された組換えＤＮＡのテクニックにより他のヌクレオチド  配列のどの種類にも結合できる  （参照：Ｊ．サムブルック他  １０  （１９８９）  分子のクローニング：  研究所マニュアル、コールドスプリングハーバー研究所，  ＮＹ）。ポリヌクレオチドに結合する有用なヌクレオチド配列は、様々なベクターを含む；例えば、プラスミド、コスミド、ラムダファージの誘導体、ファージミドなど、当業界では良く知られているもの。従って、本発明はまた本発明のポリヌクレオチドを含むベクターとそのポリヌクレオチドを保有する宿主細胞をを提供する。一般に、そのベクターは、少なくとも１個の生物で機能する複製の源、便利な制限エンドヌクレアーゼ部位、及び選出可能な、宿主細胞のマーカーを含む。本発明によるベクターには、発現ベクター、複製ベクター、プローブ作成ベクター、及び配列ベクターが含まれる。本発明によれば、宿主細胞は原核細胞または真核細胞で良く、単細胞生物、または多細胞生物のの一部でもよい。
【０１３６】
本発明は更に、ＳＥＱ  ＩＤ  ＮＯ：  １−２、４−５、７、  １６−１８、２０−２１、２３、３５−３６、３８−３９、４１、４７−４９、５１、６３−６５、または６７のヌクレオチド  配列、そのフラグメント（断片）、又は本発明の他のポリヌクレオチドのどれかを持つ核酸を含む、組換え作成物を提供する。一つの具体例では、本発明の組換え作成物は、プラズミドまたはウイルスのようなベクターで構成され、その中に、ＳＥＱ  ＩＤ  ＮＯ：  １−３，  １０−１３  と  １５  のヌクレオチド  配列、又はそのフラグメントを持つ  核酸  が前向きまたは後ろ向きに挿入される。  本発明の又はＯＲＦの１つを含むベクターの場合、そのベクターは更に調節配列を含むかもしれない：例えば、ＯＲＦに機能的に会合したプロモーターを含む。多数の適切なベクターとプロモーターは、当業界の熟練者には知られており、本発明の組換え作成物を作成するために業者から入手できるものである。下記のベクターは例として挙げる。細菌類：  ｐＢｓ，  ファージスクリプト、  ＰｓｉＸ１７４，  ｐＢｌｕｅｓｃｒｉｐｔ  ＳＫ，  ｐＢｓ  ＫＳ，  ｐＮＨ８ａ，  ｐＮＨ１６ａ，  ｐＮＨ１８ａ，  ｐＮＨ４６ａ  （Ｓｔｒａｔａｇｅｎｅ）；  ｐＴｒｃ９９Ａ，  ｐＫＫ２２３−３，  ｐＫＫ２３３−３，  ｐＤＲ５４０，  ｐＲＩＴ５  （Ｐｈａｒｍａｃｉａ）．  真核細胞類：  ｐＷＬｎｅｏ，  ｐＳＶ２ｃａｔ，  ｐＯＧ４４，  ＰＸＴＩ，  ｐＳＧ  （Ｐｈａｒｍａｃｉａ）  ｐＳＶＫ３，  ｐＢＰＶ，  ｐＭＳＧ，  ｐＳＶＬ  （Ｐｈａｒｍａｃｉａ）．
本発明の分離されたポリヌクレオチドは、蛋白質を組換え的に作成するために、カウフマンほか、核酸  Ｒｅｓ．  １９，  ４４８５−４４９０  （１９９１）で開示された、ｐＭＴ２又はｐＥＤ発現ベクターのような発現調節配列に活性的に連結することが出来る。多数の適切な発現調節配列が当業界で知られている。組換え蛋白質の一般的な発現方法も知られており、Ｒ．  カウフマン著、「酵素学の方法論（Ｍｅｔｈｏｄｓ  ｉｎ  Ｅｎｚｙｍｏｌｏｇｙ）」  １８５，  ５３７−５６６  （１９９０）に例証されている。ここに定義されてあるように、“活性的に連結される”ということは、本発明の分離されたポリヌクレオチドと発現調節配列は、ベクター又は細胞の中に配置され、その蛋白質は、連結したポリヌクレオチド／発現調節配列とともにトランスフェクトされた宿主細胞によって発現される様になっている。  プロモーター領域は、ＣＡＴ（クロラムフェニコール転移酵素）ベクター、又は選択可能なマーカー付きの他のベクターを使って、どの望ましい遺伝子からも選択出来る。２個の適当なベクターは  ｐＫＫ２３２−８と  ｐＣＭ７である。個々の名前がついた細菌プロモーターはｌａｃＩ、  ｌａｃＺ、  Ｔ３、  Ｔ７、  ｇｐｔ、  ｌａｍｂｄａ、ＰＲ，及び  ｔｒｃを含む。真核性のプロモーターは下記のものを含む：ＣＭＶ直近早期，  ＨＳＶ  チミジンキナーゼ  早期と晩期  ＳＶ４０，  レトロウイルスからのＬＴＲ，及びマウスのメタロチオネイン−Ｉ。適当なベクター  とプロモーターの選択は、当業界での普通のレベルの技術で出来ることである。一般に、組換え体発現のベクターは、複製の開始と選択可能なマーカーを含み、これらは宿主細胞の形質転換を可能にし、例えば、大腸菌のアンピシリン抗体遺伝子と  Ｓ．  ｃｅｒｅｖｉｓｉａｅ  ＴＲＰ１の遺伝子、そして、高度に発現した遺伝子から取出した、下流の構造配列の転写を指示するプロモーターである。それらのプロモーターとしては、色々あるうち、３−ホスホグリセリン酸キナーゼ  （ＰＧＫ），  因子、，  酸性ホスファターゼ、又は熱ショックの蛋白質のような糖分解酵素をコードするオペロンから得られる。異種構造の配列は、適当な位相に翻訳の開始と終結配列、望ましくは、細胞膜周辺腔または細胞外媒体への翻訳蛋白質の分泌を可能にするリーダー配列でアセンブリする。オプションとしては、異種配列  が、望ましい特性を発揮するアミノ末端同定ペプチドを含む融合蛋白質  をコードできることである。例えば、発現された組換え製品を安定化または単純に精製することである。細菌に使う有用な発現ベクターは、機能的なプロモーターを持つ活性的な読取り段階で、適切な翻訳開始と終止シグナルと共に、望ましい蛋白質をコードする構造的なＤＮＡ配列を挿入することによって造られる。
ベクターは、１個以上の表現型の選択可能なマーカーと複製の原型から形成され、ベクターの維持を確保し、望ましければ、宿主内で増幅する。形質転換に適した原核性の宿主には、以下の細菌、すなわち、大腸菌、枯草菌、ネズミチフス菌及びシュードモナス属、ストレプトマイセス属、およびスタフィロコッカス属の中の色々な種が含まれるが、他のものも選択して使用できる。
【０１３７】
代表的だがそれに限らない例として、有用な細菌用の発現ベクターは、選択可能なマーカーと、良く知られたクローニングのベクターｐＢＲ３２２  （ＡＴＣＣ  ３７０１７）の遺伝因子からなる、商業的に入手可能なプラズミド由来の複製の細菌の原型から構成される。そのような商業的に入手可能なベクターには、例えば  ｐＫＫ２２３−３  （Ｐｈａｒｍａｃｉａ  Ｆｉｎｅ  Ｃｈｅｍｉｃａｌｓ，  Ｕｐｐｓａｌａ，  Ｓｗｅｄｅｎ）  と  ＧＥＭ  １  （Ｐｒｏｍｅｇａ  Ｂｉｏｔｅｃｈ，  Ｍａｄｉｓｏｎ，  ＷＩ，  ＵＳＡ）がある。これらのｐＢＲ３２２  “バックボーン”のセクションは適当なプロモーターと発現される構造配列と結合される。適切な宿主菌株が形質転換し適切な細胞密度に成長した後、選択されたプロモーターは適当な手段で誘発又は抑制され（例えば温度変更又は化学的誘発により）  細胞は更に追加期間の間培養される。細胞は、普通、遠心分離によって収集し、物理的又は化学的方法で破壊し、そして残った粗抽出液は更に精製するために保存する。
本発明のポリヌクレオチドは又免疫応答を誘発する為に使用できる。例えば、ファン他．，  Ｎａｔ．  Ｂｉｏｔｅｃｈ．  １７：８７０−８７２  （１９９９）に記述され、ここに参考として使われているように、ポリペプチドをコードする核酸配列は、裸のプラスミドＤＮＡを局所的に投与又は注射した後、望ましくは、ＤＮＡを筋肉内に注射した後、コードしたポリペプチドに対する抗体を生成するために使用される。核酸配列は、望ましくは組換え発現ベクターに挿入され、裸のＤＮＡの形でも良い。
【０１３８】
（５．３    アンチセンス核酸）
本発明のもう一つの側面は、ＬＩＲ様（白血球免疫グロブリン様）ヌクレオチド  配列、又はそのフラグメント、類似体又は誘導体から成る核酸  分子にハイブリダイズ可能か又は相補的な、分離されたアンチセンス核酸分子に関連する。“アンチセンス”核酸は、蛋白質をコードする“センス”核酸  に相補的な、例えば、２本鎖ｃＤＮＡ分子のコード鎖か、又はｍＲＮＡ  配列に相補的ヌクレオチド配列から成る。特定の場合は、少なくとも約  １０，  ２５，  ５０，  １００，  ２５０又は５００のヌクレオチド、又はＬＩＲ様コード鎖全体、又はその一部に相補的な配列を含むアンチセンス核酸分子が提供される。ＬＩＲ様核酸配列に相補的なＬＩＲ様またはアンチセンス核酸の断片、相同体（ホモログ）、誘導体又は類似体（アナログ）をコードする核酸分子をさらに提供する。
【０１３９】
１つの実施例では、１個のアンチセンス核酸分子は、ＬＩＲ様蛋白質をコードする核酸配列のコード鎖の“コード領域”に対してアンチセンスである。“コード領域”という用語は、アミノ酸残基に翻訳されるコドンを形成するヌクレオチド配列の領域を指す。もう１つ実施例では、アンチセンス核酸分子は、ＬＩＲ様蛋白質をコードするヌクレオチド配列のコード鎖の“譲歩領域”に対してアンチセンスである。“譲歩領域”という用語は、５’  と  ３’  の配列を指し、アミノ酸に翻訳されないコード領域に隣接する（即ち、５’  と  ３’  の翻訳されない領域とも言える）。
【０１４０】
ここに開示された、ＬＩＲ様蛋白質をコードするコード鎖の配列  がある場合、本発明のアンチセンス核酸は、ワトソンとクリック、又はフーグスティーンの塩基対の規則に従って設計できる。アンチセンス核酸分子は、ＬＩＲ様ｍＲＮＡのコード領域全体に対して相補的であり得るが、ＬＩＲ様ｍＲＮＡのコード又は非コード領域の一部分だけに対してアンチセンスであるオリゴヌクレオチドがより好ましい。例えば、そのアンチセンスオリゴヌクレオチドはＬＩＲ様ｍＲＮＡの翻訳開始部位を囲む領域に対して相補的であることができる。アンチセンスオリゴヌクレオチドは、例えば、約５、１０、１５、２０、２５、３０、３５、４０、４５又は５０個のヌクレオチドの長さでありうる。本発明のアンチセンス核酸は、化学合成を使って、又は当業界で知られている方法を使って酵素結合反応によって作成できる。例えば、アンチセンス核酸（例：  アンチセンス  オリゴヌクレオチド）は、自然発生するヌクレオチド又は、分子の生物安定度を上げるため、或いは、アンチセンスとセンス核酸の間に形成される２本鎖構造体の物理的安定度を上げるために、多様に修飾されたヌクレオチドを使って化学合成出来る。例えば、ホスホロチオネートの誘導体  とアクリジンを代用したヌクレオチドが使用できる。
【０１４１】
アンチセンス核酸を生成する為に使用できる修飾ヌクレオチドの例には、下記のものを含む：
５−フルオロウラシル、５−ブロモウラシル、５−クロロウラシル、５−ヨードウラシル、ヒポキサンチン、キサンチン、４−アセチルシトシン、５−（カルボキシルハイドロキシルメチル）ウラシル、５−カルボキシメチルアミノメチル−２−チオウリジン、５−カルボキシメチルアミノメチルウラシル、ジハイドロウラシル、ベータ−Ｄ−ガラクトシリクオシン、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、ベータ−Ｄ−マノシリクオシン、５’−メトキシカルボキシメチルウラシル、５−メトキシウラシル、２−メチルチオ−Ｎ６−イソペンテニルアデニン、ウラシル−５−酸素酢酸  （ｖ），  ウイブトクソシン、偽性ウラシル、キオシン、２−チオサイトニン、５−メチル−２−チオウラシル、２−チオウラシル、４−チオウラシル、５−メチルウラシル、ウラシル−５−酸素酢酸メチルエステル、ウラシル−５−酸素酢酸  （ｖ）、５−メチル−２−チオウラシル、３（３−アミノ−３−Ｎ−２−カルボキシルプロピル）  ウラシル、（ａｃｐ３）ｗ、及び  ２，６−ジアミノプリン．  別の方法として、アンチセンス核酸は、核酸がアンチセンス指向でサブクローンとして挿入された発現ベクターを使って生物学的に生成できる（即ち、挿入された核酸から転写されたＲＮＡ  は目標とするターゲット核酸に対してアンチセンス指向となる。次の項で詳細説明する）。
【０１４２】
本発明のアンチセンス核酸分子は、通常、被験生体に投与されるか、または本来の位置で生成され、細胞のｍＲＮＡと／又は本発明のＬＩＲ様蛋白質をコードするゲノムのＤＮＡとハイブリダイズ又は結合し、それによって蛋白質の発現を抑制する（例えば、転写と／又は翻訳を抑制することによって抑制する）。そのハイブリッド形成は、従来のヌクレオチドの相補性によってでも良いし、又は、例えばＤＮＡの２本鎖に結合するアンチセンス核酸分子の場合は、２重螺旋の大きな溝内での特異的な相互作用によって、安定した２重構造を形成しても良い。本発明によるアンチセンス核酸分子の投与経路の一例は組織部位へ直接注射することである。代替方法として、アンチセンス核酸  分子を、選択された細胞  をターゲットにするように修飾し、全身的に投与することも出来る。例えば、全身投与の場合、アンチセンス  分子を修飾し、受容体か又は選択された細胞の表面に発現した抗原に特異的に結合するようにする。例えば、アンチセンス核酸分子を細胞表面の受容体か抗原に結合する  ペプチドか抗体に連結させる方法を用いる。アンチセンス核酸分子はまたここに述べたベクターを使って細胞に運ばれる。アンチセンス分子の十分な核酸分子を得る為に、アンチセンス核酸分子が強力なポルＩＩ又はポルＩＩＩプロモーターによって調節されるようなベクターの作成物が望ましい。もう一つの具体化例では、本発明のアンチセンス核酸分子はアルファーアノマー核酸分子である。  アルファーアノマー核酸分子は、相補性ＲＮＡと特異的に２本鎖ハイブリッドを形成し、その中では、通常のアルファユニットと異なり、鎖がお互いに平行になっている（Ｇａｕｌｔｉｅｒ  ｅｔ  ａｌ．１９８７．  Ｎｕｃｌ．  Ａｃｉｄｓ  Ｒｅｓ．  １５，  ６６２５−６６４１．    ）。また、アンチセンス  核酸分子は  ２’−ｏ−メチルリボ  ヌクレオチド（Ｉｎｏｕｅ，  ｅｔ  ａｌ．  １９８７．  Ｎｕｃｌ．  Ａｃｉｄｓ  Ｒｅｓ  ：１５，  ６１３１−６１４８参照）  、又はキメラＲＮＡ−ＤＮＡ類似体からなる場合もある（井上ほかＩｎｏｕｅ  ｅｔ  ａｌ．  （１９８７）ＦＥＢＳ  Ｌｅｔｔ  ２１５：  ３２７−３３０）。
【０１４３】
（５．４．リボザイムとＰＮＡ部分）
核酸修飾には、これに限らない例として、その糖リン酸塩バックボーンが修飾されるか、または誘導体となる修飾塩基、および核酸がある。これらの修飾によって、修飾核酸の化学的安定性が少なくともブ部分的に向上し、それによって、これらを例えば、主題の治療的応用においてアンチセンス結合核酸として使うことができる。
【０１４４】
更にもう一つの具体化例では、本発明のアンチセンス核酸がリボザイムである。リボザイムはリボヌクレアーゼ活性を持つ触媒的なＲＮＡ  分子であり、それに対して相補的な領域を持つｍＲＮＡのような１本鎖の核酸を切断することが出来る。従って、リボザイム（例えば、ハマーヘッドリボザイム；  （Ｈａｓｅｌｈｏｆｆ  ａｎｄ  Ｇｅｒｌａｃｈ  １９８８．  Ｎａｔｕｒｅ  ：３３４，  ５８５−５９１に記載）  はＬＩＲ様ｍＲＮＡの転写物を触媒的に切断するために使用可能であり、それによりＬＩＲ様ｍＲＮＡの翻訳を阻害する。ＬＩＲ様コード化核酸に特異性を持つリボザイムは、ここに開示したＬＩＲ様ｃＤＮＡのヌクレオチド配列に基づいて設計できる  。例えば、テトラヒメナＬ−１９  ＩＶＳ  ＲＮＡの誘導体は、その活性部位のヌクレオチド配列がＬＩＲ様コード化ｍＲＮＡにおいて切断されるヌクレオチドに相補的である場合に作成される。例えば、Ｃｅｃｈ，らによる米国特許番号４，９８７，０７１、およびＣｅｃｈらによる米国特許５，１１６，７４２  を参照のこと。ＬＩＲ様ｍＲＮＡはまた、ｍＲＮＡを使って、ＲＮＡ分子のプールから特異的ＲＮＡ分解酵素活性を持つ触媒的なＲＮＡを選択出来る。  例えば、Ｂａｒｔｅｌ  ら．，  （１９９３）  Ｓｃｉｅｎｃｅ  ２６１，  １４１１−１４１８を参照のこと。
あるいは、ＬＩＲ様遺伝子発現は、ＬＩＲ様核酸の調節領域（例えば、ＬＩＲ様プロモーターと／またはエンハンサー）に相補的なヌクレオチド  配列を標的にすることによって、標的細胞内の、ＬＩＲ様遺伝子の転写を妨ぐ３重螺旋状の構造を形成することを阻害できる。  例えば、Ｈｅｌｅｎｅ  ，  １９９１．  Ａｎｔｉｃａｎｃｅｒ  Ｄｒｕｇ  Ｄｅｓ．  ６，  ５６９−８４；  Ｈｅｌｅｎｅ．  ら．  １９９２．  Ａｎｎ．  Ｎ．Ｙ．  Ａｃａｄ．  Ｓｃｉ．  ６６０，  ２７−３６；    Ｍａｈｅｒ，  １９９２．  Ｂｉｏａｓｓａｙｓ  １４，  ８０７−１５を参照されたい。
色々な具体例では、ＬＩＲ様核酸は、例えば分子の安定性、ハイブリダイゼーション、又は可溶性を改善するように、塩基の半数、糖の半数、又は燐酸塩バックボーンにおいて修飾できる。例えば、核酸のデオキシリボース  燐酸塩のバックボーンは、ペプチド核酸を生成するように修飾可能である  （．，  Ｈｙｒｕｐ，  ｅｔ  ａｌ．，  １９９６．  Ｂｉｏｏｒｇ  Ｍｅｄ  Ｃｈｅｍ  ，  ５−２３参照）。ここで使われているように、“ペプチド  核酸”又は“ＰＮＡ”の用語は、核酸の擬態（例えばＤＮＡの擬態）を指す。この場合、デオキシリボース  燐酸塩のバックボーンは、偽性ペプチドのバックボーンで置換され、４個の自然の核酸塩基だけが保持される。ＰＮＡの中性バックボーンは、イオン強度の低い状態でＤＮＡとＲＮＡに特異的にハイブリダイゼーションを可能にすることがわかっている。ＰＮＡオリゴマーの合成は、標準固相ぺプチド合成プロトコールを使って行う事ができ、これはＨｙｒｕｐ，  ｅｔ  ａｌ．１９９６．  ｓｕｐｒａ；  Ｐｅｒｒｙ−Ｏ’Ｋｅｅｆｅ，  ｅｔ  ａｌ．，  １９９６．  Ｐｒｏｃ．  Ｎａｔｌ．  Ａｃａｄ．  Ｓｃｉ．  ＵＳＡ  ９３，  １４６７０−１４６７５に記載されている。
【０１４５】
ＬＩＲ様ＰＮＡは、治療と診断に使える。例えば、ＰＮＡは、転写や翻訳停止、あるいは複製の阻害を誘発して配列特異性のある遺伝子発現を変調するアンチセンスまたはアンティジーン剤として使用できる。  ＬＩＲ様ＰＮＡの用途は、例えば、遺伝子の一つの塩基対突然変異の解析において、（例えば、ＰＮＡ有向のＰＣＲクランピング、他の酵素と組み合わせた場合、Ｓ１ヌクレアーゼなどの人工的制限酵素として（Ｈｙｒｕｐ，  ｅｔ  ａｌ．，  １９９６．前記参照）；またはＤＮＡ配列やハイブリダイゼーション用プローブ又はプライマーとして使える  （Ｈｙｒｕｐ，  ｅｔ  ａｌ．，  １９９６．前記、Ｏ’Ｋｅｅｆｅ  ｅｔ  ａｌ．，  １９９６．  前記参照）。
他の実施例では，  ＬＩＲ様ＰＮＡの安定性や細胞取込（アップテイク）を向上するように修飾できる。例えば、親油脂性、または他の補助基をＰＮＡに付けるか、ＰＮＡ−ＤＮＡ  のキメラを形成するか、又はリポソームを使用するか、あるいは、当業界で知られているその他の薬物送達技術を使って修飾できる。例えばＰＮＡとＤＮＡの有利な性質を組み合わせた  ＬＩＲ様のＰＮＡ−ＤＮＡ  キメラは作成できる。このようなキメラはＤＮＡ認識酵素（例えば、ＲＮＡ分解酵素ＨやＤＮＡポリメラーゼ）のＤＮＡ部分との相互作用を可能にし、他方、ＰＮＡ部分は高度な結合親和性（アフィニティ）と特異性を提供する。ＰＮＡ−ＤＮＡキメラは、塩基の積み重なり、核酸塩基間の結合数、及び配向性を考慮に入れて選択された適切な長さのリンカーを使って結合することが出来る（Ｈｙｒｕｐ    ｅｔ  ａｌ．，  １９９６．（前出）  参照）。ＰＮＡ−ＤＮＡ  キメラの合成はＨｙｒｕｐ，  ｅｔ  ａｌ．，  １９９６．  （前出）  ａｎｄ  Ｆｉｎｎ，  ｅｔ  ａｌ．，  １９９６．  Ｎｕｃｌ  Ａｃｉｄｓ  Ｒｅｓ  ２４，  ３３５７−３３６３２記載されているようにして行える。例えば、ＤＮＡ鎖は標準のホスホラミダイト結合化学を用いて、固定した支持体上で合成し、修飾ヌクレオシド類似体、例えば、５’−（４−メトキシトリチル）アミノ−５’−デオキシ−チミジンホスホラミダイトはＰＮＡとＤＮＡの５’末端の間に使うことができる（例えば、Ｍａｇ，  ｅｔ  ａｌ．，  １９８９．  Ｎｕｃｌ  Ａｃｉｄ  Ｒｅｓ  １７，  ５９７３−５９８８参照）。それからＰＮＡモノマーは段階的に連結され、５’  ＰＮＡセグメント及び３’  ＤＮＡセグメントの付いたキメラ分子を生成する（Ｆｉｎｎ、ｅｔ  ａｌ．（１９９６）前出）。    代替方法としては、キメラ分子は５’  ＰＮＡ  セグメント及び３’  ＤＮＡセグメントを使って合成することも出来る。Ｐｅｔｅｒｓｅｎ  ｅｔ  ａｌ．  １９７５．  Ｂｉｏｏｒｇ．  Ｍｅｄ．  Ｃｈｅｍ．  Ｌｅｔｔ．  ５：５，  １１１９−１１１２４．  参照。
他の実施例では、オリゴヌクレオチドには、ペプチド（例えば、生体内の宿主細胞受容体を標的とする）のような他の付属グループ、又は細胞膜（Ｌｅｔｓｉｎｇｅｒ，  ｅｔ  ａｌ．，  ，１９８９．  Ｐｒｏｃ．  Ｎａｔｌ．  Ａｃａｄ．  Ｓｃｉ．  Ｕ．Ｓ．Ａ．  ８６，  ６５５３−６５５６；  Ｌｅｍａｉｔｒｅ，  ｅｔ  ａｌ．，  １９８７．  Ｐｒｏｃ．  Ｎａｔｌ．  Ａｃａｄ．  Ｓｃｉ．  ８４，  ６４８−６５２；  ＰＣＴ  出版  Ｎｏ．ＷＯ８８／０９８１０）  、又は血液−脳関門    （参考例：  ＰＣＴ  出版  Ｎｏ．  Ｗ０８９／１０１３４）の通過輸送を可能にする薬剤が含まれる。更に、オリゴヌクレオチドは、ハイブリダイゼーショントリガー切断剤（例、Ｋｒｏｌ，  ｅｔ  ａｌ．，  １９８８．  ＢｉｏＴｅｃｈｎｉｑｕｅｓ  ６，  ９５８−９７６参照）
又は挿入剤（例えば、，  Ｚｏｎ，  １９８８．  Ｐｈａｒｍ．  Ｒｅｓ．  ５，  ５３９−５４９参照）で修飾できる。この目的のために、オリゴヌクレオチドを別の分子、例えば、ペプチド、ハイブリダイゼーショントリガークロスリンキング剤、、運搬剤、ハイブリダイゼーション・トリガー切断剤などと結合させても良い。
【０１４６】
（５．５    宿主）
本発明は更に、本発明ポリヌクレオチドを包含するように遺伝子工学的に設計された宿主細胞を提供する。例えば、その宿主細胞は、既知の形質転換、形質移入又は感染方法を使って宿主細胞に導入された本発明の核酸を含む場合がある。本発明は更に、本発明のポリヌクレオチドを発現するように遺伝子工学的に設計された宿主細胞を提供し、その中では、そのポリヌクレオチドは、細胞内のポリヌクレオチドの発現をさせる宿主細胞に対して非相同的な（異種の）調節配列と機能的に会合している。
【０１４７】
白血球免疫グロブリン受容体様（ＬＩＲ様）ＤＮＡ配列を知ることによって、細胞をＬＩＲ様  ポリペプチドの発現を可能にするか、または増加するように修飾できる。細胞は、細胞のＬＩＲ様ポリペプチドがより高いレベルで発現されるように自然発生するＬＩＲ様プロモーター  の全部か一部を、異種性プロモーターの全部か一部で置換することによって、ＬＩＲ様ポリペプチドの発現を増加するように修飾（例えば、相同体の組換え体）できる。異種のプロモーターは、ＬＩＲ様コード配列に機能的に連結される様に挿入される。例えば、  ＰＣＴ  国際公開番号  ＷＯ９４／１２６５０，  ＰＣＴ  国際公開番号ＷＯ９２／２０８０８、及び  ＰＣＴ  国際公開番号．  ＷＯ９１／０９９５５を参照されたい。また、異種の  プロモーター  ＤＮＡ  の他に、増幅可能なマーカーＤＮＡ  （例：  ａｄａ、  ｄｈｆｒ、およびカルバミルホスフェート・シンターゼ、アスパラギン酸トランスカルバミラーゼ  及びジヒドロオロターゼをコードする多機能性ＣＡＤ  遺伝子）と／又はイントロンＤＮＡが異種の  プロモーター  ＤＮＡ  と共に挿入されることも考慮される。もしＬＩＲ様のコード配列に連結されると、標準選択方法によるマーカーＤＮＡの増幅は、細胞内でＬＩＲ様コード配列の共同増幅を生じる。
【０１４８】
宿主細胞は、哺乳類の細胞のような高度に真核性の宿主細胞でも、イースト細胞のような低度に真核性の宿主細胞でも，  又は細菌の細胞のような原核細胞でも良い。  組換え作成物を宿主細胞へ導入するには、リン酸カルシウムの形質移入、ＤＥＡＥ、デキストラン媒介形質移入、又は  エレクトロポーレーションによって実行される。（デイビス，  Ｌ．  ほか著、分子生物学の基本方法  （１９８６））。本発明ポリヌクレオチドの１つを持つ宿主細胞は、従来の方法で分離断片によってコードされた遺伝子生成物を生成する為に（ＯＲＦの場合）、又はＥＭＦの制御の下で異種の蛋白質を生成する為に使用出来る。
【０１４９】
いかなる宿主／ベクターシステムでも、本発明のＯＲＦを１個又はそれ以上を発現するのに使用できる。これらは下記のものを制限無く含む：真核性の  宿主、例えば：ＨｅＬａ  細胞，  Ｃｖ−１細胞、ＣＯＳ細胞、Ｓｆ９  細胞、及び原核性の  宿主、例えば：大腸菌や枯草菌。
最も望ましい細胞は、通常、特定のポリペプチド  又は  蛋白質を発現しないもの、又はポリペプチド又は蛋白質を自然の低レベルで発現するものである。成熟型蛋白質は、哺乳類細胞、イースト、細菌、又はその他適当なプロモーターの支配下にある細胞内で発現出来る。細胞なしの翻訳システムを使用して、本発明のＤＮＡ構成物から取出したＲＮＡを使ってそのような蛋白質を生成することもできる。原核性と真核性の宿主を使用する適当な  クローニング及び発現ベクターは、サムブルックほか著、分子のクローニング：  研究所マニュアル、第２版コールドスプリングハーバー、ＮＹ  （１９８９）に記述されてあり、その開示は参考としてここに含む。
【０１５０】
色々な哺乳類細胞の培養システムを使って、組換え蛋白質を発現出来る。哺乳類の発現系の例は、グルズマン著、細胞、２３：１７５  （１９８１）  に記述された、サルの腎臓線維芽細胞の  ＣＯＳ−７  系を含む。他の細胞系で適合可能なベクターを発現出来るものは、例えば、Ｃ１２７、３Ｔ３、ＣＨＯ、ＨｅＬａおよびＢＨＫ細胞系である。哺乳類細胞の発現  ベクターは、複製の原体、適当なプロモーター及び必要なリボソーム結合部位、ポリアデニル化部位、スプライス・ドーナーと受容体部位、転写終結配列、及び  ５’側方非転写  配列で形成される。例えば、ＳＶ４０のウイルスゲノム、ＳＶ４０原体，  初期プロモーター、エンハンサー、スプライス、及びポリアデニル化部位から取出されたＤＮＡ  配列を使って、必要な非転写遺伝因子を提供することができる。細菌培養で生成された組換えポリペプチドと蛋白質は、通常、細胞ペレットから最初抽出によって分離され、次に、１回又はそれ以上の塩析、水分イオン交換、  又はサイズ除外クロマトグラフィーと続く。必要に応じて、蛋白質を再度折り畳んで、成熟型蛋白質の編成を完了することが出来る。最後に、高速液体クロマトグラフィー  （ＨＰＬＣ）  を使用して、精製の手順を終了する。蛋白質の発現に使用する微生物の細胞は、凍結‐融解サイクル、音波破粋、機械的破壊、又は細胞溶解剤の使用等、便利な方法で破壊出来る。
【０１５１】
多種の細胞が蛋白質発現の適切な宿主細胞として働く。哺乳類宿主細胞には、例えば、サルのＣＯＳ細胞、チャイニーズ・ハムスター  の卵巣（ＣＨＯ）  細胞、ヒト腎臓  ２９３  細胞、ヒト表皮  Ａ４３１細胞、ヒトＣｏｌｏ２０５  細胞、３Ｔ３  細胞、  ＣＶ−１  細胞、その他の形質転換霊長類細胞系、正常２倍体細、一次組織の試験管内培養由来細胞株、一次外植体、  ＨｅＬａ  細胞、マウス  Ｌ  細胞、  ＢＨＫ、  ＨＬ−６０、  Ｕ９３７、ＨａＫ  またはジャーカット細胞がある。
【０１５２】
代替方法としては、蛋白質をイースト又は昆虫のように低位の真核生物の中で、又は細菌のような原核生物の中で生成することが出来る。潜在的に適切なイースト株には、Ｓａｃｃｈａｒｏｍｙｃｅｓ  ｃｅｒｅｖｉｓｉａｅ（酵母），  Ｓｃｈｉｚｏｓａｃｃｈａｒｏｍｙｃｅｓ（分裂酵母）  ｐｏｍｂｅ，  Ｋｌｕｙｖｅｒｏｍｙｃｅｓ株，  カンジダ菌、又は異種の蛋白質を発現出来るイースト株ならどれでもを含むことができる。潜在的に適切な細菌株には、大腸菌、枯草菌、ネズミチフス菌、又は異種の蛋白質を発現出来る細菌株のどれでも含まれる。もしその蛋白質がイーストか細菌で出来ている場合、機能的な蛋白質を得る為に、例えば、適当な部位の燐酸エステル化、又はグリコシル化により、そこで生成された蛋白質を修飾する必要があるかもしれない。そのような共有結合の付加は、既知の化学的又は酵素的な方法で達成出来る。．
本発明の別の具体例では、細胞と組織は、誘導性の調節要素の支配下で、本発明のポリヌクレオチドを含む内生遺伝子を発現するように設計可能で、その場合、内生遺伝子の  調節配列は相同性の組換えで置き換えられる。
【０１５３】
ここで説明されたように、遺伝子の標的技術を使って、遺伝子の既存の調節領域を、異なる遺伝子から分離された調節配列、又は遺伝子工学的方法で作成された新規性のある調節配列で置き換えることができる。その調節配列は、プロモーター、エンハンサー、骨格取付領域、負の調節要素、転写開始部位，  調節蛋白質結合部位、又はそれらの配列の組合せで構成される。代替方法としては、生成されたＲＮＡ又は蛋白質の構造又は安定性に影響する配列は置換され、除去、付加、又はその他の標的法（ターゲティング）で修飾することが出来る。これらの配列には、ポリアデニル化シグナル、ｍＲＮＡ安定性要素、スプライス部位、蛋白質の搬送又は分泌特性を向上、修飾するためのリーダー配列、又は蛋白質かＲＮＡ分子の機能又は安定性を変更又は改善する、その他の配列を含む。
【０１５４】
標的法は、単に調節配列を挿入することで、例えば、新しいプロモーター又はエンハンサー又は両者を遺伝子の上流に挿入して、遺伝子を新しい調節配列の支配下に置くことであるかも知れない。代替的には、標的法は、単に調節要素を削除することで、例えば、組織特異的な負の調節要素を削除することである。代替方法としては、標的法で既存の要素を取替える；例えば，  組織特異的なエンハンサーは、自然発生の要素よりも幅広い、又はそれとは異なった細胞タイプに特異性を持つエンハンサーで置換できる。ここでは、自然発生の配列は削除され、新しい配列が加えられる。いずれの場合でも、標的法の識別は、標的ＤＮＡと隣接している１個又はそれ以上の選択可能マーカー遺伝子を使えば容易になり、外因性ＤＮＡが宿主細胞ゲノムに結合した細胞  を選択出来る。  標的法の識別は、また、負の選択特性を示す１個又はそれ以上のマーカー遺伝子を使っても容易になる。つまり負の選択可能マーカーは、外因性ＤＮＡに連結されるが、標的配列の脇に位置され、そして、宿主  細胞ゲノムの中の配列と正しい同族性の組換えを行うものは、負の選択可能マーカーと安定した結合をしない。この目的に役立つマーカーには、単純疱疹ウイルス・チミジンキナーゼ（ＴＫ）遺伝子、又は  細菌性キサンチン‐グアニンホスホリボシル転移酵素（ｇｐｔ）遺伝子を含む。
【０１５５】
本発明のこの面に従って使える遺伝子標的又は遺伝子活性化技術は更に詳しく下記に説明されている：米国特許  Ｎｏ．  ５，２７２，０７１  チャペル宛；  米国特許  Ｎｏ．  ５，５７８，４６１シャーウイン他宛；  国際申請  Ｎｏ．  ＰＣＴ／ＵＳ９２／０９６２７  （ＷＯ９３／０９２２２）  セルデンほか；  及び国際申請Ｎｏ．  ＰＣＴ／ＵＳ９０／０６４３６  （ＷＯ９１／０６６６７）  スクールチほか、これらの内容の全体が本書に参考として含まれている。
【０１５６】
（５．６    本発明のポリペプチド）
本発明の分離されたポリペプチドは下記のものから成るポリペプチドを制限無く含む。すなわち、ＳＥＱ  ＩＤ  ＮＯ：  ３、  ６、  ８−１３、  １９、  ２２、  ２４−２８、  ３３−３４、  ３７、  ４０、  ４２−４５、  ５０、  ５２−５８、  ６６または  ６８−７４のいずれか一つとして示されたアミノ酸配列、又はＳＥＱ  ＩＤ  ＮＯ：  １−２、  ４−５、  ７、  １６−１８、  ２０−２１、  ２３、  ３５−３６、  ３８−３９、  ４１、  ４７−４９、  ５１、  ６３−６５または  ６７  のヌクレオチド配列又はその対応する完全長又は成熟型蛋白質のいずれかによってコードされたアミノ酸配列からなるポリペプチド。また、本発明のポリペプチドは、好ましくは以下によってコードされた、生物活性または免疫活性のあるポリペプチドを含む。すなわち、  （ａ）  ＳＥＱ  ＩＤ  ＮＯ：  １−２、  ４−５、  ７、  １６−１８、  ２０−２１、  ２３、  ３５−３６、  ３８−３９、  ４１、  ４７−４９、  ５１、  ６３−６５または  ６７  として示されたヌクレオチド配列のいずれか一つを持つ  ポリヌクレオチド、  又は（ｂ）  ＳＥＱ  ＩＤ  ＮＯ：  ：  ３、  ６、  ８−１３、  １９、  ２２、  ２４−２８、  ３３−３４、  ３７、  ４０、  ４２−４５、  ５０、  ５２−５８、  ６６または  ６８−７４として示されたアミノ酸  配列のいずれか１つをコードするポリヌクレオチド、又は（ｃ）厳しいハイブリダイゼーション条件下で（ａ）又は（ｂ）のポリヌクレオチドのどちらかの補体にハイブリダイズするポリヌクレオチド。本発明はまた、ＳＥＱ  ＩＤ  ＮＯ：  ３、  ６、  ８−１３、  １９、  ２２、  ２４−２８、  ３３−３４、  ３７、  ４０、  ４２−４５、  ５０、  ５２−５８、  ６６または  ６８−７４  として示されたアミノ酸  配列、又はその対応する完全長あるいは成熟型蛋白質のいずれかの、生物活性または免疫活性のある変異体、および生物活性を持つそれらと  “ほぼ同等のもの”（例えば、  最低  ６５％位、最低  ７０％位、最低  ７５％位、最低８０％、  ８１％、  ８２％、  ８３％、  ８４％位、最低  ８５％、８６％、  ８７％、  ８８％、  ８９位、最低  ９０％、９１％、９２％、  ９３％、  ９４％位、典型的には最低  ９５％、９５％、９６％、９７％  位、更に典型的には最低  ９８％位、又は最も典型的には最低  ９９％位のアミノ酸同一性を有する）。対立変異種によりコードされたポリペプチドは、ＳＥＱ  ＩＤ  ＮＯ：  ：  ３、  ６、  ８−１３、  １９、  ２２、  ２４−２８、  ３３−３４、  ３７、  ４０、  ４２−４５、  ５０、  ５２−５８、  ６６または  ６８−７４で構成されるポリペプチドと比較して、活性が同様か、より高いか、又はより低いかもしれない。
生物活性を示す能力がある本発明の蛋白質のフラグメントも本発明に含まれるが、それは直線形でもよく、又は、既知の方法を使って環状形にすることも出来る。例えば、これらは  Ｈ．  Ｕ．  サラゴヴィほか著、Ｂｉｏ／Ｔｅｃｈｎｏｌｏｇｙ  １０，  ７７３−７７８  （１９９２）  とＲ．  Ｓ．  マクドウエルほか著、Ｊ．  Ａｍｅｒ．  Ｃｈｅｍ．  Ｓｏｃ．  １１４，  ９２４５−９２５３  （１９９２），  に記述されてあり、両者はここに参考として加える。そういうフラグメントは、蛋白質の結合部位の原子価を上げるなど色々な目的のために、免疫グロブリンのような担体分子と融合することもできる。
【０１５７】
本発明はまた、開示された蛋白質の完全長と成熟型の二つの形体を提供する（例えば、シグナル配列又は前駆体配列なしで）。蛋白質コード配列は、開示されたヌクレオチド  配列の翻訳によって配列リストの中で識別される。そういう蛋白質の成熟型は、適当な哺乳類細胞、又は他の宿主細胞の中で全長のポリヌクレオチドを発現して得られる。成熟型の蛋白質の配列はまた完全長型のアミノ酸配列からも決定できる。
【０１５８】
本発明の蛋白質が膜と結合している場合、水溶性の蛋白質もまた提供される。そのような形体では、蛋白質を膜と結合する領域の一部又は全部は蛋白質が、その発現される細胞から充分に分泌されるように削除される。
【０１５９】
更に、本発明の蛋白質の組成物は、例えば、製薬学的に容認できる親水性の担体などの容認可能担体を含むことが出来る。
【０１６０】
本発明は更に、本発明の核酸フラグメント又は核酸フラグメントの退化変異種によってコードされた分離ポリペプチドを提供する。“退化変異体”とは、本発明の核酸フラグメント  （例：ＯＲＦ）とはヌクレオチド配列が異なっているが、遺伝コードの退化の故に同一のポリヌクレオチド配列をコードしているヌクレオチド・フラグメントである。本発明の望ましい核酸  フラグメントは蛋白質をコードするＯＲＦである。
【０１６１】
当業界で既知の色々な方法を利用して、本発明の分離された  ポリペプチド又は蛋白質のどちらでも取得できる。最も単純なレベルでは、アミノ酸配列は、商業的に入手できるペプチド合成剤を使って合成出来る。合成された蛋白質配列は、一次、二次、又は三次構造や配座の特徴を蛋白質と共有するので、蛋白質の活性を含む生物学的な特質を所有するかもしれない。この技術は、小さいペプチドと大きなポリペプチドのフラグメントを生成するのに特に役立つ。フラグメントは、例えば、天然のポリペプチドに対する抗体を生成するのに役立つ。従って、自然で精製された蛋白質の、生物学的に活性な、又は免疫学的な代用品として、治療用の組成物を選別する時や抗体開発の免疫学的なプロセスで使用できる。
【０１６２】
本発明のポリペプチドと蛋白質は、望ましいポリペプチド又は蛋白質を発現するために改変された細胞から交互に精製できる。「望ましいポリペプチド又は蛋白質を発現するために変更された」というのは、ここでは、通常は生成しない、又は通常は低いレベルでしか生成しない  ポリペプチド又は蛋白質を細胞が遺伝子操作によって発現する様に改変することを意味する。当業界の熟練者は、本発明のポリペプチドと蛋白質のいずれかを生成する細胞を造る為に、組換え又は合成配列のどちらかを真核細胞又は原核細胞に導入し発現する手順を容易に調整することが出来る。
【０１６３】
本発明は、ポリペプチドを生成する方法にも言及する。例えば、宿主細胞を適切な培養基で育てる方法や、細胞又は細胞が生育する培養液から蛋白質を精製する方法などである。例えば、本発明の方法に含まれるポリペプチド生成プロセスには、本発明の  ポリヌクレオチドを含む適当な発現ベクターを持つ宿主細胞を、コードされたポリペプチドの発現を許す条件下で培養する方法もある。
【０１６４】
ポリペプチドは培養体から又は宿主細胞から作られた溶解産物から容易に取り出して更に精製する。望ましい具体例は、そのプロセスで生成された蛋白質は全長又は成熟形体であること。
【０１６５】
代替方法では、天然でポリペプチド又は蛋白質を生成する細菌の細胞から、  ポリペプチド又は蛋白質は精製される。当業界の熟練者なら、本発明の分離されたポリペプチド又は蛋白質の１つを得る為に、既知のポリペプチドと蛋白質の分離方法を簡単に利用できる。これらの方法は、下記のものを制限無く含む：イムノクロマトグラフィー、ＨＰＬＣ、サイズ除外クロマトグラフィー、イオン交換クロマトグラフィー，  及びイムノアフィニティー・クロマトグラフィー。参考例：スコープス、蛋白質の精製  理論と実用，  スプリンガ−フェアラグ  （１９９４）；  サムブルックほか、分子クローニング：  研究所マニュアル；  アウスベルほか、分子生物学における現行のプロトコール。生物学的・免疫学的活性を保持するポリペプチドフラグメントは、約１００個以上のアミノ酸、又は約２００個以上のアミノ酸で構成されるフラグメント、そして特定の蛋白質のドメインをコードするフラグメントを含む。
【０１６６】
精製されたポリペプチドは、当業界で良く知られたポリペプチドに結合する分子を識別する方法である体外結合検定に使うことができる。これらの分子は、次のものを制限無く含む：小さな分子、組み合わせライブラリーからの分子、抗体又はその他の蛋白質。結合検定で識別された分子は、拮抗又は敵対活性について体内組織培養又は動物モデルで試験されるが、この方法は当業界で良く知られている。要するに、分子は、複数の細胞培養か動物の中に注入され、その後細胞／動物の死亡又は生存の長さを試験する。
【０１６７】
更に、本発明のペプチド又はペプチドに結合できる分子は、リシン、コレラのような毒素又は細胞に有毒な化合物と複合体を作っているかも知れない。毒素と結合した分子複合体は、ＳＥＱ  ＩＤ  ＮＯ：  ：  ３、  ６、  ８−１３、  １９、  ２２、  ２４−２８、  ３３−３４、  ３７、  ４０、  ４２−４５、  ５０、  ５２−５８、  ６６または  ６８−７４結合分子の特異性によって腫瘍又は他の細胞を標的として使用される。
【０１６８】
本発明の蛋白質はまた、遺伝子導入の動物の製品として発現される。例えば、遺伝子導入の牛、山羊、豚、羊のミルクの成分として。これらの動物は、蛋白質をコードするヌクレオチド配列を含む体細胞、又は細菌細胞を持つことを特徴とする。
【０１６９】
ここで言う蛋白質はまた、精製された蛋白質と似たアミノ酸配列を特徴とする蛋白質を含んでいるが、そのアミノ酸は自然に修飾された又は人為的に設計されたものである。例えば、ペプチド又はＤＮＡ配列での修飾は、当業界の熟練者が既知の技術を使かって出来ることである。関心のある蛋白質配列の修飾には、コード配列の選択アミノ酸残基の改変、置換、組換え、挿入又は削除が含まれる。例えば、１個以上のシスチン残基が削除されるか、又は分子の適応性を変えるために、他のアミノ酸で入れ替えられる。そのような、改変、置換、組換え、挿入又は削除の技術は当業者に良く知られている。  （参照例：米国特許  Ｎｏ．  ４，５１８，５８４）。望ましくは、そのような改変、置換、組換え、挿入又は削除が、蛋白質の望ましい活性を保持することである。蛋白質の機能に重要な蛋白質の領域は当業界に良く知られている、１個のまたは連なったアミノ酸をアラニンで系統的に置き換え、その結果生じたアラニンを含む変異体に関して生物活性を試験するアラニン走査方法含むいろいろな方法できめられる。このタイプの分析は置き換えられたアミノ酸の生物活性における重要性を決める。蛋白質の機能に重要な蛋白質の領域はｅＭＡＴＲＩＸプログラムで決定できる。
【０１７０】
蛋白質の配列の他の断片と誘導体で、蛋白質の活性の全部又は一部を保持すると期待され、選別又は他の免疫学的な方法に役立つものは、ここの開示を使って、当業界の熟練者によって簡単に作られる。そのような修飾は、本発明に含まれている。
【０１７１】
本発明の分離されたポリヌクレオチドを１個又はそれ以上の昆虫発現ベクター内の適切な調節配列に機能的に連結し、昆虫発現システムを使って、蛋白質を生成できる。バキュウロウイルス／昆虫細胞発現システムの材料と方法は、業者からキットとして入手できる。例えば、Ｉｎｖｉｔｒｏｇｅｎ，  Ｓａｎ  Ｄｉｅｇｏ，  Ｃａｌｉｆ．，  Ｕ．Ｓ．Ａ．  （ｔｈｅ  ＭａｘＢａｔＴＭ  ｋｉｔ），  で、その様な方法は当業界では良く知られており、サマーズとスミス著，  テキサス農業実験ステーションブレティン  Ｎｏ．  １５５５  （１９８７），  の記述を参考としてここに加える。ここで使われている表現を用いれば、本発明のポリヌクレオチドを発現する能力がある昆虫細胞  は“形質転換されている”。本発明の蛋白質は、組換え蛋白質を発現するのに適切な培養条件で形質転換された宿主細胞を培養することによって、作成できる。その結果発現された蛋白質は、ゲル濾過とイオン交換クロマトグラフィーのような既知の精製プロセスを使って、その培養基（即ち、培養媒体か細胞エキス）から精製される。また、蛋白質の精製は下記のものを含む：蛋白質に結合する薬剤を含むアフィニティーカラム；コンカナヴァリンＡ−アガロース、へパリン−トヨパールＴＭ  又はチバクローム青３ＧＡセファロースＴＭのような親和性樹脂の上に位置する１個又はそれ以上のカラムステップ；フェニルエーテル、ブチルエーテル、又はプロピルエーテルのような樹脂を使って疎水性の相互作用クロマトグラフィーを行う１個又はそれ以上のステップ；又はイムノアフィニティー・クロマトグラフィー。
【０１７２】
代替的には、本発明の蛋白質を、精製を助ける形体で発現させても良い。例えば、下記のような融合蛋白質として発現できる：麦芽糖結合蛋白質（ＭＢＰ）、グルタチオン−Ｓ−転移酵素  （ＧＳＴ）  又はチオレドキシン  （ＴＲＸ），
又はヒス標識。そのような融合蛋白質の発現と精製用のキットは夫々次の業者から入手できる：Ｎｅｗ  Ｅｎｇｌａｎｄ  ＢｉｏＬａｂ  （Ｂｅｖｅｒｌｙ，  Ｍａｓｓ．），  Ｐｈａｒｍａｃｉａ  （Ｐｉｓｃａｔａｗａｙ，  Ｎ．Ｊ．）及び  Ｉｎｖｉｔｒｏｇｅｎ。その蛋白質は又、エピト−プ標識を付け、その後エピト−プに向けられた特異性のある抗体を使って精製される。その様なエピト−プの１つ  （“ＦＬＡＧ（Ｒ）”）  は  コダック  （Ｎｅｗ  Ｈａｖｅｎ，  Ｃｏｎｎ．）から販売されている。
最後に、１個又はそれ以上の逆相高速液体クロマトグラフィー（ＲＰ−ＨＰＬＱ）（  ペンダントメチルや他の脂肪族グループを持つシリカゲルなどの疎水性ＲＰ−ＨＰＣＬ媒体を使う）ステップを使って蛋白質を更に精製する。上記の精製手順の一部か全部を色々な組合せで使えば、ほぼ  同質の分離組換え蛋白質を生成できる。このように精製された蛋白質には他の哺乳類の  蛋白質が殆ど無く、本発明では“分離された  蛋白質”と定義される。
【０１７３】
本発明のポリペプチドは相似物（変異種）  を含む。本発明のポリペプチド  はＬＩＲ様相似物を含む。これは、本発明のＬＩＲ様ポリペプチドの断片及び１個又はそれ以上の削除、挿入又は置換されたアミノ酸からなるＬＩＲ様ポリペプチドを含む。また、本発明のＬＩＲ様ポリペプチドの類似体は、ＬＩＲ様ポリペプチドの融合体、又はＬＩＲ様ポリペプチドの修飾体を含み、ＬＩＲ様ポリペプチド又は類似体は、他の部分（成分）又は複数の部分、例えば、標的部分又は他の治療的物質へ融合される。それらの類似体は、活性と／又は安定性のような改善された性質を示す。ＬＩＲ様ポリペプチド、又は類似体に融合される部分（成分）の例には、ニューロンへポリペプチドを送達する標的部分、例えば、中枢神経系への抗体、又はニューロン細胞で発現された受容体とリガンドへ運ぶ  抗体が含まれる。ＬＩＲ様ポリペプチドに融合される他の部分には、治療用の薬剤、例えば抗鬱剤、又は  神経障害用の他の薬品が含まれる。また、ＬＩＲ様ポリペプチドは、ニューロン増殖モジュレータやその他の標的配送用ケモカインに融合することが出来る。
【０１７４】
（５．６．１  ポリペプチドとポリヌクレオチドの同一性と類似性の決定）
望ましい同一性と／又は類似性は、テストされる配列間で最大の一致を出すように設計されている。同一性と類似性の決定方法は、コンピュータープログラムに体系化してあり、下記を制限無く含む：ＧＡＰを含むＧＣＧ  プログラムパッケージ（デヴェロー，  Ｊ．，ほか、核酸研究  １２（１）：３８７  （１９８４）；  遺伝子コンピュータグループ（Ｇｅｎｅｔｉｃｓ  Ｃｏｍｐｕｔｅｒ  Ｇｒｏｕｐ），  ウィスコンシン州マジソン市ウィスコンシン大学），  ＢＬＡＳＴＰ，  ＢＬＡＳＴＮ，  ＢＬＡＳＴＸ，  ＦＡＳＴＡ  （アルチュル，  Ｓ．Ｆ．  ほか、  分子生物学．  ２１５：４０３−４１０  （１９９０），  ＰＳＩ−ＢＬＡＳＴ  （アルチュル  Ｓ．Ｆ．  ｅｔ  ａｌ．，  核酸研究．  ｖｏｌ．  ２５，  ｐｐ．  ３３８９−３４０２，  参考としてここに含む）、ｅＭａｔｒｉｘ  ソフトウエア  （ウーほか、Ｊ．  Ｃｏｍｐ．  Ｂｉｏｌ．，  ｖｏｌ．  ６，  ｐｐ．  ２１９−２３５  （１９９９），  参考としてここに含む）、ｅＭｏｔｉｆ  ソフトウエア  （ネヴィル−マニングほか，  ＩＳＭＢ−９７，  ｖｏｌ  ４，  ｐｐ．  ２０２−２０９，  参考としてここに含む）  、ＧｅｎｅＡｔｌａｓ  ソフトウエア  （Ｍｏｌｅｃｕｌａｒ  Ｓｉｍｕｌａｔｉｏｎｓ  Ｉｎｃ．  （ＭＳＩ）カルフォルニア州サンディエゴ市）  （Ｓａｎｃｈｅｚ  ａｎｄ  Ｓａｌｉ  （１９９８）  Ｐｒｏｃ．  Ｎａｔｌ．  Ａｃａｄ．  Ｓｃｉ．，  ９５，  １３５９７−１３６０２；  Ｋｉｔｓｏｎ  ＤＨ  ｅｔ  ａｌ，  （２０００）  “Ｒｅｍｏｔｅ  ｈｏｍｏｌｏｇｙ  ｄｅｔｅｃｔｉｏｎ  ｕｓｉｎｇ  ｓｔｒｕｃｔｕｒａｌ  ｍｏｄｅｌｉｎｇ−ａｎ  ｅｖａｌｕａｔｉｏｎ”  Ｓｕｂｍｉｔｔｅｄ；  Ｆｉｓｃｈｅｒ  ａｎｄ  Ｅｉｓｅｎｂｅｒｇ  （１９９６）  Ｐｒｏｔｅｉｎ  Ｓｃｉ．  ５，  ９４７−９５５）、ニューラルネットワークシグナル（Ｎｅｕｒａｌ  Ｎｅｔｗｏｒｋ  ＳｉｇｎａｌＰ）  Ｖ１．１  プログラム  （生物学的配列分析センター（Ｃｅｎｔｅｒ  ｆｏｒ  Ｂｉｏｌｏｇｉｃａｌ  Ｓｅｑｕｅｎｃｅ  Ａｎａｌｙｓｉｓ）、デンマーク工科大学  ）．及び、カイト−ドゥーリトル疎水性予測アルゴリズム  （Ｊ．  Ｍｏｌ  Ｂｉｏｌ，  １５７，  ｐｐ．  １０５−３１  （１９８２）、参考としてここに含む）。ＢＬＡＳＴプログラムは  Ｎａｔｉｏｎａｌ  Ｃｅｎｔｅｒ  ｆｏｒ  Ｂｉｏｔｅｃｈｎｏｌｏｇｙ  Ｉｎｆｏｒｍａｔｉｏｎ  ［バイオテクノロジー情報国立センター］（ＮＣＤＩ）  と他のソース  （ＢＬＡＳＴ  Ｍａｎｕａｌ，  アルチュル，  Ｓ．，  ほか．  ＮＣＢ  ＮＬＭ  ＮＩＨ  Ｂｅｔｈｅｓｄａ，  ＭＤ  ２０８９４；  アルチュル，  Ｓ．，  ほか，  Ｊ．  Ｍｏｌ．  Ｂｉｏｌ．  ２１５：４０３−４１０  （１９９０））から公に入手できる。
【０１７５】
（５．７    キメラ蛋白質と融合蛋白質）
本発明はまた、ＬＩＲ様キメラあるいは融合蛋白質を提供する。ここで使われる、ＬＩＲ様“キメラ蛋白質”又は“融合蛋白質”は、ＬＩＲ様ポリペプチド、または非ＬＩＲ様ポリペプチドに機能的に連結されたＬＩＲ様ポリペプチドからなる。”ＬＩＲ様ポリペプチド”はＬＩＲ様蛋白質に対応するアミノ酸配列を持つポリペプチドを指し、他方、”非ＬＩＲ様ポリペプチド”は、ＬＩＲ様蛋白質に事実上相同性でない蛋白質、例えば、ＬＩＲ様蛋白質と異なる蛋白質、また同じまたは異なる生物から由来する蛋白質を指す。ＬＩＲ様融合蛋白質内で、ＬＩＲ様ポリペプチドはＬＩＲ様蛋白質の全部または一部に対応することができる。一実施例では、ＬＩＲ様融合蛋白質は、ＬＩＲ様蛋白質の生物活性部分を少なくとも一つ含む。他の実施例では、ＬＩＲ様融合蛋白質はＬＩＲ様蛋白質の生物活性部分を少なくとも二つ含む。なおもう一つの実施例では、ＬＩＲ様融合蛋白質はＬＩＲ様蛋白質の生物活性部分を少なくとも三つ含む。融合蛋白質内で、用語”機能的に連結した”は、融合蛋白質の内部で、ＬＩＲ様ポリペプチドおよび／または非ＬＩＲ様ポリペプチドが位相内で互いに融合していることを示すことを意図している。非ＬＩＲ様ポリペプチドはＬＩＲ様ポリペプチドのＮ末端またはＣ末端に融合され得る。
一実施例で融合蛋白質はＧＳＴ−ＬＩＲ様融合蛋白質であり、そのＬＩＲ様配列はＧＳＴ（グルタチオンＳトランスフェラーゼ）配列のＣ末端に融合される。このような融合蛋白質は組換え体ＬＩＲ様ポリペプチドの精製を促進できる。他の具体例では、融合蛋白質はそのＮ末端で異種性シグナル配列を含むＬＩＲ様蛋白質である。特定の宿主細胞（例えば、哺乳類宿主細胞）においては、ＬＩＲ様の発現および／または分泌は異種性シグナル配列の使用によって増加される。
【０１７６】
さらに他の具体例では、融合蛋白質はＬＩＲ様免疫グロブリン融合蛋白質で、その配列は免疫グロブリン蛋白質のファミリーのメンバーから由来した配列に融合されている。
本発明のＬＩＲ様免疫グロブリン融合蛋白質は薬学的組成物に取り入れられ、被験生体に投与され、細胞の表面でのリガンドとＬＩＲ様蛋白質との間の相互作用を抑制し、それによって体内のＬＩＲ様媒介性シグナル伝達を抑制することができる。ＬＩＲ様免疫グロブリン融合蛋白質を使って、ＬＩＲ様同族リガンドの生物利用能に影響を与えることができる。ＬＩＲ様リガンド／ＬＩＲ様蛋白質  の相互作用の抑制は、増殖分化障害（例えばガン）の治療と細胞の生存の変調（例えば、促進又は抑制）の両方に治療学的に役立つ。更に、本発明のＬＩＲ様免疫グロブリン融合蛋白質は、対象生体内でＬＩＲ様抗体を産生する免疫源として、あるいは、ＬＩＲ様リガンドの精製、ＬＩＲ様とＬＩＲ様リガンドとの相互作用を阻害する分子を同定するためのスクリーニングアッセイにおいて用いることができる。
【０１７７】
本発明のＬＩＲ様キメラ又は融合蛋白質は、標準組換えＤＮＡ技術によって生成できる。例えば，  異なったポリペプチド配列をコードするＤＮＡフラグメントは、従来の技術に従って、位相内で結合される。従来の技術とは、例えば、ライゲーション、制限酵素消化に鈍端、又は波形端をもつ末端を使って適切な末端を作り、必要に応じて粘着性末端を充填し、望ましくない結合を避けるために適当なアルカリ性燐酸酵素処理をし、そして酵素的なライゲーション（結合）をする方法である。他の具体例では、融合遺伝子を、自動ＤＮＡシンセサイザーを含む、従来の技術で合成出来る。代替方法として、遺伝子フラグメントのＰＣＲ増幅は、アンカープライマーを使って遂行される。アンカープライマーは２個の連続した遺伝子フラグメントの間に相補的な突出部を作り、２個のフラグメントは次にアニール化され再増幅されてキメラ遺伝子配列を生成する（参考例：アウスベル他編集、”分子生物学における現行のプロトコール”、Ｊｏｈｎ  Ｗｉｌｅｙ  ＆  Ｓｏｎｓ，  １９９２）。更に、多くの発現  ベクターは、融合半体（例、ＧＳＴポリペプチド）をコードしたものが市場で販売されている（例：ＧＳＴ  ポリペプチド）。ＬＩＲ様ポリペプチドは、融合半体がＬＩＲ様蛋白質に位相内で連結されるような発現ベクターの中にクローン化することができる
（５．８    遺伝子治療）
本発明遺伝子のポリヌクレオチドにおける突然変異は、コードされた蛋白質の正常機能を失う結果となる。本発明はこのように本発明のポリペプチドの正常な活性を回復させるか、または；又は  本発明のポリペプチドに関連した病状を治療する遺伝子治療を提供する。本発明のポリペプチドをコードする、機能的な遺伝子の適当な細胞への送達は、ベクターを使って、体外、生体内原位置、又は生体内で実行される。更に詳しくは、ウイルスのベクター（例えば、アデノウイルス、アデノ関連ウイルス、又はレトロウイルス）を使って、又は物理的な  ＤＮＡ  移転方法を使って生体外で（例：リポソーム又は化学治療）行われる。
例えば、アンダーソン、Ｎａｔｕｒｅ  ［自然］、補充  ｖｏｌ．  ３９２，  ｎｏ．  ６６７９，  ｐｐ．２５−２０  （１９９８）参照。遺伝子治療技術の追加参考資料として、フリードマン、Ｓｃｉｅｎｃｅ  ［科学］，  ２４４：  １２７５−１２８１  （１９８９）；  ヴァ−マ、Ｓｃｉｅｎｔｉｆｉｃ  Ａｍｅｒｉｃａｎ  ［サイエンティフィックアメリカン］：  ６８−８４  （１９９０）；  及びミラー、Ｎａｔｕｒｅ，  ３５７：  ４５５４６０  （１９９２）。本発明のヌクレオチド又は本発明のポリペプチドをコードする遺伝子の導入は、染色体外基質（一時発現）又は人工染色体（安定性発現）で行える。また、細胞は、増殖またはこのような細胞に望ましい効果、又は活性を生じるために、本発明の蛋白質の存在下で体外培養が出来る。処理された細胞は治療目的で体内に導入される。あるいは、その他のヒトの病状では、本発明のポリペプチドの発現を予防し、またはその活動を抑制することは病状の治療に役立つと考えられる。本発明のポリペプチドの発現をネガティブに規制するためにアンチセンス治療又は遺伝子治療を適用することを考慮している。
【０１７８】
蛋白質の発現を抑制する他の方法はアンティセンス  分子、それらの補体、又は翻訳されたＲＮＡ配列を本発明の核酸に導入することで，当業界で知られている方法である。更に、本発明のポリペプチドは、標的削除法を使って、又は組織特異性のあるサイレンサーのような負の調節要素を挿入して抑制される。
【０１７９】
本発明は更に、本発明のポリヌクレオチドを発現するために、体内で遺伝子工学的に設計された細胞を提供する。その様なポリヌクレオチドは、細胞内でポリヌクレオチドの発現を促進する宿主細胞に異種な調節配列と機能的に会合している。こういう方法は、本発明のポリペプチドの発現を増大又は減少する目的で用いることができる。
【０１８０】
本発明が提供するＤＮＡ  配列の知識は、細胞の調整が内生ポリペプチドの発現を実行、増加、又は  減少させるのを可能にする。細胞は調整可能で（例えば、同族性の組換えによって）、天然に発生するプロモーターの全部か一部を、異種のプロモーターの全部か一部で取替えて、細胞がより高いレベルで蛋白質を発現するようにする。この異種のプロモーターは、配列をコードする望ましい蛋白質に機能的に連結される様に挿入される。参考例：ＰＣＴ  Ｉｎｔｅｒｎａｔｉｏｎａｌ  Ｐｕｂｌｉｃａｔｉｏｎ  Ｎｏ．  ＷＯ  ９４／１２６５０，  ＰＣＴ  Ｉｎｔｅｒｎａｔｉｏｎａｌ  Ｐｕｂｌｉｃａｔｉｏｎ  Ｎｏ．  ＷＯ  ９２１２０８０８、とＰＣＴ  Ｉｎｔｅｒｎａｔｉｏｎａｌ  Ｐｕｂｌｉｃａｔｉｏｎ  Ｎｏ．  ＷＯ  ９１／０９９５５。また、異種の  プロモーター  ＤＮＡ  の他に、増幅可能なマーカーＤＮＡ  （例：カルバミルリン酸シンターゼ、アスパラギン酸トランスカルバミラーゼ  及びジヒドロオロターゼをコードするａｄａ，  ｄｈｆｒ及び多機能を持ったＣＡＤ遺伝子）  と／又はイントロンＤＮＡが異種の  プロモーターＤＮＡと共に挿入されることも考慮されている。
望ましい蛋白質のコード配列に連結されると、標準選択方法によるマーカーＤＮＡの増幅は、細胞内の望ましい蛋白質コード配列の共同増幅を導く。
【０１８１】
本発明の別の具体例では、細胞と組織は、誘導性の調節要素の支配下で本発明のポリヌクレオチドから成る１個の内生遺伝子を発現するように設計できる。その場合、内生遺伝子の調節配列は、同族性の  組換えによって置き換えられる。ここで説明されたように、遺伝子の目標設定を使って、遺伝子の既存の調節領域を、異なる遺伝子から分離された規制配列、又は遺伝子工学の方法により合成された新規性のある調節配列で置き換えられる。その様な調節配列は、プロモーター，  エンハンサー、骨格取付領域、負の調節要素、転写始動部位、調節蛋白質  結合部位、又はそれらの配列の組合せで構成される。代替的には，  生成されたＲＮＡ又は蛋白質の構造又は安定性に影響する配列は、標的法によって取替え、除去、添加又は修飾される。これらの配列は、ポリアデニル化信号、ｍＲＮＡ安定要素、スプライス部位，  蛋白質の運送又は分泌特性を改善又は修飾するリーダー配列、或いは、蛋白質又はＲＮＡ分子の機能又は安定性を変更または改良する、その他の配列で構成される。
【０１８２】
標的法は、単に調節配列を挿入することで、例えば、新しいプロモーター又はエンハンサー又は両者を遺伝子の上流に挿入し、遺伝子を新しい調節配列の支配下に置くことであるかも知れない。代替的には、標的法は、単に調節要素を削除することで、例えば、組織特異性のある負の調節要素を削除することである。代替方法としては、標的法で既存の要素を取替える；例えば、組織特異性のあるエンハンサーは、自然発生の要素よりも幅広い、又はそれとは異なった細胞タイプに特異性を持つエンハンサーで置き換えられる。ここでは、自然発生の配列は削除され、新しい配列が加えられる。いずれの場合でも、標的法の識別は、標的のＤＮＡと隣接している１個又はそれ以上の選択可能なマーカー遺伝子を使えば容易になり、外因性ＤＮＡが宿主細胞ゲノムに結合した細胞  を選択出来る。標的法の識別は、また、負の選択の特性を示す１個又はそれ以上のマーカー遺伝子を使っても容易になる。つまり負の選択可能マーカーは、外因性ＤＮＡに連結されるが、標的配列の脇に位置され、そして、宿主  細胞ゲノムの中の配列と正しい同族性の組換えを行うものは、負の選択可能マーカーと安定した結合をしない。この目的に役立つマーカーには、単純疱疹ウイルス・チミジンキナーゼ（ＴＫ）遺伝子、又は  細菌性キサンチン‐グアニン・ホスホリボシル転移酵素（ｇｐｔ）遺伝子を含む。
【０１８３】
本発明のこの面に従って使用できる遺伝子標的設定又は遺伝子活性化技術は、より詳細に米国特許Ｎｏ．  ５，２７２，０７１  チャッペル宛；  米国特許Ｎｏ．  ５，５７８，４６１  シャーウインほか宛；国際申請Ｎｏ．ＰＣＴ／ＵＳ９２／０９６２７  （ＷＯ９３／０９２２２）  セルデン他より；そして国際申請  Ｎｏ．  ＰＣＴ／ＵＳ９０／０６４３６  （ＷＯ９１／０６６６７）  スコウルチ他より；これらはその全体をここに参考として含む。
【０１８４】
（５．９    遺伝子導入の動物）
本発明のポリペプチドの体内での生物機能を決める望ましい方法では、同族性の組換えを使っている動物の生殖系において、本発明が提供する１個又はそれ以上の遺伝子は超過発現されているか、又は活動停止となっている［カペッキ，  Ｓｃｉｅｎｃｅ  ２４４：１２８８−１２９２  （１９８９）］。外生又は内生プロモーター要素の調節管理の下で遺伝子が超過発現されている動物は、遺伝子導入の動物として知られる。同族性の組換えによって活動停止となっている内生の遺伝子をもつ動物は”ノックアウト”動物とよばれる。ノックアウト動物は望ましくはヒト以外の哺乳類であるが、それについてはここに参考として含まれた米国特許Ｎｏ．  ５，５５７，０３２  に記載のとおり、準備可能である。遺伝子導入の動物は、本発明のポリペプチドが生物学的なプロセス、望ましくは病気の状態で演じる役割を決めるのに役立つ。遺伝子導入の動物は、油脂の新陳代謝を調節する化合物を識別するモデルシステムとして有用である。遺伝子導入の動物は、望ましくはヒト以外の哺乳類であるが、ここに参考として含まれた米国特許Ｎｏ．  ５，４８９，７４３とＰＣＴ  Ｐｕｂｌｉｃａｔｉｏｎ  Ｎｏ．  ＷＯ９４／２８１２２に記載された方法を使って作り出すことができる。
【０１８５】
本発明のポリヌクレオチドのプロモーターの全部か一部が活性化又は非活性化されて、本発明の  ポリヌクレオチドの発現のレベルが変更された場合、遺伝子導入の動物  は準備できる。非活性化は、上記の同族性の組換え方法を使って実行できる。活性化は、蛋白質発現を増加するために、同族性のプロモーターを補充するか、又は取替えて達成出来る。同族性のプロモーターは、  特定の組織にプロモーター活性を与えることが知られている１個又はそれ以上の  異種のエンハンサー要素を挿入して補充できる。
【０１８６】
本発明のポリヌクレオチドは又、例えば  同族性の組換え又はノックアウト方法を使って、ＬＩＲ様ポリペプチドの機能を発現しない動物、又はＬＩＲ様ポリペプチドの変異種を発現する動物を開発することを可能にする。そのような動物は、ＬＩＲ様ポリペプチドの生体内活動とそのモジュレーターを研究するモデルとして役に立つ。
【０１８７】
本発明のポリペプチドの体内での生物機能を決める望ましい方法では、同族性の組換えを使っている動物の生殖系において、本発明が提供する１個又はそれ以上の遺伝子は超過発現されているか、又は活動停止となっている［カペッキ，  Ｓｃｉｅｎｃｅ  ２４４：１２８８−１２９２  （１９８９）］。外生又は内生プロモーター要素の調節管理の下で遺伝子が超過発現されている動物は、遺伝子導入の動物として知られる。同族性の組換えによって活動停止となっている内生の遺伝子をもつ動物は  ”ノックアウト”動物と呼ばれる。ノックアウト動物は望ましくはヒト以外の哺乳類であるが、それについてはここに参考として含まれた米国特許Ｎｏ．  ５，５５７，０３２に記載のとおり、準備可能である。遺伝子導入の動物は、本発明のポリペプチドが生物学的なプロセス望ましくは病気の状態で演じる役割を決めるのに役立つ。遺伝子導入の動物は、脂肪の新陳代謝を調節する化合物を識別するモデルシステムとして有用である。遺伝子導入の動物は、望ましくはヒト以外の哺乳類であるが、ここに参考として含まれた米国特許Ｎｏ．  ５，４８９，７４３とＰＣＴ  Ｐｕｂｌｉｃａｔｉｏｎ  Ｎｏ．  ＷＯ９４／２８１２２に記載された方法を使って作り出すことができる。
【０１８８】
本発明の  ポリヌクレオチドのプロモーターの全部か一部が活性化又は非活性化されて、本発明のポリヌクレオチドの発現のレベルが変更された場合、遺伝子導入の動物  は準備できる。非活性化は、上記の同族性の組換え方法を使って実行できる。活性化は、蛋白質発現を増加するために、同族性のプロモーターを補充するか、又は取替えて達成出来る。同族性のプロモーターは、特定の組織にプロモーター活性を与えることが知られている１個又はそれ以上の異種のエンハンサー要素を挿入して補充できる。
【０１８９】
（５．１０．ヒトＬＩＲ様ポリペプチドの用途と生物活性）
本発明のポリヌクレオチドと蛋白質は、ここに特定された１個又はそれ以上の用途又は生物活性（ここに挙げた検定に関連するものを含む）を示すことが期待される。本発明の蛋白質について説明された用途又は活性は、その蛋白質の投与又は使用あるいはその蛋白質をコードするポリヌクレオチドの投与又は使用によって提供される（例えば、ＤＮＡの導入に適した遺伝子治療やベクター）。特定の状態における反応機構又は病理学が、本発明のポリペプチド、本発明のポリヌクレオチド又はそのモジュレーター（活性化剤又は阻害剤）が治療を必要とする対象物に効果があるかどうかを決める。従って、”本発明の治療学的組成物”は以下の通りである：分離された  ポリヌクレオチド（組換えＤＮＡ分子、，クローン遺伝子とその退化変異種を含む）から成る組成物、又は本発明のポリペプチド  （全長  蛋白質、成熟型  蛋白質及び切形又はそのドメインを含む）、又は標的遺伝子／蛋白質  発現又は標的蛋白質の活性レベルのいずれかにおいて、標的遺伝子生成物の全体的活性を調整する化合物その他の物質。そのようなモジュレーターは、ポリペプチド、類似体、（変形）で、フラグメント  と  融合蛋白質、抗体そして他の結合蛋白質、本発明のポリペプチドを直接又は間接に活性化又は抑制する化合物（ここで述べられたように、例えば薬剤スクリーニング検定で識別される化合物）；三重へリックス形成に適したアンティセンス  ポリヌクレオチドとポリヌクレオチド、そして特に、本発明のポリペプチドの１個又はそれ以上のエピトープを特に認知する抗体又は他の結合剤を含む。
【０１９０】
本発明のポリペプチドは、同様に細胞の活性化に関係しているかも知れないし、又はここに述べられた、他の生理学的な経路の１つに関連しているかも知れない。
【０１９１】
（５．１０．１  研究用途と実用性）
本発明が提供するポリヌクレオチドは研究者達により色々な目的に使用できる。例えば以下の様な用途がある：分析、特性付け、又は治療用に組換え蛋白質を発現させる為；対応する蛋白質が優先的に発現される組織のマーカーとして（構造的に、又は組織分化、発育又は病気の特定の段階で）；ゲルの分子量マーカーとして；染色体識別又は関連遺伝子位置の地図を作成する為の染色体マーカー、又は標識として；潜在的な遺伝子障害を特定するために、患者の内因性ＤＮＡ配列と比較する為；ハイブリダイゼーションのプローブとして使い、新しい関連性のあるＤＮＡ配列を発見する為；遺伝子フィンガープリンティング法のためにＰＣＲプライマーを導く情報源として；他の新規のポリヌクレオチドを見つける過程で、既知の配列を”除外”するためのプローブとして；”遺伝子チップ”や他の支持体への付着用にオリゴマーを選別・作成する為；ＤＮＡ免疫技術を使って、抗蛋白質  抗体を作るため；そして、抗ＤＮＡ抗体を作る又は  他の免疫反応を引出すための抗原として。ポリヌクレオチドが、他の蛋白質に結合する又は結合する可能性のある蛋白質をコードする場合（例えば、受容体とリガンドの相互作用において）、そのポリヌクレオチドを相互作用トラップ検定に使い（例えば  ギュリスほか、細胞  ７５：７９１−８０３  （１９９３）で記述されたもの）、結合相手の蛋白質をコードするポリヌクレオチドを識別したり、結合相互作用の抑制剤を識別したりすることも可能である。
【０１９２】
本発明が提供するポリペプチドは、同様に次のように生物活性を決めるための検定で使用できる：大量スクリーニングの為の複数蛋白質パネルで；抗体を作るため又は  他の免疫反応を引出すため；生物の液体の蛋白質（又はその受容体）レベルを定量的に決定する為の検定で試薬として；対応するポリペプチドが優先的に発現される  組織のマーカーとして  （構造的に、又は組織分化、発育又は病気の特定の段階で）；そして勿論、相関した受容体又はリガンドを分離するため。これらの結合の相互作用に係わる蛋白質は、ペプチド、結合相互作用の小分子抑制剤、又は作用薬のスクリーニングにも使用できる。
【０１９３】
本発明のポリペプチドはまた、ｌＩＲ様様蛋白質と特異的に免疫反応する抗体物質を作るのに役立つ。本発明のポリペプチドに結合する抗体とその部分（例えば  Ｆａｂ  フラグメント）  は、試料の中のその様なポリペプチドの存在確認に使用できる。
そのような確認は、適切な免疫検定法を使って行われ、抗体により特異的に結合される本発明のポリペプチドは正の制御として使用できる。
いずれの研究材料も、試薬又はキットのレベルにまで開発し、研究用製品として商業化が可能である。
【０１９４】
上記に示した用途を実行する方法は当業界の熟練者には良く知られている。  その様な方法を開示した参考資料は、以下のものを制限なく含む：  ”分子のクローニング：  研究所  マニュアル”，  第２版  ，  Ｃｏｌｄ  Ｓｐｒｉｎｇ  Ｈａｒｂｏｒ  Ｌａｂｏｒａｔｏｒｙ  Ｐｒｅｓｓ，  サムブルック，  Ｊ．、Ｅ．  Ｆ．  フリッチと  Ｔ．  マニアティス編、１９８９、及び”酵素学方法論：分子クローニング  技術への手引き”、Ａｃａｄｅｍｉｃ  Ｐｒｅｓｓ，  バーガー，  Ｓ．  Ｌ．  及び  Ａ．  Ｒ．  キンメル編、１９８７。
【０１９５】
（５．１０．２  栄養面での用途）
本発明のポリヌクレオチドとポリペプチドは、栄養源又は栄養補助剤としても使用できる。そのような用途は、制限無く、蛋白質又はアミノ酸の栄養補助剤として、炭素、窒素、炭水化物のそれぞれの供給源として使用できる。その場合、ポリペプチド又は本発明のポリヌクレオチドは、特定の有機体の飼料に添加したり粉末、錠剤、溶液、縣濁液、カプセルなどの固体、液体の形で投与したりできる。微生物の場合、本発明のポリペプチド又はポリヌクレオチドは微生物が培養されている培養基に添加できる。
【０１９６】
更に、本発明の  ポリペプチドは、分子量マーカーとして、また栄養補助食品として使用できる。例えば、ＳＥＱ  ＩＤ  ＮＯ：  ３を含むポリペプチド  は、未処理でグリコシル化されていない状態では、約３４ｋＤＡの分子量を持つ。蛋白質の補助食品は良く知られており、本発明のポリペプチドを含む適切な栄養補助食品の製剤方法は、食料製造業の技術レベルで対応出来る。
【０１９７】
（５．１０．３  サイトカインと細胞増殖  ／分化の活動）
本発明のポリペプチドは、サイトカイン、細胞増殖（誘発又は抑制のどちらか）、細胞分化（誘発又は抑制のどちらか）の活動を示し、又はある細胞において他のサイトカインの生成を誘発するかもしれない。本発明の  ポリヌクレオチドはそのような特質を示すポリペプチドをコードすることが出来る。全ての既知のサイトキンを含めて、これまで発見された多くの蛋白因数は１回又はそれ以上の因数依存細胞増殖検定で活性を示した。従って、検定はサイトカイン活動の確認方法として便利である。  本発明の治療学的組成物の活動は、因数依存細胞増殖検定によって立証されており、その細胞株は次のものを含む：  ３２Ｄ，  ＤＡ２，  ＤＡ１Ｇ，  Ｔ１Ｏ，  Ｂ９，  Ｂ９／１１，  ＢａＦ３，  ＭＣ９／Ｇ，  Ｍ＋（ｐｒｅＢ  Ｍ＋），  ２Ｅ８，  ＲＢ５，  ＤＡ１，  １２３，  Ｔ１１６５，  ＨＴ２，  ＣＴＬＬ２，  ＴＦ−１，  Ｍｏ７ｅ，  ＣＭＫ，  ＨＵＶＥＣ，  及びＣａｃｏ．
本発明の治療学的組成物は下記に場合に使用できる：
Ｔ−細胞又は  胸腺細胞の増殖検定は、下記に述べられたものを制限無く含む：免疫学における現在のプロトコール，  編集  Ｊ．  Ｅ．  コリガン，  Ａ．  Ｍ．  クルイスビーク，  Ｄ．  Ｈ．  マーグリース，  Ｅ．  Ｍ．  シェバック，  Ｗ．  ストローバー，  出版．  Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ  （第３章、ネズミのリンパ球機能の体外検定３．１−３．１９；第７章，  ヒトにおける免疫学の研究）；高井ほか、Ｊ．  Ｉｍｍｕｎｏｌ．  １３７：３４９４−３５００，  １９８６；  バータニオリほか、Ｊ．  Ｉｍｍｕｎｏｌ．  １４５：１７０６−１７１２，  １９９０；  バータニオリほか、細胞免疫学  １３３：３２７−３４１，  １９９１；  バータニオリほか、Ｉ．  Ｉｍｍｕｎｏｌ．  １４９：３７７８−３７８３，  １９９２；  ボウマンほか、Ｉ．  Ｉｍｍｕｎｏｌ．  １５２：１７５６−１７６１，  １９９４．
サイトカイン生成と／又は膵臓細胞、リンパ腺細胞、又は胸腺細胞の繁殖検定は下記に述べられたものを制限なく含む：ポリクローナル性Ｔ細胞の刺激、クルイスビーク，  Ａ．  Ｍ．  ａｎｄ  シェバック，  Ｅ．  Ｍ．  免疫学における現在のプロトコール．  Ｊ．  Ｅ．  ｅ．ａ．  コリガン編集．Ｖｏｌ  Ｉ  ｐｐ．  ３．１２．１−３．１２．１４，  Ｊｏｈｎ  Ｗｉｌｅｙ  ａｎｄ  Ｓｏｎｓ，  Ｔｏｒｏｎｔｏ．  １９９４；  及び、マウスとヒトのインターロイキン−γの測定、シュライバー，  Ｒ．  Ｄ．  免疫学における現在のプロトコール．  Ｊ．  Ｅ．  ｅ．ａ．  コリガン編集、Ｖｏｌ  １  ｐｐ．  ６．８．１−６．８．８，  Ｊｏｈｎ  Ｗｉｌｅｙ  ａｎｄ  Ｓｏｎｓ，  Ｔｏｒｏｎｔｏ．  １９９４。
【０１９８】
造血細胞及びリンパ球生成細胞の繁殖と分化の検定は、下記に述べられたものを制限無く含む：  「ヒトとネズミ類のインターロイキン２と４の測定」、ボトムリ，  Ｋ．，  デイビス，  Ｌ．  Ｓ．  及びリプスキー  Ｐ．  Ｅ．  ；「免疫学における現在のプロトコール」Ｊ．  Ｅ．  ｅ．  ａ．  コリガン  ｅｄｓ．  Ｖｏｌ  １  ｐｐ．  ６．３．１−６．３．１２、Ｊｏｈｎ  Ｗｉｌｅｙ  ａｎｄ  Ｓｏｎｓ，  Ｔｏｒｏｎｔｏ．  １９９１；デフリースほか、Ｊ．  Ｅｘｐ．  Ｍｅｄ．  １７３：１２０５−１２１１，  １９９１；  モローほか、自然  ３３６：６９０−６９２，  １９８８；グリーンバーガーほか、Ｐｒｏｃ．  Ｎａｔｌ．  Ａｃａｄ．  Ｓｃｉ．  Ｕ．Ｓ．Ａ．  ８０：２９３１−２９３８，  １９８３；  マウスとヒトのインターロイキン６の測定−ノーダン，  Ｒ．  免疫学における現在のプロトコール．  Ｊ．  Ｅ．  コリガン  ｅｄｓ．  Ｖｏｌ  １  ｐｐ．  ６．６．１−６．６．５，  Ｊｏｈｎ  Ｗｉｌｅｙ  ａｎｄ  Ｓｏｎｓ，  Ｔｏｒｏｎｔｏ．  １９９１；  スミスほか，  Ｐｒｏｃ．  Ｎａｔｌ．  Ａｃｅｄ．  Ｓｃｉ．  Ｕ．Ｓ．Ａ．  ８３：１８５７−１８６１，  １９８６；  ヒトのインターロイキンＩＩの測定−ベネット，  Ｆ．，  ジアノッティ，  Ｊ．，  クラーク，  Ｓ．  Ｃ．及びターナー、Ｋ．  Ｊ．  免疫学における現在のプロトコール．  Ｊ．  Ｅ．  コリガン編集．  Ｖｏｌ  １  ｐｐ．  ６．１５．１  Ｊｏｈｎ  Ｗｉｌｅｙ  ａｎｄ  Ｓｏｎｓ，  Ｔｏｒｏｎｔｏ．  １９９１；  マウスとヒトのインターロイキン９の測定−シアレッタＡ．，  ジアノッティ，  Ｊ．，  クラーク，  Ｓ．  Ｃ．及びターナー，  Ｋ．  Ｊ．  免疫学における現在のプロトコール．  Ｊ．  Ｅ．  コリガンｅｄｓ．  Ｖｏｌ  １  ｐｐ  −  ６．１３．１，  Ｊｏｈｎ  Ｗｉｌｅｙ  ａｎｄ  Ｓｏｎｓ，  Ｔｏｒｏｎｔｏ．  １９９１．
Ｔ−細胞クローンの抗原反応検定  （これは特に、増殖とサイトカイン生成を測定することによりＡＰＣ−Ｔ  細胞の相互作用及びＴ細胞の直接効果に影響を与える蛋白質  を、識別する）  は、下記に述べられたものを制限無く含む：  免疫学における現在のプロトコール，  編集：  Ｊ．  Ｅ．  コリガン，  Ａ．  Ｍ．  クルイスビ−ク，  Ｄ．  Ｈ．  マーグリース，  Ｅ．  Ｍ．  シェバック，  Ｗ．ストローバー  、出版社  Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ  （第３章、マウスの白血球機能の体外  検定；第６章，  サイトキンとそれらの細胞受容体；第７章，  ヒトにおける免疫学の研究）；ワインバーガーほか、Ｐｒｏｃ．  Ｎａｄ．  Ａｃａｄ．  Ｓｃｉ．  ＵＳＡ  ７７：６０９１−６０９５，  １９８０；  ワインバーガーほか、Ｅｕｒ．  Ｊ．  Ｉｍｍｕｎ．  １１：４０５４１１，  １９８１；  高井ほか，  Ｊ．  Ｉｍｍｕｎｏｌ．  １３７：３４９４−３５００，  １９８６；  高井ほか、Ｊ．，  Ｉｍｍｕｎｏｌ．  １４０：５０８−５１２，  １９８９。
【０１９９】
（５．１０．４  幹細胞  成長因子活性）
本発明のポリペプチドは、幹細胞  成長因子活性を示し、始原生殖細胞、胎児幹細胞，  造血幹細胞と／又は生殖細胞幹細胞を含むプルリポーテント（多分化能）及びトチポーテント（分化全能性）幹細胞の増殖、分化と生存に関係しているかもしれない。本発明のポリペプチドを体内又は体外の幹細胞に投与すると、分化全能性又は  多分化能な状態で細胞総数を維持したり拡大したりするかもしれない．。それは、損傷した、又は病気にかかった組織の再構築、移植、生物薬剤の製造、バイオセンサーの開発に役立つかもしれない。  大量のヒト細胞を製造する能力は次のような面で重要な応用範囲を持っている：ヒト蛋白質の生成。現在、パーキンソン氏病、アルツハイマー氏病、その他の神経退化の病気を治療するには、ヒト以外の供給源、ドナー、細胞移植などから取なければならない；移植用の組織、例えば骨髄、皮膚、軟骨、腱、骨、筋肉  （心筋を含む），  血管、網膜、神経細胞、胃腸の細胞；そして移植用の器官、例えば、腎臓、肝臓、膵臓  （膵島細胞を含む）、心臓と肺臓。
【０２００】
望ましい効果を達成するために、複数の異なった外因性の成長因子と／又はサイトカインを本発明のポリペプチドと共に投与することが考慮されており、成長因子には以下のものが含まれる：本文書で述べられている任意の成長因子、他の幹細胞維持因子、そして特に幹細胞因子（ＳＣＦ）、白血病抑制因子  （ＬＩＦ）、Ｆｌｔ−３リガンド（Ｆｌｔ−３Ｌ）、インターロイキン，  ＩＬ６に融合された組換え水溶性ＩＬ−６受容体、マクロファージ炎症蛋白Ｉ−アルファ（ＭＩＰ−１−アルファ）、Ｇ−ＣＳＦ、ＧＭ−ＣＳＦ、トロンボポエチン（ＴＰＯ）、血小板因子  ４（ＰＦ−４）、血小板から得られる成長因子（ＰＤＧＦ）、神経成長要素、そして繊維芽細胞基礎成長因子  （ｂＦＧＦ）。
【０２０１】
分化全能性幹細胞は、成熟細胞タイプのほぼ全てを発生させるので、培養液中でこれらの細胞を増殖すれば、大量の成熟細胞の生産を促進できる。幹細胞の培養技術は当業界で知られており、本発明の  ポリペプチドの投与は、他の成長因子そして／又は  サイトキンと共に投与しても良いが、幹細胞の生存率と増殖を高めることが期待されている。これは、本発明のポリペプチドを培養基に直接投与することによって達成出来る。代替方法としては、本発明のポリペプチドをコードするポリヌクレオチドを形質移入された間質細胞が培養液又は体内の幹細胞用のフィーダー層として使える。フィーダー層の間質細胞は、胚体骨髄繊維芽細胞、骨髄間質細胞、胎児の肝臓細胞、又は培養された胚の繊維芽細胞を含む  （参照：米国特許  Ｎｏ．  ５，６９０，９２６）。
【０２０２】
幹細胞自体は、本発明のポリペプチドのオートクリン発現を誘発するために本発明のポリヌクレオチドを形質移入できる。これによって、分化されていない分化全能性／多分化能幹細胞株の生成が可能となり、それはそのままでも有益であるが、望みの成熟細胞タイプに分化することもできる。これらの安定した細胞株は分化されていない分化全能性／多分化能ｍＲＮＡの源として、ポリメラーゼ連鎖反応実験用のｃＤＮＡのライブラリやテンプレートの作成に利用できる。これらの研究によって、幹細胞の増殖と／または維持を制御する幹細胞中の分化発現遺伝子の分離と識別が可能となる。分化全能性幹細胞の増殖と維持は、多くの病理学的な症状の治療に役立つ。例えば、本発明の  ポリペプチドは、培養液中の幹細胞を操作して神経上皮細胞を作り、それを病気、自己免疫病、事故による傷害、又は遺伝障害  によって損傷を受けた細胞を補充したり、取替えたりするのに利用できる。
【０２０３】
本発明の  ポリペプチドは、神経細胞の増殖を誘発したり、神経と脳の細胞組織を再生したりする上で有用である。即ち、中枢及び末梢神経の疾病や神経障害、また、神経細胞や神経組織の退化、死滅、又は傷害を伴う機械的、外傷的障害の治療に使われる。更に、増殖した幹細胞は、遺伝子療法の為、そして移植後、置換組織の宿主拒否反応を減らす為、遺伝学的に変更することも出来る。
【０２０４】
本発明のポリペプチドの発現と幹細胞へのその影響も操作可能で、幹細胞の管理された分化を更に分化された細胞タイプにすることが出来る。分化されていない幹細胞個体群から特定の分化された細胞タイプの純粋個体群を取る広範囲に応用可能な方法は、選択可能なマーカーを作動する細胞タイプに特異的なプロモーターを使用することである。選択可能なマーカーは、望ましいタイプの細胞だけを生存させる。例えば、幹細胞は心筋細胞（ウオバスほか、分化，  ４８：１７３−１８２，  （１９９１）；  クルグほか、Ｊ．  Ｃｌｉｎ．  Ｉｎｖｅｓｔ、９８（１）：２１６−２２４，  （１９９８））又は骨格筋肉細胞（ブラウダ−，  Ｌ．  Ｗ．  組織工学理論  ｅｄｓ．  ランザほか、Ａｃａｄｅｍｉｃ  Ｐｒｅｓｓ  （１９９７））に分化するように誘発できる。代替方法としては、レチノイン酸のような分化因子と、内生的幹細胞因子の活性を抑制して分化を進める本発明ポリペプチドの拮抗剤の存在下に幹細胞を培養することによって、方向性を与えられた幹細胞の分化を達成出来る。
【０２０５】
幹細胞の試験管内培養体を使って、本発明のポリペプチドが幹細胞の成長因子活性を示すかどうかを判定することが出来る。幹細胞は様々な細胞源（造血幹細胞と胚体幹細胞を含む）  から分離され、本発明ポリペプチドのみの存在下で、又は他の成長因子やサイトカインとの組み合わせによって、トンプソンほかによるＰｒｏｃ．  Ｎａｔｌ．  Ａｃａｄ．  Ｓｃｉ，  Ｕ．Ｓ．Ａ．，  ９２：７８４４−７８４８（１９９５）で述べられているように、フィーダー層で培養される。幹細胞の増殖を誘発する本発明のポリペプチドの能力は、例えばバーンスタイン他の”血液”７７：２３１６−２３２１（１９９１）に述べられてあるように、半固体支持体上のコローニー形成によって決定される。
【０２０６】
（５．１０．５  造血調節活性）
本発明のポリペプチドは造血調節に関連しており、従って、骨髄またはリンパ細胞障害の治療に関連するものである。コロニー形成細胞の支持、あるいは因子依存性細胞系の支持においてわずかでも生物活性があることから、造血調節への関与を示し、例えば、赤血球前駆細胞単独で、または他のサイトカインと共に成長や増殖を支持し、それによって、例えば、種々の貧血治療、または赤血球前駆体あるいは赤血球、またはそのいずれかの産生を刺激するための照射／化学療法と併用して使用するなどの利用性が示される、また、例えば、結果的に生じる骨髄抑制の予防または治療のための化学療法との併用において有用な顆粒球や単球／マクロファージ（すなわち、従来のＣＳＦ活性）などのような骨髄細胞の成長および増殖の支持において、巨核球の成長と増殖、したがって、血小板の成長・増殖を支持し、それによって、血小板減少症のような様々の血小板障害（疾患）に、一般に血小板輸血の代わりに、または補助として使用してその予防または治療を可能にする、および／あるいは、上記の造血細胞のいずれか、またはすべてに対して成熟を可能にする造血幹細胞の成長および増殖を支持し、したがって、種々の幹細胞障害（通常、再生不良性貧血および発作性夜間ヘモグロビン尿症をこれらに限らず含む移植によって通常治療される疾患など）、および、生体内か、または生体外（すなわち、骨髄移植、または末梢前駆細胞移植（相同または異種）と併せて）のいずれかにおいて、照射／化学療法後の幹細胞分画を正常細胞として、または遺伝子療法用遺伝子操作された細胞として再増殖させるなど、これらに限らず治療的利用性が示される。
【０２０７】
本発明の治療的組成物は以下において使用できる。
【０２０８】
種々の造血細胞系の増殖および分化に適した検定は前記に引用した。
【０２０９】
胚性幹細胞分化（胚性分化造血に影響を及ぼすタンパク質を他から同定する）検定には、Ｊｏｈａｎｓｓｏｎ  ｅｔ  ａｌ．  Ｃｅｌｌｕｌａｒ  Ｂｉｏｌｏｇｙ  １５：１４１−１５１，  １９９５；  Ｋｅｌｌｅｒ  ｅｔ  ａｌ．，  Ｍｏｌｅｃｕｌａｒ  ａｎｄ  Ｃｅｌｌｕｌａｒ  Ｂｉｏｌｏｇｙ  １３：４７３−４８６，  １９９３；  ＭｃＣｌａｎａｈａｎ  ｅｔ  ａｌ．，  Ｂｌｏｏｄ  ８１：２９０３−２９１５，  １９９３に記載の検定があり、またこれに限らない。
【０２１０】
幹細胞の生存および分化のための検定（リンパ−造血を調節するタンパク質を他から同定する）はＭｅｔｈｙｌｃｅｌｌｕｌｏｓｅ  ｃｏｌｏｎｙ  ｆｏｒｍｉｎｇ  ａｓｓａｙｓ，  Ｆｒｅｓｈｎｅｙ，  Ｍ．  Ｇ．  Ｉｎ  Ｃｕｌｔｕｒｅ  ｏｆ  Ｈｅｍａｔｏｐｏｉｅｔｉｃ  Ｃｅｌｌｓ．  Ｒ．  １．  Ｆｒｅｓｈｎｅｙ，  ｅｔ  ａｌ．  ｅｄｓ．  Ｖｏｌ  ｐｐ．  ２６５−２６８，  Ｗｉｌｅｙ−Ｌｉｓｓ，  Ｉｎｃ．，  Ｎｅｗ  Ｙｏｒｋ，  Ｎ．Ｙ．  １９９４；  Ｈｉｒａｙａｍａ  ｅｔ  ａｌ．，  Ｐｒｏｃ．  Ｎａｔｌ．  Ａｃａｄ．  Ｓｃｉ．  ＵＳＡ  ８９：５９０７−５９１１，  １９９２；  Ｐｒｉｍｉｔｉｖｅ  ｈｅｒｎａｔｏｐｏｉｅｔｉｃ  ｃｏｌｏｎｙ  ｆｏｒｍｉｎｇ  ｃｅｌｌｓ  ｗｉｔｈ  ｈｉｇｈ  ｐｒｏｌｉｆｅｒａｔｉｖｅ  ｐｏｔｅｎｔｉａｌ，  ＭｃＮｉｅｃｅ，  Ｉ．  Ｋ．  ａｎｄ  Ｂｒｉｄｄｅｌｌ，  Ｒ．  Ａ．  Ｉｎ  Ｃｕｌｔｕｒｅ  ｏｆ  Ｈｅｍａｔｏｐｏｉｅｔｉｃ  Ｃｅｌｌｓ．  Ｒ．  Ｉ．  Ｆｒｅｓｈｎｅｙ，  ｅｔ  ａｌ．  ｅｄｓ．  Ｖｏｌ  ｐｐ．  ２３−３９，  Ｗｉｌｅｙ−Ｌｉｓｓ，  Ｉｎｃ  Ｎｅｗ  Ｙｏｒｋ，  Ｎ．Ｙ．  １９９４；  Ｎｅｂｅｎ  ｅｔ  ａｌ．，  Ｅｘｐｅｒｉｍｅｎｔａｌ  Ｈｅｍａｔｏｌｏｇｙ  ２２：３５３−３５９，  １９９４；  Ｃｏｂｂｌｅｓｔｏｎｅ  ａｒｅａ  ｆｏｒｍｉｎｇ  ｃｅｌｌ  ａｓｓａｙ，  Ｐｌｏｅｍａｃｈｅｒ，  Ｒ．  Ｅ．  Ｉｎ  Ｃｕｌｔｕｒｅ  ｏｆ  Ｈｅｍａｔｏｐｏｉｅｔｉｃ  Ｃｅｌｌｓ．  Ｒ．  Ｉ．  Ｆｒｅｓｈｎｅｙ，  ｅｔ  ａｌ．  ｅｄｓ．  Ｖｏｌ  ｐｐ．  １−２１，  Ｗｉｌｅｙ−Ｌｉｓｓ，  Ｉｎｃ．，  Ｎｅｗ  Ｙｏｒｋ，  Ｎ．Ｙ．  １９９４；  Ｌｏｎｇ  ｔｅｒｍ  ｂｏｎｅ  ｍａｒｒｏｗ  ｃｕｌｔｕｒｅｓ  ｉｎ  ｔｈｅ  ｐｒｅｓｅｎｃｅ  ｏｆ  ｓｔｒｏｍａｌ  ｃｅｌｌｓ，  Ｓｐｏｏｎｃｅｒ，  Ｅ．，  Ｄｅｘｔｅｒ，  Ｍ．  ａｎｄ  Ａｌｌｅｎ，  Ｔ．  Ｉｎ  Ｃｕｌｔｕｒｅ  ｏｆ  Ｈｅｍａｔｏｐｐｉｅｔｉｃ  Ｃｅｌｌｓ．  Ｒ．  １．  Ｆｒｅｓｈｎｅｙ，  ｅｔ  ａｌ．  ｅｄｓ．  Ｖｏｌ  ｐｐ．  １６３−１７９，  Ｗｉｌｅｙ−Ｌｉｓｓ，  Ｉｎｃ．，  Ｎｅｗ  Ｙｏｒｋ，  Ｎ．Ｙ．  １９９４；  Ｌｏｎｇ  ｔｅｒｍ  ｃｕｌｔｕｒｅ  ｉｎｉｔｉａｔｉｎｇ  ｃｅｌｌ  ａｓｓａｙ，  Ｓｕｔｈｅｒｌａｎｄ，  Ｈ．  Ｊ．  Ｉｎ  Ｃｕｌｔｕｒｅ  ｏｆ  Ｈｅｍａｔｏｐｏｉｅｔｉｃ  Ｃｅｌｌｓ．  Ｒ．  １．  Ｆｒｅｓｈｎｅｙ，  ｅｔ  ａｌ．  ｅｄｓ．  Ｖｏｌ  ｐｐ．  １３９−１６２，  Ｗｉｌｅｙ−Ｌｉｓｓ，  Ｉｎｃ．，  Ｎｅｗ  Ｙｏｒｋ，  Ｎ．Ｙ．  １９９４に記載の検定があり、またこれらに限らない。
【０２１１】
（５．１０．６  組織成長活性）
本発明のポリペプチドは、また骨、軟骨、腱、靭帯および／または神経組織の成長あるいは再生、および創傷治癒および組織修復や置換や火傷、切開や潰瘍の治癒にも関与する。
【０２１２】
骨が正常に形成されていない場合において、靭帯または骨あるいはその両者の成長を促す本発明のポリペプチドは、人および他の動物における骨折および靭帯損傷あるいは欠損症の治癒において使用できる。本発明のポリペプチド、抗体、結合パートナーまたは他のモジュレータの組成物は開放骨折同様皮下骨折の軽減において予防的に使用でき、また人工関節の固定をも改善する場合がある。骨形成物質によって誘発される新規の骨形成は、先天性、外傷性、または腫瘍学的切除性頭蓋顔面欠損の修復に役立つし、また美容整形外科においても有用である。
【０２１３】
本発明のポリペプチドは、また骨形成細胞の誘引、骨形成細胞の成長刺激、骨形成細胞前駆体の分化の誘導に関与する。骨または靭帯修復あるいはその両者の刺激によるか、または、炎症あるいは炎症過程により媒介される組織破壊過程（コラゲナーゼ活性化、破骨細胞活性化など）を阻止するによる、骨粗しょう症、変形性関節炎（骨関節炎）、骨変性疾患、または歯周病の治療もまた本発明の組成物の使用が可能な場合がある。
【０２１４】
本発明のポリペプチドが関与する組織再生活性のもう一つのカテゴリーは、腱／靭帯様組織形成である。腱／靭帯様組織または他の組織形成の誘発は、これらの組織が正常に形成されていない場合において、人および他の動物における腱あるいは靭帯の損傷、奇形および他の腱または靭帯欠損の治癒に使用できる。このような腱／靭帯様組織誘発性タンパク質を使用した製剤は、腱または靭帯の骨あるいは他の組織への固定改善や、腱または靭帯組織の欠損修復にも使用できるだけでなく、腱または靭帯組織の破損を防ぐための予防にも使用できる場合がある。本発明の組成物によって誘発されたデノボ腱／靭帯様組織形成は、先天性、外傷性、または他の原因の腱あるいは靭帯欠損の修復に寄与し、また、腱または靭帯の取付け、修復のための美容整形手術にも使用できる。本発明の組成物は腱または靭帯形成細胞の誘発、腱または靭帯形成細胞の成長刺激、腱または靭帯形成細胞前駆体の分化の誘導、あるいは、腱／靭帯細胞または組織修復に作用するよう生体内に戻す生体外前駆体の成長の誘発を行う環境を提供する。
【０２１５】
本発明の組成物は、また腱炎、手根管症候群および他の腱または靭帯欠損症の治療にも有用である。本組成物には、また適切な基質および／または技術上周知のキャリアとしての隔離作用物質も含まれていることがある。
【０２１６】
本発明の組成物はまた、神経細胞の増殖と神経や脳組織の再生、すなわち、中枢および末梢神経系疾患や神経障害の治療に有用であるだけでなく、また神経細胞や神経組織の変性、死または外傷を含む機械的、外傷性障害にも有用である。さらに厳密には、末梢神経損傷、末梢神経障害および限局性神経障害などのような末梢神経系疾患、また、アルツハイマー病、パーキンソン病、ハンチントン舞踏病、筋萎縮性側索硬化症およびシャイ・ドレーガー症候群などの中枢神経系疾患の治療にも使用することができる。さらに、本発明によって治療される状態には、脊髄障害、脳外傷のような機械的、外傷性疾患および脳卒中のような脳血管疾患が含まれる。
【０２１７】
本発明の組成物は、またプレッシャー潰瘍、血管性機能不全に関連する潰瘍、手術創傷および外傷性創傷などをこれらに限らず含む非治癒性創傷の閉合をより良く、より速く促進するのに役立つ場合がある。
【０２１８】
本発明の組成物はまた、臓器（例えば、膵臓、肝臓、腸、腎臓、皮膚、内皮を含む）、筋肉（平滑筋、骨格筋肉、心筋）および血管（血管内皮を含む）組織などのような他の組織の産生または再生、あるいは、このような組織を形成する細胞の増殖の促進にも関与する。望ましい効果の一部は正常組織の再生を可能する線維性瘢痕の抑制または変調による。本発明のポリペプチドはまた、血管原性作用をも示す場合がある。
【０２１９】
本発明の組成物は、また腸保護、または肺や肝臓線維症の治療、種々の組織の再灌流損傷および組織的サイトカイン損傷から生じた状態にも有用である。
【０２２０】
本発明の組成物はまた、前駆体組織や前駆体細胞からの、前記した組織の分化を促進または阻害するために、または前記の組織の成長阻害にも有用である。
【０２２１】
本発明の治療的組成物は以下において使用できる。
【０２２２】
組織産生活性検定にはＩｎｔｅｒｎａｔｉｏｎａｌ  Ｐａｔｅｎｔ  Ｐｕｂｌｉｃａｔｉｏｎ  Ｎｏ．  ＷＯ９５／１６０３５  （ｂｏｎｅ，  ｃａｒｔｉｌａｇｅ，  ｔｅｎｄｏｎ）；  Ｉｎｔｅｒｎａｔｉｏｎａｌ  Ｐａｔｅｎｔ  Ｐｕｂｌｉｃａｔｉｏｎ  Ｎｏ．  ＷＯ９５／０５８４６  （ｎｅｒｖｅ，  ｎｅｕｒｏｎａｌ）；  Ｉｎｔｅｒｎａｔｉｏｎａｌ  Ｐａｔｅｎｔ  Ｐｕｂｌｉｃａｔｉｏｎ  Ｎｏ．  ＷＯ９１１０７４９１  （ｓｋｉｎ，  ｅｎｄｏｔｈｅｌｉｕｍ）に記載の検定があり、またこれに限らない。
【０２２３】
創傷治癒活性検定にはＷｉｎｔｅｒ，  Ｅｐｉｄｅｒｍａｌ  Ｗｏｕｎｄ  Ｈｅａｌｉｎｇ，  ｐｐ．  ７１−１１２  （Ｍａｉｂａｃｈ，  Ｈ．  Ｉ．  ａｎｄ  Ｒｏｖｅｅ，  Ｄ．  Ｔ．，  ｅｄｓ．），  Ｙｅａｒ  Ｂｏｏｋ  Ｍｅｄｉｃａｌ  Ｐｕｂｌｉｓｈｅｒｓ，  Ｉｎｃ．，  Ｃｈｉｃａｇｏ，  ａｓ  ｍｏｄｉｆｉｅｄ  ｂｙ  Ｅａｇｌｓｔｅｉｎ  ａｎｄ  Ｍｅｒｔｚ，  Ｊ．  Ｉｎｖｅｓｔ．  Ｄｅｒｍａｔｏｌ  ７１：３８２−８４  （１９７８）に記載の検定があり、またこれに限らない。
【０２２４】
（ ５．１０．７  免疫刺激または抑制活性）
本発明のポリペプチドはまた、ここに記載の検定による活性をこれに限らず含む免疫刺激または免疫抑制活性を示す。本発明のポリヌクレオチドはこのような活性を示すポリペプチドをコードできる。タンパク質は、種々の免疫不全や免疫疾患（重症複合型免疫不全症（ＳＣＩＤ）など）の治療、例えば、Ｔおよび／またはＢリンパ球の成長や増殖の調節（上方、または下方）と同様、ＮＫ細胞や他の細胞集団の細胞溶解活性への作用においても有用である。これらの免疫不全は細菌あるいは真菌感染によるだけでなく、遺伝的またはウイルス（例えば、ＨＩＶ）、あるいは自己免疫疾患によって引き起こされる場合がある。さらに厳密には、ＨＩＮＴ、肝炎ウイルス、ヘルペス・ウイルス、放線菌、Ｌｅｉｓｈｍａｎｉａ  ｓｐｐ（リーシュマニア属）、マラリア  ｓｐｐ．  による感染症およびカンジダ症などのような種々の真菌感染症を含み、ウイルス、細菌、真菌または他の感染症によって生じる感染疾患は、本発明のタンパク質を用いて治療できる場合がある。もちろん、この点で、本発明のタンパク質は、免疫系への強化が一般に望ましい場合に、つまり、癌の治療においてもまた有用である。
【０２２５】
本発明のタンパク質を用いて治療される自己免疫疾患には、例えば、結合組織病、多発性硬化病、全身性エリテマトーデス、関節リューマチ、自己免疫肺性炎症、ギラン・バレー症候群、自己免疫甲状腺炎、インシュリン依存性真性糖尿病、重症筋無力症、移植片対宿主疾患および、自己免疫炎症性眼疾患が含まれる。このような本発明のタンパク質（または抗体を含むその拮抗物質）は、喘息（特にアレルギー性喘息）または他の呼吸器系障害のようなアレルギー反応および状態（例えば、アナフィラキシー、血清病、薬物反応、食物アレルギー、昆虫毒液アレルギー、肥満細胞症、アレルギー性鼻炎、過敏性肺炎、蕁麻疹、血管性浮腫、湿疹、アトピー性皮膚炎、アレルギー性接触皮膚炎、多型性紅疹、スティーヴンス・ジョンソン症候群、アレルギー性結膜炎、アトピー性角結膜炎、性病性角結膜炎、巨大乳頭状結膜炎、接触アレルギー）の治療にも有用である。他の免疫抑制が望まれる（例えば、臓器移植を含む）状態もまた、本発明のタンパク質（またはその拮抗物質）を用いて治療することができる場合がある。ポリペプチドまたはその拮抗物質のアレルギー反応に対する治療効果は、累積性接触増加テスト（Ｌａｓｔｂｏｍ  ｅｔ  ａｌ．，  Ｔｏｘｉｃｏｌｏｇｙ  １２５：５９−６６，  １９９８）、皮膚突き傷テスト（Ｈｏｆｆｍａｎｎ  ｅｔ  ａｌ．，  Ａｌｌｅｒｇｙ  ５４：４４６−５４，  １９９９）、モルモット皮膚感作テスト（Ｖｏｈｒ  ｅｔ  ａｌ．，  Ａｒｃｈ．  Ｔｏｘｏｃｏｌ．  ７３：５０１−９）、およびマウス局部リンパ節試験ａｓｓａｙ  （Ｋｉｍｂｅｒ  ｅｔ  ａｌ．，  Ｊ．  Ｔｏｘｉｃｏｌ．  Ｅｎｖｉｒｏｎ．  Ｈｅａｌｔｈ  ５３：５６３−７９）などの生体内動物モデルによって評価できる。
【０２２６】
本発明のタンパク質を用いる場合、また、多くの方法で免疫反応を変調することも可能である。下方調節は、すでに進行中の免疫反応を抑制するか、または阻止するやり方で行われるか、あるいは、免疫反応の誘導の防御に関与する。活性Ｔ細胞の機能はＴ細胞反応の抑制によるか、またはＴ細胞における特異的トレランス（寛容）の誘導によって、あるいはその両方によって抑制される。Ｔ細胞反応の免疫抑制は一般に活性、非抗原特異的過程であり、これはＴ細胞の抑制物質への持続的暴露を必要とする。Ｔ細胞での非反応性または無反応の誘導に関連するトレランスは、それが一般に抗原特異的であり、寛容化物質への暴露が中止された後にも持続するという点で免疫抑制と区別される。操作的には、トレランスは、寛容化物質の無い状態における特定抗原への再暴露時にＴ細胞反応が起こらないことによって示される。
【０２２７】
下方調節または１つ以上の抗原機能（Ｂリンパ球抗原機能（例えば、１１７のように）をこれに限らず含む）の防御、例えば、活性Ｔ細胞による高度レベルのリンホカイン合成の防御は、組織、皮膚および臓器移植の状態において、また、移植片対宿主疾患（ＧＶＨＤ）において有用である。例えば、Ｔ細胞機能を阻止することは、組織移植における組織破壊を減少する結果となるはずである。一般に、組織移植において移植の拒絶反応は、Ｔ細胞がそれを異物として認識することによって開始され、その後に移植片を破壊する免疫反応が続く。本発明の治療的組成物の投与は、Ｔ細胞のような免疫細胞によるサイトカインの合成を妨げ、したがって、免疫抑制剤として作用する。さらに、同時刺激がないことによって、Ｔ細胞が無反応化（アネルギー化）されることになり、これによって、被験者におけるトレランスが誘導される場合もある。Ｂリンパ球抗原阻止試薬による長期トレランスの誘導によって、これらの阻止剤の反復投与の必要性がなくなる。被験者において十分な免疫抑制またはトレランスを得るには、Ｂリンパ球抗原の組合せの機能を阻止する必要がある場合もある。
【０２２８】
臓器移植拒絶反応またはＧＶＨＤの予防における特定の治療的組成物の効力は、ヒトにおける有効性についての予測である動物モデルを用いて評価することができる。使用できる適切なシステムの例として、ラットにおける同種心臓移植片や、マウスにおける異種間膵島細胞移植片があり、これらのどちらもが、Ｌｅｎｓｃｈｏｗ  ｅｔ  ａｌ．，  Ｓｃｉｅｎｃｅ  ２５７：７８９−７９２  （１９９２）  およびＴｕｒｋａ  ｅｔ  ａｌ．，  Ｐｒｏｃ．  Ｎａｔｌ．  Ａｃａｄ．  Ｓｃｉ  ＵＳＡ，  ８９：１１１０２−１１１０５  （１９９２）に述べられているように生体内ＣＴＬＡ４Ｉｇ  融合タンパク質の免疫抑制効果を検査するために使われている。さらに、ＧＶＨＤ（移植片対宿主疾患）のマウスモデル（Ｐａｕｌ  ｅｄ．，  Ｆｕｎｄａｍｅｎｔａｌ  Ｉｍｍｕｎｏｌｏｇｙ，  Ｒａｖｅｎ  Ｐｒｅｓｓ，  Ｎｅｗ  Ｙｏｒｋ，  １９８９，  ｐｐ．  ８４６−８４７参照）  はこの疾患の進展時の本発明の治療的組成物の効果を測定するために使うことができる。
【０２２９】
抗原機能の阻止は、また自己免疫疾患の治療に対して治療的に有用である。多くの自己免疫疾患は、自己組織に反応的なＴ細胞の不適切な活性化の結果、および、その疾患の病態に関与するサイトカインや自己抗体の産生を促進した結果である。自己反応性Ｔ細胞の活性化の防御は病状を減少するか、または除去する。Ｔ細胞の刺激を阻止する試薬の投与は、Ｔ細胞活性化の抑制、およびこの疾患の過程に関与する自己抗体またはＴ細胞由来サイトカインの産出の防御に使うことができる。さらに、ブロッキング試薬の効力によって、この疾患からの長期的緩解につながる自己反応性Ｔ細胞の抗原特異的トレランスが誘導される場合がある。自己免疫疾患の予防または緩解におけるブロッキング試薬の効力は、よく特徴化された、ヒト自己免疫疾患の動物モデルを用いて測定できる。この例には、マウス実験的自己免疫脳炎、ＭＥＬ／ｌｐｒ／ｌｐｒマウスまたはＮＺＢ  ハイブリッド・マウスにおける全身性全身性エリテマトーデス、マウス自己免疫性膠原関節炎、ＮＯＤマウスおよびＢＢラットにおける真性糖尿病、マウス実験的重症筋無力症（Ｐａｕｌ  ｅｄ．，  Ｆｕｎｄａｍｅｎｔａｌ  Ｉｍｍｕｎｏｌｏｇｙ，  Ｒａｖｅｎ  Ｐｒｅｓｓ，  Ｎｅｗ  Ｙｏｒｋ，  １９８９，  ｐｐ．  ８４０−８５６参照）がある。
【０２３０】
免疫反応を上げる手段としての抗原機能の上方調節（例、Ｂリンパ球抗原機能）は、また治療においても有用である。免疫反応の上方調節は既存の免疫反応を亢進させる形式か、または初期の免疫反応を誘発する形式で行われる。例えば、免疫反応の亢進は、インフルエンザ、感冒、および脳炎などのような全身性ウイルス疾患を含むウイルス感染の場合に有用な場合がある。
【０２３１】
あるいは、感染した患者の抗ウイルス性免疫反応は、患者からＴ細胞を除去し、本発明のペプチドを発現するか、あるいは本発明の水溶性ペプチドの刺激性形態のものと共に、ウイルス抗原パルス化ＡＰＣで、試験管内でＴ細胞を同時刺激し、そして、試験管内活性Ｔ細胞を患者に再び導入することによって増強されることがある。抗ウイルス免疫反応を亢進させる他の方法は、患者から感染細胞を分離し、それらに、細胞がその表面にタンパク質のすべて、または一部を発現するように、ここに記載する本発明のタンパク質をコードする核酸で形質移入し、そして、形質移入された細胞を患者に再び導入することであろう。ここで、感染細胞は同時刺激シグナルを送ることができ、それによって生体内でＴ細胞を活性化できるであろう。
【０２３２】
本発明のポリペプチドは形質移入された腫瘍細胞に対するＴ細胞媒介免疫反応を誘導するために必要な刺激シグナルを提供する。さらに、ＭＨＣ  クラス  Ｉ  または  ＭＨＣ  クラス  ＩＩ  分子を持たない、または、十分な量のＭＨＣ  クラス  Ｉ  または  ＭＨＣ  クラス  ＩＩ  分子を再発現できない腫瘍細胞は、ＭＨＣ  クラス  Ｉ  アルファ鎖タンパク質とβ２  ミクログロブリンタンパク質、あるいは、ＭＨＣ  クラス  ＩＩ  アルファ鎖タンパク質とＭＨＣ  クラス  ＩＩ  ベータ鎖タンパク質のすべて、または一部（例えば、細胞質内ドメイン切断部分）のすべて、または一部をコードする核酸で形質移入して、それによって、細胞表面にＭＨＣ  クラス  Ｉ  または  ＭＨＣ  クラス  ＩＩ  タンパク質を発現させることができる。Ｂリンパ球抗原（例えば、Ｂ７−１、Ｂ７−２、Ｂ７−３）  の活性を有するペプチドと共に、適切なクラスＩまたはクラスＩＩＭＨＣを発現させることによって、形質移入された腫瘍細胞に対するＴ細胞媒介免疫反応が誘導される。随意に、インバリアント（不変異）鎖のようなＭＨＣ  クラス  ＩＩ結合タンパク質  の発現を阻止するアンチセンス作成物をコードする遺伝子は、Ｂリンパ球抗原の活性を有するペプチドをコードするＤＮＡで同時形質移入して、腫瘍関連抗原の提示を促進し腫瘍特異的免疫を誘導することができる。このようにして、ヒト被験者におけるＴ細胞媒介免疫反応の誘導は、被験者における腫瘍特異的トレランスを十分克服できる。
【０２３３】
本発明のタンパク質の活性は、他にも方法はあるが、次の方法によって測定される。
【０２３４】
適切な胸腺または脾細胞の細胞毒性検定には、Ｃｕｒｒｅｎｔ  Ｐｒｏｔｏｃｏｌｓ  ｉｎ  Ｉｍｍｕｎｏｌｏｇｙ，  Ｅｄ  ｂｙ  Ｊ．  Ｅ．  Ｃｏｌｉｇａｎ，  Ａ．  Ｍ．  Ｋｒｕｉｓｂｅｅｋ，  Ｄ．  Ｈ．  Ｍａｒｇｕｌｉｅｓ，  Ｅ．  Ｍ．  Ｓｈｅｖａｃｈ，  Ｗ．  Ｓｔｒｏｂｅｒ，  Ｐｕｂ．  Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ  （Ｃｈａｐｔｅｒ  ３，  Ｉｎ  Ｖｉｔｒｏ  ａｓｓａｙｓ  ｆｏｒ  Ｍｏｕｓｅ  Ｌｙｍｐｈｏｃｙｔｅ  Ｆｕｎｃｔｉｏｎ  ３．１−３．１９；  Ｃｈａｐｔｅｒ  ７，  Ｉｍｍｕｎｏｌｏｇｉｃ  ｓｔｕｄｉｅｓ  ｉｎ  Ｈｕｍａｎｓ）；  Ｈｅｒｒｍａｎｎ  ｅｔ  ａｌ．，  Ｐｒｏｃ．  Ｎａｔｌ．  Ａｃａｄ．  Ｓｃｉ．  ＵＳＡ  ７８：２４８８−２４９２，  １９８１；  Ｈｅｒｒｍａｎｎ  ｅｔ  ａｌ．，  １．  Ｉｍｍｕｎｏｌ．  １２８：１９６８−１９７４，  １９８２；  Ｈａｎｄａ  ｅｔ  ａｌ．，  Ｊ．  Ｉｍｍｕｎｏｌ．  １３５：１５６４−１５７２，  １９８５；  Ｔａｋａｉ  ｅｔ  ａｌ．，  １．  Ｉｍｍｕｎｏｌ．  １３７：３４９４−３５００，  １９８６；  Ｔａｋａｉ  ｅｔ  ａｌ．，  Ｊ．  Ｉｍｍｕｎｏｌ．  １４０：５０８−５１２，  １９８８；  Ｂｏｗｍａｎ  ｅｔ  ａｌ，，  Ｊ．  Ｖｉｒｏｌｏｇｙ  ６１：１９９２−１９９８；  Ｂｅｒｔａｇｎｏｌｌｉ  ｅｔ  ａｌ．，Ｃｅｌｌｕｌａｒ  Ｉｍｍｕｎｏｌｏｇｙ  １３３：３２７−３４１，  １９９１；  Ｂｒｏｗｎ  ｅｔ  ａｌ．，  Ｊ．  Ｉｍｍｕｎｏｌ．  １５３：３０７９−３０９２，  １９９４に記載の検定があり、またこれらに限らない。
【０２３５】
Ｔ細胞依存性免疫グロブリン反応およびアイソタイプスイッチング（Ｔ細胞依存性抗体反応を変調し、Ｔｈｌ／Ｔｈ２  プロフィールに影響するタンパク質を他から同定する）の検定にはＭａｌｉｓｚｅｗｓｋｉ，  Ｊ．  Ｉｍｍｕｎｏｌ．  １４４：３０２８−３０３３，  １９９０；  およびＡｓｓａｙｓ  ｆｏｒ  Ｂ  ｃｅｌｌ  ｆｕｎｃｔｉｏｎ：  Ｉｎ  ｖｉｔｒｏ  ａｎｔｉｂｏｄｙ  ｐｒｏｄｕｃｔｉｏｎ，  Ｍｏｎｄ，  Ｊ．  Ｊ．  ａｎｄ  Ｂｒｕｎｓｗｉｃｋ，  Ｍ．  Ｉｎ  Ｃｕｒｒｅｎｔ  Ｐｒｏｔｏｃｏｌｓ  ｉｎ  Ｉｍｍｕｎｏｌｏｇｙ．  Ｊ．  Ｅ．  ｅ．ａ．  Ｃｏｌｉｇａｎ  ｅｄｓ．  Ｖｏｌ  １  ｐｐ．  ３．８．１−３．８．１６，  Ｊｏｈｎ  Ｗｉｌｅｙ  ａｎｄ  Ｓｏｎｓ，  Ｔｏｒｏｎｔｏ．  １９９４に記載の検定があり、またこれらに限らない。
【０２３６】
混合リンパ球反応（ＭＬＲ）検定（主にＴｈ１とＣＴＬ反応を生じるタンパク質を他から同定する）にはＣｕｒｒｅｎｔ  Ｐｒｏｔｏｃｏｌｓ  ｉｎ  Ｉｍｍｕｎｏｌｏｇｙ，  Ｅｄ  ｂｙ  Ｊ．  Ｅ．  Ｃｏｌｉｇａｎ，  Ａ．  Ｍ．  Ｋｒｕｉｓｂｅｅｋ，  Ｄ．  Ｈ．  Ｍａｒｇｕｌｉｅｓ，  Ｅ．  Ｍ．  Ｓｈｅｖａｃｈ，  Ｗ．  Ｓｔｒｏｂｅｒ，  Ｐｕｂ．  Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ  （Ｃｈａｐｔｅｒ  ３，  Ｉｎ  Ｖｉｔｒｏ  ａｓｓａｙｓ  ｆｏｒ  Ｍｏｕｓｅ  Ｌｙｍｐｈｏｃｙｔｅ  Ｆｕｎｃｔｉｏｎ  ３．１−３．１９；  Ｃｈａｐｔｅｒ  ７，  Ｉｍｍｕｎｏｌｏｇｉｃ  ｓｔｕｄｉｅｓ  ｉｎ  Ｈｕｍａｎｓ）；  Ｔａｋａｉ  ｅｔ  ａｌ．，  Ｊ．  Ｉｍｍｕｎｏｌ．  １３７：３４９４−３５００，  １９８６；  Ｔａｋａｉ  ｅｔ  ａｌ．，  Ｊ．  Ｉｍｍｕｎｏｌ．  １４０：５０８−５１２，  １９８８；  Ｂｅｒｔａｇｎｏｌｌｉ  ｅｔ  ａｌ．，  Ｊ．  Ｉｍｍｕｎｏｌ．  １４９：３７７８−３７８３，  １９９２に記載の検定があり、またこれらに限らない。
【０２３７】
樹状突起細胞依存性検定（未処置のＴ細胞を活性化する樹状突起細胞によって発現されるタンパク質を他から同定する）には  Ｇｕｅｒｙ  ｅｔ  ａｌ．，  Ｊ．  Ｉｍｉｍｍｏｌ．  １３４：５３６−５４４，  １９９５；  Ｉｎａｂａ  ｅｔ  ａｌ．，  Ｊｏｕｒｎａｌ  ｏｆ  Ｅｘｐｅｒｉｍｅｎｔａｌ  Ｍｅｄｉｃｉｎｅ  １７３：５４９−５５９，  １９９１；  Ｍａｃａｔｏｎｉａ  ｅｔ  ａｌ．，  Ｊｏｕｒｎａｌ  ｏｆ  Ｉｍｍｕｎｏｌｏｇｙ  １５４：５０７１−５０７９，  １９９５；  Ｐｏｒｇａｄｏ  ｅｔ  ａｌ．，  Ｊｏｕｒｎａｌ  ｏｆ  Ｅｘｐｅｒｉｍｅｎｔａｌ  Ｍｅｄｉｃｉｎｅ  １８２：２５５−２６０，  １９９５；  Ｎａｉｒ  ｅｔ  ａｌ．，  Ｊｏｕｒｎａｌ  ｏｆ  Ｖｉｒｏｌｏｇｙ  ６７：４０６２−４０６９，  １９９３；  Ｈｕａｎｇ  ｅｔ  ａｌ．，  Ｓｃｉｅｎｃｅ  ２６４：９６１−９６５，  １９９４；  Ｍａｃａｔｏｎｉａ  ｅｔ  ａｌ．，  Ｊｏｕｒｎａｌ  ｏｆ  Ｅｘｐｅｒｉｍｅｎｔａｌ  Ｍｅｄｉｃｉｎｅ  １６９：１２５５−１２６４，  １９８９；  Ｂｈａｒｄｗａｊ  ｅｔ  ａｌ．，  Ｊｏｕｒｎａｌ  ｏｆ  Ｃｌｉｎｉｃａｌ  Ｉｎｖｅｓｔｉｇａｔｉｏｎ  ９４：７９７−８０７，  １９９４；  ａｎｄ  Ｉｎａｂａ  ｅｔ  ａｌ．，  Ｊｏｕｒｎａｌ  ｏｆ  Ｅｘｐｅｒｉｍｅｎｔａｌ  Ｍｅｄｉｃｉｎｅ  １７２：６３１−６４０，  １９９０に記載の検定があり、またこれらに限らない。
【０２３８】
リンパ球生存／アポトーシスの検定（スーパー抗原誘導後のアポトーシスを防ぐタンパク質およびリンパ球ホメオスタシスを調節するタンパク質を他から同定する）  には  Ｄａｒｚｙｎｋｉｅｗｉｃｚ  ｅｔ  ａｌ．，  Ｃｙｔｏｍｅｔｒｙ  １３：７９５−８０８，  １９９２；  Ｇｏｒｃｚｙｃａ  ｅｔ  ａｌ．，  Ｌｅｕｋｅｍｉａ  ７：６５９−６７０，  １９９３；  Ｇｏｒｃｚｙｃａ  ｅｔ  ａｌ．，  Ｃａｎｃｅｒ  Ｒｅｓｅａｒｃｈ  ５３：１９４５−１９５１，  １９９３；  Ｉｔｏｈ  ｅｔ  ａｌ．，  Ｃｅｌｌ  ６６：２３３−２４３，  １９９１；  Ｚａｃｈａｒｃｈｕｋ，  Ｊｏｕｒｎａｌ  ｏｆ  Ｉｍｍｕｎｏｌｏｇｙ  １４５：４０３７−４０４５，  １９９０；  Ｚａｍａｉ  ｅｔ  ａｌ．，  Ｃｙｔｏｍｅｔｒｙ  １４：８９１−８９７，  １９９３；  Ｇｏｒｃｚｙｃａ  ｅｔ  ａｌ．，  Ｉｎｔｅｒｎａｔｉｏｎａｌ  Ｊｏｕｒｎａｌ  ｏｆ  Ｏｎｃｏｌｏｇｙ  １：６３９−６４８，  １９９２に記載の検定があり、またこれらに限らない。
Ｔ細胞コミットメントおよび発達の初期段階に影響するタンパク質の検定には：  Ａｎｔｉｃａ  ｅｔ  ａｌ．，  Ｂｌｏｏｄ  ８４：１１１−１１７，  １９９４；  Ｆｉｎｅ  ｅｔ  ａｌ．，  Ｃｅｌｌｕｌａｒ  Ｉｍｍｕｎｏｌｏｇｙ  １５５：１１１−１２２，  １９９４；  Ｇａｌｙ  ｅｔ  ａｌ．，  Ｂｌｏｏｄ  ８５：２７７０−２７７８，  １９９５；  Ｔｏｋｉ  ｅｔ  ａｌ．，  Ｐｒｏｃ．  Ｎａｔ．  Ａｃａｄ  Ｓｃｉ．  ＵＳＡ  ８８：７５４８−７５５１，  １９９１に記載の検定があり、またこれらに限らない。
【０２３９】
（５．１０．８  アクチビン／インヒビン活性）
本発明のポリペプチドは、またアクチビンまたはインヒビン関連活性をも示す。本発明のポリヌクリオチドはこのような特性を示すポリペプチドをコードする。インヒビンは卵胞刺激ホルモン（ＦＳＨ）の遊離を抑制する能力によって特徴づけられており、一方、アクチビンは卵胞刺激ホルモン（ＦＳＨ）の遊離を刺激する能力によって特徴づけられている。このように、本発明のポリペプチドは、単独で、またはインヒビン系統群の一メンバーとのヘテロダイマー（ヘテロ二量体）として、雌哺乳類の受精能を減少させ、雄哺乳類の精子形成を減少させるインヒビンの機能に基づいた避妊薬として有用である。十分量の他のインヒビンを投与することによって、これらの哺乳類における不妊を誘発できる。あるいは、本発明のポリペプチドは、ホモダイマーとして、または他のタンパク質のインヒビン群サブユニットを持つヘテロダイマーとして、脳下垂体前葉細胞からのＦＳＨ（卵胞刺激ホルモン）遊離の刺激におけるアクチビン分子の機能に基づいた、受精能誘発治療剤として有用である。例えば、米国特許番号．  ４，７９８，８８５を参照されたし。本発明のポリペプチドは、また雌牛、羊および豚に限らず、このような家畜類の生涯生殖能を増加するように、性的に未熟な哺乳類の受精能の開始を前進させるためにも有用である。
【０２４０】
本発明のポリペプチドの活性は、他にも方法はあるが、次の方法によって測定できる。
【０２４１】
アクチビン／インヒビン活性の検定には、Ｖａｌｅ  ｅｔ  ａｌ．，  Ｅｎｄｏｃｒｉｎｏｌｏｇｙ  ９１：５６２−５７２，  １９７２；  Ｌｉｎｇ  ｅｔ  ａｌ．，  Ｎａｔｕｒｅ  ３２１：７７９−７８２，  １９８６；  Ｖａｌｅ  ｅｔ  ａｌ．，  Ｎａｔｕｒｅ  ３２１：７７６−７７９，  １９８６；  Ｍａｓｏｎ  ｅｔ  ａｌ．，  Ｎａｔｕｒｅ  ３１８：６５９−６６３，  １９８５；  Ｆｏｒａｇｅ  ｅｔ  ａｌ．，  Ｐｒｏｃ．  Ｎａｔｌ．  Ａｃａｄ．  Ｓｃｉ．  ＵＳＡ  ８３：３０９１−３０９５，  １９８６に記載の検定があり、またこれらに限らない。
【０２４２】
（５．１０．９  走化性／化学運動性活性）
本発明のポリペプチドは例えば、単球、線維芽細胞、好中球、Ｔ細胞、肥満細胞、好酸球、上皮細胞または／および内皮細胞を含む哺乳類細胞の走化性または化学運動性活性に関与する。  本発明のポリヌクレオチドは、そのような属性を示すポリペプチドをコードすることができる。走化性および化学運動性受容体の活性は、作用の望ましい部位へ望ましい細胞集団を動員するか、誘引するために使うことができる。走化性／化学運動性組成物（例えば、タンパク質、抗体、結合パートナー、または発明のモジュレータは局所性感染症の治療においてだけでなく、創傷や他の組織の外傷の治療においても特定の利益を与える。例えば、リンパ球、単球または好中球の、腫瘍または感染部位への誘引によって、腫瘍または感染物質に対する免疫反応が改善される場合がある。
【０２４３】
タンパク質または、ペプチドは特定の細胞集団に対して、そのような細胞集団の方向または運動を直接または間接的に刺激できる場合、走化性活性を有する。好ましくは、タンパク質またはペプチドは細胞の有向運動を直接刺激する機能を有する。特定のタンパク質が細胞集団に対する走化性活性を有するかどうかは、そのタンパク質またはペプチドに周知の細胞走化性検定を行うことによって容易に判定できる。
【０２４４】
本発明の治療的組成物は以下において用いることができる。
【０２４５】
走化性活性の検定（走化性を誘導する、または防ぐタンパク質を同定する）は、蛋白質が１つの細胞集団の他の細胞集団への付着を誘導する能力だけでなく、タンパク質が膜内で細胞の遊走を誘導する能力をも検定する試験法からなる。
【０２４６】
移動および付着の適切な検定にはＣｕｒｒｅｎｔ  Ｐｒｏｔｏｃｏｌｓ  ｉｎ  Ｉｍｍｕｎｏｌｏｇｙ，  Ｅｄ  ｂｙ  １．  Ｅ．  Ｃｏｌｉｇａｎ，  Ａ．  Ｍ．  Ｋｒｕｉｓｂｅｅｋ，  Ｄ．  Ｈ．  Ｍａｒｇｕｉｌｅｓ，  Ｅ．  Ｍ．  Ｓｈｅｖａｃｈ，  Ｗ．  Ｓｔｒｏｂｅｒ，  Ｐｕｂ．  Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ  （Ｃｈａｐｔｅｒ  ６．１２，  Ｍｅａｓｕｒｅｍｅｎｔ  ｏｆ  ａｌｐｈａ  ａｎｄ  ｂｅｔａ  Ｃｈｅｍｏｋｉｎｅｓ  ６．１２．１−６．１２．２８；  Ｔａｕｂ  ｅｔ  ａｌ．  Ｊ．  Ｃｌｉｎ．  Ｉｎｖｅｓｔ．  ９５：１３７０−１３７６，  １９９５；  Ｌｉｎｄ  ｅｔ  ａｌ．  ＡＰＭＩＳ  １０３：１４０−１４６，  １９９５；  Ｍｕｌｌｅｒ  ｅｔ  ａｌ  Ｅｕｒ．  Ｊ．  Ｉｍｍｕｎｏｌ．  ２５：１７４４−１７４８；  Ｇｒｕｂｅｒ  ｅｔ  ａｌ．  Ｊ．  ｏｆ  Ｉｍｍｕｎｏｌ．  １５２：５８６０−５８６７，  １９９４；  Ｊｏｈｎｓｔｏｎ  ｅｔ  ａｌ．  Ｊ．  ｏｆ  Ｉｍｍｕｎｏｌ．  １５３：１７６２−１７６８，  １９９４に記載の検定があり、またこれらに限らない。
【０２４７】
（５．１０．１０  走化性および血栓溶解活性）
本発明のポリペプチドは、また止血、血栓溶解あるいは血栓症にも関与する場合がある。本発明のポリヌクレオチドは、そのような属性を示すポリペプチドをコードできる。組成物は種々の凝固障害（血友病のような遺伝的疾患を含む）の治療において、または外傷、手術あるいは他の原因から生じた創傷の治療において凝固や他の止血を促進させるために有用である。本発明の組成物は、また血栓の溶解または形成抑制およびそれから生じる状態（例えば、心臓や中枢神経血管の梗塞（例えば、脳卒中）のような）の治療や予防にも有用である。
【０２４８】
本発明の治療的組成物は以下において使用できる。
【０２４９】
止血や血栓活性の検定には、Ｌｉｎｅｔ  ｅｔ  ａｌ．，  Ｊ．  Ｃｌｉｎ．  Ｐｈａｒｍａｃｏｌ．  ２６：１３１−１４０，  １９８６；  Ｂｕｒｄｉｃｋ  ｅｔ  ａｌ．，  Ｔｈｒｏｍｂｏｓｉｓ  Ｒｅｓ．  ４５：４１３−４１９，  １９８７；  Ｈｕｍｐｈｒｅｙ  ｅｔ  ａｌ．，  Ｆｉｂｒｉｎｏｌｙｓｉｓ  ５：７１−７９  （１９９１）；  Ｓｃｈａｕｂ，  Ｐｒｏｓｔａｇｌａｎｄｉｎｓ  ３５：４６７−４７４，  １９８８に記載の検定があり、またこれに限らない。
【０２５０】
（５．１０．１１  癌の診断および治療）
本発明のポリペプチドは癌細胞の産生、増殖または転移にも関与する。本発明のポリヌクレオチドまたはポリペプチドの存在または量の検出は、１種以上の癌の診断および／または予知に有用である。例えば、本発明のポリヌクレオチド／ポリペプチドの存在または発現の増加によって、癌の遺伝性危険、前癌状態または進行性悪性腫瘍が示される場合がある。逆に、遺伝子における欠損、またはこのポリペプチドの不在は、癌状態に関連する場合がある。また、癌または癌の素因に関連する単一ヌクレオチド多型の同定は、診断あるいは予測にも役立つ場合がある。
【０２５１】
癌の治療では、  腫瘍細胞増殖の抑制、血管新生（腫瘍増殖の補助に必要な新血管の成長）の抑制および／または腫瘍細胞の運動性や侵襲性を減らして転移を妨げることによって腫瘍の退行を促進する。本発明の治療的組成物は成人および小児腫瘍において有効であり、これには、充実性腫瘍／悪性腫瘍、局所進行性腫瘍、ヒト軟部組織肉腫、リンパ性転移などの転移性癌、多発性骨髄腫、急性・慢性白血病、リンパ腫などの血球悪性腫瘍が含まれ、また、口癌、喉頭癌、甲状腺癌を含む頭部および頸部の癌、小細胞癌、非小細胞癌を含む肺癌、小細胞癌および管性癌を含む乳癌、食道癌、胃癌、大腸癌、結腸直腸を含む消化管癌、および結腸直腸異常増殖に合併するポリープ、膵臓癌、肝臓癌、膀胱癌や前立腺癌を含む泌尿器癌、卵巣癌、子宮（子宮内膜を含む）癌、卵胞のｓｏｌｉｄ腫瘍を含む女性生殖器官の悪性腫瘍、腎細胞癌を含む腎臓癌、内因性脳腫瘍、神経芽細胞腫、アストロサイト（星状細胞）脳腫瘍、神経膠腫、中神経系における転移腫瘍細胞侵襲を含む脳腫瘍、骨腫を含む骨癌、悪性黒色腫（メラノーマ）、ヒト皮膚ケラチノサイトの腫瘍進行、扁平上皮細胞癌、基底細胞癌、血管外皮細胞腫およびＫａｒｐｏｓｉ肉腫が含まれる。
【０２５２】
本発明のポリペプチド、ポリヌクレオチドまたはポリペプチドのモジュレータ（本発明のポリペプチドの生物活性のインヒビターと刺激物質を含む）は癌の治療のために投与される場合がある。治療的組成物は、単独に、または手術、化学療法、放射線療法、温熱療法およびレーザー療法のような癌の補助的療法と併せて治療的効果用量で投与することができ、有利な効果、例えば、腫瘍のサイズを減少する、腫瘍の成長速度を低下する、転移の阻害、または癌を必ずしも根絶させないで全体的な臨床状態を改善するなどの効果を提供する場合がある。
【０２５３】
本組成物は抗癌カクテルの一部として治療的有効量を投与することができる。抗癌カクテルは、本発明のポリペプチドまたはモジュレータと薬剤学的に許容される送達用キャリアに一種以上の抗癌剤を加えた配合剤である。癌の治療として抗癌カクテルを使用することは、日常的になっている。本発明のポリペプチドまたはモジュレータと組み合わせて治療として使用できる技術上周知の抗癌剤には、アクチノマイシンＤ、アミノグルテチミド、アスパラギナーゼ、ブレオマイシン、ブスルファン、カルボプラチン、カルムスチン、クロラムブチル、シスプラチン、（ｃｉｓ−ＤＤＰ）、シクロホスファミド、塩酸シタラビン（シトシン・アラビノシド）、ダカルバジン、ダクチノマイシンン、ダウノマイシン、塩酸ダウノルビシン、塩酸ドキソルビシン、エストラムスチン燐酸ナトリウム、エトポシデ、（Ｖ１６−２１３）、フロクスウリジン、５−フルオロウラシル（５−Ｆｕ）、フルタミデ、ヒドロキシウレア（ヒドロキシカルバミド）、イホスファミド、インターフェロン・アルファ−２ｓ、インターフェロン・アルファ−２ｂ、酢酸リュープロライド（ＬＨＲＨ−遊離因子類似体）、ロムスチン、塩酸メクロレタミン（ナイトロジェン・マスタード）、メルファラン、メルカプトプリン、メスナ、メトトレキセート、（ＭＴＸ）、マイトマイシン、塩酸ミトキサントロン、オクトレオチド、プリカマイシン、塩酸プロカルバジン、ストレプトゾシン、クエン酸タモキシフェンク、チオグアニン、チオテパ、硫酸ビンブラスチン、硫酸ビンクリスチン、アムサクリン、アザシチジン、ヘキサメチルメラニン、インターロイキン−２、ミトグアゾン、ペントスタチン、セムスチン、テニポシデ、およびビンデシン硫酸がある。
【０２５４】
さらに、本発明の治療的組成物は、癌の予防的治療用に使うことができる。個人が癌になりやすい、技術上周知の遺伝的状態および／または環境状態（例えば、発癌物質への暴露）がある。これらの環境において、癌になる危険を少なくするために、治療的有効量の本発明のポリペプチドでこれらの個人を治療することは、有利な場合がある。
【０２５５】
試験管内モデルを用いて、可能性のある癌の治療としての本発明のポリペプチドの有効量を測定することができる。これらの試験管内モデルには、培養腫瘍細胞増殖の検定、軟寒天における培養腫瘍細胞の増殖（Ｐｒｅｓｈｎｅｙ，（１９８７）  Ｃｕｌｔｕｒｅ  ｏｆ  Ａｎｉｍａｌ  Ｃｅｌｌｓ：  Ａ  ｍａｎｕａｌ  ｏｆ  Ｂａｓｉｃ  Ｔｅｃｈｎｉｑｕｅ，  Ｗｉｌｙ−Ｌｉｓｓ，  Ｎｅｗ  Ｙｏｒｋ，  ＮＹ  Ｃｈ  １８  ａｎｄ  Ｃｈ  ２１参照）、Ｇｉｏｖａｎｅｌｌａ  ｅｔ  ａｌ．，  Ｊ．  Ｎａｔｌ．  Ｃａｎ．  Ｉｎｓｔ，  ５２：９２１−３０（１９７４）に記載のヌードマウスにおける腫瘍システム、Ｐｉｌｋｉｎｇｔｏｎ  ｅｔ  ａｌ．，  Ａｎｔｉｃａｎｃｅｒ  Ｒｅｓ．，  １７：４１０７−９（１９９７）に記載のＢｏｙｄｅｎ  Ｃｈａｍｂｅｒ  検定における腫瘍細胞の移動性と侵襲性の可能性、および、Ｒｉｂａｔｔａ  ｅｔ  ａｌ．，  Ｉｎｔｌ，  Ｊ．  Ｄｅｖ．  Ｂｉｏｌ．，  ４０：１１８９−９７（１９９９）  や  Ｌｉ  ｅｔ  ａｌ．，  Ｃｌｉｎ．  Ｅｘｐ．  Ｍｅｔａｓｔａｓｉｓ，  １７：４２３−９（１９９９）に各々記載の鶏絨毛尿膜の血管新生の誘導、または血管内皮細胞遊走の誘導のような血管形成の検定がある。適切な腫瘍細胞系は例えば、Ａｍｅｒｉｃａｎ  Ｔｙｐｅ  Ｔｉｓｓｕｅ  Ｃｕｌｔｕｒｅ  Ｃｏｌｌｅｃｔｉｏｎ  カタログから入手できる。
【０２５６】
（５．１０．１１  受容体／リガンドの活性）
本発明のポリペプチドはまた、受容体／リガンド相互作用の受容体、受容体リガンド、またはインヒビターあるいは、アゴニスト（作動薬）としての活性を示す。本発明のポリヌクレオチドはこのような特性を示すポリペプチドをコードする。このような受容体およびリガンドの例には、サイトカイン・受容体とそのリガンド、受容体・キナーゼとそのリガンド、受容体・ホスファターゼとそのリガンド、細胞間相互作用に関与する受容体とそのリガンド（セレクチン、インテグリンおよびそれらのリガンドのような）細胞接着分子をこれに限らず含む）および抗原表示、抗原認識および細胞性、体液性免疫反応の進展に関与する受容体／リガンド対があり、またこれらに限らない。受容体とリガンドは、また関連する受容体／リガンド相互作用の可能性があるペプチドまたは小分子インヒビターのスクリーニングにも役立つ場合がある。本発明のタンパク質（受容体の断片とリガンドをこれらに限らず含む）はそれ自体受容体／リガンド相互作用のインヒビターとして有用である。
【０２５７】
本発明のポリペプチドの活性は、他に方法もあるが、以下の方法によって測定できる。
【０２５８】
受容体リガンド活性の適切な検定には、Ｃｕｒｒｅｎｔ  Ｐｒｏｔｏｃｏｌｓ  ｉｎ  Ｉｍｍｕｎｏｌｏｇｙ，  Ｅｄ  ｂｙ  Ｊ．  Ｅ．  Ｃｏｌｉｇａｎ，  Ａ．  Ｍ．  Ｋｒｕｉｓｂｅｅｋ，  Ｄ．  Ｈ．  Ｍａｒｇｕｌｉｅｓ，  Ｅ．  Ｍ．  Ｓｈｅｖａｃｈ，  Ｗ．  Ｓｔｒｏｂｅｒ，  Ｐｕｂ．  Ｇｒｅｅｎｅ  Ｐｕｂｌｉｓｈｉｎｇ  Ａｓｓｏｃｉａｔｅｓ  ａｎｄ  Ｗｉｌｅｙ−Ｉｎｔｅｒｓｃｉｅｎｃｅ  （Ｃｈａｐｔｅｒ  ７．２８，Ｍｅａｓｕｒｅｍｅｎｔ  ｏｆ  Ｃｅｌｌｕｌａｒ  Ａｄｈｅｓｉｏｎ  ｕｎｄｅｒ  ｓｔａｔｉｃ  ｃｏｎｄｉｔｉｏｎｓ  ７．２８．  １−７．２８．２２），Ｔａｋａｉ  ｅｔ  ａｌ．，  Ｐｒｏｃ．  Ｎａｔｌ．  Ａｃａｄ．  Ｓｃｉ．  ＵＳＡ  ８４：６８６４−６８６８，  １９８７：Ｂｉｅｒｅｒ  ｅｔ  ａｌ．，  Ｊ．  Ｅｘｐ．  Ｍｅｄ．  １６８：１１４５−１１５６，  １９８８；  Ｒｏｓｅｎｓｔｅｉｎ  ｅｔ  ａｌ．，  Ｊ．  Ｅｘｐ．  Ｍｅｄ．  １６９：１４９−１６０  １９８９；Ｓｔｏｌｔｅｎｂｏｒｇ  ｅｔ  ａｌ．，Ｊ．  Ｉｍｍｕｎｏｌ．  Ｍｅｔｈｏｄｓ  １７５：５９−６８，  １９９４；Ｓｔｉｔｔ  ｅｔ  ａｌ．，  Ｃｅｌｌ  ８０：６６１−６７０，  １９９５に記載の検定があり、また検定はこれらに限らない。
【０２５９】
例として、本発明のポリペプチドは、１つまたは複数のリガンドの受容体として使われ、それによってそのリガンドの生物活性が伝達される。リガンドは結合検定、アフィニティ・クロマトグラフィ、ダイハイブリッド・スクリーニング検定、ＢＩＡコア検定、ゲル・オーバレイ検定または技術上周知の他の方法によって同定できる。
【０２６０】
薬物またはタンパク質がアゴニスト（作動薬）か、またはアンタゴニスト（拮抗薬）、あるいは部分的アゴニストか、または部分的アンタゴニストかの特性を決める試験には、競合的リガンドとしての他のタンパク質を使う必要がある。本発明のポリペプチドまたはそのリガンドは、従来の方法によって放射性同位元素、比色定量分子または毒素分子に結合されて標識される（”Ｇｕｉｄｅ  ｔｏ  Ｐｒｏｔｅｉｎ  Ｐｕｒｉｆｉｃａｔｉｏｎ”  Ｍｕｒｒａｙ  Ｐ．  Ｄｅｕｔｓｃｈｅｒ  （ｅｄ）  Ｍｅｔｈｏｄｓ  ｉｎ  Ｅｎｚｙｍｏｌｏｇｙ  Ｖｏｌ．１８２（１９９０）  ＡｃａｄｅｍｉｃＰｒｅｓｓ，  Ｉｎｃ．  Ｓａｎ  Ｄｉｅｇｏ）。  放射性同位元素の例としては、トリチウムや炭素−１４があるが、これらに限定されない。比色定量分子の例には、フルオレサミンのような蛍光分子、またはローダミンや他の比色定量分子があり、またこれらに限定されない。毒素の例には、リシンがあり、またこれに限定されない。
【０２６１】
（５．１０．１３    薬物スクリーニング）
本発明は様々な薬物スクリーニング技法のいずれかにおいて、新しいポリペプチドまたはその結合断片を用いて、化合物をスクリーニングするのに役立つ。このような試験に用いるポリペプチドまたは断片（フラグメント）は、溶液中に遊離しているか、または固体支持体に付着しているか、あるいは、細胞表面に生じるか、または細胞内にある。薬物スクリーニングの１つの方法では、真核または原核宿主細胞を利用し、これらはポリペプチドまたはその断片を発現する組み換え核酸で安定に形質転換される。薬物は結合蛋白競合測定法で、このような形質転換細胞に対してスクリーニングされる。生存能力のある、または固定化された形のこのような細胞は、標準結合検定に使うことができる。例えば、本発明のポリペプチドまたは断片とテストされた物質との間の複合物形成を測定するか、または新しいポリペプチドと技術上周知の適切な細胞系との間の複合形成における減少を調べることができる
結合能力、または本発明のポリペプチドの活性を変調する（すなわち、増加または減少させる）能力をスクリーニングできる検査化合物のソースとして、（１）無機および有機化合物ライブラリー、（２）天然物ライブラリーおよび（３）ランダムまたは模倣ペプチド、オリゴヌクレオチド、または有機分子からなるコンビナトリアル・ライブラリーがある。
【０２６２】
ケミカルライブラリーは多くの市販源から容易に合成または購入でき、また、これには既知の化合物の構造的類似体、または天然物スクリーニングを介して「ヒット」または「リード」と同定されている化合物が含まれる。
【０２６３】
天然物ライブラリーのソースは、微生物（細菌や真菌を含む）、動物、植物または他の植生または海洋生物であり、また、スクリーニング用混合ライブラリーは、（１）土壌、植物または海洋微生物からのブロスの発酵および抽出、または（２）微生物自体からの抽出によって作成できる。天然物ライブラリーには、ポリケチド、非リボソーム・ペプチドおよびその（非天然性発生）変異体がある。総説は、Ｓｃｉｅｎｃｅ  ２８２：６３−６８（１９９８）を参照されたし。
【０２６４】
コンビナトリアル・ライブラリーは、多数のペプチド、オリゴヌクレオチドまたは有機化合物からなり、従来の自動合成法、ＰＣＲ、クローニングまたは特許化された合成方法によって容易に作成することができる。ペプチドとオリゴヌクレオチド・コンビナトリアル・ライブラリーが特に興味深い。なお、この他に興味深いライブラリーには、ペプチド、タンパク質、ペプチド擬似、多平行型合成収集、リコンビナトリアル、およびポリペプチド・ライブラリーがある。コンビナトリアル・ケミストリーとそれから作成されたライブラリーの総説はＭｙｅｒｓ，  Ｃｕｒｒ．  Ｏｐｉｎ．Ｂｉｏｔｅｃｈｎｏｌ．８：７０１−７０７（１９９７）を参照されたし。ペプチド模倣ライブラリーの総説および例は、Ａｌ−Ｏｂｅｉｄｉ  ｅｔ  ａｌ．，  Ｍｏｌ．  Ｂｉｏｔｅｃｈｎｏｌ，  ９（３）：２０５−２３  （１９９８）；  Ｈｒｕｂｙ  ｅｔ  ａｌ．，  Ｃｕｒｒ  Ｏｐｉｎ  Ｃｈｅｍ  Ｂｏｉｌ，  １（１）：１１４−１９（１９９７）：Ｄｏｒｎｅｒ  ｅｔ  ａｌ．，  Ｂｉｏｏｒｇ  Ｍｅｄ  Ｃｈｅｍ，  ４（５）：７０９−１５（１９９６）（アルキル化ジペプチド）を参照されたし。
【０２６５】
ここに記載する種々のライブラリーを使用してモジュレータを同定することによって、本発明のポリペプチドに結合する「ヒット」の能力を至適化するための「ヒット」（または「リード」）候補の修飾（変更）が可能になる。次に、結合能検定で同定された分子について、生体内組織培養または技術上周知の動物モデルにおいてアンタゴニストまたはアゴニスト活性の測定を行う。要するに、分子を多数の細胞培養または動物に滴定して、次に細胞／動物の死亡または細胞／動物の生存延長についてテストする。
【０２６６】
このように、結合分子は毒素、例えば、リシンまたはコレラとの複合体を作るか、または放射性同位元素のような細胞に毒性のある他の化合物との複合体を作る。次に、毒素結合分子複合体は、結合分子の本発明のポリペプチドに対する特異性によって腫瘍または他の細胞を標的にする。あるいは、結合分子は標的化および映像目的のためのイメージング（画像）剤と複合体を作る。
【０２６７】
（５．１０．１４    受容体活性の検定）
本発明はまた、ポリペプチド、例えばリガンドまたは受容体の特異的結合を検出する方法をも提供する。この技術は、以前は不明であった、本発明の受容体・ポリペプチドの結合パートナーの同定に、特に役立つ多くの検定を提供する。例えば、哺乳類または細菌の細胞、あるいはダイハイブリッド・スクリーニング検定を用いた発現クローニングは、結合パートナーをコードするポリヌクレオチドの同定に使うことができる。他の例として、適切に固定化された本発明のポリペプチドを用いたアフィニティ・クロマトグラフィーは、本発明のポリペプチドを認識し、結合するポリペプチドを分離するために使用することができる。本発明のポリペプチドの生物活性を変調する（つまり、増加または減少する）化合物、特に小分子の同定に用いられる多くの異なったライブラリーがある。本発明の受容体ポリペプチド用リガンドは、外来性リガンドまたは、リガンドのカクテルを本発明の受容体の発現以外は遺伝学的に同じの２種の細胞集団に加えることによって同定できる。１種の細胞集団は本発明の受容体を発現するが、他の細胞集団は発現しない。加えられたリガンドに対する２種の細胞集団の応答を比較する。あるいは、発現ライブラリーは、細胞内で本発明のポリペプチドと同時発現させることができ、可能性のあるリガンドを同定するためのオートクライン反応を検定することができる。さらに、他の例として、ＢＩＡコア  検定、ゲル・オーバーレイまたは技術的に周知の他の方法を用いて結合パートナーのポリペプチドを同定できるが、これには、（１）有機および無機化学ライブラリー、（２）天然物ライブラリーおよび（３）ランダム・ペプチド、オリゴヌクレオチドまたは有機分子のようなコンビナトリアル・ライブラリーが含まれる。
【０２６８】
下流細胞内情報伝達分子の、本発明のポリペプチドの情報伝達カスケードにおける役割は決定できる。例えば、本発明のポリペプチドの細胞質内ドメインが、リガンドが同定されているタンパク質の細胞外部分に融合したキメラタンパク質は、宿主細胞内で生成される。次に、この細胞をキメラタンパク質の細胞外部分に特異的なリガンドと一緒に培養し、それによってキメラ・受容体を活性化する。次に、細胞内情報伝達に関与する既知の下流タンパク質の予測される修飾、すなわち、燐酸化を測定できる。また、技術上周知の他の方法も、また、受容体活性に関与する情報伝達分子の同定に使用できる。
【０２６９】
（５．１０．１５    抗炎症活性）
本発明の組成物は、また抗炎症活性をも示す。抗炎症活性は、炎症反応に関与する細胞に刺激を与えるか、細胞間相互作用（例えば、細胞癒着のような）を抑制または促進するか、炎症過程に関与する細胞の走化性を抑制または促進するか、細胞の血管外遊走を抑制または促進するか、あるいは、炎症をより直接的に抑制または亢進する他の因子の産出を刺激または抑制することによって得られる。このような活性を持つ組成物は、感染（敗血症性ショック、敗血症または全身性炎症反応症候群（ＳＩＲＳ））、虚血再灌流傷害、菌体内毒素致死、関節炎、補体媒介超急性拒絶、腎炎、サイトカインまたはケモカイン誘導性肺傷害、炎症性腸疾患、クローン病、あるいはＴＮＦやＩＬ−１のようなサイトカインの産出過剰によると思われる慢性、急性炎症状態の治療に、これらに限らず用いることができる。本発明の組成物は、また抗原性物質または抗原性材料に対するアナフィラキシーまたは過敏症の治療にも有用である。本発明の組成物は敗血症、急性膵炎、エンドトキシン・ショック、サイトカイン性ショック、慢性関節リューマチ、慢性炎症性リューマチ、真性糖尿病タイプ１による膵臓細胞障害、移植片対宿主病、炎症性腸疾患、肺疾患に合併する炎症、他の自己免疫疾患または炎症性疾患のような状態の予防または治療に、急性、慢性骨髄性白血病の抗増殖性剤として、または子宮内感染症の前段階における早期分娩の予防において使用することができ、また使用はこれらに限らない。
【０２７０】
（５．１０．１６    白血病）
白血病および関連疾患は、本発明のポリヌクレオチドおよび／またはポリペプチドの機能を促進または阻害する治療剤を投与することによって治療または予防することができる場合がある。このような白血病および関連疾患には、急性白血病、急性リンパ性白血病、急性骨髄球性白血病、骨髄芽球性、前骨髄球性、骨髄単球性、単球性、赤白血病、慢性白血病、慢性骨髄球（顆粒球）性白血病、および慢性リンパ性白血病（これらの疾患の総説については、Ｆｉｓｈｍａｎ  ｅｔ  ａｌ．，  １９８５，  Ｍｅｄｉｃｉｎｅ，  ２ｄ  Ｅｄ．，  Ｊ．Ｂ．  Ｌｉｐｐｉｎｃｏｔｔ  Ｃｏ．，  Ｐｈｉｌａｄｅｌｐｈｉａ参照）が含まれ、またこれらに限らない。
【０２７１】
（５．１０．１７  神経系疾患）
本発明のポリペプチドおよび／またはポリヌクレオチドの活性を変調する化合物の介入の効力をテストできる細胞タイプに関連し、またしたがって、治療的有用性の指標を見ながら治療できる神経系疾患には、神経系損傷および神経系疾患、あるいは、アクソンの連絡切断、神経細胞の退縮、変性、または脱髄を生じる神経系障害がこれらに限らず含まれる。本発明にしたがって患者（ヒトおよびヒト以外の哺乳動物を含む）において治療される神経系病変には、以下の、中枢（脊髄、脳を含む）または末梢神経系のどちらかの病変が含まれ、またこれらに限らない。
【０２７２】
（ｉ）  物理的傷害または手術、例えば、神経系の一部を切断する病変、または圧迫損傷によって生じた病変を含む外傷性病変
（ｉｉ）    脳梗塞または脳虚血、あるいは脊髄の梗塞または虚血などの神経系の一部における酸素欠乏による神経細胞損傷または死亡にいたる虚血性病変
（ｉｉｉ）    、例えば、膿瘍による感染の結果、またはヒト免疫不全症ウイルス、帯状疱疹、単純疱疹ウイルスによる感染と合併して、または、ライム病、結核、梅毒と合併して神経系の一部が感染の結果、破壊されるか、または損傷を受ける感染性病変
（ｉｖ）      パーキンソン病、アルツハイマー病、ハンチントン舞踏病または筋萎縮性側索硬化症と合併した変性に限らず、これらを含む変性過程の結果として、神経系の一部が破壊または損傷する変性（退縮）病変
（ｖ）      栄養障害または代謝障害によって神経系の一部が破壊または損傷する、栄養上の疾患、または栄養障害に関連する病変で、ビタミンＢ１２欠乏症、葉酸欠乏症、ウエルニッケ病、タバコ・アルコール性弱視、マルキャファーヴァ・ビニャミ病（脳梁の一次変性）およびアルコール性小脳変性が含まれ、また、これらに限らない。
【０２７３】
（ｖｉ）      全身性疾患に合併する神経性病変で、糖尿病（糖尿病性神経障害、顔面麻痺）、全身性エリトマトーデス、癌または肉腫症が含まれ、また、これらに限らない。
【０２７４】
（ｖｉｉ）      アルコール、鉛または特定の神経毒を含む毒性物質によって生じた病変
（ｖｉｉｉ）      脱髄疾患によって神経系の一部が破壊または損傷する脱髄病変で、多発性硬化症、ヒト免疫不全症ウイルス関連脊髄症、横断性脊髄症、種々の病因論、進行性多病巣性白質脳障害、および中央脳橋ミエリン溶解が含まれるが、これらに限らない。
【０２７５】
本発明にしたがった有用な神経系疾患用治療剤は、神経細胞の生存または分化の促進についての生物活性を試験することによって選択できる。例えば、制限としてではなく、次の作用のいずれかを誘発する治療剤は本発明によると有用である。
【０２７６】
（ｉ）培養液において神経細胞の生存時間を増加した。
【０２７７】
（ｉｉ）培養液または生体内において神経細胞の出芽を増加した。
【０２７８】
（ｉｉｉ）培養液または生体内において、神経細胞関連分子、例えば、運動ニューロンに関連するコリンアセチルトランスフェラーゼまたはアセチルコリンエステラーゼの産生が増加した。
【０２７９】
（ｉｖ）生体内神経細胞機能障害の症状を減少した。
【０２８０】
このような効果は技術上周知のいずれの方法によっても測定できる。好ましくは、実施例に限らず、神経細胞の生存率増加は、Ａｒａｋａｗａ  ｅｔ  ａｌ．（１９９０，  Ｊ．  Ｎｅｕｒｏｓｃｉ．  １０：３５０７−３５１５）に示される方法によって測定でき、神経細胞の出芽の増加はＰｅｓｔｒｏｎｋ  ｅｔ  ａｌ．（１９８０，  Ｅｘｐ．Ｎｅｕｒｏｌ．  ７０：６５−８２）  またはＢｒｏｗｎ  ｅｔ  ａｌ．（１９８１，  Ａｎｎ．Ｒｅｖ．  Ｎｅｕｒｏｓｃｉ．  ４：１７−４２）に示される方法によって検出でき、神経細胞関連分子の産生増加は測定される分子によって、生物検定法、酵素学的検定、結合抗体、ノーザンブロット検定などで測定できる。また、運動ニューロン機能不全は、運動ニューロン障害、例えば、脱力感、運動ニューロン伝達速度または機能的能力障害などの物理的症状の評価によって測定できる。
【０２８１】
特定の具体例において、本発明にしたがって治療される運動ニューロン障害には、梗塞、感染症、毒素への暴露、外傷、外科的損傷、変性疾患または運動ニューロンおよび神経系の他の構成成分に影響する悪性腫瘍のような疾患、および筋萎縮性側索硬化症のような神経細胞に選択的に影響する疾患、ならびに、進行性脊髄性筋萎縮症、進行性球麻痺、原発性側索硬化症、乳児性、若年性筋萎縮、幼児期の進行性球麻痺（ファチオ・ロンデ症候群）、灰白髄炎およびポリオ後症候群、および遺伝性運動感覚ニューロパシー（シャルコー・マリー・トゥース病）などに限らず含まれる。
【０２８２】
（５．１０．１８  その他の活性）
本発明のポリペプチドは、またさらに、次のような活性または作用のうちの１つ以上を示す。すなわち、細菌、ウイルス、真菌および他の寄生虫をこれらに限らず含む感染性物質の成長、感染または機能を抑制または抑止する、身長、体重、髪の色、眼の色、皮膚、脂肪の細い部分に対する割合または他の組織色素沈着、または臓器あるいは身体部分のサイズまたは形（例えば、乳房の増大または縮小、または骨の形態および形状における変化のような）をこれらに限らず含む身体的特徴に作用する（抑制または亢進）、男性または女性の受精能に作用する、食餌脂肪、脂質、タンパク質、炭水化物、ビタミン、ミネラル、補助因子、他の栄養的因子または成分の代謝、異化、同化、処理、利用、保存、または排出に影響する、食欲、性欲、ストレス、認知（認知障害を含む）、抑鬱（鬱病性障害を含む）および狂暴症をこれらに限らず含む行動性特徴に作用する、鎮痛効果または他の痛み減少作用を与える、造血系以外の系における胚幹細胞の分化および成長を促進する、ホルモン、内分泌の活性化、酵素の場合、酵素の欠乏症を修飾し、欠乏関連性疾患を治療する、過剰増殖疾患（例えば、乾癬のような）の治療、免疫グロブリン様活性（例えば、抗原または補体を結合する能力のような）、および、ワクチン成分において抗原として作用して、そのようなタンパク質、または、そのようなタンパク質と交差反応する他の物質あるいは実体に対して免疫反応を促進する。
【０２８３】
（５．１０．１９    多型の定義）
多型性を証明することによって、ヒト被験者におけるこのような多型の同定が可能になり、この遺伝薬理学的情報を診断や治療に使用できる。このような多型性は、例えば、種々の疾患状態（炎症または免疫反応に関与する疾患のような）に対する特異な素因または感受性あるいは、薬物投与に対する特異な反応に関連し、また、この遺伝情報を用いて、予防的または治療的処置を適切に合わせることができる。例えば、炎症または自己免疫疾患の素因に関連する多型が存在する場合は、多型の存在を同定することによって、ヒトにおけるこの状態を診断することができる。
【０２８４】
多型は、技術上周知の様々の方法において同定することができ、すべての場合、一般に患者からのサンプルを得て、このサンプルからＤＮＡを分析し、随意に、ＤＮＡの分離または増幅を行って、ＤＮＡにおける多型の存在を同定する。例えば、ＰＣＲを用いて適切なゲノムＤＮＡの断片を増幅し、次にそれを配列決定する。あるいは、ＤＮＡはアレル（対立遺伝子）特異的オリゴヌクレオチド・ハイブリダイゼーション（一塩基ミスマッチの検出が可能な状態の下で適切なオリゴヌクレオチドをハイブリダイズする）にかけるか、または単一ヌクレオチド伸長検定（多型の位置のすぐ隣にハイブリダイズするオリゴヌクレオチドが１つ以上の標識ヌクレオチドで伸長している）にかける。さらに、従来の制限酵素断片長多型分析（多型の存在または不在によってゲノムＤＮＡに異なった消化をさせる制限酵素を用いて）を行う場合もある。本発明のヌクレオチド配列のアレイは、多型性の検出に使うことができる。このアレイは本発明のヌクレオチド配列を検出するために本発明のヌクレオチド配列の修飾したものを使っても良い。代用物において、本発明のヌクレオチド配列のどれか１つをこのアレイ上で置き換えて、これらの配列の変更を検出できる。
【０２８５】
あるいは、アミノ酸配列の変更で生じた多型はまた、タンパク質のアミノ酸配列の対応する変更を検出することによって、例えば、変異配列に特異的な抗体によっても検出できる。
【０２８６】
（５．１０．２０  関節炎と炎症）
慢性関節リューマチに対する発明組成物の免疫抑制効果は、実験用の動物モデル・システムで決定される。実験用モデル・システムはネズミを使ったアジュバント誘発関節炎である。その実験計画はＨｏｌｏｓｈｉｔｚ等（１９８３，  Ｓｃｉｅｎｃｅ，  ２１９：５６）又は、Ｂ．  Ｗａｋｓｍａｎ  （１９６３，  Ｉｎｔ．  Ａｒｃｈ．  Ａｌｌｌｅｒｇｙ  Ａｐｐｌ．  Ｉｍｍｕｎｏｌ．，  ２３：１２９）により記述されている。この病気は、完全フロインド・アジュバンド（ＣＦＡ）の中に懸濁させた死んだ結核菌を一回注射（ふつう皮内注射）することにより引き起こすことができる。注射の方法は色々であるが、ネズミの場合、アジュバントの混合液を尻尾の付け根に注射しても良い。ポリペプチドは約１−５  ｍｇ／ｋｇの量をリン酸緩衝液（ＰＢＳ）に入れ投与する。対照標準液はＰＢＳだけを使う。
【０２８７】
試験混合物の効果をテストする方法は、ＣＦＡに入っている死んだ結核菌を皮内注射し、その後すぐ試験混合物を投与、その後１日おきに２４日までそれを継続する。マイコバクテリアＣＦＡを注射後１４，  １５，  １８，  ２０，  ２２，  そして２４日目に、上記Ｊ．  Ｈｏｌｏｓｈｉｔｚにより記述されているような関節炎の総合点数が得られる。データ分析の結果、試験化合物は関節の腫れに劇的な効果を及ぼすことが、関節炎点数の減少により判明するはずである。
【０２８８】
（５．１１．治療方法）
発明混合物（ポリペプチド断片、類似体、変異体、抗体、その他結合剤やアンチセンス・ポリヌクレオチドのような修飾物質なども含む）は様々な治療方法へ応用できる。治療面での応用は以下のような例を含む。
【０２８９】
（５．１１．１  例）
本発明の一応用例は白血球免疫グロブリン受容体（ＬＩＲ様）ポリペプチド又はその他の本発明混合物を有効量、病気又は疾患に罹った個人に投与する方法である。この場合、水溶性の白血球免疫グロブリン受容体（ＬＩＲ様）発明受容体をコントロールすることにより、有効量の投与を調整することが可能である。投与方法は特に重要ではないが、非経口投与がどちらかと言うと好ましい。模範的な投与方法は静脈内ボーラスである。白血球免疫グロブリン受容体（ＬＩＲ様）ポリペプチド又はその他の本発明混合物の投与量は、ふつう処方医により決定される。投与量は、年令、体重、患者の健康状態や反応により異なるはずである。ふつう薬量当たりのポリペプチド量は、患者の体重１ｋｇ当たり０．０１μｇ乃至１００  ｍｇ、最も好ましい量は０．１μｇ乃至１０  ｍｇである。白血球免疫グロブリン受容体（ＬＩＲ様）本発明ポリペプチドは、非経口用として、製薬学的に承認されている非経口担体とともに注射可能な形になっている。そういう担体は医学では良く知られているものであり、例えば水、塩水、リンゲル液、ブドウ糖液、ヒトの血清アルブミン少量を含む溶液などが相当する。担体には、ポリペプチドの等浸透性と安定性を維持するための添加物や他の活性成分が僅かに含まれる場合もある。そういう溶液の準備は医学的な技術の範疇に属する。
【０２９０】
（５．１２  製薬学的製剤及び投与方法）
蛋白質又は本発明の他の組成物（供給源の如何に拘わらず組み換え及び非組み換え供給源、抗体及び本発明ポリペプチドの他の結合剤を含む）を必要とする患者に、そのままの形で、又は様々な疾患を治療・回復させるのに必要な薬量を、適切な担体又は媒体と混合した製薬学的混合物として投与できる。そういう混合物には、蛋白質又は他の活性成分や担体の他に、希釈液、増量剤、塩、緩衝剤、安定剤、可溶剤、その他医学で良く知られている材料を含むこともできる。「製薬学的に容認できる」というのは、活性成分の生物学的効果には干渉しない非毒性の物質という意味である。担体の特徴は投与方法に依存する。本発明の製薬学的混合物の中には、サイトカイン、リンフォカイン、又は造血因子、例えばＭ−ＣＳＦ，  ＧＭ−ＣＳＦ，  ＴＮＦ，  ＩＬ−１，  ＩＬ−２，  ＩＬ−３，  ＩＬ−４，  ＩＬ−５，  ＩＬ−６，  ＩＬ−７，  ＩＬ−８，  ＩＬ−９，  ＩＬ−１０，  ＩＬ−１１，  ＩＬ−１２，  ＩＬ−１３，  ＩＬ−１４，  ＩＬ−１５，  ＩＦＮ，  ＴＮＦ０，  ＴＮＦ−１，  ＴＮＦ−２，  Ｇ−ＣＳＦ，  Ｍｅｇ−ＣＳＦ等、トロンボポエチン、幹細胞因子、エリスロポエチン等も含むことができる。更に、本発明の蛋白質を病気又は疾患の治療に有効な他の物質と組み合わせることも可能である。そういう物質の中には、本文で述べられているサイトカインを初め、表皮細胞成長因子（ＥＧＦ）、血小板由来成長因子（ＰＤＧＦ）、形質転換成長因子（ＴＧＦ−α及びＴＧＦ−β）、インシュリン様成長因子（ＩＧＦ）など色々な成長因子が含まれる。
【０２９１】
更に製薬学的混合物の中には、本蛋白質の活動を活性化するか治療面での活動又は使用を補足する他の作用薬を含むことも可能である。こういう付加因子や物質は、本発明の蛋白質か他の活性成分と相乗効果を引き出す目的で、又は副作用を最小化する目的で製薬学的混合物の中に含むことができる。反対に、凝血因子、サイトカイン、リンフォカイン、他の造血因子、血栓崩壊、抗血栓因子、又は抗炎薬（例えば、ＩＬ−１Ｒａ、ＩＬ−１Ｈｙ１、ＩＬ−１Ｈｙ２、抗ＴＮＦ、コルチコステロイド、免疫抑制剤）の副作用を最小限に抑える目的で、本発明の蛋白質や他の活性成分を特定の凝血因子、サイトカイン、リンフォカイン、他の造血因子、血栓崩壊、抗血栓因子、又は抗炎薬の中に含むことも可能である。
【０２９２】
本発明の蛋白質は多量体（例えばヘテロダイマーかホモダイマー）で活性かも知れないし、あるいはそれ自身又は他の蛋白質との複合体として活性かも知れない。その結果、本発明の製薬学的混合物は、多量体か複合体の形で本発明の蛋白質を含むようになるかも知れない。
【０２９３】
本発明の製薬学的混合物（第１蛋白質を含む）の中に含む代わりに、第２蛋白質又は治療薬を第１蛋白質と一緒に投与することもできる（例えば同時に、あるいは組み合わせる物質の治療濃度が治療部位で実現されるのを条件として異なる時に）。インスタント施用化合物の調剤及び投与技術は、ペンシルバニア州イーストンのＭａｃｋ  Ｐｕｂｌｉｓｈｉｎｇ  Ｃｏ．出版「レミントン製薬科学」を参考にしてもよい。治療学的に有効な投与量とは、症状の回復、例えば治療、治癒、予防、関連医療条件の回復、又は治療、治癒、予防、そういう条件の回復率の増大をもたらすに十分な化合物の量を意味する。個別の活性成分が単独で投与される場合には、治療学的に有効な投与量とはその活性成分のみに言及する。組み合わせて使用する場合は、治療学的に有効な投与量とは、複合投与が連続であろうと同時であろうと、治療効果をもたらす活性成分の総合量を意味する。
【０２９４】
本発明の治療方法又は使用方法の実践において、本発明の蛋白質又は他の活性成分は、治療学的に有効な量だけ、治療条件を有している哺乳動物に投与される。本発明の蛋白質又は他の活性成分は、本発明の方法を単独で投与することもできるし、他の治療方法、例えばサイトカイン、リンフォカイン、その他の造血因子を使った治療方法と組み合わせて投与することも可能である。サイトカイン、リンフォカイン、その他の造血因子のうち１つ又は複数と組み合わせて投与する場合は、本発明の蛋白質又は他の活性成分は、サイトカイン、リンフォカイン、その他の造血因子、血栓崩壊因子、又は抗血栓因子と同時に投与しても、連続的に投与しても良い。連続的に投与する場合は、本発明の蛋白質又は他の活性成分をサイトカイン、リンフォカイン、その他の造血因子、血栓崩壊因子、又は抗血栓因子とどのような順序で組み合わせて投与するかについては、診療医師がその適切性を決定する。
【０２９５】
（５．１２．１    投与の経路）
適切な投与方法は、例えば、経口、直腸、経粘膜、腸内投与、内皮注射（筋肉内、皮下、髄内注射等）、くも膜下、直接心室内注射、静脈注射、腹腔内注射、鼻腔内注射、眼内注射等が含まれる。製薬学的混合物に使用される本発明の蛋白質又は他の活性成分の投与、又は本発明の方法の実践は、通常の色々なやり方で実行できる。例えば、経口摂取、吸入、局所又は皮膚施用、皮下、腹腔内、腸管外注射等である。患者への投与はどちらかと言うと静脈注射が好ましい。
【０２９６】
全身ではなく局所に化合物を投与するのも可能である。例えば、関節炎を患っている関節又は繊維組織に直接注射することなどであり、その場合、デポー剤か持続放出性のものが多い。緑内障手術の合併症として生じがちな瘢痕を防ぐため、化合物を局所的に、例えば目薬として投与することも可能である。更に薬物標的送達システムを使って投与することもできる。例えば、関節炎を起こしている部位の組織又は繊維組織などを標的として、特定の抗体でコーティングしたリポゾーム等を使用する方法である。リポゾームは、症状を患っている細胞組織が選択的に標的としたり吸収したりする。
【０２９７】
本発明のポリペプチドは、要求されている作用部位に有効量を送達する方法であれば、どのような方法でも使用できる。適切な投与方法及び有効量の決定は、医療技術の範疇に含まれる。怪我の治療の場合同様、治療化合物を局部に直接投与しても良い。本発明ポリペプチドの適切な投与量の範囲は、適切な動物モデルを使った投与量又はそういうモデルを使った類似の研究結果から推定できる。その後、最大治療効果を上げるため、投与量は臨床医が必要に応じて調整すれば良い。
【０２９８】
（５．１２．２  混合物／製剤）
従って本発明に使われる製薬学的混合物は、媒体や補助剤で構成される生理学的に有効な担体を１つ乃至それ以上使った普通の方法で製剤できる。媒体や補助剤は活性化合物を製薬学的に利用可能な形に成形するのを助ける。こういう製薬学的混合物は、良く知られている方法で製造できる。例えば、混合、溶解、顆粒化、ドラジェー（糖衣）、微粒子化、乳化、カプセル化、エントラッピング又は凍結乾燥などの普通の方法である。適切な製法は投与方法により異なる。治療学的に有効な量を経口で投与する場合、本発明の蛋白質又は活性成分は、錠剤、カプセル、粉末、溶液、又はエリキシル剤の形で投与される。錠剤で投与する場合、本発明の製薬学的混合物には、更にゼラチンや補助剤のような固形の担体も含まれるかも知れない。
【０２９９】
錠剤、カプセル、及び粉末には、本発明の蛋白質又は活性成分が約５％乃至９５％含まれる。理想的には、本発明の蛋白質又は活性成分が約２５％乃至９５％含まれている方が好ましい。液体で投与する場合は、水、石油、動物性又は植物性の油、例えば落花生油、ミネラル油、大豆油、胡麻油、あるいは合成油のような液状担体を追加しても良い。液状の製薬学的混合物の中には、更に生理塩水、ブドウ糖又は他のサッカリド溶液、又はエチレングリコール、プロピレングリコール、ポリエチレングリコールのようなグリコール類を含めても良い。液体の場合は、本発明の蛋白質又は活性成分が重量比で約０．５乃至９０％含まれる。理想的には、本発明の蛋白質又は活性成分が重量比で約１乃至５０％含まれるのが好ましい。
【０３００】
本発明の蛋白質又は活性成分の治療学的有効量を静脈、皮膚、又は皮下注射により投与する場合は、本発明の蛋白質又は活性成分は、発熱物質を含まず、非経口的に容認可能な液体の形で投与される。非経口的に容認可能なそういう蛋白質又は他の活性成分溶液をｐＨ、等浸透圧性、安定性等へ配慮して準備するのは、医療技術の範疇に属する。静脈、皮膚、又は皮下注射のために好ましい製薬学的混合物には、本発明の蛋白質又は活性成分の他に、等浸透圧性の担体、例えば塩化ナトリウム注射、リンゲル注射、ブドウ糖注射、ブドウ糖と塩化ナトリウム注射、乳酸化したリンゲル注射、あるいは医療技術で良く知られている他の担体も含めるべきである。本発明の製薬学的混合物には、安定化剤、保存剤、緩衝剤、抗酸化剤、その他医療技術で良く知られている添加物を含めても良い。注射の場合、本発明の物質は液体の形で製剤しても良い。できればハンクス液、リンゲル液、生理塩水のような生理学的に合った緩衝剤が好ましい。経粘膜投与の場合は、特定の浸透剤が使用される。そういう浸透剤は、医学界で一般的に良く知られているものである。
【０３０１】
経口投与の場合、化合物は、医学界で良く知られ製薬学的に容認されている担体と活性化合物とを組み合わせることにより、容易に製剤できる。そういう担体は、本発明の化合物を錠剤、丸薬、ドラジー（糖衣）、カプセル、液体、ゲル、シロップ、スラリー、懸濁液等に製剤するのを可能にし、患者が経口摂取できるようにする。経口使用のための製薬学的準備は、必要であれば適切な補助剤を添加して錠剤かドラジーの中核を得た後、固形の担体を加え、混合体を粉末にし、その粒状の混合体を加工することにより得られる。特に適切な担体は砂糖（ラクトース、ショ糖、マンニトール、ソルビトール等も含む）やセルロース（例えばトウモロコシの澱粉、米の澱粉、じゃが芋の澱粉、ゼラチン、トラガカントゴム、メチルセルロース、ヒドロキシプロピルメチル・セルロース、ナトリウム・カルボキシメチル・セルロース、ポリビニルピロリドン（ＰＶＰ））等の増量剤である。必要なら、橋架け結合のポリビニル・ピロリドン、寒天、アルギン酸、その塩例えばアルギン酸ナトリウムなどの崩壊薬（ママ）を加えても良い。ドラジーの中核には適切なコーティングが提供される。この目的のために濃縮砂糖液を使っても良い。その中にはアラビアゴム、タルク、ポリビニル・ピロリドン、カルボポル・ゲル、ポリエチレングリコール、二酸化チタン、ラッカー液、及び適切な有機溶媒又は混合溶媒を含めても良い。活性化合物の含有量の組み合わせを強調するため又は内容を同定するため、錠剤やドラジー・コーティングに染料や色素を加えるのも可能である。
【０３０２】
経口使用製品の製薬学的準備には、ゼラチン製のプッシュ・フィット・カプセルやゼラチン、及びグリコールやソルビトール等可塑剤製の柔いシールド・カプセル等が使われる。プッシュ・フィット・カプセルには、活性成分をラクトースのような増量剤、澱粉のような結合剤、タルク、ステアリン酸マグネシウムのような潤滑剤、必要ならば安定剤と混合して入れることもできる。ソフト・カプセルの場合は、活性成分は、脂肪油、液体パラフィン、液体ポリエチレングリコールのような適切な液体に溶解するか懸濁させるかしても良い。更に安定剤を加えても良い。経口投与の場合の製剤は、その目的に適した量でなければならない。口内投与の場合は、通常の方法で成形される錠剤やトローチ剤を使用できる。
【０３０３】
吸入投与の場合は、本発明の化合物を加圧パック又は噴霧器からスプレーすることにより投与する。その場合、適切な推薬、例えばジクロロジフルオロメタン、トリクロロフルオロメタン、ジクロロテトラフルオロエタン、二酸化炭素、その他適当なガスを使用する。加圧噴霧の場合、投与量の単位は、一定量を送るバルブを使用することにより決定できる。吸入器に使用されるゼラチン等のカプセルや薬包は、ラクトースや澱粉のような適切な粉末ベースと化合物を粉末状態で混合して成形しても良い。混合物は巨丸剤注射や連続注入のような非経口投与用に製剤しても良い。注射用の製剤は、アンプルや多薬量容器のような単位薬量形式に保存剤を添加しても良い。混合物は、油又は液体の担体の中に懸濁、溶解、乳化させる形を取ることもできるし、懸濁剤、安定化剤、分散剤等の製剤用の物質を含んでも良い。
【０３０４】
非経口投与用の製薬学的混合物には、活性化合物が水溶性の形で含まれる液状のものもある。更に活性化合物の懸濁液を、適切な油液注射用の懸濁液として準備することもできる。適切な脂質親和性の溶媒又は担体には、胡麻油のような脂肪油、オレイン酸エチルのような合成脂肪酸エステル、トリグリセリド、リポゾーム等も含まれる。液状注射懸濁液の中には、懸濁液の粘性を高める物質、例えばナトリウム・カルボキシルメチル・セルロース、ソルビトール、デキストラン等を含んでも良い。必要ならば、懸濁液の中に安定剤や化合物の溶解度を高める物質を含め、高濃度の溶液を準備することも可能である。代替案として、使用前に活性成分を粉末状にしておき、消毒し発熱物質を含まない水等の適切な担体と組み合わせる方法もある。
【０３０５】
化合物は、通常の座薬ベース、例えばココアバターや他のグリセリドを含む座薬や固定浣腸のような直腸用の混合物にすることも可能である。上述の製剤法の他に、デポー剤用の混合物にすることも可能である。そういう長期持続用の方法は、インプラント（例えば内皮や筋肉内）や筋肉内注射により実現できる。従って例えば、適切なポリマー剤や疎水性の物質（例えば適当な油に乳化させた物質）、イオン交換樹脂、僅かに溶解する塩などの誘導体を使って化合物を製剤できる。
【０３０６】
本発明の疎水性化合物用の製薬学的担体は、ベンジルアルコール、無極性の表面活性剤、水混和性の有機ポリマー、及び水様性相で構成される共通溶媒システムである。共通溶媒システムはＶＤＰ共通溶媒システムでもあり得る。ＶＤＰは、３％ｗ／ｖのベンジルアルコール溶液、８％ｗ／ｖの無極性表面活性剤ポリソルベート８０、そして６５％ｗ／ｖのポリエチレングリコール３００を無水アルコールの中に入れたものである。ＶＤＰ共通溶媒システム（ＶＤＰ：５Ｗ）は、ＶＤＰを５％のブドウ糖水溶液で１：１に希釈したものである。このＶＤＰ共通溶媒システムには疎水性の化合物が良く溶け、全身投与の場合に毒性が少ない。当然ＶＤＰ共通溶媒システムの割合は色々であり、しかも溶解性や毒性の性質を壊すことがない。更に共通溶媒の構成成分も多種多様である。更に共通溶媒例えばポリソルベート８０の代わりに他の低毒無極性の表面活性剤を使うこともできるし、ポリエチレングリコールのフラクション・サイズにも様々な可能性がある。ポリエチレングリコールの代わりに他の生物適合性のあるポリマー、例えばポリビニル・ピロリドンを使うこともできる。ブドウ糖の代わりに他の糖類やポリサッカリドを使っても良い。代替案として、疎水性の製薬学的化合物には別の送達システムを使っても良い。疎水性の薬としては、リポゾームや乳化剤が送達用担体又は媒体として良く知られている。ジメチルスルフォキシドのようなある有機溶媒も、毒性は少し高いが使用可能である。更に、治療薬を含む固体疎水性ポリマーの半透性基質のような持続放出システムを使って化合物を送達しても良い。色々なタイプの持続放出物質が確立されており、医学界では良く知られている。持続放出カプセルは、その化学物質の性質次第ではあるが、化合物を２−３週間から長い時には１００日以上をかけて放出する。治療薬の科学的性質及び生物学的安定性次第ではあるが、蛋白質や他の活性成分の安定に必要だと思われる方法が追加される場合もあり得る。
【０３０７】
製薬学的混合物には、適切な固体又はゲル状の相から成る担体で構成されている場合もある。そういう担体の例としては、炭酸カルシウム、リン酸カルシウム、種々の糖類、澱粉、セルロース誘導体、ゼラチン、ポリエチレングリコールのようなポリマー等が挙げられる。本発明の活性成分の多くを、製薬学的に融和性のある反対イオン塩として提供することも可能である。そういう製薬学的に容認可能な塩は、生物学的な有効性及び自由酸の性質を保持する塩であり、水酸化ナトリウム、水酸化マグネシウム、アンモニア、トリアルキルアミン、ジアルキルアミン、モノアルキルアミン、二塩基アミノ酸、酢酸ナトリウム、安息香酸カリウム、トリエタノールアミン等の無機又は有機の塩基と反応させることにより得られる。
【０３０８】
本発明の製薬学的混合物は、本発明の蛋白質又は他の活性成分、及び蛋白質又はペプチド抗原の複合体の形でも可能である。蛋白質又はペプチド抗原は、Ｂリンフォサイト及びＴリンフォサイトに刺激信号を送る。Ｂリンフォサイトは、その表面にあるイミュノグロブリン受容体を通して抗原に対し反応する。Ｔリンフォサイトは、ＭＨＣ蛋白により抗原が出された後Ｔ細胞受容体（ＴＣＲ）を通して抗原に反応する。ＭＨＣ及び構造的に関連のある蛋白質（クラスＩ及びクラスＩＩ  ＭＨＣ遺伝子により宿主細胞上にコードされている場合も含めて）は、ペプチド抗原をＴリンフォサイトに提供する働きをする。抗原成分も、精製されたＭＨＣペプチド複合体単独で、又はＴ細胞に直接信号を送る共同刺激分子とともに供給しても良い。代替案として、表面イミュノグロブリンやＢ細胞上の他の分子に結合可能な抗体、及びＴＣＲやＴ細胞上の他の分子に結合可能な抗体を、本発明の製薬学的混合物と組み合わせることも可能である。
【０３０９】
本発明の製薬学的混合物は、リポゾームの形でも可能である。その場合、リポゾームの中で、本発明の蛋白質を、製薬学的に容認可能な他の担体とは別に、脂質のような両親媒性の物質と組み合わせる。脂質はミセル（コロイド分散状態）、不溶性の単一層、又は水溶液の中に層状相として凝集した形で存在している。リポゾーム形成に必要な脂質は、モノグリセリド、ジグリセリド、サルファチド、リソレシチン、リン脂質、サポニン、胆汁酸等である。こういうリポゾームの製法は、公表されている医療技術の範疇に含まれている。例えば、米国特許番号４，２３５，８７１；４，５０１，７２８；４，８３７，０２８；４，７３７，３２３等で、これらは全て参考文献として本文書に含まれている。
【０３１０】
本発明の製薬学的混合物との関連で用いられる本発明の蛋白質又は他の活性成分の量は、治療される条件の性質及びその重症度により決定される。最終的には、各患者の治療に当たって、診察する医者が本発明の蛋白質又は他の活性成分の量を決定する。診察医は最初、本発明の蛋白質又は他の活性成分を少量投与し、患者の反応を観察する。治療学上最高の効果が得られるまで、本発明の蛋白質又は他の活性成分の量を増やしていき、その点に達したらもはや薬量を増やすことはしない。本発明の方法を実践するのに使われる色々な製薬学的混合物は、本発明の蛋白質又は他の活性成分を体重１ｋｇ当たり約０．０１μｇから約１００  ｍｇ（できれば約０．１μｇから約１０  ｍｇ、更に理想的には約０．１μｇから約１  ｍｇ）含んでいるべきであると考えられている。骨、軟骨、腱、又は靭帯の退化に有効である本発明の混合物を用いた治療方法には、局部的、全身的、又はインプラントや装置の形で局所的に使用する方法などがある。投与に当たり、本発明の治療方法は、発熱物資を含まない生理学的に容認できる形で行われる。更にこの混合物は、カプセル化するか色々な方法で注射することにより、骨、軟骨、又は損傷した細胞組織へ送るのが好ましいかも知れない。怪我の癒しや細胞組織の修復には局部投与が適切かも知れない。本発明の蛋白質又は他の活性成分以外の治療に有効な物質（それも上記混合物の中に含めることが可能）を本発明の混合物の代わりに、又はその追加として、同時又は連続的に使用しても良い。骨や軟骨の形成を促すには、蛋白質又は他の活性成分を含む混合物を骨や軟骨の損傷部位に送ることができ、骨や軟骨の発達に必要な構造を持ちしかも、再び体に吸収される基質が、その混合物の中に含まれているのが望ましい。そういう基質は、現在他の移植手術で使われている材料で作っても良い。
【０３１１】
基質材料の選択は生物適合性、生物分解性、物理学的性質、外見、及び相互作用的性質に基づいている。混合物の適用内容により調剤方法が決定される。混合物の基質になる可能性のあるのは生物分解性のあるもので、合成硫酸カルシウム、リン酸三カルシウム、ヒドロキシアパタイト、ポリ乳酸、ポリグリコール酸、及びポリ無水物である。この他に可能性のある材料は、生物分解性があり生物学的に明確な例えば骨や皮膚のコラーゲンなどである。他の基質は純粋の蛋白質か細胞外基質成分で構成されている。他に可能性のある基質は、生物分解性がなく化学合成された例えば焼結されたヒドロキシアパタイト、生体ガラス、アルミン酸塩、又はその他のセラミックである。基質は上記物質を複数組み合わせたもので構成するのも可能である。例えば、ポリ乳酸とヒドロキシアパタイト又はコラーゲンとリン酸三カルシウムなどである。生体セラミックは組成を変えることもできる。例えばカルシウム・アルミン酸塩・リン酸塩で、加工して穴の大きさ、粒子の大きさ及び形、又は生物分解性を変えることも可能である。現在好まれているのは、直径１５０乃至８００ミクロンの多孔性粒子からなる乳酸とグリコール酸５０：５０（分子量）の共重合体である。ある場合には、蛋白質混合物が基質から解離するのを防ぐのに、カルボキシルメチル・セルロースや自家凝血のような金属イオン封鎖剤を利用しても良い。
【０３１２】
金属イオン封鎖剤として好まれるのは、アルキルセルロース（ヒドロキシアルキルセルロースも含む）のようなセルロース材料である。この中には、メチルセルロース、エチルセルロース、ヒドロキシエチルセルロース、ヒドロキシプロピルセルロース、ヒドロキシプロピル・メチルセルロース、カルボキシメチルセルロース等も含まれる。その中でも最も好まれるのがカルボキシメチルセルロース（ＣＭＣ）の陽イオン塩である。この他にも金属イオン封鎖剤として好まれるのは、ヒアルロン酸、アルギン酸ナトリウム、ポリエチレングリコール、ポリオキシエチレン酸化物、カルボキシビニル・ポリマー、及びポリビニル・アルコールである。金属イオン封鎖剤の最適量は、全製剤重量当たり０．５−２０重量％、理想的には１−１０重量％で、これは蛋白質がポリマー基質から脱着するのを防ぐと同時に、混合物取り扱いの簡便化に必要な量を表しており、しかも始原細胞が基質に侵入するのを妨げる程の量ではないので、蛋白質は始原細胞の骨形成活動を助けることができる。更に、本発明の蛋白質又は他の活性成分を、骨や軟骨の欠陥、怪我、又は問題のある細胞組織の治療に役立つ他の物質と組み合わせても良い。こういう物質には、色々な成長因子が含まれる。例えば表皮成長因子（ＥＧＦ）、血小板由来成長因子（ＰＤＧＦ）、形質転換成長因子（ＴＧＦ−α及びＴＧＦ−β）、インシュリン様成長因子（ＩＧＦ）などである。
【０３１３】
治療用混合物は現在獣医学の面でも価値が見出されている。本発明の蛋白質又は他の活性成分を用いた治療は、ヒト以外にも、家畜やサラブレッドの馬に特に使用できる。細胞組織の再生に蛋白質を含む製薬学上の混合物を用いるに当たり、その投与量は、診断する医師が蛋白質の活動に影響を及ぼす色々な要因を考慮した上で決定する。例えば、形成すべき細胞組織の重量、損傷部分、損傷を受けた細胞組織の状態、怪我の大きさ、損傷を受けた細胞組織の種類（例えば骨）、患者の年令、性別、食事、感染度合い、投与時間、他の臨床的要因等である。投与量は再生に使われる基質の種類によっても異なるし、製薬学的混合物の中に含まれる他の蛋白質の有無によっても違ってくる。例えば、最終混合物にＩＧＦ  Ｉ（インシュリン様成長因子Ｉ）のような他の既知の成長因子を加える場合も、投与量に影響が及ぶかも知れない。細胞組織や骨の成長や回復をＸ線、組織形態計測決定法、テトラサイクリン標識法のような方法で定期的に評価することにより、回復度合いをチェックできる。
【０３１４】
本発明のポリヌクレオチドは遺伝子療法に用いることもできる。そういうポリヌクレオチドは哺乳類の形質発現を調べるため、生体内又は生体外で細胞に導入できる。本発明のポリヌクレオチドは、核酸を細胞や生物体に導入する方法として知られている他の方法を用いても投与できる（例えばウイルス媒介や裸のＤＮＡ等）。細胞は、繁殖させるため又は望ましい効果や活動を得るため、本発明の蛋白質を含む試験管内で培養することも可能である。このようにして処理された細胞は、治療目的のため生体内に導入することができる。
【０３１５】
（５．１２．３  有効薬量）
本発明の使用に適した製薬学的混合物は、目的達成のために活性成分を有効量含む混合物である。より具体的に述べると、治療学的な有効量とは、治療を受ける対象の現在の症状の進行が抑えられる、あるいは緩和されるのに必要な量を意味する。有効量の決定は医療技術の能力の範疇に属するものであり、本文書で詳細に説明してきたので尚更そうである。本発明の方法に用いられる混合物の治療学的有効量は、まず試験管内での分析によって推定できる。例えば動物モデルを使って薬量を処方し、循環濃度の範囲を決め、次にそれを使ってより精確にヒトの使用量を決定する。例えば動物モデルを使って薬量を処方し、循環濃度の範囲を決めるが、その中に細胞培養で決定されるＩＣ５０  （つまり蛋白質の生物学的活動を阻害する最大値の半分に相当する試験化合物の濃度）も含まれる。こういう情報は、ヒトの使用量をより精確に決定するのに利用できる。
【０３１６】
治療学的有効量とは、症状の回復又は患者の生存期間の延長を実現する化合物の量を意味する。そういう化合物の毒性及び治療学的効果は、細胞培養や実験動物を用いた標準の製薬学的手法により決定できる。例えば、ＬＤ５０（個体数が５０％死ぬ薬量）やＥＤ５０（個体数の５０％に治療学的に効果のある薬量）等の決定である。毒性と治療学的効果の薬量比は治療指数と言い、ＬＤ５０とＥＤ５０の比で表される。治療指数の高い化合物がより好ましい化合物である。この細胞培養分析と動物研究から得られるデータを使って、ヒトの使用量の範囲を処方することができる。そういう化合物の薬量はＥＤ５０を含む循環濃度内に納まり、毒性が全くあるいはほとんどないのが好ましい。薬量は薬の形態又は投与方法に基づいてその範囲内で変化する。正確な処方、投与方法、及び薬量は、患者の状態を見ながら、医者が決定するものである。例えば、Ｆｉｎｇｌ等、１９７５年、「治療学の薬理学的基礎」の第１章第１頁を参照のこと。薬量及び期間は、血漿の活動レベルが半分であるような状態を提供するように個別に調整できる。そういう状態は、好ましい効果を維持するのに、あるいは最低有効濃度（ＭＥＣ）を維持するのに十分である。ＭＥＣは化合物の種類により異なるが、試験管内データに基づいて推測可能である。ＭＥＣを達成するのに必要な薬量は個人の特性や投与方法により異なるが、ＨＰＬＣ分析や生物検定を用いて血漿濃度を決定するのは可能である。
【０３１７】
投薬の間隔もＭＥＣの値を使って決定できる。化合物は、時間の１０−９０％、血漿値をＭＥＣ以上に維持する方法を使って投与されるべきである。できれば３０−９０％、最も好ましいのは５０−９０％である。局所投与又は選択的摂取の場合は、薬の有効局所濃度は血漿濃度とは関係ないかも知れない。
【０３１８】
本発明のポリペプチド又は他の混合物の薬量は、大人と子供では異なるが、毎日体重１ｋｇ当たり約０．０１μｇ乃至１００ｍｇの範囲になるであろう。より好ましいのは、毎日体重１ｋｇ当たり約０．１μｇ乃至２５ｍｇの範囲である。投薬は１日１回、又は等量であればその間隔を短くしても長くしても良い。
勿論、投与量は、治療される対象の年令、体重、症状の度合い、投与方法、及び処方医の判断によって異なってくる。
【０３１９】
（５．１２．４    包装）
混合物はパック又はディスペンサーを使って投与することも可能である。その中に活性成分を含む１単位又はそれ以上の単位の薬を入れることができる。パックは例えば金属製やブリスター・パックのようなプラスチック・フォイルでも良い。パックやディスペンサーには投与方法に関する手引書を添付しても良い。本発明の化合物を含む混合物を製薬学的に適合性のある担体に入れて処方し、それを適切な容器に入れ、特定の治療方法を示したラベルを貼ることも可能である。
【０３２０】
（５．１３    抗体）
本発明の中には、蛋白質又は本発明の蛋白質の断片への抗体も含まれている。本文書で使われている「抗体」という語は、イミュノグロブリン分子及びイミュノグロブリン（Ｉｇ）分子のうち免疫学的に活性な部分、つまり抗原と特異的に結合する（免疫反応を生じる）抗原結合部位を有している分子を意味している。そういう抗体の中には、ポリクロナル、単クロナル、キメラ、単鎖、Ｆａｂ、Ｆａｂ’及びＦ（ａｂ’）２断片、Ｆａｂ表現ライブラリー等が含まれる。一般的にヒトの抗体分子は、ＩｇＧ、ＩｇＭ、ＩｇＡ、ＩｇＥ、及びＩｇＤのいずれかのクラスに関係している。これらの分子は、それに含まれる重鎖の性質により互いに異なっている。あるクラスの中にはＩｇＧ１、ＩｇＧ２のようにサブクラスを持つのもある。ヒトの場合は、軽鎖はκ鎖やλ鎖である場合もある。本文書で抗体と言う場合は、そういうクラス、サブクラス、そしてヒトの抗体の全てを意味する。
【０３２１】
本発明の蛋白質に関連する単離蛋白を抗原として、又はその一部や断片として使うことも可能である。そしてそれを免疫抗原として使い、ポリクローナル及びモノクローナル抗体準備の標準技術を用いて、免疫特異的に抗原に結合する抗体を作ることもできる。蛋白質全体を免疫抗原として使うこともできるし、免疫抗原として使われる抗原のペプチド断片を本発明が提供することも可能である。抗原性のペプチド断片は、ＳＥＱ  ＩＤ  ＮＯ：３、  ６、  ８−１３、  １９、  ２２、  ２４−２８、  ３３−３４、  ３７、  ４０、  ４２−４５、  ５０、  ５２−５８、  ６６または  ６８−７４に示されているような全蛋白質のアミノ酸配列のうち少なくとも６つのアミノ酸残基から成っており、その抗原決定基（エピトープ）を取り囲んでいる。その場合、ペプチドの抗体は、全蛋白質あるいはエピトープを含む断片と特異的な免疫複合体を形成する。できれば、抗原性のペプチドは少なくとも１０のアミノ酸残基、あるいは少なくとも１５のアミノ酸残基、あるいは少なくとも２０のアミノ酸残基、あるいは少なくとも３０のアミノ酸残基からなっているのが好ましい。抗原性のペプチドによって囲まれているエピトープは、蛋白質の表面に位置しているのが望ましい。その部位はふつう親水性である。
【０３２２】
本発明のある部分に関しては、抗原性のペプチドによって囲まれているエピトープ（抗原決定基）の少なくとも１つは、蛋白質の表面に位置しているＬＩＲ様領域であり、例えば親水性領域である。ヒトの蛋白質配列の疎水性分析は、関連蛋白質のどの部位が親水性で、抗体生産用の表面残基をコードしているかを示している。抗体生産の方法として、親水性と疎水性の部位を示す方法は、医療技術の面で既に良く知られている。例えば、Ｋｙｔｅ  Ｄｏｏｌｉｔｔｅｌ法又はＨｏｐｐ  Ｗｏｏｄｓ法（フーリエ変換を使う場合も使わない場合も）などである。Ｈｏｐｐ  ａｎｄ  Ｗｏｏｄｓ，  １９８１，  Ｐｒｏｃ．  Ｎａｔ．  Ａｃａｄ．  Ｓｃｉ．  ＵＳＡ  ７８：  ３８２４−３８２８；  Ｋｙｔｅ  ａｎｄ  Ｄｏｏｌｉｔｔｌｅ  １９８２，  Ｊ．  Ｍｏｌ．  Ｂｉｏｌ．  １５７：  １０５−１４２を参照のこと。いずれも参考文献として本文書に全文が掲載されている。抗原蛋白、その誘導体、断片、類似体、又は同族体の中の１つ又はそれ以上の領域に特異的な抗体も、本文書に提供されている。
【０３２３】
本発明の蛋白質、その誘導体、断片、類似体、同族体、又はオルトログは、これら蛋白質構成要素へ免疫特異的に結合する抗体生産において、免疫抗原として利用することができる。
【０３２４】
用語  ”特異的”  は、本発明の抗体の可変領域が排他的に本発明のポリペプチドを認識し、結合する（すなわち、ポリペプチドのファミリー内に見られる配列同一性、ホモログ、類似性にもかかわらず他の類似のポリペプチドから本発明のポリペプチドを区別できる）が、抗体の可変領域外にあり、特に分子の定常域にある配列との相互作用によって、他の蛋白質（例えば、ＥＬＩＳＡ  手法におけるＳ．  ａｕｒｅｕｓ  蛋白質Ａまたは他の抗体）と相互作用する場合がある。
【０３２５】
本発明の抗体特異結合を決定するスクリーニングアッセイは当業者に周知かつ日常的に用いられている。このようなアッセイの総合的説明については、Ｈａｒｌｏｗ  ｅｔ  ａｌ．  （Ｅｄｓ），  Ａｎｔｉｂｏｄｉｅｓ  Ａ  Ｌａｂｏｒａｔｏｒｙ  Ｍａｎｕａｌ；  Ｃｏｌｄ  Ｓｐｒｉｎｇ  Ｈａｒｂｏｒ  Ｌａｂｏｒａｔｏｒｙ；  Ｃｏｌｄ  Ｓｐｒｉｎｇ  Ｈａｒｂｏｒ，  ＮＹ  （１９８８）、第  ６章を参照されたし。抗体が前述したように本発明の完全長ポリペプチドに最初に特異的であれば、本発明のポリペプチドの断片を認識し、結合する抗体が考慮される。本発明の完全長ポリペプチドに特異的な抗体と同様に、断片を認識する本発明の抗体は、蛋白質のファミリーに見られる先天的配列同一性、ホモログ〔相同体〕、類似性にもかかわらず、同じファミリーのポリペプチドからポリペプチドを区別できる抗体である。
【０３２６】
本発明の抗体は例えば、本発明のポリペプチドを検出または定量するために治療目的（本発明のポリペプチドの活性をモジュレート（変調）することによって）、診断目的に役立ち、また本発明のポリペプチドの精製にも役立つ。キットは本出願に記載した何れかのための本発明の抗体からなることが考えられる。一般に、本発明のキットにはコントロール（対照）抗原が含まれており、その抗体は免疫特異的である。さらに、発明は、本発明による抗体を産生するハイブリドーマを提供する。本発明の抗体は本発明のポリペプチドの検出と／または精製に有用である。
【０３２７】
本発明の蛋白質に結合するモノクローナル抗体は蛋白質の免疫検出用診断薬として有用である。また、蛋白質に結合するモノクローナル中和抗体は蛋白質関連症状にも、また蛋白質の異常発現が関与するいくつかの癌形態の治療にも有用な治療薬でもある。癌細胞または白血病細胞の場合に、蛋白質に対するモノクローナル中和抗体は、蛋白質によって媒介される癌細胞の転移蔓延の検出や予防に役立つ。
【０３２８】
本発明の標識された抗体は、目的のポリペプチドの断片が発現される細胞または組織を同定するための試験管内、生体内および生体内原位置アッセイに使用できる。この抗体はまた直接治療または診断に使うこともできる。さらに、本発明は前記の抗体を固定支持体上に固定して提供できる。このような固体支持体の例には、ポリカーボネートようなプラスティック、アガロースやＳｅｐｈａｒｏｓｅａのような複合カーカーボハイドレイト、ポリアクリルアミドなどのアクリル樹脂およびラテックスビーズがある。固体支持体への抗体の結合技術は当業者（Ｗｅｉｒ，  Ｄ．Ｍ．  ｅｔ  ａｌ．，  ”Ｈａｎｄｂｏｏｋ  ｏｆ  Ｅｘｐｅｒｉｍｅｎｔａｌ  Ｉｍｍｕｎｏｌｏｇｙ”  ４ｔｈ  Ｅｄ．，  Ｂｌａｃｋｗｅｌｌ  Ｓｃｉｅｎｔｉｆｉｃ  Ｐｕｂｌｉｃａｔｉｏｎｓ，  Ｏｘｆｏｒｄ，  Ｅｎｇｌａｎｄ，  Ｃｈａｐｔｅｒ  １０  （１９８６）；  Ｊａｃｏｂｙ，  Ｗ．Ｄ．  ｅｔ  ａｌ．，  Ｍｅｔｈ．  Ｅｎｚｙｍ．  ３４  Ａｃａｄｅｍｉｃ  Ｐｒｅｓｓ，  Ｎ．Ｙ．  （１９７４））には周知である。本発明の固定された抗体は試験管内、生体内、生体内原位置のアッセイ、また本発明の蛋白質の免疫親和性精製にも使うことができる。
【０３２９】
本発明の蛋白質、その誘導体、断片、類似体、同族体、又はオルトログに対するポリクロナール又はモノクローナル抗体の生産には、医学界で既に知られている色々な方法を利用することができる。（例えば、本文書に参考文献として取り上げている、抗体：実験室手引書、Ｈａｌｏｗ  Ｅ．  ａｎｄ  Ｌａｎｅ  Ｄ，  １９８８，  Ｃｏｌｄ  Ｓｐｒｉｎｇ  Ｈａｒｂｏｒ  ｌａｂｏｒａｔｏｒｙ  Ｐｒｅｓｓ，  Ｃｏｌｄ  Ｓｐｒｉｎｇ  Ｈａｒｂｏｒ，  ＮＹを参照のこと。）
（５．１３．１    ポリクローナル抗体）
ポリクローナル抗体の生産にあたり、天然の蛋白質、その合成変異体、又はそれらの誘導体を１回又は、それ以上注射することにより、色々な実験動物、例えばウサギ、山羊、ハツカネズミ等の哺乳動物を、免疫化することができる。免疫抗原の準備の中には、天然の免疫抗原蛋白、免疫抗原蛋白を代表する合成ポリペプチド、又は組み換え型形質発現の免疫抗原蛋白等を含むことができる。更に、免疫化される哺乳動物の体内で免疫抗原であると既に知られている第２の蛋白質とその蛋白質を結合させ、複合蛋白質にすることも可能である。そういう免疫抗原蛋白としては、キーホール・リンペット・ヘモシアニン、血清アルブミン、牛のチログロブリン、大豆のトリプシン抑制剤等がある。更に補助物質を含めても良い。免疫反応を高めるために使用される色々な補助物質の中には、フロイント補助物質（完全及び不完全）、ミネラル・ゲル（例えばアルミニウム水酸化物）、表面活性物質（例えばリソレシチン、プルロニック・ポリオール、ポリアニオン、ペプチド、油乳濁液、ジニトロフェノール等）がある。ヒトに使われる補助物質としては、カルメット・ゲラン、コリネバクテリウム・パルブム、又は類似の免疫刺激物質がある。この他にも使用可能な補助物質として、ＭＰＬ−ＴＤＭ補助物質（モノホスホリル脂質Ａ、合成トレハロース・ジコリノミコール酸）もある。
【０３３０】
免疫抗原蛋白に対するポリクローナル抗体分子は哺乳動物の例えば血液から単離し、蛋白質Ａか蛋白質Ｇを使ったアフィニティー・クロマトグラフィーのような良く知られて技術で精製することができる。それは主に免疫血清のＩｇＧ画分を提供する。その後、又は代替方法として、イミュノグロブリンの標的である特定の抗原又はそのエピトープを、カラム上で固定し、イミュノアフィニティー・クロマトグラフィーで免疫抗体を精製することも可能である。イミュノグロブリンの精製に関しては、例えば、Ｄ．  Ｗｉｌｋｉｎｓｏｎが論じている（ペンシルバニア州フィラデルフィアのザ・サイエンティスト社出版、ザ・サイエンティスト、第１４巻、Ｎｏ．８（２０００年４月１７日）２５−２８頁）。
【０３３１】
（５．１３．２    モノクローナル抗体）
本文書で使用される「モノクローナル抗体」（ＭＡｂ）又は「モノクローナル混合物」は、ユニークな軽鎖遺伝子産物及びユニークな重鎖遺伝子産物からなる１種類の抗体分子だけを含む抗体分子個体群を意味している。特に、相補性を決定するモノクローナル抗体部位（ＣＤＲ）は、個体群の全分子に関して同一である。従ってＭＡｂは、ある抗原に特別の親和性を持ち、その抗原のエピトープと免疫反応を起こすことのできる抗原結合部位を含んでいる。
【０３３２】
モノクローナル抗体は、Ｋｏｈｌｅｒ  ａｎｄ  Ｍｉｌｓｔｅｉｎ，  Ｎａｔｕｒｅ，  ２５６：４９５（１９７５）に記述されているようなヒブリドーマ（雑種細胞法）を用いて準備できる。雑種細胞法では、ハツカネズミ、ハムスター、その他の実験動物を免疫剤で免疫化する。それは、免疫剤に特異的に結合する抗体を生産する又は生産できるリンパ球を引き出すためである。リンパ球は試験管内で免疫化することも可能である。
【０３３３】
免疫化物質の中には、ふつう蛋白抗原、その断片又はその融合蛋白等が含まれる。一般的に、ヒトの細胞が要求される時には抹消血リンパ球、ヒト以外の哺乳動物が要求される時には脾臓細胞かリンパ腺細胞が使われる。次にリンパ球はポリエチレングリコールのような適当な融合剤を使って不朽化した細胞株と融合させ、雑種細胞を形成する（Ｇｏｄｉｎｇ、モノクローナル抗体：原理と実践、アカデミック・プレス、（１９８６）５９−１０３頁）。不朽化した細胞株は普通、形質転換した哺乳動物の細胞、特にげっ歯類、牛属、ヒトの骨髄腫細胞である。通常、ネズミかハツカネズミの骨髄腫の細胞株が用いられる。雑種細胞は適当な培地で培養することができる。培地には、融合しなかった不朽化細胞の成長や生存を阻害する物質を１種類乃至それ以上含むのが望ましい。例えば、親細胞に酵素であるヒポキサンチン・グアニン・ホスホリボシルトランスフェラーゼ（ＨＧＰＲＴ又はＨＰＲＴ）が欠如している場合は、雑種細胞用の培地には普通、ＨＧＰＲＴ欠乏細胞の成長を阻害するヒポキサンチン、アミノプテリン、そしてチミジン（ＨＡＴ培地）が含まれている。
【０３３４】
不朽化細胞は、融合率が良いもの、選別された抗体生産細胞の抗体発現を安定した高いレベルで支持するもの、ＨＡＴ培地等の培地に敏感なものが好ましい。より好ましい不朽化細胞は、ネズミ科の骨髄腫細胞株である。ネズミ科の骨髄腫細胞株は、カリフォルニア州サンディエゴのＳａｌｋ  Ｉｎｓｔｉｔｕｔｅ  Ｃｅｌｌ  Ｄｉｓｔｒｉｂｕｔｉｏｎ  Ｃｅｎｔｅｒやバージニア州マナッサスのＡｍｅｒｉｃａｎ  Ｔｙｐｅ  Ｃｕｌｔｕｒｅ  Ｃｏｌｌｅｃｔｉｏｎで入手できる。ヒトの骨髄腫及びハツカネズミ・ヒトへテロ骨髄腫細胞株も、ヒトのモノクローナル抗体生産に関して記述されている（Ｋｏｚｂｏｒ，  Ｊ．  Ｉｍｍｕｎｏｌ．，  １３３：  ３００１（１９８４）；  Ｂｒｏｄｅｕｒ等，  モノクローナル抗体生産技術及び応用、Ｍａｒｃｅｌ  Ｄｅｋｋｅｒ，  Ｉｎｃ．，ニューヨーク、（１９８７）５１−６３頁）。
【０３３５】
次に抗原に対するモノクローナル抗体が存在するかどうかを、雑種細胞を培養する培地について分析する。雑種細胞が生産するモノクローナル抗体の結合特異性を、免疫沈降反応により、あるいは放射性同位元素標識免疫測定（ＲＩＡ）や酵素連結・特異的抗体吸着分析（ＥＬＩＳＡ）のような試験管内の結合分析によって決定するのが好ましい。そういう技術や分析方法は医学界では良く知られている。モノクローナル抗体の結合親和性は、例えば、マンソン及びポラードのスキャッチャード分析、Ａｎａｌ  Ｂｉｏｃｈｅｍ．，１０７：２２０（１９８０）により決定できる。抗原への特異性と結合親和性の高い抗体の単離が望まれる。
【０３３６】
求められている雑種細胞が同定されたら、その後、限界希釈法によりクローンをサブクローン化し、標準方法でそれを成長させる。この目的に適した培地は、例えば、ダルベッコのＭｏｄｉｆｉｅｄ  Ｅａｇｌｅ培地及び  ＲＰＭＩ−１６４０培地である。雑種細胞は、哺乳動物の体内で腹水として成長させる方法も可能である。
【０３３７】
サブクローンにより分泌されたモノクローナル抗体は、蛋白質Ａセファローズ、ヒドロキシルアパタイト・クロマトグラフィー、ゲル電気泳動、透析、アフィニティー・クロマトグラフィー等の一般的なイミュノグロブリン精製方法により、培地又は腹水から単離し精製することができる。
【０３３８】
モノクローナル抗体は、米国特許番号４，８１６，５６７に記されているような組み換えＤＮＡ法によっても作成できる。本発明のモノクローナル抗体をコードしているＤＮＡは、普通の方法を使って簡単に単離し配列を決定できる（例えば、ネズミの抗体の重鎖及び軽鎖をコードしている遺伝子へ特異的に結合できるオリゴヌクレオチドを使って）。本発明の雑種細胞は、そういうＤＮＡ源として好ましいものである。単離されたＤＮＡは次に発現ベクターに載せられ、それから組み換え宿主細胞の中でモノクローナル抗体を合成するために、猿のＣＯＳ細胞、チャイニーズハムスター卵巣（ＣＨＯ）細胞、骨髄腫細胞のような普通はイミュノグロブリン蛋白を生産しない宿主細胞に形質移入される。ＤＮＡは例えば、同族体のネズミの配列の代わりにヒトの重鎖・軽鎖一定領域のコードされた配列を使ったり（米国特許番号４，８１６，５６７；Ｍｏｒｒｉｓｏｎ，  Ｎａｔｕｒｅ  ３６８，  ８１２−１２（１９９４））、非イミュノグロブリン・ポリペプチドのコードされた配列をイミュノグロブリンのコードされた配列に共有結合させたりして修飾することも可能である。そういう非イミュノグロブリン・ポリペプチドを本発明の一定領域の代わりに、又は本発明抗体の抗原結合部位変動領域の代わりに使って、キメラ的なニ価抗体を作ることも可能である。
【０３３９】
（５．１３．３    ヒト化された抗体）
更に、本発明の蛋白抗原に対する抗体は、ヒト化した抗体又はヒトの抗体で構成することも可能である。こういう抗体は、イミュノグロブリンを投与してもヒトに免疫反応を起こさせることがないので、ヒトへの投与に適している。ヒト化された形の抗体は、キメラ性のイミュノグロブリン、イミュノグロブリン鎖、又はその断片（例えばＦｖ，  Ｆａｂ，  Ｆａｂ’，  Ｆ（ａｂ’）２等抗原と結合する抗体のサブ配列）であり、これらは主にヒトのイミュノグロブリンの配列で構成され、ヒト以外のイミュノグロブリンから得られた配列を最小限含んでいる。抗体のヒト化は、Ｗｉｎｔｅｒ及び彼の同僚の方法を踏襲し（Ｊｏｎｅ等、Ｎａｔｕｒｅ，  ３２１：  ５２２−５２５（１９８６）；  Ｒｉｅｃｈｍａｎｎ等、Ｎａｔｕｒｅ，  ３３２：  ３２３−３２７（９８８）；  Ｖｅｒｈｏｅｙｅｎ等、Ｓｃｉｅｎｃｅ，  ２３９：  １５３４−１５３６（１９８８））、ヒトの抗体の配列の代わりに、それに対応するげっ歯類のＣＤＲ又はＣＤＲ配列を使うことにより達成できる。（米国特許番号５，２２５，５３９も参照のこと）  ある場合には、ヒトのイミュノグロブリンのＦｖ基質残基を、それに対応するヒト以外の残基で置き換える。ヒト化された抗体は、受容体の抗体にも、移入性のＣＤＲにも、基質配列にも見出されないような残基で構成することも可能である。一般的に、ヒト化された抗体は、少なくとも１つ、普通は２つの変動領域にり構成される。その場合、ＣＤＲ部分の全て又は実質的に全てがヒト以外のイミュノグロブリンのそれに対応しており、基質部分の全て又は実質的に全てがヒトのイミュノグロブリンのコンセンサス配列のそれである。ヒト化された抗体は、理想的には、イミュノグロブリンの一定領域（Ｆｃ）の少なくとも一部分、普通はヒトのイミュノグロブリンのそれで構成するのが好ましい（Ｊｏｎｅｓ等  １９８６；  Ｒｉｅｃｈｍａｎｎ等、１９８８；  及びＰｒｅｓｔａ，  Ｃｕｒｒ．  Ｏｐ．  Ｓｔｇｒｕｃｔ．  Ｂｉｏｌ．  ２：  ５９３−５９６（１９９２））。
【０３４０】
（５．１３．４    ヒトの抗体）
ヒトの抗体は、ＣＤＲを含めて軽鎖及び重鎖の実質的に全ての配列が、ヒトの遺伝子起源である抗体分子に関係している。そういう抗体は、本文書では「ヒトの抗体」又は「完全にヒトの抗体」と呼ぶ。ヒトのモノクローナル抗体は、トリオマ技術、ヒトのＢ細胞の雑種細胞技術（Ｋｏｚｂｏｒ等、１９８３  Ｉｍｍｕｎｏｌ  Ｔｏｄａｙ  ４：  ７２を参照のこと）、及びＥＢＶ雑種細胞技術（Ｃｏｌｅ等，  モノクローナル抗体及び癌の治療，  Ａｌａｎ  Ｒ．  Ｌｉｓｓ，  Ｉｎｃ．，  ７７−９６頁を参照のこと）で準備できる。ヒトのモノクローナル抗体は本発明の実用化の際に利用でき、ヒトの雑種細胞を使うことにより（Ｃｏｔｅ等，  １９８３，  Ｐｒｏｃ  Ｎａｔｌ  Ａｃａｄ  Ｓｃｉ  ＵＳＡ  ８０：  ２０２６−２０３０を参照のこと）、あるいはヒトのＢ細胞を試験管の中でＥＢＶ（エプシュタイン・バー・ヴィールス）により形質転換させることにより（Ｃｏｌｅ等，  モノクローナル抗体及び癌の治療，  Ａｌａｎ  Ｒ．  Ｌｉｓｓ，  Ｉｎｃ．，  ７７−９６頁を参照のこと）生産できる。
【０３４１】
更にヒトの抗体は、別の技術、例えばファージ表示ライブラリー（Ｈｏｏｇｅｎｂｏｏｍ  ａｎｄ  Ｗｉｎｔｅｒ，  Ｊ．  Ｍｏｌ．  Ｂｉｏｌ．  ２２７：  ３８１  （１９９１）；  Ｍａｒｋｓ等，  Ｊ．  Ｍｏｌ．  Ｂｉｏｌ．  ２２２：  ５８１  （１９９１）  ）等を使っても生産できる。同様に、ヒトの抗体は、ヒトのイミュノグロブリンの遺伝子座を遺伝子導入動物、例えば内因性のイミュノグロブリン遺伝子を部分的に又は完全に不活性化したハツカネズミに導入することによっても形成できる。抗原投与に対し、ヒトの抗体生産の観察が行われたが、遺伝子の再配列、集合、及び抗体のレパートリーを含むあらゆる面で、それはヒトの体内で生じている内容に酷似している。これは例えば次の報告に記述されている：米国特許番号５，５４５，８０７；５，５４５，８０６；５，５６９，８２５；５，６２５，１２６；５，６３３，４２５；５，６６１，０１６、Ｍａｒｋｓ等、（Ｂｉｏ／Ｔｅｃｈｎｏｌｏｇｙ  １０，  ７７９−７８３  （９９２）；  Ｌｏｎｂｅｒｇ等（Ｎａｔｕｒｅ  ３６８，  ８５６−８５９  （１９９４））；  Ｍｏｒｒｉｓｏｎ  （Ｎａｔｕｒｅ  ３６８，  ８１２−１３  （１９９４）；  Ｆｉｓｈｗｉｌｄ等，  （Ｎａｔｕｒｅ  Ｂｉｏｔｅｃｈｎｏｌｏｇｙ  １４，  ８４５−５１  （１９９６））；  Ｎｅｕｂｅｒｇｅｒ  （Ｎａｔｕｒｅ  Ｂｉｏｔｅｃｈｎｏｌｏｇｙ  １４，  ８２６  （１９９６））；  及びＬｏｎｂｅｒｇ  ａｎｄ  Ｈｕｓｚａｒ  （Ｉｎｔｅｒｎ．  Ｒｅｖ．  Ｉｍｍｕｎｏｌ．  １３  ６５−９３  （１９９５））。
【０３４２】
ヒトの抗体は、自分の内因性抗体でなく完全にヒトの抗体を生産するように修飾された遺伝子導入動物を使って生産することも可能である（ＰＣＴ出版ＷＯ９４／０２６０２を参照のこと）。イミュノグロブリンの重鎖及び軽鎖をコードした動物の内因性遺伝子を不活性化し、重鎖及び軽鎖のイミュノグロブリンをコードしたヒトの活性遺伝子座が、その代わりに宿主のゲノムの中に挿入されている。ヒトの遺伝子は、例えば、ヒトのＤＮＡの必要な部分を含む酵母の人工染色体を使って導入する。希望の修飾部分を全て提供する動物は、修飾部分を完全には含まない中間遺伝子導入動物を交雑育種することにより後代として得られる。
そういう動物の中ではハツカネズミが好ましく、ＰＣＴ出版ＷＯ９６／３３７３５及びＷＯ９６／３４０８６で示されているように、それはＸｅｎｏｍｏｕｓｅ（ゼノマウス）と呼ばれる。この動物は、完全にヒトのイミュノグロブリンを分泌するＢ細胞を生産する。抗体は、例えばポリクローナル抗体の準備として、関心のある免疫抗原で免疫化した後、そういう動物から直接得ることができる。あるいはモノクローナル抗体を生産する雑種細胞のような動物起因の不朽化Ｂ細胞から得ることも可能である。ヒトの変動部位を持つイミュノグロブリンをコードした遺伝子を回復させ、発現させて、直接抗体を得ることも可能である。あるいは更に修飾を加えて、単鎖Ｆｖ分子のような抗体類似体を得ることもできる。
【０３４３】
内因性のイミュノグロブリン重鎖の形質発現が欠如しているヒト以外の宿主、例えばハツカネズミ等を生産する方法は、米国特許番号５，９３９，５９８に示されている。それは、胚幹細胞の中にある内因性重鎖遺伝子座の少なくとも１つからＪ部分の遺伝子を削除する方法があるが、それを含むやり方で得ることができる。それは、その遺伝子座の再配列を防ぎ、再配列されたイミュノグロブリン重鎖遺伝子座の写しの作成を防ぐためである。削除は、選択可能な標識をコードした遺伝子を含む標的ベクターにより行われる。そして胚幹細胞から、選択的標識をコードした遺伝子を体細胞及び生殖細胞に含む遺伝子導入マウスを生産する。
【０３４４】
例えばヒトの抗体のように求められている抗体を生産する方法は、米国特許番号５．９１６，７７１に述べられている。それは、重鎖をコードしたヌクレオチド配列を含む発現ベクターを培養中の哺乳動物宿主細胞に導入し、軽鎖をコードしたヌクレオチド配列を含む発現ベクターを別の哺乳動物宿主細胞に導入し、その２つの細胞を融合して雑種細胞を作る方法に関係している。雑種細胞は、重鎖と軽鎖を含む抗体を発現する。
【０３４５】
このやり方を更に改善する方法として、免疫抗原に臨床的に関連のあるエピトープを同定する方法、及びそのエピトープに高い親和性で免疫特異的に結合する抗体を選別する相補的な方法が、ＰＣＴ出版ＷＯ９９／５３０４９に述べられている。
【０３４６】
（５．１３．５  Ｆａｂ断片及び単鎖抗体）
本発明では、本発明の抗原蛋白に特異的な単鎖抗体を生産するための技術は、調整可能である（例えば米国特許番号４，９４６，７７８を参照のこと）。更に、蛋白質、又はその誘導体、断片、類似体、同族体に対し好ましい特異性を持つモノクローナルＦａｂ断片の同定を迅速かつ効果的に行うために、Ｆａｂ発現ライブラリーの構築方法を調整することも可能である（例えばＨｕｓｅ等，  １９８９  Ｓｃｉｅｎｃｅ  ２４６：  １２７５−１２８１を参照のこと）。ある蛋白抗原に特有の遺伝子型を含む抗体断片は、医学界で既に良く知られている技術を用いて生産可能である。例えば、（ｉ）ある抗体分子のペプシン消化により生産されるＦ（ａｂ’）２断片；（ｉｉ）  Ｆ（ａｂ’）２のジスルフィド・ブリッジを減らすことにより生産されるＦａｂ断片；（ｉｉｉ）パパイン及び還元剤で抗体分子を処理することにより生産されるＦａｂ断片；及び（ｉｖ）Ｆｖ断片。
【０３４７】
（５．１３．６  二特異的な抗体）
二特異性抗体とは、少なくとも２つの異なる抗原に対して結合特異性を持つモノクローナル抗体（ヒト又はヒト化された抗体が好ましい）である。本件においては、結合特異性の１つは、本発明の抗原蛋白である。第２の結合標的はそれ以外の抗原であり、細胞表面の蛋白質、受容体、又は受容体サブユニットであるのが望ましい。
【０３４８】
二特異性抗体の作成方法は、医学界では良く知られている。通常の方法としては、二特異性抗体の遺伝子組み換え生産は、２つのイミュノグロブリン重鎖・軽鎖ペアの共同発現に基づいている。この場合２つの重鎖は、異なる特異性を有している（Ｍｉｌｓｔｅｉｎ  ａｎｄ  Ｃｕｅｌｌｏ，  Ｎａｔｕｒｅ，  ３０５：  ５３７−５３９  （１９８３））。イミュノグロブリン重鎖・軽鎖はランダムに組み合わされるので、その雑種細胞（クアドロマ）は、１０の異なる抗体分子の混合体を産する。その中で１つだけが、正しい二特異性の構造を持っている。その正しい分子の精製は、普通アフィニティー・クロマトグラフィーにより行われる。同じような方法が、ＰＣＴ出版ＷＯ９３／０８８２９（１９９３年５月１３日出版）及びＴｒａｕｎｅｃｋｅｒ等，  ＥＭＢＯ  Ｊ．，  １０：  ３６５５−３６５９に述べられている。
【０３４９】
要求されている結合特異性（抗原抗体結合部位）を持つ抗体の変動領域は、イミュノグロブリンの一定領域配列に融合させることができる。ヒンジ（ちょうつがい）、ＣＨ２及びＣＨ３部位の少なくとも一部分で構成されるイミュノグロブリン重鎖の一定領域との融合が好ましい。軽鎖結合に必要な部位を含む第１重鎖一定領域が、融合体の少なくとも１つに存在するのが望ましい。イミュノグロブリン重鎖（そしてできればイミュノグロブリン軽鎖も）の融合をコードしたＤＮＡが異なる発現ベクターに挿入され、適切な宿主有機体に同時形質移入される。二特異性抗体の生産方法については、更に詳細は例えば、Ｓｕｒｅｓｈ等、酵素化学の方法、１２１：２１０  （１９８６）を参照のこと。
【０３５０】
ＷＯ９６／２７０１１に述べられている別の方法によれば、遺伝子組み換え細胞培養から回収されるヘテロダーマーの割合を最大にするように、一対の抗体分子間のインターフェースを工夫することも可能である。好ましいインターフェースは、抗体一定領域中にあるＣＨ３部位の少なくとも一部分で構成される。この方法によると、最初の抗体分子のインターフェースから得られる小さいアミノ酸側鎖を、チロシンやトリプトファンのような大きい側鎖で置き換えることができる。大きいアミノ酸側鎖をアラニンやトレオニンのような小さいアミノ酸側鎖で置き換えることにより、大きい側鎖に対して同じ又は類似の大きさの補償「キャビティー（腔）」を、第２の抗体分子のインターフェース上に作ることができる。この方法で、ホモダイマーのような好ましくない最終生産物以上にヘテロダイマーを増やすことが可能である。
【０３５１】
二特異性抗体は完全長抗体として、又は抗体の断片  （例えばＦ（ａｂ’）２二特異性抗体）  として準備できる。抗体断片から二特異性抗体を作る技術は、文献に記載されている。例えば、二特異性抗体は化学結合を使って準備できる。Ｂｒｅｎｎａｎ等、Ｓｃｉｅｎｃｅ  ２２９：８１  （１９８５）は、無傷の抗体が蛋白質分解して裂け、Ｆ（ａｂ’）２の断片を生成する方法について述べている。こういう断片は、ジチオール複合剤である砒酸ナトリウムの存在下で還元され、その結果、隣接したジチオールを安定化し、分子間ジスルフィド結合の形成を阻害する。そのようにして生成されたＦａｂ’の断片は、チオニトロ安息香酸塩（ＴＮＢ）誘導体に変換される。
次にＦａｂ’‐ＴＮＢ誘導体はメルカプトエチルアミンで還元するとＦａｂ’‐チオールに再び転換され、Ｆａｂ’‐ＴＮＢ誘導体と等モル量ずつ混合されて二特異性抗体を形成する。生産された二特異性抗体は、酵素の選択的固定化剤として使用できる。
【０３５２】
その他に、Ｆａｂ’の断片を大腸菌から直接回収し、化学的に結合させて二特異性抗体を形成する。Ｓｈａｌａｂｙ等，  Ｊ．  Ｅｘｐ．  Ｍｅｄ．  １７５：２１７−２２５  （１９９２）は、完全にヒト化された二特異性抗体Ｆ（ａｂ’）２分子の生産について記述している。Ｆａｂ’断片はそれぞれ大腸菌から別々に分泌され、試験管内で化学結合を施され、その結果二特異性抗体を形成する。このようにして形成された二特異性抗体は、ＥｒｂＢ２受容体を過剰発現している細胞及びヒトの正常なＴ細胞に結合でき、それと同時に、ヒトの乳癌に対して細胞毒性リンパ球の溶解活動を誘発する。
【０３５３】
遺伝子組み換え細胞培養から直接二特異性抗体の断片を形成し単離する方法も、種々報告されている。例えば、二特異性抗体はロイシン・ジッパーを使って生産されている。Ｋｏｓｔｅｌｎｙ等，  Ｊ．  Ｉｍｍｕｎｏｌ．  １４８（５）：１５４７−１５５３  （１９９２）。Ｆｏｓ及びＪｕｎ蛋白質から得られるロイシン・ジッパー・ペプチドは、遺伝子融合により、２つの異なる抗体のＦａｂ’部分に連結された。抗体ホモダイマーはヒンジ部分で還元されモノマーを作り、再び酸化されて抗体へテロダイマーを形成した。この方法は、抗体ホモダイマーの生産にも利用できる。Ｈｏｌｌｉｎｇｅｒ等、Ｐｒｏｃ．  Ｎａｔｉ．  Ａｃａｄ．  Ｓｃｉ．  ＵＳＡ，  ９０：６４４４−６４４８  （１９９３）に記されている”ｄｉａｂｏｄｙ”技術は、二特異性抗体の断片を作るための代替機構を提供している。その断片は、リンカーにより互いに結合された重鎖変動領域（ＶＨ）と軽鎖変動領域（ＶＬ）から構成される。リンカーは短いので、同じ鎖上の２つの領域間でペアを作ることはない。従って、１つの断片のＶＨ領域をＶＬ領域は相補的なＶＬ領域及びＶＨ領域とペアを作るように強制され、その結果、抗原と結合する部位が２つ形成される。単鎖Ｆｖ（ｓＦｖ）ダイマーを用いた二特異性抗体断片の作成方法も報告されている。Ｇｒｕｂｅｒ等，  Ｊ．  Ｉｍｍｕｎｏｌ．  １５２：５３６８  （１９９４）を参照のこと。
【０３５４】
３価以上の抗体も考えられている。例えば、トリ・スペシフィック（３特異性）な抗体も準備できる。Ｔｕｔｔ等，  Ｊ．  Ｉｍｍｕｎｏｌ．  １４７：５０  （９９１）。典型的な二特異性抗体は、２つの異なるエピトープと結合できる。そのうちの少なくとも１つは本発明の蛋白抗原に由来する。イミュノグロブリン分子の反抗原用の腕を、白血球上のトリガ分子（例えばＣＤ２，  ＣＤ３，  ＣＤ２８，  Ｂ７のようなＴ細胞受容体分子）、あるいはＩｇＧ（ＦｃγＲ）のＦｃ受容体（例えばＦｃγＲＩ（ＣＤ６４），ＦｃγＲＩＩ（ＣＤ３２），  ＦｃγＲＩＩＩ（ＣＤ１６））に結合している腕と連結させることも可能である。これは、細胞の防御機構を、特定の抗原を発現している細胞に集中させるためである。
二特異性抗体は、特定の抗原を発現している細胞に細胞毒性物質を向ける目的で利用できる。こういう抗体は、抗原と結合する腕及び細胞毒性物質や放射性核種キレート化剤（ＥＯＴＵＢＥ，  ＤＰＡＴＡ，  ＤＯＴＡ，  ＴＥＴＡ等）と結合する腕を所有している。別の二特異性抗体は、本文書で述べられている蛋白抗原や、更に組織因子（ＴＦ）とも結合する。
【０３５５】
（５．１３．７  ヘテロ共役抗体）
ヘテロ共役抗体も本発明の範囲内にある。ヘテロ共役抗体は、２つの共有結合をした抗体で構成されている。そういう抗体の使用方法として例えば、免疫組織細胞で望ましくない細胞を攻撃する方法  （米国特許番号４，６７６，９８０）や、ＨＩＶ感染の治療（ＷＯ  ９１／００３６０；  ＷＯ  ９２／２００３７３；  ＥＰ  ０３０８９）が提案されている。そういう抗体は、合成蛋白化学で良く知られている方法（例えば架橋結合物質等を使う方法）を使って、試験管内で準備できると考えられている。例えば、免疫毒素は、ジスルフィド交換反応を使って、又はチオエーテル結合を形成することにより構築できる。この目的に適した試薬は例えば、イミノチオレート、メチル−４−メルカプトブチルイミデート、米国特許番号４，６７６，９８０に掲載された試薬などである。
【０３５６】
（５．１３．８  作動体（奏効体）機能工学）
本発明の抗体は、作動体機能の面で調整するのが望ましい。これは例えば、癌治療などの際に抗体の効果を高めるためである。例えば、シスチン残基をＦｃ部位に導入し、分子内Ｓ−Ｓ結合形成をその部位で行わせる。このようにして作られたホモダイマーの抗体は、内在化能力を高めたり、補体媒介の細胞死滅や抗体依存の細胞毒性を増大させたりできる。Ｃａｒｏｎ等，  Ｊ．  Ｅｘｐ．  Ｍｅｄ．，  １７６：  １１９１−１１９５  （１９９２）；  Ｓｈｏｐｅｓ，  Ｊ．  Ｉｍｍｕｎｏｌ．，  １４８：  ２９１８−２９２  （１９９２）を参照のこと。抗癌作用を強められたホモダイマー抗体は、Ｗｏｌｆｆ等，  癌研究，  ５３：  ２５６０−２５６５  （１９９３）に述べられているように、ヘテロ・二作用架橋結合剤を使って準備することも可能である。Ｆｃ二重部位を持つ抗体を作り、補体溶解やＡＤＣＣ能力を増進することも可能である。Ｓｔｅｖｅｎｓｏｎ等，  抗癌薬設計，  ３：２１９−２３０  （１９８０）を参照のこと。
【０３５７】
（５．１３．９  免疫共役）
本発明は、化学療法剤、毒素（例えば細菌、カビ、植物、動物、又はそれらの断片由来の酵素学的に活発な毒素）、放射性アイソトープ（つまり放射性共役）のような細胞毒性物質を抗体と結合させた免疫共役とも関係している。
【０３５８】
そういう免疫共役の生成に用いられる化学療法剤は、上述の通りである。酵素学的に活性な毒素及びその断片は例えば、ジフテリアＡ鎖、ジフテリア毒の非結合活性断片、エクソトキシンＡ鎖（Ｐｓｅｕｄｏｍｏｎａｓ  ａｅｒｕｇｉｎｏｓａ由来）、リシンＡ鎖、アブリンＡ鎖、モデシンＡ鎖、アルファ・サルシン、Ａｌｅｕｒｉｔｅｓ  ｆｏｒｄｉｉ蛋白、ｄｉａｎｔｈｉｎ蛋白、Ｐｈｙｔｏｌａｃａ  Ａｍｅｒｉｃａｎａ  蛋白（ＰＡＰＩ，  ＰＡＰＩＩ，  及びＰＡＰ−Ｓ）、ｍｏｍｏｒｄｉｃａ  ｃｈａｒａｎｔｉａ阻害剤、クルシン、クロチン、ｓａｐａｏｎａｒｉａ  ｏｆｆｉｃｉｎａｌｉｓ阻害剤、ゲロニン、ミトゲリン、レストリクトシン、フェノマイシン、エノマイシン、トリコテシン等である。放射性共役抗体の生成には、２１２Ｂｉ，  １３１Ｉ，  １３１Ｉｎ，  ９０Ｙ，  １８６Ｒｅのような数多くの放射性核種が入手可能である。
【０３５９】
抗体と細胞毒性物質との結合には、種々の二作用性蛋白結合剤が使われる。二作用性蛋白結合剤には、Ｎ−サクシンイミジル‐３‐（２‐ピリジルジチオール）プロピオン酸塩（ＳＰＤＰ）、イミノチオレーン（ＩＴ）、イミドエステルの二作用性誘導体（ジメチル・アジピミデートＨＣＬ等）、活性エステル（ジサクシンイミジル・スベリン酸塩等）、アルデヒド（グルタルアルデヒド等）、ビスアジド化合物（ビス（Ｐ−アジドベンゾイル）へキサンジアミン等）、ビス‐ジアゾニウム誘導体（ビス‐（Ｐ‐ジアゾニウムベンゾイル）エチレンジアミン等）、ジイソシアン酸塩（トリエン２，６−ジイソシアン酸塩等）、ビス活性フッ素化合物（１，５−ジフルオロ‐２，４‐ジニトロベンゼン等）等がある。例えば、リシン免疫毒素は、Ｖｉｔｅｔｔａ等，  Ｓｃｉｅｎｃｅ，  ２３８：  １０９８  （１９８７）に述べられている方法で準備できる。炭素１４標識の１−イソチオシアナトベンジル−３−メチルジエチレン・トリアミンペンタ酢酸（ＭＸ−ＤＴＰＡ）は、放射性核種と抗体との結合用の典型的なキレート剤である。ＷＯ９４／１１０２６を参照のこと。
【０３６０】
腫瘍攻撃の準備のために、抗体とストレプタビジンのような「受容体」を共役結合させることも可能である。その場合、抗体・受容体共役体が患者に投与され、その後で結合しなかった共役体は、清澄剤を使い、それからアビジン等の「配位子」（細胞毒素と結合する）を投与することによって、循環器系から除去される。
【０３６１】
（５．１４    コンピューター読取り可能な配列）
一応用例として、本発明のヌクレオチド配列は、コンピューター読取り可能媒体上に記録できる。本文書で使用される「コンピューター読取り可能媒体」と言うのは、コンピューターにより読取り及びアクセスが可能な媒体全てを意味している。例えばフロッピー（登録商標）ディスクのような磁気記憶媒体、ハードディスク記憶媒体、磁気テープ、ＣＤ−ＲＯＭのような光学記憶媒体、ＲＡＭやＲＯＭのような電子記憶媒体、磁気記憶媒体や光学記憶媒体等のハイブリッド等である。本発明のヌクレオチド配列を記録したコンピューター読取り媒体製品を製作するには、現在知られているコンピューター読取り媒体の中のどれをどのように使えば良いか、有能な技師であればすぐに分かるはずである。本文書で使用されている「記録される」という言い回しは、コンピューター読取り媒体に情報を保存するプロセスに言及している。有能な技師であれば、コンピューター読取り媒体に情報を記録する方法をどれでもすぐに採用して、本発明のヌクレオチド配列情報を含む製品を製作できるはずである。
【０３６２】
有能な技師は、本発明のヌクレオチド配列を記録するコンピューター読取り媒体を、色々なデータ記憶構造体を使って製作できる。どのデータ記憶構造体を選択するかは、通常記録された情報にアクセスする手段により決定される。更に、色々なデータ処理プログラムやフォーマットを使って、本発明のヌクレオチド配列情報をコンピューター読取り媒体上に記録できる。配列情報は、ワードパーフェクトやマイクロソフト・ワードのように商業用のソフトでフォーマットされたワープロ・テキストファイルで表すこともできるし、ＤＢ２、Ｓｙｂａｓｅ、オラクルのようなデータベースの形式のＡＳＣＩＩで表すことも可能である。有能な技師であれば、データ処理構造のフォーマット（テキストファイルかデータベース）を使って、本発明のヌクレオチド配列情報を記録したコンピューター読取り媒体をすぐに得ることができる。
【０３６３】
ＳＥＱ  ＩＤ  ＮＯ：    １−２、４−５、７、  １６−１８、２０−２１、２３、３５−３６、３８−３９、４１、４７−４９、５１、６３−６５、または６７その代表的な断片、又はＳＥＱ  ＩＤ  ＮＯ：  １−２、４−５、７、  １６−１８、２０−２１、２３、３５−３６、３８−３９、４１、４７−４９、５１、６３−６５、または６７のヌクレオチド配列と少なくとも９５％同一であるヌクレオチド配列を、コンピューター読取り可能な形で提供することにより、有能な技師は、その配列情報をいつでも好きな時に色々な目的のためにアクセスできる。コンピューター読取り媒体の形で提供される配列情報をアクセス可能にするコンピューター・ソフトは、市販のものでいくらでも入手可能である。以下の例は、Ｓｙｂａｓｅシステム上でＢＬＡＳＴ（Ａｌｔｓｃｈｕｌ等，  Ｊ．  Ｍｏｌ．  Ｂｉｏｌ．  ２１５：  ４０３−４１０  （１９９０））  及びＢＬＡＺＥ（Ｂｒｕｔｌａｇ等，  Ｃｏｍｐ．  Ｃｈｅｍ．  １７：  ２０３−２０７  （１９９３））探索アルゴリズムを実行するソフトを使って、核酸配列内のオープン・リーディング・フレーム（ＯＲＦ）の確認を行う方法を示している。そういうＯＲＦは、蛋白質をコードした断片であるかも知れないし、発酵反応に使われる酵素や、商業的に有用な代謝産物の生産に使われる酵素等、商業的に重要な蛋白質の生産に使用されるかも知れない。
【０３６４】
本文書に述べられている「コンピューター利用システム」という語は、本発明のヌクレオチド配列情報を分析するのに使われるハード、ソフト、及びデータ記憶手段を意味している。本発明のコンピューター利用システムにとって最低限必要なハードは、中央処理装置（ＣＰＵ）、インプット装置、アウトプット装置、そしてデータ記憶装置である。有能な技師であれば、現在入手可能なコンピューター利用システムのうち、本発明の使用に適しているのがどれであるかすぐ判断できる。上述の如く、本発明のコンピューター利用システムは、本発明のヌクレオチド配列を記録したデータ記憶装置、及び探索手段の支援と実行に必要なハードとソフトの装置で構成される。
【０３６５】
本文書で使用される「データ記憶装置」という用語は、本発明のヌクレオチド配列情報を記録できる記憶装置（メモリー）か、本発明のヌクレオチド配列情報を記録している製品にアクセスするメモリー・アクセス装置のいずれかを意味している。
【０３６６】
本文書に使用される「探索手段」という用語は、標的配列又は標的構造モチーフとデータ記憶装置に記録した配列情報とを比較するために、コンピューター利用システム上で実行される１つ又は複数のプログラムを意味している。探索手段は、特定の標的配列又は標的モチーフと一致する断片や既知の配列部位を同定するのに使用される。色々なアルゴリズムが既に商業化されているし、本発明のコンピューター利用システムに利用可能な探索手段実行用ソフトも数多く市販されている。そういうソフトには例えば、ｓｍｉｔｈ−Ｗａｔｅｒｍａｎ、ＭａｃＰａｔｔｅｒｎ  （ＥＭＢＬ）、ＢＬＡＳＴＮ、ＢＬＡＳＴＡ  （ＮＰＯＬＹＰＥＰＴＩＤＥＩＡ）等がある。有能な技師であれば、相同性探索用の種々のアルゴリズム又は実行ソフト・ユニットのうちいずれが、本発明のコンピューター利用システムに利用できるかすぐ判断できるはずである。本文書で使われる「標的配列」という用語は、全ての核酸、６つ又はそれ以上のヌクレオチドのアミノ酸配列、あるいは２つ又はそれ以上のアミノ酸のアミノ酸配列を意味している。標的配列は長ければ長いほど、データベースの中でランダムには起きにくいということが、有能な技師ならすぐに分かるはずである。標的配列のうち最も好ましい配列の長さは、約１０乃至１００のアミノ酸、又は約３０乃至３００のヌクレオチド残基である。しかし既に良く知られていることであるが、遺伝子発現や蛋白質処理等に関連する配列断片のような商業的に重要な断片の探索は、かなり短い長さで行われるかも知れない。
【０３６７】
本文書に使用される「標的構造モチーフ」又は「標的モチーフ」という用語は、理性的に選択された配列又は配列の組み合わせのことであり、その配列は、標的モチーフのひだ上に形成される３次元構造に基づいて選ばれる。医学業界では色々な種類の標的モチーフが知られている。蛋白質の標的モチーフは、例えば、酵素の活性部位やシグナル配列などである。核酸の標的モチーフには、プロモーター（促進因子）配列、ヘアピン構造、誘発性発現要素（蛋白質結合配列）等が含まれる。
【０３６８】
（５．１５  三重へリックス形成）
更に、本発明の断片は、広い意味では、三重へリックス形成またはアンチセンスＤＮＡ／ＲＮＡを通して遺伝子発現をコントロールするのに使用できる。両方法とも、ポリヌクレオチド配列のＤＮＡ又はＲＮＡ結合に基づいている。こういう使用方法に適したポリヌクレオチドは、ふつう塩基の長さが２０乃至４０であり、転写に関係する遺伝子部位（三重へリックス‐Ｌｅｅ等，  Ｎｕｃｌ．  Ａｃｉｄｓ  Ｒｅｓ．  ６：  ３０７３  （１９７９）；  Ｃｏｏｎｅｙ等，  Ｓｃｉｅｎｃｅ，  １５２４１：  ４５６  （１９８８）；  Ｄｅｒｖａｎ等，  Ｓｃｉｅｎｃｅ，  ２５１：  １３６０  （１９９１）を参照のこと）、又はｍＲＮＡ自体（アンチセンスＯｌｍｎｏ，  Ｊ．  Ｎｅｕｒｏｃｈｅｍ．  ５６：  ５６０  （１９９１）；遺伝子発現のアンチセンス阻害剤としてのオリゴデオキシヌクレオチド、ＣＲＣプレス、ボカレイトン、フロリダ（１９８８））に相補性を持って設計されている。三重へリックス形成は、ＤＮＡからＲＮＡ
への転写を最適条件で遮断し、アンチセンスＲＮＡハイブリディゼーション法はｍＲＮＡ分子のポリペプチドへの翻訳を阻止する。両技術とも、モデル・システムにおいて有効であることが証明されている。本発明の配列に含まれる情報は、アンチセンス又は三重へリックスオリゴヌクレオチドの設計には必要である。
【０３６９】
（５．１６    診断用分析及び用具）
本発明は、核酸プローブ又は本発明の抗体（適当な標識化可能）を使用することにより、本発明の１つのＯＲＦ又はその同族体の存在又は発現を、試験サンプル中で同定する方法も提供する。
【０３７０】
本発明のポリヌクレオチドを検出する方法であるが、普通は、ポリヌクレオチドに結合し複合体を形成する化合物をその複合体の形成に必要な時間サンプルと接触させ、その後でその複合体を検出する。その結果、もし複合体が存在すれば、本発明のポリヌクレオチドもサンプルの中に検出されることになる。その方法では更に、ハイブリディゼーションの厳しい条件の下に、そういう条件下で本発明のポリヌクレオチドをアニールする核酸プライマーにサンプルを接触させ、それからアニール化されたポリヌクレオチドを増幅させる。もしポリヌクレオチドが増幅すれば、本発明のポリヌクレオチドがサンプル中に検出されることになる。
【０３７１】
本発明のポリペプチドを検出する方法であるが、普通は、ポリペプチドに結合し複合体を形成する化合物をその複合体の形成に必要な時間サンプルと接触させ、その後でその複合体を検出する。その結果、もし複合体が存在すれば、本発明のポリペプチドもサンプルの中に検出されることになる。
【０３７２】
こういう方法は更に詳細に説明すると、試験サンプルを本発明の抗体の１つ又はそれ以上、又は核酸プローブの１つ又はそれ以上と定温培養させ、その後、試験サンプルの成分と核酸プローブか抗体との結合状態を分析する。
【０３７３】
核酸プローブか抗体を試験サンプルと共に定温培養する条件は様々である。培養条件は、分析に使われるフォーマット、検出方法、分析に使用される核酸プローブか抗体の種類及び性質に依存している。医療技術の訓練を受けた人は、一般に入手可能なハイブリディゼーション、増幅、又は免疫学的検定フォーマットのうちのいずれが、本発明の核酸プローブ又は抗体の使用に適しているかをすぐに判定できる。そういう検定は、Ｃｈａｒｄ，  Ｔ．，  放射性免疫検定及び関連技術入門、エルセヴィア・サイエンス出版社、アムステルダム、オランダ（１９８６）；Ｂｕｌｌｏｃｋ，  Ｇ．Ｒ．等、免疫細胞化学技術、アカデミック・プレス、オーランド、フロリダ、第１巻（１９８２）、第２巻（１９８３）、第３巻（１９８５）；Ｔｉｊｓｓｅｎ，  Ｐ．，  免疫学的検定法の実践と理論：生化学及び分子生物学に於ける実験技術、エルセヴィア・サイエンス出版社、アムステルダム、オランダ（１９８５）等に説明されている。本発明の試験サンプルとしては、細胞、細胞の蛋白質又は膜抽出物、生体液（痰、血液、血清、血漿、尿等）等がある。上述の方法に使用される試験サンプルは、検定フォーマット、検出方法の性質、検定のサンプルとして使われる細胞組織、細胞、又は抽出物の性質等により異なっている。細胞の蛋白抽出物又は膜抽出物の準備方法は医学界では良く知られており、調整も容易であるから、利用システムに適したサンプルをすぐ得ることができる。
【０３７４】
本発明の別の応用面では、本発明の検定を実行するのに必要な試薬を含む器具が一式提供される。特に本発明は、１つ又は複数の容器を入れる区画用具が提供される。それは以下の内容で構成されている：（１）最初の容器は本発明のプローブ又は抗体のうちの１つを含む；（２）別の１つ又はそれ以上の容器は、洗浄試薬、結合プローブ又は抗体の存在を検出できる試薬のうち１つを含む。
【０３７５】
更に詳細に説明すると、区画用具には、試薬を各々異なる容器に入れている用具全てが含まれる。そういう容器には、小さいガラス容器、プラスチック容器、又はプラスチックや紙の切れ端が入っている。そういう容器を使うと、試薬を１つの区画用具から別の区画用具に効果的に移すことができる。試薬もサンプルも混じり合うことがないし、各容器に入っている物質や溶液を定量的に、１つの区画用具から別の区画用具へ加えることも可能である。そういう容器としては、試験サンプルを入れる容器、検定に使用される抗体を入れる容器、洗浄試薬（リン酸塩緩衝塩水、トリス緩衝液等）を入れる容器、結合抗体やプローブを検出するのに使われる試薬を入れた容器等がある。検出試薬には、標識された核酸プローブ、標識された二次抗体、あるいは一次抗体が標識されている場合は、標識された抗体と反応可能な酵素又は抗体の結合試薬が含まれる。医学技術に優れた人は、本発明で開示されたプローブ又は抗体が、当業界で良く知られている用具フォーマットのいずれに適しているかすぐ分かるはずである。
【０３７６】
（５．１７    医療画像）
本発明の新しいポリペプチド及び結合剤は、本発明の分子を発現する部位の医療画像にとって有益である（例えば本発明のポリペプチドが免疫反応に関係している場所、炎症又は感染部分の画像等）。例えば、Ｋｕｎｋｅｌ等、米国特許番号５，４１３，７７８を参照のこと。そういう方法には、標識薬又は画像剤の化学的付着、製薬学的に承認できる担体中の対象へ標識ポリペプチドを投与、生体内の標的部位で標識ポリペプチドの画像を撮る等のプロセスが関係している。
【０３７７】
（５．１８    スクリーニング分析法）
本発明は、その単離蛋白質及びポリヌクレオチドを使うことにより、ＯＲＦ（ＳＥＱ  ＩＤ  ＮＯ：  １−２、  ４−５、  ７、  １６−１８、  ２０−２１、  ２３、  ３５−３６、  ３８−３９、  ４１、  ４７−４９、  ５１、  ６３−６５または  ６７  で説明されているヌクレオチド配列のいずれかと対応）によりコードされているポリペプチドと結合した物質、又はその核酸によりコードされたポリペプチドの特異領域と結合している物質を獲得・同定する方法も提供する。上記方法の詳細は、以下の段階で構成される。
【０３７８】
（ａ）本発明のＯＲＦによりコードされた単離蛋白質をある物質に接触させる。
【０３７９】
（ｂ）その物質が上記蛋白質又は上記核酸と結合するかどうか決定。
従って普通、本発明のポリヌクレオチドに結合する化合物を同定する方法は、本発明のポリヌクレオチドと化合物をポリヌクレオチド／化合物複合体を形成するのに必要な時間接触させ、それからその複合体を検出する。そうすることにより、もしポリヌクレオチド／化合物複合体が検出されれば、本発明のポリヌクレオチドに結合する化合物が同定される。
【０３８０】
従って同様に普通、本発明のポリペプチドに結合する化合物を同定するには、本発明のポリペプチドと化合物をポリペプチド／化合物複合体を形成するのに必要な時間接触させ、それからその複合体を検出する。そうすることにより、もしポリペプチド／化合物複合体が検出されれば、本発明のポリヌクレオチド（ママ）に結合する化合物が同定される。
【０３８１】
本発明のポリペプチドに結合する化合物を同定する方法として、更に、本発明のポリペプチドと化合物を細胞中で、ポリペプチド／化合物複合体を形成するのに必要な時間接触させる方法もある。その場合、その複合体は細胞の受容体の遺伝子配列の発現を促すので、受容体の遺伝子配列の形質発現を検出すればその複合体を検出できる。その結果、もしポリペプチド／化合物複合体が検出されれば、本発明のポリペプチドに結合する化合物が同定される。
【０３８２】
こういう方法で同定される化合物には、本発明のポリペプチドの活動を調整する化合物（つまりその化合物がない場合の活動と比べポリペプチドの活動を増大させたり減少させたりする化合物）も含めることができる。こういう方法で同定される化合物の中には、本発明のポリヌクレオチドの活動を調整する化合物（つまりその化合物がない場合の発現レベルと比べ形質発現を増大させたり減少させたりする化合物）を含めることも可能である。本発明の方法を使って同定されるような化合物は、医学技術で既に知られている標準検定方法を用いて、活動や形質発現の調整能力を試験することが可能である。
【０３８３】
上述の方法でスクリーニングされる物質には、ペプチド、炭水化物、ビタミン誘導体、製薬学上のその他の物質が含まれる。そういう物質は、無作為に選別したりスクリーニングを行ったりできる。あるいは蛋白質モデリング技術を使って、理性的に選別したり設計したりすることも可能である。
【０３８４】
無作為スクリーニングの場合、ペプチド、炭水化物、製薬学上の物質等は無作為に選択され、本発明のＯＲＦによりコードされている蛋白質へ結合する能力について検定される。物質は理性的に選別又は設計することも可能である。本文書では、ある物質が特定の蛋白質の構造に基づいて選択される時、その物質は「理性的に選別又は設計される」と呼ぶ。例えば、医療技術の訓練を受けた人は、既存の方法を適用して、特定のペプチド配列に結合する能力を持つペプチドや製薬学上の物質を容易に生産し、ひいては理性的に設計されたアンチペプチド（ママ）・ペプチド（例えばＨｕｒｂｙ等、合成ペプチドの応用：アンチセンス・ペプチド、合成ペプチド、使用者ガイド、Ｗ．  Ｈ．  Ｆｒｅｅｍａｎ，  ＮＹ  （１９９２）  ２８９−３０７頁、及びＫａｓｐｃｚａｋ等、生化学２８：９２３０−８（１９８９）を参照のこと）、又は製薬学上の物質を作ることができる。
【０３８５】
前述の内容の他に、広義の意味で、本発明のあるクラスの物質は、本発明のＯＲＦ又はＥＭＦの１つへの結合を通して、遺伝子発現をコントロールするために使用できる。上述通り、そういう物質は無作為にスクリーニングしても良いし、理性的に設計・選別しても良い。医療技術者は、ＯＲＦ又はＥＭＦを標的にすることにより、単一のＯＲＦ又は複数のＯＲＦ（いずれも発現コントロールの面で同じＥＭＦに依存）の発現を調整し、配列特異性又は要素特異性の物質を設計することができる。あるクラスのＤＮＡ結合物質は、ＤＮＡ又はＲＮＡに結合することにより三重へリックスを形成する塩基の残基を含んでいる。そういう物質は、古典的なホスホジエスター、リボ核酸バックボーンに基づかせても良いし、塩基付着能力を有する色々なスルフヒドリル誘導体又は重合誘導体でも良い。
【０３８６】
こういう方法に適した物質は、普通２０乃至４０の塩基を含んでおり、転写に関係する遺伝子部位に相補的であるように（三重へリックス‐Ｌｅｅ等，  Ｎｕｅｌ．  Ａｃｉｄｓ．  Ｒｅｓ．  ６：３０７３  （１９７９）；  Ｃｏｏｎｅｙ等，  Ｓｃｉｅｎｃｅ，  ２４１：４５６  （１９８８）；  及びＤｅｒｖａｎ等，  Ｓｃｉｅｎｃｅ  ２５１：  １３６０  （１９９１）を参照のこと）、あるいはｍＲＮＡ自体に相補的であるように（アンチセンスＯｋａｎｏ，  Ｊ．  Ｎｅｕｒｏｃｈｅｍ．  ５６：５６０  （１９９１）；遺伝子発現のアンチセンス抑制剤としてのオリゴデオキシヌクレオチド、ＣＲＣプレス、ボカレイトン、フロリダ（１９８８））設計されている。三重ヘリックス形成はＤＮＡからＲＮＡへの転写阻害の面で最高の結果をもたらし、アンチセンスＲＮＡハイブリディゼーションはｍＲＮＡをポリペプチドに翻訳するプロセスを阻害する。両技術とも、モデル・システムに於いて有効であることが証明されている。本発明の配列に含まれる情報は、アンチセンス、三重ヘリックス・オリゴヌクレオチド、その他のＤＮＡ結合物質の設計にとって必要である。
【０３８７】
本発明のＯＲＦの１つによりコードされている蛋白質に結合する物質は、診断薬として用いることができる。本発明のＯＲＦの１つによりコードされている蛋白質に結合する物質は、製薬学的な化合物の生成に使われる既知の技術に基づいて調剤可能である。
【０３８８】
（５．１９    プローブとしての核酸の利用）
本発明の別の様相は、自然界で得られるヌクレオチド配列を使ってハイブリダイズできるポリペプチド特異的核酸交配プローブを提供することにある。本発明の交配プローブは、ヌクレオチド配列ＳＥＱ  ＩＤ：１−２、４−５、７、  １６−１８、２０−２１、２３、３５−３６、３８−３９、４１、４７−４９、５１、６３−６５、または６７  のうち任意のものから得られる。対応する遺伝子は限られた数の組織にしか発現されないので、ヌクレオチド配列ＳＥＱ  ＩＤ：１−２、４−５、７、  １６−１８、２０−２１、２３、３５−３６、３８−３９、４１、４７−４９、５１、６３−６５、または６７  の任意の物から得られたハイブリダイゼーションプローブは、試料中のそのような組織細胞タイプのＲＮＡの存在を示す指標として使うことができる。
【０３８９】
例えば、原位置ハイブリダイゼーションのような適切なハイブリダイゼーション手法を使うことができる。米国特許４，６８３，１９５と４，９６５，１８８に述べられたＰＣＲは、ヌクレオチド配列に基づくオリゴヌクレオチドの別な用途も提供する。ＰＣＲに用いられるそのようなプローブは組み換え法により生成されるか、化学的に合成されるか、またはその混合法により生成される。プローブは、同一配列の検知のため異なるヌクレオチド配列で構成されるか、密接に関係したゲノム配列識別のため可能配列の退化プールで構成される。
【０３９０】
核酸に特異的なハイブリダイゼーションプローブを生成する他の方法には、ｍＲＮＡプローブの生成のために核酸配列をベクターの中にクローン化する方法が含まれる。そのようなベクターは、当業者に知られており、商業的に入手可能であり、Ｔ７として適切なＲＮＡポリメラーゼまたはＳＰ６  ＲＮＡポリメラーゼおよび適切に放射態ラベルがつけられたヌクレオチドを追加することによって、体外でＲＮＡプローブを合成するのに使用できる。  ヌクレオチド配列は、各々のゲノム配列をマップするためのハイブリダイゼーションプローブを構成するために使用することができる。本発明で提供されるヌクレオチド配列は、一般に知られた遺伝子および／または染色体地図作成手法によってある染色体または染色体の特定領域に対してマップすることができる。これらの手法には、原位置ハイブリダイゼーション、既知の染色体マーカーに対するリンケージ分析、既知の染色体に特異的なフロー分類が施された染色体標本またはライブラリーを使ったハイブリダイゼーションスクリーニングなどがある。染色体分布の蛍光原位置ハイブリダイゼーションの手法は、バーマほか  （１９８８）  Ｈｕｍａｎ  Ｃｈｒｏｍｏｓｏｍｅｓ：Ａ  Ｍａｎｕａｌ  ｏｆ  Ｂａｓｉｃ  Ｔｅｃｈｎｉｑｕｅｓ，  Ｐｅｒｇａｍｏｎ  Ｐｒｅｓｓ，  Ｎｅｗ  Ｙｏｒｋ  ＮＹ．（ヒトの染色体：  基本手法のマニュアル、パーガモンプレス、ニュ−ヨーク州ニューヨーク市）にも説明されている。
【０３９１】
染色体標本の蛍光原位置ハイブリダイゼーションおよびその他の物理染色地図作成手法は、付加遺伝子地図データによって照合することができる。遺伝子地図データの例は、１９９４  Ｇｅｎｏｍｅ  Ｉｓｓｕｅ  ｏｆ  Ｓｃｉｅｎｃｅ  （ゲノム特集号Ｓｃｉｅｎｃｅ誌）（２６５：１９８１ｆ）  に示されている。物理的な染色体地図上の核酸の位置と特定の疾病（または特定の疾病に対する体質）の相関性は、その特定の疾病と関連するＤＮＡの領域を限定する上で役立つ。本発明のヌクロチド配列は正常者、保菌者または患者の間の遺伝子配列の違いを検知するのに使うことができる。
【０３９２】
（５．２０    支持体に固定されたオリゴヌクレオチドの作製）
オリゴヌクレオチド、すなわち、核酸の小セグメントは、例えば自動オリゴヌクレオチド合成装置を使って、つまり一般的に行われているオリゴヌクレオチドの直接化学合成によって、容易に作成することができる。
【０３９３】
支持固定されたオリゴヌクレオチドは、当業者には良く知られたガラス、ポリスチレンまたはテフロン（登録商標）のような適当な支持体を使う方法によって標本を作成することができる。１つの方法は、標準的な合成装置を使って合成されたオリゴヌクレオチドを正確に見分ける方法である。固定方法としては、受動的吸着（井上および本道、１９９０  Ｊ．  Ｃｌｉｎ  Ｍｉｃｒｏｂｉｏｌ  ２８（６）  １４６２−７２）；紫外線）（永田ほか、１９８５；ダーレンほか、１９８７、モリセイおよびコリンズ、Ｍｏｌ．Ｃｅｌｌ  Ｐｒｏｂｅｓ  １９８９  ３  （２）  １８９−２０７）または塩基を修飾したＤＮＡの共有結合（ケラほか、１９８８；  １９８９）などがあり、ここに挙げた参考文献は本出願の一部とする。
【０３９４】
別の方法は、リンカーとして強力なバイオチンとストレプタビジンの相互作用を使う方法もある。例えば、ブルーデほか．（１９９４）  Ｐｒｏｃ．Ｎａｔｌ．  Ａｃａｄ．  Ｓｃｉ  ＵＳＡ  ９１（８）  ３０７２−６は、バイオチニル化されたプローブの利用について述べており、それらは二重プローブであるストレプタビジン被覆された磁気ビーズで固定されている。  ストレプタビジンを被覆したビーズはオスローのディナール社から購入することができる。もちろん、同じ結合化学はストレプタビジンを持つ表面の被覆用として応用できる。バイオチニル化さニレートされた標本は、例えば、オペロン・テクノロジーズ社（カリフォルニア州アラメダ市）などのさまざまな供給源から入手できる。
【０３９５】
ナンク・ラボラトリーズ（イリノイ州ネイパービル市）からも適切な材料を入手することができる。ナンク・ラボラトリーズは、コバリンクＮＨと呼ばれるマイクロウェル面に共有結合することができる。コバルトリンクＮＨは、更なる共有結合のための橋頭堡となる第２段階のアミノグループ（＞ＨＮ）が移植されたポリスチレン面である。コバリンクモジュールは、ナンク・ラボラトリーズから購入されたものである。ＤＮＡ分子はホストアミド結合によりコバリンクの５’端にのみ結合されることが可能であり、１  ｐｍｏｌ以上のＤＮＡの固定を可能にする（ラスムッセンほか、（１９９１）  Ａｎａｌ  Ｂｉｏｃｈｅｒｎ  １９８（ｌ）  １３８−４２）。
【０３９６】
コバリンクＮＨストップを５’末端へのＤＮＡの共有結合のために使用することは公開されている（ラスムッセンら、１９９１）。この技術においては、ホスホラミデート結合が使用されている。（チユーら、１９８３  Ｎｕｃｌｅｉｃ  Ａｃｉｄｓ  １１（１８）  ６５１３−２９）これは，共有結合を１個だけ使用して固定するという利点がある。ホスホラミデート結合は、長さ２  ｎｍのスペーサーアームを介して、ポリスチレン表面に共有結合的に移植されているスペーサーアームの端部に位置しているコバリンクＮＨ第２アミノグループにＤＮＡを結合する。ホスホラミデート結合を経由してコバリンクＮＨにオリゴヌクレオチドをリンクするためには、オリゴヌクレチドターミナルは５’端リン酸塩グループを持っていなければならない。たぶんビオチンをコバリンクに共有結合し、ストレプタビジンをプローブの結合のために使うことも可能である。
【０３９７】
さらに詳しくは、このリンク方法はＤＮＡを水（７．５  ｎｇ／ｕｌ）に溶解し、１０分間９５℃で変性し、氷で１０分間冷やす過程を含む。次に、氷で冷やした０．１  Ｍ  １−メチルイミダゾール、ｐＨ  ７．０  （１−ＭｅＩｍ７）を加えて、最終的な濃度を１０  ｍＭ  Ｉ−ＭｅＩｍ７．とする。ｓｓ  ＤＮＡ溶液を次に氷冷却中のコバリンクＮＨストリップ（７５  ｕｌ／ｗｅｌｌ）に供給する。
【０３９８】
カーボジイミド０．２  Ｍエチル−３−（３−ジメチルアミノプロピル）−カーボジイミド（ＥＤＣ）を１０  ｍＭ  １−ＭｅＩｍ７  に溶解したものを新たに作り、ウエルあたり２５  ｕｌ  を加えた。ストリップは５０℃で５時間培養した。培養後、ストリップを例えばヌンク−イムノウォッシュを使って洗った。最初に、ウエルを３回洗い、その後５分間洗浄液に浸漬し、最後に３回洗浄された（そのとき、洗浄液は５０℃に温めた０．  ４  Ｎ  ＮａＯＨ，  ０．２５  ％  ＳＤＳであった）。
【０３９９】
本発明にとってさらに適した方法は、ＰＣＴ特許申請ＷＯ  ９０／０３３８２（サザン＆マスコス）で公開されたもので、ここに言及することにより、本出願の一部とする。支持体に固定したオリゴヌクレオチドを作成するこの方法では、ヌクレオシド３’−試薬をリン酸塩を介して共有結合ホスホジエステル・リンクにより、支持体で支えられた脂肪族ヒドロオキシルグループに付加する方法も含まれる。
【０４００】
次にオリゴヌクレオチドは、支持されたヌクレオシド上で合成され、支持体からオリゴヌクレオチドを切断しない標準状態の下で、合成されたオリゴヌクレオチド鎖から外される。適切な試薬としては、ヌクレオシドホスホラミダイトおよびヌクレオシド水素ホスホレートが含まれる。
【０４０１】
ＤＮＡプローブアレイの作成のために、チップ上でＤＮＡプローブ作成を行うことができる。例えば、ガラス板上で直接アドレス指定可能なレーザー起動フォトデプロテクションを実施することは、フォーダーら、（１９９１）  Ｓｃｉｅｎｃｅ  ２５１（４９９５）  ７６７−７３  に開示されたように可能であり、ここに言及することにより、本出願の一部とする。プローブをナイロン支持体の上に固定することは、ファンネスら、（１９９１）  Ｎｕｃｌｅｉｃ  Ａｃｉｄｓ  Ｒｅｓ．１９（１２）  ３３４５−５０  に開示されたように可能である。また、プローブは、ダンカンとキャバリエ、（１９８８）  Ａｎａｌ  １０Ｂｉｏｃｈｅｍ  １６９（ｌ）  １０４−８  の方法を使ってテフロン（登録商標）にリンクすることも可能である；  これらすべての参照文献は、ここに言及することにより、本申請の一部とする。
【０４０２】
オリゴヌクロチドをナイロン支持体にリンクするには、ファンネスら（１９９１）が述べるように、ナイロン表面をアルキル化によって活性化し、塩化シアヌル酸でオリゴヌクレオチドの５’−アミンを選択活性化する必要がある。
【０４０３】
支持体に固定されたオリゴヌクレオチドを作成する別の方法としては、ピーズらが（１９９４）  Ｐｒｏｃ．  Ｎａｔｌ．  Ａｃａｄ．  Ｓｃｉ  ＵＳＡ  ９１（１１）  ５０２２−６で述べた光合成法がある。これらの著者は、固定されたオリゴヌクレオチドのプローブ（ＤＮＡチップ）のアレイを作成するために最近のフォトリトグラフ法を使用している。高密度で小型化したアレイの中で光を使ってオリゴヌクレオチドプローブを合成するこれらの方法は、光不安定５’−保護Ｎ−アシル−デオキシヌクレオシド・ホスホアラミダイト、表面リンカー化学および多様組合わせ合成手法を駆使している。この方法により、空間的に２５６個に分けられたオリゴヌクレオチドプローブ・マトリクスを作成することができる。
【０４０４】
（５．２１    核酸フラグメントの標本作成）
核酸は、ｃＤＮＡｓ、ゲノムＤＮＡ、染色体ＤＮＡ、マイクロ切断染色体バンド、コスミドまたはＹＡＣ  挿入片、および増幅段階のないｍＲＮＡを含むＲＮＡなど、さまざまなソースから得られる。例えば、サムブルックら（１９８９）は、高分子量ＤＮＡを哺乳類細胞から分離するための３つのプロトコルについて述べている（ｐ．  ９．１４−９．２３）。
【０４０５】
ＤＮＡフラグメントは、Ｍ１３、プラスミドまたはラムダベクターにクローンとして、および／またはゲノムＤＮＡまたはｃＤＮＡからＰＣＲまたはその他の増幅方法によって直接作成することができる。サンプルは、マルチウェルプレート上で作成し、取り分けることができる。約１００−１０００  ｎｇのＤＮＡサンプルが最終容積２−５００  ｍｌの中に生成される。
【０４０６】
核酸は、当業者に知られている任意の方法、例えば、サンブルックら（１９８９）の９．２４−９．２８に述べられた制限酵素を使い、超音波とＮａＯＨ処理でせん断する方法で、フラグメント化される。
【０４０７】
低圧せん断法もまた、シュリーファーらが  （１９９０）  Ｎｕｃｌｅｉｃ  Ａｃｉｄｓ  Ｒｅｓ．１８（２４）  ７４５５−６  に述べたように適切である。この方法では、小型のフレンチプレッシャーセルに低圧から中圧のさまざまな圧力をかけてＤＮＡサンプルを通す。細胞に対する低圧から中圧の圧力調節はレバー装置でコントロールされる。これらの研究の結果、低圧せん断が音波や酵素ＤＮＡ断片形成法の替わりになり得ることが明らかになった。
【０４０８】
特にＤＮＡを断片化するのに適した方法としては、フィッツジェラルドら（１９９２）のＮｕｃｌｅｉｃ  Ａｃｉｄｓ  Ｒｅｓ．２０（１４）  ３７５３−６２  によって開示された２塩基識別エンドヌクレアーゼＣｖｉＪＩを使用する方法が考えられている。これらの著者は、迅速断片化を行い、彼らがショットガンクローニングおよび配列化に妥当であると考えた特性のサイズにＤＮＡを分画するための方法を説明した。
【０４０９】
制限エンドヌクレアーゼＣｖｉＪＩは、識別配列ＰｕＧＣＰｙを通常ＧとＣの間で分断して鈍端を残す。この酵素（ＣｖｉＩＬ＊＊）の特異性を変化させる特殊反応条件は、準ランダム分布したＤＮＡフラグメントを小型の分子ｐＵＣ  １９（２６８８個の塩基対）から発生させる。フィッツジェラルドら（１９２）は、この断片形成法のランダム度を迅速ゲル濾過法によってサイズ分画されたｏｆ  ｐＵＣ  １９のＣｖｉＪＩ＊＊  ダイジェストを使用し、端部補修することなく、ラックＺマイナスＭ１３クローニングベクターに直接連結することにより、定量的に評価した。７６個のクローンの配列分析の結果、ＰｕＧＣＰｙに加えてＣｖｉＪＩ＊＊  はｐｙＧＣＰｙとＰｕＧＣＰｕを制限し、新しい配列データはランダム断片化と一致する割合で累積されることが分かった。
【０４１０】
文献に報告されているとおり、この方法の長所は、音波破砕およびアガローズゲル分断法に比べて：ＤＮＡの必要量が少ないこと（２−５  ｕｇの代わりに０．２−０．５  ｕｇ）；処理ステップが少ない（予備連結、端部修復、化学的抽出、またはアガローズゲル電気泳動および溶出などが不要）という点が挙げられる。
【０４１１】
核酸フラグメンツの入手・作成方法の如何にかかわらず、ＤＮＡを変性してハイブリダイゼーションのための一本鎖を提供することが重要である。これはＤＮＡ溶液を８０−９０℃で２−５分間培養することによって達成される。この溶液を次に２℃まで急速冷却し、ＤＮＡフラグメントがチップに接触するまでに復元するのを防ぐ。リン酸塩グループは当業者に知られた方法でゲノムＤＮＡから除去されなければならない。
【０４１２】
（５．２２    ＤＮＡアレイの標本作成）
アレイは、例えばナイロン膜のような支持体の上にＤＮＡサンプルをスポッティングすることによって作成することができる。スポッティングは、金属製ピンのアレイ（その位置はマイクロタイタープレートのウェルのアレイに対応する）を使い、約２０  ｎｌのＤＮＡ溶液をナイロン膜に繰り返し移すことで行うことができる。オフセットプリンティングにより、ウェルの密度以上のドット密度が得られる。使用されるラベルに応じて１  ｍｍ２  当たり１ないし２５ドットを設けることができる。あらかじめ選ばれた特定の行と列にスポットするのを避けることにより、別のサブセット（サブアレイ）を形成することができる。１つのサブアレイ中のサンプルは、異なる個人のＤＮＡの同じゲノムセグメント（または同じ遺伝子）であっても良いし、異なるオーバーラップしたゲノムクローンでも良い。各サブアレイは同じサンプルのレプリカスポッティングを表していても良い。ある例では、選ばれた遺伝子セグメントは６４人の患者から増幅されたものである。各患者に対して、増幅された遺伝子セグメントが１枚９６のウェルプレート上にあっても良い（全９６ウェルが同じサンプルを持っている）。６４人の患者１人１人に１枚のプレートが準備される。９６ピンの装置を使うと、すべてのサンプルが１枚の８  ｘ  １２  ｃｍの膜にスポットされる。サブアレイには各患者から１つずつ、合計６４サンプルを設けることもできる。９６のサブアレイが同一であるとき、ドットのスパンは１  ｍｍ２  で、サブアレイ間に１  ｍｍの間隔があるかも知れない。
【０４１３】
もう１つの方法としては、物理的なスペーサ−で分けられた膜またはプレート（イリノイ州ネイパービル市のヌンク社）を使う方法で、その場合、スペーサーは膜の上に成形されたプラスチックの格子で、その格子はマルチウェルプレート、または疎水性ストリップの底部に設けられる膜と同様なものであってもよい。固定された物理的スペーサーは、平らなリン貯蔵スクリーン、またはＸ線フィルムを露出することによって画像をとる場合には望ましくない。
【０４１４】
本発明を以下の例で説明する。この開示により、当業者は本発明の範囲の中で、さまざまな実施例や変更ができることは明らかである。したがって、本発明の広範囲な可能性は以下の例によって制限されるべきではない。本発明は、本発明の１つの側面のみを示すことを意図した実施例によって制限されるべきではなく、また、機能的に同等な組成物や方法は発明の範囲内にある。事実、ここに示す望ましい実施例を考察すれば当業者にとって本発明の実施においてさまざまな修飾や変形は可能である。したがって、本発明の範囲における唯一の制限は、提示された請求項によるものである。
【０４１５】
本発明明細書中に言及されるすべての参考文献は、参照として、ここにそれらすべてを編入し本申請の一部とする。
【０４１６】
（６．０    実施例）
（実施例  １）
ヒトｃＤＮＡライブラリーからのＳＥＱ  ＩＤ  ＮＯ  ：１、  １６、  ３５、  ４７および６３  の分離
ヒト白血球ｍＲＮＡ（ＧＩＢＣＯ  Ｌａｂｏｒａｔｏｒｉｅｓ）  （ＳＥＱ  ＩＤ  ＮＯ：  １、  ＳＥＱ  ＩＤ  ＮＯ：  １６）；乳児脳  ｍＲＮＡ（コロンビア大学）（ＳＥＱ  ＩＤ  ＮＯ：  ３５）；ヒト  乳腺ｍＲＮＡ（Ｉｎｖｉｔｒｏｇｅｎ）（ＳＥＱ  ＩＤ  ＮＯ：  ４７）；  および骨髄ｍＲＮＡ（Ｃｌｏｎｔｅｃｈ）（ＳＥＱ  ＩＤ  ＮＯ：  ６３）  から作成されたｃＤＮＡライブラリーから、標準のＰＣＲを使い、ハイブリダイゼーション配列の特徴解析によって配列を決定し、サンガー配列決定手法を応用して、複数の新規な核酸を得た。ライブラリーの挿入部は、挿入部に隣接するベクター配列に特異的プライマーを使ってＰＣＲにより増幅された。このサンプルは、ナイロンの膜にスポットされ、オリゴヌクレオチドプローブを使って配列の特徴の問い合わせを行った。これらのクローンは、類似のまたは同一の配列のグループにクラスターし、ゲル配列決定のために各グループから単一の代表クローンが選ばれた。増幅された挿入部の５’配列は典型的なサンガー配列決定プロトコル中の逆Ｍ１３配列決定プライマーを使ってディダクトした。ＰＣＲ生成物は、精製されてから、蛍光色素ターミネータサイクル配列決定にかけた。シングルパスゲル配列決定が３７７アプライドバイオシステムズを使って行われた。挿入部はこのライブラリーからは従来得られなかったものであり、また、公開されているデータベースにはない新規の配列であることが確認された。この配列はＳＥＱ  ＩＤ  ＮＯ：１、  １６、  ３５、  ４７  およびＳＥＱ  ＩＤ  ＮＯ：６３と名付けられた。
【０４１７】
（実施例  ２）
ＳＥＱ  ＩＤ  ＮＯ：２、１７、４８と  ６４のアセンブリッジ
本発明によるＳＥＱ  ＩＤ  ＮＯ２、１７、４８と  ６４と名付けられた核酸は、ＥＳＴ配列であるＳＥＱ  ＩＤ  ＮＯ：１、１６、４７または６３を各々シードとして使ってアセンブリした。次に回帰的なアルゴリズムをシードに適用して伸長することにより伸長したアセンブリッジを得て、このアセンブリに属する異なるデータベース（すなわち、Ｈｙｓｅｑ’ｓのＥＳＴ配列を含むデータベース、ｄｂＥＳＴバージョン１１４、ｇｂ  ｐｒｉ  １１４、およびＵｎｉＧｅｎｅバージョン１０  １）から追加配列を引き出した。アセンブリッジを伸長する上述のデータベースからの追加配列がそれ以上なくなったとき、アルゴリズムは停止された。構成要素配列のアセンブリッジへの組み入れは、伸長するアセンブリッジに対するＢＬＡＳＴＮヒットが３００以上のＢＬＡＳＴスコアであり、９５％より大きい同一度であることに基づいて行われた。
【０４１８】
集められた接触部に対する最も近い隣接結果は、ＦＡＳＴＸＹアルゴリズムを使い、Ｇｅｎｐｅｐｔリリース１１４に対してＰＡＳＴＡバージョン３のサーチを行うことにより得られた。ＦＡＳＴＸＹはＦＡＳＴＡアラインメントの改良版で、ｉｎ−ｃｏｄｏｎフレームシフトを可能にするものである。最も近い隣接結果は、Ｇｅｎｐｅｐｔからの各アセンブリッジに対して最も近い（また当該アセンブリがコードする翻訳されたアミノ酸配列を含む）相同体を示した。
最も近い隣接結果を以下に示す。
【０４１９】
【表１】
2004524001.tif 000002
シグナルペプチド配列とその切断部位に対してコードするアセンブリされたコンティグ内にあるヌクレオチド配列は、神経網シグナルＰＶ１．１プログラム（Ｎｅｕｒａｌ  Ｎｅｔｗｏｒｋ  ＳｉｇｎａｌＰ  Ｖ１．１）  （デンマーク工科大学生物配列分析センターによる）を使って決定される。原核および真核シグナルペプチドを同定するプロセスおよびそれらの切断部位をは、ヘンリック・ニールソン、ジェイコブ・エンゲルブレヒト、ソーレン・ブルナックおよびガンマー・フォン・ヘイネの”Ｉｄｅｎｔｉｆｉｃａｔｉｏｎ  ｏｆ  ｐｒｏｋａｒｙｏｔｉｃ  ａｎｄ  ｅｕｋａｒｙｏｔｉｃ  ｓｉｇｎａｌ  ｐｅｐｔｉｄｅｓ  ａｎｄ  ｐｒｅｄｉｃｔｉｏｎ  ｏｆ  ｔｈｅｉｒ  ｃｌｅａｖａｇｅ  ｓｉｔｅｓ（原核および真核信号ペプチドの同定およびそれらのへき開部位）”Ｐｒｏｔｅｉｎ  Ｅｎｇｉｎｅｅｒｉｎｇ，  ｖｏｌ．  １０，  ｎｏ．  １，  ｐｐ．１−６  （１９９７）によって開示されており、ここに言及することにより本申請の一部とする。ニールセンらの参考文献に示された最大Ｓスコアと平均Ｓスコアが得られて、各々のコンティグ（整列群）がアセンブリされる。予測されるシグナル配列の最初のアミノ酸から始まり、４５個のアミノ酸配列について述べる。４５個のアミノ酸のすべてが信号ペプチドを含んでいるわけではない。
【０４２０】
ＳＥＱ  ＩＤ  ＮＯ：１２について：
【０４２１】
【表２】
2004524001.tif 000003
ＳＥＱ  ＩＤ  ＮＯ：１７、４８、および６４  に対して予測されるアミノ酸配列は、翻訳された新規性のあるポリヌクレオチドを既知のポリヌクレオチドに比較することによって、ポリペプチドを選択するＦＡＳＴＹ（ｈｔｔｐ：／／ｆａｓｔａ：ｂｉｏｃｈ．ｖｉｒｇｉｎｉａ．ｅｄｕ  から入手可能）と呼ばれるソフトウェアプログラムを使って得られる（Ｗ．Ｒ．  ピアソン、Ｍｅｔｈｏｄｓ  ｉｎ  Ｅｎｚｙｍｏｌｏｇｙ（酵素学の方法），  １８３：６３−９８  （１９９０）、ここに言及することにより、本申請の一部とする）。
【０４２２】
ＳＥＱ  ＩＤ  ＮＯ：１７、４８および  ６４について
【０４２３】
【表３】
2004524001.tif 000004
（実施例  ３）
ＳＥＱ  ＩＤ  ＮＯ：５、  ２１、３６と  ４９のアセンブリッジ
新規性のあるヌクレオチド配列、ＳＥＱ  ＩＤ  ＮＯ：５、  ２１、３６と  ４９のアセンブリが、ＥＳＴ配列ＳＥＱ  ＩＤ  ＮＯ：１、１６、  ３５と  ４７を各々シードとして使って行われた。そのシードは、３’と５’末端の両方を新規プライマー（プライマー伸長）でゲル配列決定（３７７アプライドバイオシステムズ（ＡＢＩ）シーケンサー）によって伸長した。いくつかのシードもまた、Ｍａｒａｔｈｏｎ  （ＣｌｏｎｔｅｃｈのＲＡＣＥ  キット）を使ってネスト化されたプライマーとＲＡＣＥ（Ｒａｐｉｄ  Ａｍｐｌｉｆｉｃａｔｉｏｎ  ｏｆ  ｃＤＮＡ  Ｅｎｄｓ（ｃＤＮＡ末端の迅速増幅））を用いて伸長された。
【０４２４】
（実施例  ４）
ＳＥＱ  ＩＤ  ＮＯ：１８、３９  および  ６５のアセンブリッジ
ＰＨＲＡＰ（ワシントン大学）またはＣＡＰ４（パラセル）を使用して、完全長遺伝子ｃＤＮＡ配列とそのに対応する蛋白質配列はＳＥＱ  ＩＤ  ＮＯ：１７、  ３５および６３のアセンブリッジから作成された。フレームシフトや停止ゴドンの誤りは手動編集で訂正された。編集中に、ＦＡＳＴＹおよび／またはＢＬＡＳＴを使って配列をＧｅｎｂａｎｋに対してチェックした（例えば、Ｇｅｎｅｐｅｐｔリリース１１９）。編集過程で使用された可能性のある他のコンピュータプログラムとしては、ｐｈｒｅｄＰｈｒａｐおよびＣｏｎｓｅｄ（ワシントン大学）およびｅｄ−ｒｅａｄｙ、ｅｄ−ｅｘｔおよびｃｇ−ｚｉｐ−２（Ｈｙｓｅｑ，  Ｉｎｃ．）を挙げることができる。
【０４２５】
（実施例  ５）
ＳＥＱ  ＩＤ  ＮＯ：  ３、６、１９、２２、３７、  ４０、  ５０および  ６６のアセンブリッジ
ポリペプチド（ＳＥＱ  ＩＤ  ＮＯ：３）は、ＳＥＱ  ＩＤ  ＮＯ：２によって下記のようにコードされることが予測された。このポリペプチドは、翻訳された新規ポリヌクレオチドを既知のポリヌクレオチドと比較することによってポリペプチドを選択する、ＢＬＡＳＴＸと呼ばれるソフトウエアプログラムを使って予測した。最初のメチオニンはＳＥＱ  ＩＤ  ＮＯ：  ２の１１４の位置から始まり、推定停止コドンであるＴＡＧはヌクレオチド配列の１０２９の位置から始まる。
【０４２６】
ポリペプチド（ＳＥＱ  ＩＤ  ＮＯ：  ６）は以下に示すようにＳＥＱ  ＩＤ  ＮＯ：  ５によってコードされることが予測された。このポリペプチドは、翻訳された新規ポリヌクレオチドを既知のポリヌクレオチドと比較することによってポリペプチドを選択する、ＢＬＡＳＴＸと呼ばれるソフトウエアプログラムを使って予測した。初発性（開始）メチオニンはＳＥＱ  ＩＤ  ＮＯ：  ５の２８０の位置から始まり、推定停止コドンであるＴＡＧはヌクレオチド配列の７６６の位置から始まる。
【０４２７】
ＳＥＱ  ＩＤ  ＮＯ：  ３の白血球免疫グロブリン受容体様ポリペプチドはおよそ３０５アミノ酸蛋白質で、予測分子量は非グリコシル化でおよそ３４ｋＤａである。ＢＬＡＳＴＸ  アルゴリズム  （Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）
およびＡｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０）をここに参考として組み込む）  による蛋白質データベース検索では、ＳＥＱ  ＩＤ  ＮＯ：  ３が白血球免疫グロブリン受容体様ＩＲＣ１ａおよびＮＫ細胞抑制受容体様ＰＩＧＲ−１に相同性であることが示された。ＥＭＡＴＲＩＸソフトウエア（カルフォルニア州スタンフォード市スタンフォード大学）による蛋白質データベース検索では、さらに、ＳＥＱ  ＩＤ  ＮＯ：３（すなわちＳＥＱ  ＩＤ  ＮＯ：  ８）の一部がポリＩｇ受容体に相同性であることがわかった。
【０４２８】
図１は白血球免疫グロブリン受容体様ポリペプチド（”ＬＩＲ様”とも呼ばれる）のＳＥＱ  ＩＤ  ＮＯ：２（すなわちＳＥＱ  ＩＤ  ＮＯ：３）でコードされた蛋白質とヒトＩＲＣ１ａ蛋白質ＳＥＱ  ＩＤ  ＮＯ：１４との間のＢＬＡＳＴＸアミノ酸配列アラインメントであり、両配列は２９７のアミノ酸残基について５５％の相似性、同じ２９７のアミノ酸残基について３７％の同一性があることを示している。
【０４２９】
図２は白血球免疫グロブリン受容体様（”ＬＩＲ様”とも呼ばれる）ポリペプチドのＳＥＱ  ＩＤ  ＮＯ：  ２（すなわちＳＥＱ  ＩＤ  ＮＯ：  ３）によってコードされた蛋白質とヒトＰＩＧＲ−１  （特許出願番号  ＥＰ８９７９８１）  ＳＥＱ  ＩＤ  ＮＯ：１５との間のＢＬＡＳＴＸアミノ酸配列のアラインメントであり、両配列は１７６のアミノ酸残基について６３％の相似性、同じ１７６のアミノ酸残基について５３％の同一性があることを示している。
【０４３０】
ＳＥＱ  ＩＤ  ＮＯ：３の予測される可溶性の分泌スプライス変異体はＳＥＱ  ＩＤ  ＮＯ：６である。これはほぼ１６２のアミノ酸蛋白質であり、予測分子量は非グリコシル化で約１８ｋＤａである。蛋白データベースをＢＬＡＳＩＸアルゴリズム（Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  ａｎｄ  Ａｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０））を参照し、本出願の一部とする）で検索した結果、ＳＥＱ  ＩＤ  ＮＯ：  ６はヒトの白血球免疫グロブリン受容体様ＩＲＣ１ａ蛋白およびＮＫ細胞抑制受容体様ＰＩＧＲ−１と相同であることがわかる。Ｅｍａｔｒｉｘ  ソフトウエア（蛋白質データベース検索（カルフォルニア州スタンフォード市スタンフォード大学）によると、さらに、ＳＥＱ  ＩＤ  ＮＯ：  ７（すなわちＳＥＱ  ＩＤ  ＮＯ：  ９）の一部はポリＩｇ受容体に相同であることがわかる。
【０４３１】
図３は白血球免疫グロブリン受容体様ポリペプチド（”ＬＩＲ様”とも呼ばれる）”であるＳＥＱ  ＩＤ  ＮＯ：  ５（すなわちＳＥＱ  ＩＤ  ＮＯ：  ６）でコードされた蛋白質とヒトＩＲＣ１ａ蛋白質ＳＥＱ  ＩＤ  ＮＯ：１４との間のＢＬＡＳＴＸアミノ酸配列アラインメントであり、両配列は１３５のアミノ酸残基について５７％の相似性、同じ１３５のアミノ酸残基について３８％の同一性があることを示している。
【０４３２】
図４は白血球免疫グロブリン受容体様ポリペプチド（”ＬＩＲ様”とも呼ばれる）”、ＳＥＱ  ＩＤ  ＮＯ：  ５（すなわちＳＥＱ  ＩＤ  ＮＯ：  ６）でコードされた蛋白質とヒトＰＩＧＲ−１  （特許出願番号ＥＰ８９７９８１）のＳＥＱ  ＩＤ  ＮＯ：１５との間のＢＬＡＳＴＸアミノ酸配列アラインメントであり、両配列は１４５のアミノ酸残基について６７％の相似性、同じ１４５のアミノ酸残基について５９％の同一性があることを示している。
【０４３３】
予測されたほぼ３０残基膜貫通ペプチドは、ＳＥＱ  ＩＤ  ＮＯ：  ３とＳＥＱ  ＩＤ  ＮＯ：  ６（ＳＥＱ  ＩＤ  ＮＯ：  １０）のほぼ残基１から残基３０までコードされている。細胞外部分はそれ自体有用である。これは哺乳類の細胞の発現によって確認できる。シグナルペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を用いて予測した。当業者はこの実際の切断部位はコンピュータプログラムによる予測のものと異なる場合があることがわかる。ＳＥＱ  ＩＤ  ＮＯ：  １２はシグナルペプチドがＳＥＱ  ＩＤ  ＮＯ：  ３から除かれた時に生じるペプチドである。ＳＥＱ  ＩＤ  ＮＯ：  １３はＳＥＱ  ＩＤ  ＮＯ：  ６からシグナルペプチドが除かれた時に生じるペプチドである。
【０４３４】
予測されたほぼ１４残基膜貫通ペプチドは、ＳＥＱ  ＩＤ  ＮＯ：  ３（ＳＥＱ  ＩＤ  ＮＯ：  １１）のほぼ残基１７０から残基１９３までコードされている。これは哺乳類細胞の発現によって確認できる。この膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の膜貫通領域はコンピュータプログラムによる予測のものと異なる場合があることがわかる。
【０４３５】
ｅＭＡＴＲＩＸｓソフトウェアパッケージ（カリフォルニア州スタンフォード市スタンフォード大学）（Ｗｕ  ｅｔ  ａｌ．，  Ｊ．  Ｃｏｍｐ．  Ｂｉｏｌ．，  ｖｏｌ．  ６，  ｐｐ．  ２１９−２３５  （１９９９）を参考としてここに組み込む）を使うと、膜結合および可溶性ＬＩＲ様ポリペプチドは、共にＳＥＱ  ＩＤ  ＮＯ：３の残基８２−１２９とＳＥＱ  ＩＤ  ＮＯ：  ６（各々ＳＥＱ  ＩＤ  ＮＯ：  ８およびＳＥＱ  ＩＤ  ＮＯ：  ９）の残基８２−１２９にポリＩｇ受容体ドメインを持つことが期待される。ＳＥＱ  ＩＤ  ＮＯ：  ８には１２９の位置にセリンがあり、他方、ＳＥＱ  ＩＤ  ＮＯ：  ９には同じ位置にプロリンが含まれる。ＳＥＱ  ＩＤ  ＮＯ：３およびＳＥＱ  ＩＤ  ＮＯ：  ６に対する領域は以下のとおりで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
【０４３６】
ポリ免疫グロブリン受容体ドメイン
（ＩＫＤＮＱＫＮＲＴＦＴＶＴＭＥＤＬＭＫＴＤＡＤＴＹＷＣＧＩＥＫＴＧＮＤＬＧＶＴＶＱＶＴＩＤＰＡＳ  は  ＳＥＱ  ＩＤ  ＮＯ：  ８に指定）
ｐ−値＝３．６２８ｅ−９、ＤＭ０１６８８Ｂ  ２  （特徴に一致する確認番号）；  ＳＥＱ  ＩＤ  ＮＯ：  ３  の残基８２−１２９  に位置する。
【０４３７】
ポリ免疫グロブリン受容体ドメイン
（ＩＫＤＮＱＫＮＲＴＦＴＶＴＭＥＤＬＭＫＴＤＡＤＴＹＷＣＧＩＥＫＴＧＮＤＬＧＶＴＶＱＶＴＩＤＰＡＰはＳＥＱ  ＩＤ  ＮＯ：  ９に指定）
ｐ−値＝２．５ｅ−１０、ＤＭ０１６８８Ｂ  ２  （特徴に関連する確認番号）；  ＳＥＱ  ＩＤ  ＮＯ：  ３  の残基８２−１２９  に位置する。
【０４３８】
ポリペプチド（ＳＥＱ  ＩＤ  ＮＯ：  １９）は以下に示すようにＳＥＱ  ＩＤ  ＮＯ：  １８によってコードされることが予測された。このポリペプチドは、翻訳された新規性のあるポリヌクレオチドと既知のポリペプチドとの比較に基づいてポリペプチドを選択するＢＬＡＳＴＸ／ＦＡＳＴＹと呼ばれるソフトウェアプログラムを使って予測された。  開始メチオニンＡＴＧは核酸配列の１６９の位置から始まり、推定停止コンドンのＴＡＧは８７９の位置でコード領域を終わる。
【０４３９】
白血球免疫グロブリン受容体様ポリペプチドのＳＥＱ  ＩＤ  ＮＯ：  １９はおよそ２３６アミノ酸蛋白質で、予測分子量は非グリコシル化で約２６ｋＤＡである。ＢＬＡＳＴＰ  アルゴリズム  （Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  およびＡｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０）をここに参考として組み込む）を用いた蛋白質データベース検索は、ＳＥＱ  ＩＤ  ＮＯ：  １９は白血球免疫グロブリン受容体（ＬＩＲ）と免疫グロブリン様蛋白質ＩＧＳＦ−１に相同性であることを示した。さらに、Ｍｏｌｅｃｕｌａｒ  Ｓｉｍｕｌａｔｉｏｎｓ  社ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）による蛋白質データベースでは、さらに  ＳＥＱ  ＩＤ  ＮＯ：  １９がキラー細胞抑制受容体に相同性であることを示している。
【０４４０】
図５は白血球免疫グロブリン受容体様ポリペプチド（”ＬＩＲ様”とも呼ばれる）”のＳＥＱ  ＩＤ  ＮＯ：  １８（すなわちＳＥＱ  ＩＤ  ＮＯ：  １９）でコードされた蛋白質と推定抑制受容体（Ｒｏｊｏ  ｅｔ  ａｌ，  （１９９７）  Ｊ．  Ｉｍｍｕｎｏｌ．，  １５８，  ９−１２）  のＳＥＱ  ＩＤ  ＮＯ：２９との間のＢＬＡＳＴＸアミノ酸配列アラインメントであり、両配列は１４５のアミノ酸残基について５１％の相似性、同じ１４５のアミノ酸残基について３３％の同一性があることを示している。
【０４４１】
図６は白血球免疫グロブリン受容体様ポリペプチド（”ＬＩＲ様”とも呼ばれる）”のＳＥＱ  ＩＤ  ＮＯ：  １８（すなわちＳＥＱ  ＩＤ  ＮＯ：  １９）でコードされた蛋白質とヒトＧＰ４９  ＨＭ１８  ポリペプチド（特許出願番号ＷＯ９８０９６３８）であるＳＥＱ  ＩＤ  ＮＯ：３０との間のＢＬＡＳＴＰアミノ酸配列アラインメントであり、両配列は１２３のアミノ酸残基について５０％の相似性、同じ１２３のアミノ酸残基について３４％の同一性があることを示している。
【０４４２】
ポリペプチド（ＳＥＱ  ＩＤ  ＮＯ：  ２２）は以下に示すようにＳＥＱ  ＩＤ  ＮＯ：  ２１によってコードされることが予測された。このポリペプチドは、翻訳された新規ポリヌクレオチドを既知のポリヌクレオチドと比較することによってポリペプチドを選択する、ＢＬＡＳＴＸと呼ばれるソフトウエアプログラムを使って予測した。最初のメチオニンはＳＥＱ  ＩＤ  ＮＯ：  ２１の１７６の位置から始まり、推定停止コドンであるＴＡＡはヌクレオチド配列の７７３の位置から始まる。
【０４４３】
ＳＥＱ  ＩＤ  ＮＯ：  ２２の予測される可溶性の分泌スプライス変異体はＳＥＱ  ＩＤ  ＮＯ：１９である。これはほぼ１９９アミノ酸蛋白質であり、予測分子量は非グリコシル化で約２２ｋＤａである。蛋白データベースをＢＬＡＳＩＸアルゴリズム（Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  ａｎｄ  Ａｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０））を参照し、本出願の一部とする）で検索した結果、ＳＥＱ  ＩＤ  ＮＯ：  ２２はヒトの白血球免疫グロブリン受容体様（ＬＩＲ）および免疫グロブリン様蛋白質ＩＳＧＦ−１と相同性であることがわかる。さらに、Ｍｏｌｅｃｕｌａｒ  Ｓｉｍｕｌａｔｉｏｎｓ  社ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）による蛋白質データベースでは、さらに  ＳＥＱ  ＩＤ  ＮＯ：  ２２がキラー細胞抑制受容体に相同性であることを示している。
【０４４４】
図７は白血球免疫グロブリン受容体様ポリペプチド（”ＬＩＲ様”とも呼ばれる）のＳＥＱ  ＩＤ  ＮＯ：２１（すなわちＳＥＱ  ＩＤ  ＮＯ：２２）でコードされた蛋白質とヒトＩＧＳＦ１  （Ｍａｚｚａｒｅｌｌａ  ｅｔ  ａｌ，  （１９９８）  Ｇｅｎｏｍｉｃｓ  ４８，  １５７−１６２）  ＳＥＱ  ＩＤ  ＮＯ：３１との間のＢＬＡＳＴＰアミノ酸配列アラインメントであり、両配列は２０９のアミノ酸残基について５５％の相似性、同じ２０９のアミノ酸残基について３８％の同一性があることを示している。
【０４４５】
図８は白血球免疫グロブリン受容体様ポリペプチド（”ＬＩＲ様”とも呼ばれる）のＳＥＱ  ＩＤ  ＮＯ：２１（すなわちＳＥＱ  ＩＤ  ＮＯ：２２）でコードされた蛋白質とヒトＬＩＲ−ｐｂｍ３６−２  蛋白質  （特許出願番号ＷＯ９８４８０１７）ＳＥＱ  ＩＤ  ＮＯ：３２との間のＢＬＡＳＴＰアミノ酸配列アラインメントであり、両配列は２３６アミノ酸残基について４６％の相似性、同じ２３６のアミノ酸残基について３２％の同一性があることを示している。
【０４４６】
予測されたほぼ１６残基シグナルペプチドは、ＳＥＱ  ＩＤ  ＮＯ：  １９  とＳＥＱ  ＩＤ  ＮＯ：  ２２（ＳＥＱ  ＩＤ  ＮＯ：  ２５）の両方のほぼ残基１から残基１６までコードされる。細胞外部分はそれ自体有用である。これは哺乳類細胞での発現と切断作成物の配列決定によって確認できる。このシグナルペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の切断部位はコンピュータプログラムによる予測のものと異なる場合があることがわかる。ＳＥＱ  ＩＤ  ＮＯ：  ２７は予測シグナルペプチドがＳＥＱ  ＩＤ  ＮＯ：  １９から除かれた時に生じるペプチドである。ＳＥＱ  ＩＤ  ＮＯ：  ２８は予測シグナルペプチドがＳＥＱ  ＩＤ  ＮＯ：  ２２から除かれた時に生じるペプチドである。
【０４４７】
予測されたほぼ２３残基膜貫通ペプチドは、ＳＥＱ  ＩＤ  ＮＯ：  １９（ＳＥＱ  ＩＤ  ＮＯ：  ２６）のほぼ残基１３５から残基１５７までコードされる。これは哺乳類細胞での発現によって確認できる。この膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の膜貫通領域はコンピュータプログラムによる予測のものと異なる場合があることがわかる。
【０４４８】
Ｍｏｌｅｃｕｌａｒ  Ｓｉｍｕｌａｔｉｏｎｓ  社ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）を用いて、ＳＥＱ  ＩＤ  ＮＯ：１９と２２のＬＩＲ様ポリペプチドが  キラー細胞抑制受容体ドメイン（ＳＥＱ  ＩＤ  ＮＯ：  ２４）の特徴的モチーフを持つ残基  ２６−９７の領域を持つことを同定した。ＳＥＱ  ＩＤ  ＮＯ：１９と２２内の対応するドメインは以下のとおりで、ここで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
【０４４９】
キラー細胞抑制受容体ドメイン
ＰＰＫＰＳＬＨＡＷＰＳＳＶＶＥＡＥＳＮＶＴＬＫＣＱＡＨＳＱＮＶＴＦＶＬＲＫＶＮＤＳＧＹＫＱＥＱＳＳＡＥＮＥＡＥＦＰＦＴＤＬＫＰＫＤＡＧＲＹＦＣＡ  ＰＳＩ−ＢＬＡＳＴの  ｅ値＝４．２ｅ−２４  により、ＳＥＱ  ＩＤ  ＮＯ：  ２４と指定される。蛋白質データベース確認番号エントリ  ＝１ｂ６ｕ（Ｒｅｓｅａｒｃｈ  ｃｏｌｌａｂｏｒａｔｏｒｙ  ｆｏｒ  Ｓｔｒｕｃｔｕｒａｌ  Ｂｉｏｉｎｆｏｒｍａｔｉｃｓ．  ｈｔｔｐ：／／ｗｗ．ｒｃｓｂ．ｏｒｇ／ｐｂｄ）  、スコア＝０．２６で確認、ＳＥＱ  ＩＤ  ＮＯ：  １９の残基  ２６−９７に位置する。
【０４５０】
ＳＥＱ  ＩＤ  ＮＯ：  ３７  と４０  の同一の白血球免疫グロブリン受容体ポリペプチドはほぼ２３０アミノ酸蛋白質であり、予測分子量は非グリコシル化で２６ｋＤＡである。さらに、Ｍｏｌｅｃｕｌａｒ  Ｓｉｍｕｌａｔｉｏｎｓ  社ＧｅｎｅＡｔｌａｓ  ソフトウエア  （カルフォルニア州サンディエゴ市Ｍｏｌｅｃｕｌａｒ  Ｓｉｍｕｌａｔｉｏｎｓ  社）による蛋白質データベースでは、さらに  ＳＥＱ  ＩＤ  ＮＯ：  ３７および４０が共にキラー細胞抑制受容体に相同性であることを示している
図９は白血球免疫グロブリン受容体様ポリペプチド（”ＬＩＲ様”とも呼ばれる）のＳＥＱ  ＩＤ  ＮＯ：  ３６と３９（すなわち各々ＳＥＱ  ＩＤ  ＮＯ：３７と４０）でコードされた蛋白質とヒトＰ５８キラー細胞抑制受容体蛋白質（ｐｄｂ確認番号１ｂ６ｕ）ＳＥＱ  ＩＤ  ＮＯ：  ４６との間のＧｅｎｅＡｔｌａｓ  アミノ酸配列アラインメントであり、両配列は１０３のアミノ酸残基について３３％の相似性、同じ１０３のアミノ酸残基について１９．４％の同一性があることを示している。
【０４５１】
予測されたほぼ１５残基膜貫通ペプチドは、ＳＥＱ  ＩＤ  ＮＯ：  ３７およびＳＥＱ  ＩＤ  ＮＯ：  ４０（ＳＥＱ  ＩＤ  ＮＯ：  ４３）のほぼ残基１から残基１５までコードされる。細胞外部分はそれ自体有用である。これは哺乳類細胞での発現によって確認できる。この膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の切断部位はコンピュータプログラムによる予測のものと異なる場合があることがわかる。
【０４５２】
予測されたほぼ２７残基膜貫通ペプチドは、ＳＥＱ  ＩＤ  ＮＯ：  ３７およびＳＥＱ  ＩＤ  ＮＯ：  ４０（ＳＥＱ  ＩＤ  ＮＯ：  ４４）のほぼ残基１１６から残基１４３までコードされる。これは哺乳類細胞での発現によって確認できる。この膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の膜貫通領域はコンピュータプログラムによる予測のものと異なる場合があることがわかる。
【０４５３】
ＳＥＱ  ＩＤ  ＮＯ：  ５０の白血球免疫グロブリン受容体様ポリペプチドは、ほぼ２０１のアミノ酸蛋白質であり、予測分子量は非グリコシル化で、約２２ｋＤａである。蛋白データベースをＢＬＡＳＩＸアルゴリズム（Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  ａｎｄ  Ａｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０））を参照し、本出願の一部とする）で検索した結果、ＳＥＱ  ＩＤ  ＮＯ：  ５０は、白血球免疫グロブリン受容体様ＣＭＲＦ３５、ＮＫ細胞抑制受容体およびヒトＰＩＧＲ−２受容体と相同性であることが示された。）
図１０は白血球免疫グロブリン受容体様ポリペプチド（”ＬＩＲ様”とも呼ばれる）のＳＥＱ  ＩＤ  ＮＯ：  ４９（すなわち各々ＳＥＱ  ＩＤ  ＮＯ：  ５０）でコードされた蛋白質とヒトＣＭＲＦ  ３５  蛋白質（（Ｊａｃｋｓｏｎ  ｅｔ  ａｌ，  （１９９２）  Ｅｕｒ．  Ｊ．  Ｉｍｍｕｎｏｌ．，  ２２，  １１５７−１１６３）  のＳＥＱ  ＩＤ  ＮＯ：  ６０との間のＢＬＡＳＴＸ  アミノ酸配列アラインメントであり、両配列は２１７アミノ酸残基について６２％の相似性、同じ２１７のアミノ酸残基について４８％の同一性があることを示している。
【０４５４】
図１１は白血球免疫グロブリン受容体様ポリペプチド（”ＬＩＲ様”とも呼ばれる）のＳＥＱ  ＩＤ  ＮＯ：  ４９（すなわちＳＥＱ  ＩＤ  ＮＯ：  ５０）でコードされた蛋白質とヒトナチュラルキラー抑制受容体蛋白質のＳＥＱ  ＩＤ  ＮＯ：  ６１との間のＢＬＡＳＴＸ  アミノ酸配列アラインメントであり、両配列は１４５アミノ酸残基について６４％の相似性、同じ１４５のアミノ酸残基について５１％の同一性があることを示している。
【０４５５】
図１２は白血球免疫グロブリン受容体様ポリペプチド（”ＬＩＲ様”とも呼ばれる）のＳＥＱ  ＩＤ  ＮＯ：  ４９（すなわち各々ＳＥＱ  ＩＤ  ＮＯ：  ５０）でコードされた蛋白質とヒＰＩＧＲ−２  蛋白質（特許番号ＥＰ９０５２３７）のＳＥＱ  ＩＤ  ＮＯ：  ６２との間のＢＬＡＳＴＸ  アミノ酸配列アラインメントであり、両配列は２０５のアミノ酸残基について５８％の相似性、同じ２０５のアミノ酸残基について４７％の同一性があることを示している。
【０４５６】
図１３は白血球免疫グロブリン受容体様ポリペプチド（”ＬＩＲ様”とも呼ばれる）のＳＥＱ  ＩＤ  ＮＯ：  ４９（すなわち各々ＳＥＱ  ＩＤ  ＮＯ：  ５０）でコードされた蛋白質とＴ細胞受容体蛋白質（ｐｄｂ確認番号１ｂ８８）のＳＥＱ  ＩＤ  ＮＯ：  ５９との間のＧｅｎｅＡｔｌａｓ  アミノ酸配列アラインメントであり、両配列は１１２のアミノ酸残基について２９．５％の相似性、同じ１１２のアミノ酸残基について１１．６％の同一性があることを示している。
【０４５７】
予測されたほぼ２０残基シグナルペプチドは、ＳＥＱ  ＩＤ  ＮＯ：  ５０（ＳＥＱ  ＩＤ  ＮＯ：  ５５）のほぼ残基１から残基２０までコードされる。細胞外部分はそれ自体有用である。これは哺乳類細胞での発現によって確認できる。このシグナルペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の切断部位はコンピュータプログラムによる予測のものと異なる場合があることがわかる。
【０４５８】
予測されたほぼ２４残基膜貫通ペプチドは、ＳＥＱ  ＩＤ  ＮＯ：  ５０（ＳＥＱ  ＩＤ  ＮＯ：  ５６）のほぼ残基１６７から残基１９１までコードされる。膜貫通部分はそれ自体有用である。これは哺乳類細胞での発現によって確認できる。この膜貫通ペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の膜貫通領域はコンピュータプログラムによる予測のものと異なる場合があることがわかる。
【０４５９】
ｅＭＡＴＲＩＸｓソフトウェアパッケージ（カリフォルニア州スタンフォード市スタンフォード大学）（Ｗｕ  ｅｔ  ａｌ．，  Ｊ．  Ｃｏｍｐ．  Ｂｉｏｌ．，  ｖｏｌ．  ６，  ｐｐ．  ２１９−２３５  （１９９９）を参考としてここに組み込む）を使って、ＳＥＱ  ＩＤ  ＮＯ：  ５０のＬＩＲ様ポリペプチドは２つのポリＩｇ受容体ドメインを持つことが予測された。ＳＥＱ  ＩＤ  ＮＯ：  ５３−５４  に対応する領域は以下の通りで、ここで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
【０４６０】
ポリ免疫グロブリン受容体ドメイン
ＩＴＤＨＰＧＤＬＴＦＴＶＴＬＥＮＬＴＡＤＤＡＧＫＹＲＣＧＩＡＴＩＬＱＥＤＧＬＳＧＦＬＰＤＰＦＦＱ
（ＳＥＱ  ＩＤ  ＮＯ：  ５３）  として指定、ｐ値  ＝  ４．５０４ｅ−９，  ＤＭ０１６８８Ｂ  ２  （特徴に関連する確認番号）；  ＳＥＱ  ＩＤ  ＮＯ：  ５０の残基８５−１３２  に位置する。
【０４６１】
ポリ免疫グロブリン受容体ドメイン
ＭＧＡＶＧＥＳＬＳＶＱＣＲＹＥＥＫＹＫＴＦＮＫＹＷＣＲＱＰＣＬＰＩＷＨＥＭ
（ＳＥＱ  ＩＤ  ＮＯ：  ５４）  として指定、ｐ値  ＝    ８．３６４ｅ−９，  ＤＭ０１６８８Ｊ  ２  （特徴に関連する確認番号）；  ＳＥＱ  ＩＤ  ＮＯ：  ５０の残基３２−６８  に位置する
ポリペプチド（ＳＥＱ  ＩＤ  ＮＯ：  ６６）は、以下に示すようにＳＥＱ  ＩＤ  ＮＯ：  ６５によってコードされることが予測された。このポリペプチドは、翻訳された新規のポリペプチドと既知のポリペプチドとの比較に基づいてポリペプチドを選択するＢＬＡＳＴＸと呼ばれるソフトウエアプログラムを用いて予測された。開始メチオニンＡＴＧはヌクレオチド配列の３５の位置から開始され、推定停止コドンは８５０の位置でコード領域を終える。
【０４６２】
ＳＥＱ  ＩＤ  ＮＯ：  ６６の白血球免疫グロブリン受容体様ポリペプチドは、ほぼ２７１のアミノ酸蛋白質であり、予測分子量は非グリコシル化で、約３０．４ｋＤａである。蛋白データベースをＢＬＡＳＩＸアルゴリズム（Ａｌｔｓｃｈｕｌ  Ｓ．Ｆ．  ｅｔ  ａｌ．，  Ｊ．  Ｍｏｌ．  Ｅｖｏｌ．  ３６：２９０−３００  （１９９３）  ａｎｄ  Ａｌｔｓｃｈｕｌ  Ｓ．Ｆ．  ｅｔ  ａｌ．，  Ｊ．  Ｍｏｌ．  Ｂｉｏｌ．  ２１：４０３−１０  （１９９０））を参照し、本出願の一部とする）で検索した結果、ＳＥＱ  ＩＤ  ＮＯ：  ６６は、ヒト血小板糖蛋白質ＶＩ−２  およびＦｃＲ−ＩＩ  蛋白質に相同性であることが示される。
【０４６３】
図１４は白血球免疫グロブリン受容体様ポリペプチド（”ＬＩＲ様”とも呼ばれる）のＳＥＱ  ＩＤ  ＮＯ：  ６５（すなわち各々ＳＥＱ  ＩＤ  ＮＯ：  ６６）でコードされた蛋白質とヒト血小板糖蛋白質ＶＩ−２  蛋白質（Ｅｚｕｍｉ  ｅｔ  ａｌ，  （２０００）  Ｂｉｏｃｈｅｍ．  Ｂｉｏｐｈｙｓ．  Ｒｅｓ．  Ｃｏｍｍｕｎ．  ２７７，  ２７−３６）  のＳＥＱ  ＩＤ  ＮＯ：  ７５との間のＢＬＡＳＴＰ  アミノ酸配列アラインメントであり、両配列はＳＥＱ  ＩＤ  ＮＯ：  ６６  の残基１−２１９について５０％の相似性、ＳＥＱ  ＩＤ  ＮＯ：  ６６  の同じ残基１−２１９について３７％の同一性があることを示している。
【０４６４】
図１５は白血球免疫グロブリン受容体様ポリペプチド（”ＬＩＲ様”とも呼ばれる）のＳＥＱ  ＩＤ  ＮＯ：  ６５（すなわち各々ＳＥＱ  ＩＤ  ＮＯ：  ６６）でコードされた蛋白質とヒトＦｃＲ−ＩＩ  ＶＩ−２  蛋白質  （特許出願番号ＷＯ９８３１８０６）のＳＥＱ  ＩＤ  ＮＯ：  ７６との間のＢＬＡＳＴＰ  アミノ酸配列アラインメントであり、両配列はＳＥＱ  ＩＤ  ＮＯ：  ６６  の残基２７−２６２について５１％の相似性、ＳＥＱ  ＩＤ  ＮＯ：  ６６  の同じ残基２７−２６２について３７％の同一性があることを示している。
【０４６５】
予測されたほぼ１６残基シグナルペプチドは、ＳＥＱ  ＩＤ  ＮＯ：  ６６（ＳＥＱ  ＩＤ  ＮＯ：  ７１）のほぼ残基１から残基１６までコードされる。細胞外部分はそれ自体有用である。これは哺乳類細胞での発現と切断作成物の配列決定によって確認できる。このシグナルペプチド領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）とニューラルネットワークシグナルＰＶ１．１プログラム（デンマーク工科大学生物配列分析センターによる）を使って予測した。当業者はこの実際の切断部位はコンピュータプログラムによる予測のものと異なる場合があることがわかる。
【０４６６】
予測されたほぼ２４残基膜貫通領域は、ＳＥＱ  ＩＤ  ＮＯ：  ６６（ＳＥＱ  ＩＤ  ＮＯ：  ７３）のほぼ残基２３１から残基２５４までコードされる。膜貫通部分はそれ自体有用である。この膜貫通領域はＫｙｔｅ−Ｄｏｏｌｉｔｔｌｅ  疎水性予測アルゴリズム（Ｊ．  Ｍｏｌ  Ｂｉｏｌ，  １５７，  ｐｐ．  １０５−３１  （１９８２）を参考としてここに組み込む）を使って予測した。当業者はこの実際の切断部位はコンピュータプログラムによる予測のものと異なる場合があることがわかる。
【０４６７】
ｅＭＡＴＲＩＸｓソフトウェアパッケージ（カリフォルニア州スタンフォード市スタンフォード大学）（Ｗｕ  ｅｔ  ａｌ．，  Ｊ．  Ｃｏｍｐ．  Ｂｉｏｌ．，  ｖｏｌ．  ６，  ｐｐ．  ２１９−２３５  （１９９９）を参考としてここに組み込む）を使って、ＳＥＱ  ＩＤ  ＮＯ：  ６６のＬＩＲ様ポリペプチドは、３つのポリＩｇ受容体ドメインを持つことが予測される。ＳＥＱ  ＩＤ  ＮＯ：  ６８−７０に対応するドメインは以下のとおりで、Ａ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンである。
【０４６８】
受容体細胞ＮＫ糖蛋白質免疫グロブリン
ＧＳＬＰＫＰＳＬＳＡＷＰＳＳＶＶＰＡＮＳＮＶＴＬＲＣＷＴＰＡＲＧＶＳＦＶ
（ＳＥＱ  ＩＤ  ＮＯ：  ６８）  として指定、ｐ値  ＝  ６．６２５ｅ−１０、ＰＤ０１６５２Ａ  （特徴に関連する確認番号）；  ＳＥＱ  ＩＤ  ＮＯ：  ６６の残基２４−５９  に位置する。
【０４６９】
受容体細胞ＮＫ糖蛋白質免疫グロブリン
ＣＶＧＱＧＤＴＲＧＤＧＳＬＰＫＰＳＬＳＡＷＰＳＳＶＶＰＡＮＳＮＶＴＬＲＣＷＴＰＡＲＧＶＳＦＶＬＲＫＧＧＩ
（ＳＥＱ  ＩＤ  ＮＯ：  ６９）  と指定、ｐ値  ＝  １．８３６ｅ−９、ＰＤ０１６５２Ｂ  （特徴に関連する確認番号）；  ＳＥＱ  ＩＤ  ＮＯ：  ６６の残基１４−６５  に位置する。
【０４７０】
ＲＳＤＶＬＬＬＬＶＴＧＨＬＳＫＰＦＬＲＴＹＱＲＧＴＶＴＡＧＧＲＶＴＬＱＣＱＫＲＤＱＬＦＶＰＩＭＦＡＬＬＫ
（ＳＥＱ  ＩＤ  ＮＯ：  ７０）  と指定、ｐ値  ＝  ４．０２１ｅ−９、ＰＤ０１６５２Ｂ  （特徴に関連する確認番号）；  ＳＥＱ  ＩＤ  ＮＯ：  ６６の残基１１１−１６２  に位置する。
【０４７１】
ＳＥＱ  ＩＤ  ＮＯ：  ２、５、１８および  ２１  は以下の組織に存在することが同定された。：    成人脳  （Ｃｌｏｎｔｅｃｈ）  （Ｈｙｓｅｑ  ライブラリー名  ＡＢＲ００１）、  成人肺  （ＧＩＢＣＯ）  （Ｈｙｓｅｑ  ライブラリー名  ＡＬＧ００１）、  成人卵巣  （Ｉｎｖｉｔｒｏｇｅｎ）  （Ｈｙｓｅｑ  ライブラリー名  ＡＯＶ００１）、  成人脾臓（ＧＩＢＣＯ）  （Ｈｙｓｅｑ  ライブラリー名  ＡＳＰ００１）、  骨髄  （Ｃｌｏｎｔｅｃｈ）  （Ｈｙｓｅｑ  ライブラリー名  ＢＭＤ００２）、  成人大腸（結腸）  （Ｉｎｖｉｔｒｏｇｅｎ）  （Ｈｙｓｅｑ  ライブラリー名  ＣＬＮ００１）、胎児肺    （Ｃｌｏｎｔｅｃｈ）  （Ｈｙｓｅｑ  ライブラリー名  ＦＬＧ００１）、  胎児肝臓−脾臓  （コロンビア大学  ）  （Ｈｙｓｅｑ  ライブラリー名  ＦＬＳ００２）、  マクロファージ  （Ｉｎｖｉｔｒｏｇｅｎ）  （Ｈｙｓｅｑ  ライブラリー名  ＨＭＰ００１）、  肺腫瘍（Ｉｎｖｉｔｒｏｇｅｎ）  （Ｈｙｓｅｑ  ライブラリー名  ＬＧＴ００２）、  白血球  （ＧＩＢＣＯ）  （Ｈｙｓｅｑ  ライブラリー名  ＬＵＣ００１）  および（Ｃｌｏｎｔｅｃｈ）  （Ｈｙｓｅｑ  ライブラリー名  ＬＵＣ００３）、小腸  （Ｃｌｏｎｔｅｃｈ）  （Ｈｙｓｅｑ  ライブラリー名  ＳＩＮ００１）、  成人脾臓    （Ｃｌｏｎｔｅｃｈ）  （Ｈｙｓｅｑ  ライブラリー名  ＳＰＬｃ０１）、  胸腺（Ｃｌｏｎｔｅｃｈ）  （Ｈｙｓｅｑ  ライブラリー名  ＴＨＭｃ０２）、  および子宮    （Ｃｌｏｎｔｅｃｈ）  （Ｈｙｓｅｑ  ライブラリー名  ＵＴＲ００１）．    組織発現の情報はＳＥＱ  ＩＤ  ＮＯ：  ２、  ５、  １８、  と２１およびＥＳＴが属するクラスター  の他のＥＳＴの組織源を用いて決定された。クラスターは実施例１に記述したように各配列の配列特徴によって作られた。
【０４７２】
ＳＥＱ  ＩＤ  ＮＯ：  ３６  と  ３９  は以下の組織内に存在することが同定された。：    成人脳  （Ｃｌｏｎｔｅｃｈ）  （Ｈｙｓｅｑ  ライブラリー名  ＡＢＲ００６）、  成人肺  （ＧＩＢＣＯ）  （Ｈｙｓｅｑ  ライブラリー名  ＡＬＧ００１）、  成人脾臓  （ＧＩＢＣＯ）  （Ｈｙｓｅｑ  ライブラリー名  ＡＳＰ００１）、  骨髄  （Ｃｌｏｎｔｅｃｈ）  （Ｈｙｓｅｑ  ライブラリー名ｓ  ＢＭＤ００１  および  ＢＭＤ００２）、  胎児脳  （Ｉｎｖｉｔｒｏｇｅｎ）  （Ｈｙｓｅｑ  ライブラリー名  ＦＢＴ００２）、  胎児肺（Ｃｌｏｎｔｅｃｈ）  （Ｈｙｓｅｑ  ライブラリー名  ＦＬＧ００１）、胎児肝臓脾臓    （コロンビア大学）  （Ｈｙｓｅｑ  ライブラリー名  ＦＬＳ００１）、  胎児肝臓  （Ｃｌｏｎｔｅｃｈ）  （Ｈｙｓｅｑ  ライブラリー名  ＦＬＶ００４）、  胎児皮膚  （Ｉｎｖｉｔｒｏｇｅｎ）  （Ｈｙｓｅｑ  ライブラリー名  ＦＳＫ００１）、  マクロファージ  （Ｉｎｖｉｔｒｏｇｅｎ）  （Ｈｙｓｅｑ  ライブラリー名  ＨＭＰ００１）、  乳児脳  （コロンビア大学）  （Ｈｙｓｅｑ  ライブラリー名ｓ  ＩＢ２００２、  ＩＢ２００３、  および  ＩＢＳ００１）、  リンパ球  （ＡＴＣＣ）  （Ｈｙｓｅｑ  ライブラリー名  ＬＰＣ００１）、  白血球  （ＧＩＢＣＯ）  （Ｈｙｓｅｑ  ライブラリー名  ＬＵＣ００１）、  および骨格筋  （Ｃｌｏｎｔｅｃｈ）  （Ｈｙｓｅｑ  ライブラリー名  ＳＫＭ００１）。組織の発現情報はＳＥＱ  ＩＤ  ＮＯ：  ３６と３９を含むＥＳＴの組織源とＥＳＴが属するクラスター  の他のＥＳＴの組織源を用いて決定された。クラスターは実施例１に記述したように各配列の配列特徴によって作られた。
【０４７３】
ＳＥＱ  ＩＤ  ＮＯ：  ４９  は次の組織に存在することが同定された。：成人脾臓  （ＧＩＢＣＯ）  （Ｈｙｓｅｑ  ライブラリー名  ＡＳＰ００１）、  胎児心臓  （Ｉｎｖｉｔｒｏｇｅｎ）  （Ｈｙｓｅｑ  ライブラリー名  ＦＨＲ００１）、  胎児腎  （Ｃｌｏｎｔｅｃｈ）  （Ｈｙｓｅｑ  ライブラリー名  ＦＫＤ００２）、  および  乳腺  （Ｉｎｖｉｔｒｏｇｅｎ）  （Ｈｙｓｅｑ  ライブラリー名  ＭＭＧ００１。組織発現の情報はＳＥＱ  ＩＤ  ＮＯ：  ４９を含むＥＳＴの組織源とＥＳＴが属するクラスター  の他のＥＳＴの組織源を用いて決定された。クラスターは実施例１に記述したように各配列の配列特徴によって作られた。
【０４７４】
ＳＥＱ  ＩＤ  ＮＯ：  ６５    は以下の組織内に存在することが同定された。成人脳  （Ｃｌｏｎｔｅｃｈ）  （Ｈｙｓｅｑ  ライブラリー名ｓ  ＡＢＲ００６  および  ＡＢＲ００８）  および  （Ｉｎｖｉｔｒｏｇｅｎ）  （Ｈｙｓｅｑ  ライブラリー名  ＡＢＴ００４）、  副腎  （Ｃｌｏｎｔｅｃｈ）  （Ｈｙｓｅｑ  ライブラリー名  ＡＤＲ００２）、  成人腎臓  （Ｉｎｖｉｔｒｏｇｅｎ）  （Ｈｙｓｅｑ  ライブラリー名  ＡＫＴ００２）、  成人肝臓  （Ｉｎｖｉｔｒｏｇｅｎ）  （Ｈｙｓｅｑ  ライブラリー名  ＡＬＶ００２）、  骨髄  （Ｃｌｏｎｔｅｃｈ）  （Ｈｙｓｅｑ  ライブラリー名  ＢＭＤ００１  および  ＢＭＤ００２）、  成人頚部  （ＢｉｏＣｈａｉｎ）  （Ｈｙｓｅｑ  ライブラリー名  ＣＶＸ００１）、  内皮細胞（Ｓｔｒａｔａｇｅｎｅ）  （Ｈｙｓｅｑ  ライブラリー名  ＥＤＴ００１）、  胎児脳（Ｃｌｏｎｔｅｃｈ）  （Ｈｙｓｅｑ  ライブラリー名  ＦＢＲ００６）、  胎児心臓  （Ｉｎｖｉｔｒｏｇｅｎ）  （Ｈｙｓｅｑ  ライブラリー名  ＦＨＲ００１）、  胎児肺  （Ｉｎｖｉｔｒｏｇｅｎ）  （Ｈｙｓｅｑ  ライブラリー名  ＦＬＧ００３）、  胎児肝臓脾臓  （コロンビア大学）  （Ｈｙｓｅｑ  ライブラリー名ＦＬＳ００１  および  ＦＬＳ００２）、  胎児肝臓  （Ｉｎｖｉｔｒｏｇｅｎ）  （Ｈｙｓｅｑ  ライブラリー名  ＦＬＶ００１）、  胎児筋  （Ｉｎｖｉｔｒｏｇｅｎ）  （Ｈｙｓｅｑ  ライブラリー名ＦＭＳ００１  および  ＦＭＳ００２）、  胎児皮膚  （Ｉｎｖｉｔｒｏｇｅｎ）  （Ｈｙｓｅｑ  ライブラリー名  ＦＳＫ００１）、  胎児脳（ＧＩＢＣＯ）  （Ｈｙｓｅｑ  ライブラリー名  ＨＦＢ００１）、  マクロファージ  （Ｉｎｖｉｔｒｏｇｅｎ）  （Ｈｙｓｅｑ  ライブラリー名  ＨＭＰ００１）、  乳児脳  （コロンビア大学）  （Ｈｙｓｅｑ  ライブラリー名ｓ  ＩＢ２００２、  ＩＢ２００３、  ＩＢＭ００２、  および  ＩＢＳ００１）、肺線維芽細胞（Ｓｔｒａｔａｇｅｎｅ）  （Ｈｙｓｅｑ  ライブラリー名  ＬＦＢ００１）、  肺腫瘍（Ｉｎｖｉｔｒｏｇｅｎ）  （Ｈｙｓｅｑ  ライブラリー名  ＬＧＴ００２）、  リンパ球（ＡＴＣＣ）  （Ｈｙｓｅｑ  ライブラリー名  ＬＰＣ００１）、  乳腺  （Ｉｎｖｉｔｒｏｇｅｎ）  （Ｈｙｓｅｑ  ライブラリー名  ＭＭＧ００１）、レチノイン酸誘導性  神経細胞  （Ｓｔｒａｔａｇｅｎｅ）  （Ｈｙｓｅｑ  ライブラリー名  ＮＴＲ００１）、  前立腺（Ｃｌｏｎｔｅｃｈ）  （Ｈｙｓｅｑ  ライブラリー名  ＰＲＴ００１）、  成人脾臓  （Ｃｌｏｎｔｅｃｈ）  （Ｈｙｓｅｑ  ライブラリー名  ＳＰＬｃ０１）、  視床（Ｃｌｏｎｔｅｃｈ）  （Ｈｙｓｅｑ  ライブラリー名  ＴＨＡ００２）、  胸腺（Ｃｌｏｎｔｅｃｈ）  （Ｈｙｓｅｑ  ライブラリー名  ＴＨＭｃ０２）、  および気管（Ｃｌｏｎｔｅｃｈ）  （Ｈｙｓｅｑ  ライブラリー名  ＴＲＣ００１）．    組織の発現情報はＳＥＱ  ＩＤ  ＮＯ：  ６５を含むＥＳＴの組織源とＥＳＴが属するクラスター  の他のＥＳＴの組織源を用いて決定された。クラスターは実施例１に記述したように各配列の配列特徴によって作られた。
【０４７５】
（実施例  ６）
Ａ．細胞中のＳＥＱ  ＩＤ  ＮＯ：４−９、１４および１６−１８３、６、１９、２２、３７、４０、５０、および  ６６の発現
チャイニーズハムスター卵巣（ＣＨＯ）細胞またはその他の適切な種類の細胞をＤＭＥＭ（ＡＴＣＣ）および１０％牛の胎児の血清（ＦＢＳ）（Ｇｉｂｃｏ）で成長させてに７０％コンフルエンス（合流）にした。形質移入に先立って、媒質はＤＭＥＭと０．５％  ＦＣＳに変更された。細胞は、ＦｕＧＥＮＥ−６形質移入試薬（べーリンガー）を用い、ｐＢＧａｌベクターによってＳＥＱ  ＥＤ  ＮＯ：３、１６−１８３、６、１９、２２、３７、４０、５０、および  ６６のｃＤＮＡが形質移入された。
【０４７６】
要約すれば、ＦｕＧＥＮＥ−６の４μｌ  をＤＭＥＭ１００μｌ  に希釈し、５分間にわたって培養した。その後、これに１μｇのＤＮＡを加え、１５分間培養したのち、ＣＨＯ細胞の３５  ｍｍディッシュに加えた。ＣＨＯ細胞は、３７℃で５％のＣＯ２  を加えて培養した。２４時間後に、媒質とライセート（溶解産物）を収集し、遠心分離にかけ、検定緩衝液で透析した（１５  ｍＭ  トリス  ｐＨ  ７．６、１３４  ｍＭ  ＮａＣｌ、５  Ｍｍグルコース、３  ｍＭ  ＣａＣｌ２  およびＭｇＣｌ２）。
【０４７７】
Ｂ．   ＳＥＱ  ＩＤ  ＮＯ：  １−２、４−５、７、１６−１８、２０−２１、２３、３５−３６、３８−３９、４１、４７−４９、５１、６３−６５または  ６７を使った発現研究
さまざまな組織におけるＳＥＱ  ＩＤ  ＮＯ：１−２、４−５、７、１６−１８、２０−２１、２３、３５−３６、３８−３９、４１、４７−４９、５１、６３−６５または  ６７の発現が半定量的ポリメラーゼ連鎖反応をベースとする手法を使って分析された。対象とする組織（成人膀胱、成人脳、成人心臓、成人腎臓、成人リンパ節、成人肝臓、成人肺、成人卵巣、成人胎盤、成人直腸、成人脾臓、成人精巣、骨髄、胸腺、甲状腺、胎児の腎臓、胎児の肝臓、胎児の肝臓−脾臓、胎児の皮膚、胎児の脳、胎児の白血球およびマクロファージ）からの発現遺伝子の供給源としてはヒトのｃＤＮＡライブラリーが使われた。遺伝子特異的プライマーを使って、サンプルからＳＥＱ  ＩＤ  ＮＯ：１−２、４−５、７、１６−１８、２０−２１、２３、３５−３６、３８−３９、４１、４７−４９、５１、６３−６５または  ６７の部分の増幅が行われた。  増幅された生成物は、アガローズゲル上で分離し、ナイロンフィルタに移して、化学的に結合させた。このフィルタは、次にＳＥＱ  ＩＤ  ＮＯ：１−２、４−５、７、１６−１８、２０−２１、２３、３５−３６、３８−３９、４１、４７−４９、５１、６３−６５または  ６７から生成された放射性標識（３３Ｐ−ｄＣＴＰ）をつけた２本鎖プローブで、クレノウポリメラーゼを使い、ランダムプライム法でハイブリダイズした。そのフィルタを洗浄し（高厳格洗浄）、数時間にわたりホスホイメージングスクリーンに露出させた。できたバンドが特定のライブラリー内のＳＥＱ  ＩＤ  ＮＯ：１−２、４−５、７、１６−１８、２０−２１、２３、３５−３６、３８−３９、４１、４７−４９、５１、６３−６５または  ６７  配列を含むｃＤＮＡの存在を示し、したがって対応する細胞タイプまたは組織中のｍＲＮＡ発現を示した。
【図面の簡単な説明】
【図１】
図１は白血球免疫グロブリン受容体様ポリペプチド（”ＬＩＲ様”とも呼ばれる）ＳＥＱ  ＩＤ  ＮＯ：２（すなわちＳＥＱ  ＩＤ  ＮＯ：３）でコードされた蛋白質とヒトＩＲＣ１ａ蛋白質ＳＥＱ  ＩＤ  ＮＯ：１４とのＢＬＡＳＴＸアミノ酸配列アラインメントであり、両配列は２９７のアミノ酸残基について５５％の相似性、同じ２９７のアミノ酸残基について３７％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図２】
図２は白血球免疫グロブリン受容体様ポリペプチド（”ＬＩＲ様”とも呼ばれる）、ＳＥＱ  ＩＤ  ＮＯ：２（すなわちＳＥＱ  ＩＤ  ＮＯ：３）でコードされた蛋白質とヒトＰＩＧＲ−１（特許出願番号ＥＰ８９７９８１）  ＳＥＱ  ＩＤ  ＮＯ：１５のとのＢＬＡＳＴＸアミノ酸配列アラインメントであり、両配列は１７６のアミノ酸残基について６３％の相似性、１７６のアミノ酸残基について５３％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図３】
図３は白血球免疫グロブリン受容体様ポリペプチド（”ＬＩＲ様”とも呼ばれる）”であるＳＥＱ  ＩＤ  ＮＯ：  ５（すなわちＳＥＱ  ＩＤ  ＮＯ：  ６）でコードされた蛋白質とヒトＩＲＣ１ａ蛋白質ＳＥＱ  ＩＤ  ＮＯ：１４とのＢＬＡＳＴＸアミノ酸配列アラインメントであり、両配列は１３５のアミノ酸残基について５７％の相似性、同じ１３５のアミノ酸残基について３８％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図４】
図４は白血球免疫グロブリン受容体様ポリペプチド（”ＬＩＲ様”とも呼ばれる）”、ＳＥＱ  ＩＤ  ＮＯ：  ５（すなわちＳＥＱ  ＩＤ  ＮＯ：  ６）でコードされた蛋白質とヒトＰＩＧＲ−１  （特許出願番号ＥＰ８９７９８１）、ＳＥＱ  ＩＤ  ＮＯ：１５とのＢＬＡＳＴＸアミノ酸配列アラインメントであり、両配列は１４５のアミノ酸残基について６７％の相似性、同じ１４５のアミノ酸残基について５９％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図５】
図５は白血球免疫グロブリン受容体様ポリペプチド（”ＬＩＲ様”とも呼ばれる）”、ＳＥＱ  ＩＤ  ＮＯ：  １８（すなわちＳＥＱ  ＩＤ  ＮＯ：  １９）でコードされた蛋白質と推定抑制的受容体（Ｒｏｊｏ  ｅｔ  ａｌ，  （１９９７）  Ｊ．  Ｉｍｍｕｎｏｌ．，  １５８，  ９−１２）  、ＳＥＱ  ＩＤ  ＮＯ：２９とのＢＬＡＳＴＸアミノ酸配列アラインメントであり、両配列は１４５のアミノ酸残基について５１％の相似性、同じ１４５のアミノ酸残基について３３％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図６】
図６は白血球免疫グロブリン受容体様ポリペプチド（”ＬＩＲ様”とも呼ばれる）”、ＳＥＱ  ＩＤ  ＮＯ：  １８（すなわちＳＥＱ  ＩＤ  ＮＯ：  １９）でコードされた蛋白質とヒトＧＰ４９  ＨＭ１８  ポリペプチド（特許出願番号ＷＯ９８０９６３８）であるＳＥＱ  ＩＤ  ＮＯ：３０とのＢＬＡＳＴＰアミノ酸配列アラインメントであり、両配列は１２３のアミノ酸残基について５０％の相似性、同じ１２３のアミノ酸残基について３４％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図７】
図７は白血球免疫グロブリン受容体様ポリペプチド（”ＬＩＲ様”とも呼ばれる）のＳＥＱ  ＩＤ  ＮＯ：  ２１（すなわちＳＥＱ  ＩＤ  ＮＯ：  ２２）でコードされた蛋白質と免疫グロブリン様タンパク質のＩＧＳＦ１（Ｍａｚｚａｒｅｌｌａ  ｅｔ  ａｌ，  （１９９８）  Ｇｅｎｏｍｉｃｓ  ４８，  １５７−１６２）ＳＥＱ  ＩＤ  ＮＯ：  ３１  とのＢＬＡＳＴＰアミノ酸配列アラインメントであり、両配列は２０９のアミノ酸残基について５３％の相似性、同じ２０９のアミノ酸残基について３８％の同一性があることを示している。
同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図８】
図８は白血球免疫グロブリン受容体様ポリペプチド（”ＬＩＲ様”とも呼ばれる）”、ＳＥＱ  ＩＤ  ＮＯ：  ２１（すなわちＳＥＱ  ＩＤ  ＮＯ：  ２２）でコードされた蛋白質とヒトＬＩＲ−ｐｂｍ３６−２  タンパク質（特許出願番号ＷＯ９８４８０１７）  ＳＥＱ  ＩＤ  ＮＯ：３２とのＢＬＡＳＴＰアミノ酸配列アラインメントであり、両配列は２３６のアミノ酸残基について４６％の相似性、同じ２３６のアミノ酸残基について３２％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図９】
図９は白血球免疫グロブリン受容体様ポリペプチド（”ＬＩＲ様”とも呼ばれる）”であるＳＥＱ  ＩＤ  ＮＯ：  ３６および３９（すなわち、各々ＳＥＱ  ＩＤ  ＮＯ：  ３７および４０）でコードされた蛋白質とヒトＰ５８キラー細胞抑制受容体、特許データーベース（ｐｄｂ）確認番号１ｂ６ｕ、ＳＥＱ  ＩＤ  ＮＯ：４６とのＧｅｎｅＡｔｌａｓアミノ酸配列アラインメントであり、両配列は１０３のアミノ酸残基について３３％の相似性、同じ１０３のアミノ酸残基について１９．４％の同一性があることを示している。
同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図１０】
図１０は、白血球免疫グロブリン受容体様ポリペプチド（”ＬＩＲ様”とも呼ばれる）”、ＳＥＱ  ＩＤ  ＮＯ：  ４９（すなわちＳＥＱ  ＩＤ  ＮＯ：  ５０）でコードされた蛋白質とヒトＣＭＲＦ  ３５タンパク質（Ｊａｃｋｓｏｎ  ｅｔ  ａｌ，  （１９９２）  Ｅｕｒ．  Ｊ．  Ｉｍｍｕｎｏｌ．，  ２２，  １１５７−１１６３）  、ＳＥＱ  ＩＤ  ＮＯ：６０とのＢＬＡＳＴＸアミノ酸配列アラインメントであり、両配列は２１７のアミノ酸残基について６２％の相似性、同じ２１７のアミノ酸残基について４８％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図１１】
図１１は、白血球免疫グロブリン受容体様ポリペプチド（”ＬＩＲ様”とも呼ばれる）”のＳＥＱ  ＩＤ  ＮＯ：  ４９（すなわちＳＥＱ  ＩＤ  ＮＯ：  ５０）でコードされた蛋白質とヒトナチュラルキラー抑制受容体タンパク質ＳＥＱ  ＩＤ  ＮＯ：  ６１とのＢＬＡＳＴＸアミノ酸配列アラインメントであり、両配列は１４５のアミノ酸残基について６４％の相似性、同じ１４５のアミノ酸残基について５１％の同一性があることを示している。
同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図１２】
図１２は白血球免疫グロブリン受容体様ポリペプチド（”ＬＩＲ様”とも呼ばれる）”、ＳＥＱ  ＩＤ  ＮＯ：  ４９（すなわちＳＥＱ  ＩＤ  ＮＯ：  ５０）でコードされた蛋白質とヒトＰＩＧＲ−２タンパク質  （特許出願番号ＥＰ９０５２３７）、ＳＥＱ  ＩＤ  ＮＯ：６２とのＢＬＡＳＴＸアミノ酸配列アラインメントであり、両配列は２０５のアミノ酸残基について５８％の相似性、同じ２０５のアミノ酸残基について４７％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図１３】
図１３は白血球免疫グロブリン受容体様ポリペプチド（”ＬＩＲ様”とも呼ばれる）”、ＳＥＱ  ＩＤ  ＮＯ：  ４９（すなわちＳＥＱ  ＩＤ  ＮＯ：  ５０）でコードされた蛋白質とＴ細胞受容体、ｐｄｂ確認番号１ｂ８８、ＳＥＱ  ＩＤ  ＮＯ：５９とのＧｅｎｅＡｔｌａｓアミノ酸配列アラインメントであり、両配列は１１２のアミノ酸残基について２９．５％の相似性、同じ１１２のアミノ酸残基について１１．６％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図１４】
図１４は白血球免疫グロブリン受容体様ポリペプチド（”ＬＩＲ様”とも呼ばれる）”、ＳＥＱ  ＩＤ  ＮＯ：  ６５（すなわちＳＥＱ  ＩＤ  ＮＯ：  ６６）でコードされた蛋白質とヒト血小板糖蛋白質ＶＩ−２タンパク質（Ｅｚｕｍｉ  ｅｔ  ａｌ，  （２０００）  Ｂｉｏｃｈｅｍ．  Ｂｉｏｐｈｙｓ．  Ｒｅｓ．  Ｃｏｍｍｕｎ．  ２７７，  ２７−３６）  、ＳＥＱ  ＩＤ  ＮＯ：７５とのＢＬＡＳＴＰアミノ酸配列アラインメントであり、両配列はＳＥＱ  ＩＤ  ＮＯ：  ６６の残基１−２１９について５０％の相似性、同じＳＥＱ  ＩＤ  ＮＯ：  ６６の残基１−２１９について３７％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図１５】
図１５は白血球免疫グロブリン受容体様ポリペプチド（”ＬＩＲ様”とも呼ばれる）”、ＳＥＱ  ＩＤ  ＮＯ：  ６５（すなわちＳＥＱ  ＩＤ  ＮＯ：  ６６）でコードされた蛋白質とヒトＦｃＲ−ＩＩタンパク質（特許番号ＷＯ９８３１８０６）、ＳＥＱ  ＩＤ  ＮＯ：７６とのＢＬＡＳＴＰアミノ酸配列アラインメントであり、両配列はＳＥＱ  ＩＤ  ＮＯ：  ６６のアミノ酸残基２７−２６２について５１％の相似性、同じＳＥＱ  ＩＤ  ＮＯ：  ６６のアミノ酸残基２７−２６２について３７％の同一性があることを示している。同図でＡ＝アラニン、Ｃ＝システイン、Ｄ＝アスパラギン酸、Ｅ＝グルタミン酸、Ｆ＝フェニルアラニン、Ｇ＝グリシン、  Ｈ＝ヒスチジン、Ｉ＝イソロイシン、Ｋ＝リシン、Ｌ＝ロイシン、Ｍ＝メチオニン、Ｎ＝アスパラギン、Ｐ＝プロリン、Ｑ＝グルタミン、Ｒ＝アルギニン、Ｓ＝セリン、Ｔ＝トレオニン、Ｖ＝バリン、Ｗ＝トリプトファン、Ｙ＝チロシンを意味する。ギャップは横線で示す。
【図１】
2004524001.tif 000005
【図２】
2004524001.tif 000006
【図３】
2004524001.tif 000007
【図４】
2004524001.tif 000008
【図５】
2004524001.tif 000009
【図６】
2004524001.tif 000010
【図７】
2004524001.tif 000011
【図８】
2004524001.tif 000012
【図９】
2004524001.tif 000013
【図１０】
2004524001.tif 000014
【図１１】
2004524001.tif 000015
【図１２】
2004524001.tif 000016
【図１３】
2004524001.tif 000017
【図１４】
2004524001.tif 000018
【図１５】
2004524001.tif 000019
【国際公開パンフレット】
2004524001.tif 000020
2004524001.tif 000021
2004524001.tif 000022
2004524001.tif 000023
2004524001.tif 000024
2004524001.tif 000025
2004524001.tif 000026
2004524001.tif 000027
2004524001.tif 000028
2004524001.tif 000029
2004524001.tif 000030
2004524001.tif 000031
2004524001.tif 000032
2004524001.tif 000033
2004524001.tif 000034
2004524001.tif 000035
2004524001.tif 000036
2004524001.tif 000037
2004524001.tif 000038
2004524001.tif 000039
2004524001.tif 000040
2004524001.tif 000041
2004524001.tif 000042
2004524001.tif 000043
2004524001.tif 000044
2004524001.tif 000045
2004524001.tif 000046
2004524001.tif 000047
2004524001.tif 000048
2004524001.tif 000049
2004524001.tif 000050
2004524001.tif 000051
2004524001.tif 000052
2004524001.tif 000053
2004524001.tif 000054
2004524001.tif 000055
2004524001.tif 000056
2004524001.tif 000057
2004524001.tif 000058
2004524001.tif 000059
2004524001.tif 000060
2004524001.tif 000061
2004524001.tif 000062
2004524001.tif 000063
2004524001.tif 000064
2004524001.tif 000065
2004524001.tif 000066
2004524001.tif 000067
2004524001.tif 000068
2004524001.tif 000069
2004524001.tif 000070
2004524001.tif 000071
2004524001.tif 000072
2004524001.tif 000073
2004524001.tif 000074
2004524001.tif 000075
2004524001.tif 000076
2004524001.tif 000077
2004524001.tif 000078
2004524001.tif 000079
2004524001.tif 000080
2004524001.tif 000081
2004524001.tif 000082
2004524001.tif 000083
2004524001.tif 000084
2004524001.tif 000085
2004524001.tif 000086
2004524001.tif 000087
2004524001.tif 000088
2004524001.tif 000089
2004524001.tif 000090
2004524001.tif 000091
2004524001.tif 000092
2004524001.tif 000093
2004524001.tif 000094
2004524001.tif 000095
2004524001.tif 000096
2004524001.tif 000097
2004524001.tif 000098
2004524001.tif 000099
2004524001.tif 000100
2004524001.tif 000101
2004524001.tif 000102
2004524001.tif 000103
2004524001.tif 000104
2004524001.tif 000105
2004524001.tif 000106
2004524001.tif 000107
2004524001.tif 000108
2004524001.tif 000109
2004524001.tif 000110
2004524001.tif 000111
2004524001.tif 000112
2004524001.tif 000113
2004524001.tif 000114
2004524001.tif 000115
2004524001.tif 000116
2004524001.tif 000117
2004524001.tif 000118
2004524001.tif 000119
2004524001.tif 000120
2004524001.tif 000121
2004524001.tif 000122
2004524001.tif 000123
2004524001.tif 000124
2004524001.tif 000125
2004524001.tif 000126
2004524001.tif 000127
2004524001.tif 000128
2004524001.tif 000129
2004524001.tif 000130
2004524001.tif 000131
2004524001.tif 000132
2004524001.tif 000133
2004524001.tif 000134
2004524001.tif 000135
2004524001.tif 000136
2004524001.tif 000137
2004524001.tif 000138
2004524001.tif 000139
2004524001.tif 000140
2004524001.tif 000141
2004524001.tif 000142
2004524001.tif 000143
2004524001.tif 000144
2004524001.tif 000145
2004524001.tif 000146
2004524001.tif 000147
2004524001.tif 000148
2004524001.tif 000149
2004524001.tif 000150
2004524001.tif 000151
2004524001.tif 000152
2004524001.tif 000153
2004524001.tif 000154
2004524001.tif 000155
2004524001.tif 000156
2004524001.tif 000157
2004524001.tif 000158
2004524001.tif 000159
2004524001.tif 000160
2004524001.tif 000161
2004524001.tif 000162
2004524001.tif 000163
2004524001.tif 000164
2004524001.tif 000165
2004524001.tif 000166
2004524001.tif 000167
2004524001.tif 000168
2004524001.tif 000169
2004524001.tif 000170
2004524001.tif 000171
2004524001.tif 000172
2004524001.tif 000173
2004524001.tif 000174
2004524001.tif 000175
2004524001.tif 000176
2004524001.tif 000177
2004524001.tif 000178
2004524001.tif 000179
2004524001.tif 000180
2004524001.tif 000181
2004524001.tif 000182
2004524001.tif 000183
2004524001.tif 000184
2004524001.tif 000185
2004524001.tif 000186
2004524001.tif 000187
2004524001.tif 000188
2004524001.tif 000189
2004524001.tif 000190
2004524001.tif 000191
2004524001.tif 000192
2004524001.tif 000193
2004524001.tif 000194
2004524001.tif 000195
2004524001.tif 000196
2004524001.tif 000197
2004524001.tif 000198
2004524001.tif 000199
2004524001.tif 000200
2004524001.tif 000201
2004524001.tif 000202
2004524001.tif 000203
2004524001.tif 000204
2004524001.tif 000205
2004524001.tif 000206
2004524001.tif 000207
2004524001.tif 000208
2004524001.tif 000209
2004524001.tif 000210
2004524001.tif 000211
2004524001.tif 000212
2004524001.tif 000213
2004524001.tif 000214
2004524001.tif 000215
2004524001.tif 000216
2004524001.tif 000217
2004524001.tif 000218
2004524001.tif 000219
【国際公開パンフレット（コレクトバージョン）】
2004524001.tif 000220
【国際調査報告】
2004524001.tif 000221
2004524001.tif 000222